(57)【要約】【課題】情報の送信側や受信側が望む情報の単位毎に適した取り決めに従って、情報のマルチキャスト送信、制御や監視に関する情報の送信を行うことができる通信システムを提供する。【解決手段】通信システム１は、配信サーバ４０ａから、複数の端末装置３０ａ，３０ｂに提供情報をマルチキャスト送信する際の通信ポリシーや、端末装置３０ａ，３０ｂから配信サーバ４０ａに制御情報や監視対象情報を送信する際の通信ポリシーを、オブジェクト単位毎に決定し、設定する。そして、通信システム１は、設定された通信ポリシーに基づいて、提供情報のマルチキャスト送信や、制御情報や監視対象情報の送信をオブジェクト単位毎に制御する。【選択図】  図１
2004274185.tif 000002
【特許請求の範囲】
【請求項１】
情報送信装置と無線通信装置と端末装置との少なくとも二者間で行われる提供情報の送受信を行う通信システムにおいて、
提供情報をマルチキャスト送信するマルチキャスト送信手段と、
該マルチキャスト送信手段がマルチキャスト送信した提供情報を受信する複数の提供情報受信手段と、
前記マルチキャスト送信手段から前記複数の提供情報受信手段に前記提供情報をマルチキャスト送信する際の通信ポリシーを、オブジェクト単位毎に決定し、設定する通信ポリシー設定手段と、
該通信ポリシー設定手段によって設定された通信ポリシーに基づいて、前記提供情報のマルチキャスト送信をオブジェクト単位毎に制御する通信制御手段と
を備えることを特徴とする通信システム。
【請求項２】
前記オブジェクト単位には、データ単位、領域単位、コミュニティ単位、セッション単位、コネクション単位、又はトンネル単位が含まれることを特徴とする請求項１に記載の通信システム。
【請求項３】
前記通信ポリシー設定手段は、前記複数の提供情報受信手段毎に前記通信ポリシーを決定し、設定することを特徴とする請求項１又は２に記載の通信システム。
【請求項４】
前記通信ポリシー設定手段は、前記複数の提供情報受信手段間の調整を行うことにより、前記通信ポリシーを決定し、設定することを特徴とする請求項１乃至３のいずれか１項に記載の通信システム。
【請求項５】
前記通信ポリシー設定手段は、前記複数の提供情報受信手段間で同期が確立するように前記通信ポリシーを決定し、設定することを特徴とする請求項１乃至４のいずれか１項に記載の通信システム。
【請求項６】
前記通信ポリシー設定手段は、前記提供情報、前記複数の提供情報受信手段の数、測定情報、位置情報、時間情報、前記マルチキャスト送信手段と前記提供情報受信手段との間のネットワークの状況、前記マルチキャスト送信手段と前記提供情報受信手段との間の通信リソースの状況、前記マルチキャスト送信手段に関する情報、前記提供情報受信手段に関する情報、前記通信ポリシーの達成度、前記提供情報の送受信に関する通信料金又は要求されるリアルタイム性の少なくとも１つに基づいて、前記通信ポリシーを決定し、設定することを特徴とする請求項１乃至５のいずれか１項に記載の通信システム。
【請求項７】
前記マルチキャスト送信手段が前記提供情報をマルチキャスト送信する複数の提供情報受信手段を決定する決定手段を備えることを特徴とする請求項１乃至６のいずれか１項に記載の通信システム。
【請求項８】
前記設定した通信ポリシーに基づいて、前記提供情報のマルチキャスト送信に通信リソースを予め割り当てるリソース割当手段を備えることを特徴とする請求項１乃至７のいずれか１項に記載の通信システム。
【請求項９】
前記設定した通信ポリシーに基づいて、前記提供情報を変換する変換手段を備えることを特徴とする請求項１乃至８のいずれか１項に記載の通信システム。
【請求項１０】
前記マルチキャスト送信手段と前記提供情報受信手段との間のネットワークの状況、前記マルチキャスト送信手段と前記提供情報受信手段との間の通信リソースの状況、前記マルチキャスト送信手段の状況、前記提供情報受信手段の状況、前記通信ポリシーの達成度の少なくとも１つを取得する取得手段を備えることを特徴とする請求項１乃至９のいずれか１項に記載の通信システム。
【請求項１１】
近距離無線により無線情報を送信する近距離無線送信手段と、
該近距離無線送信手段が送信した無線情報を受信する近距離無線受信手段と、
該近距離無線受信手段が受信した無線情報に基づいて、前記提供情報を特定する提供情報特定手段を備え、
前記マルチキャスト送信手段は、前記提供情報特定手段が特定した提供情報をマルチキャスト送信することを特徴とする請求項１乃至１０のいずれか１項に記載の通信システム。
【請求項１２】
制御情報を送信する制御情報送信手段と、
該制御情報送信手段が送信した制御情報を受信する制御情報受信手段と、
前記制御情報送信手段から前記制御情報受信手段に前記制御情報を送信する際の通信ポリシーを、オブジェクト単位毎に決定し、設定する通信ポリシー設定手段と、
該通信ポリシー設定手段によって設定された通信ポリシーに基づいて、前記制御情報の送信をオブジェクト単位毎に制御する通信制御手段と
を備えることを特徴とする通信システム。
【請求項１３】
前記オブジェクト単位には、データ単位、領域単位、コミュニティ単位、セッション単位、コネクション単位、又はトンネル単位が含まれることを特徴とする請求項１２に記載の通信システム。
【請求項１４】
前記通信ポリシー設定手段は、前記制御情報、測定情報、位置情報、時間情報、前記制御情報送信手段と前記制御情報受信手段との間のネットワークの状況、前記制御情報送信手段と前記制御情報受信手段との間の通信リソースの状況、前記制御情報送信手段に関する情報、前記制御情報受信手段に関する情報、前記通信ポリシーの達成度、前記制御情報の送受信に関する通信料金又は要求されるリアルタイム性の少なくとも１つに基づいて、前記通信ポリシーを決定し、設定することを特徴とする請求項１２又は１３に記載の通信システム。
【請求項１５】
前記設定した通信ポリシーに基づいて、前記制御情報の送信に通信リソースを予め割り当てるリソース割当手段を備えることを特徴とする請求項１２乃至１４のいずれか１項に記載の通信システム。
【請求項１６】
前記設定した通信ポリシーに基づいて、前記制御情報を変換する変換手段を備えることを特徴とする請求項１２乃至１５のいずれか１項に記載の通信システム。
【請求項１７】
監視対象に関する監視対象情報を取得する監視手段と、
該監視手段が取得した監視対象情報を送信する監視対象情報送信手段と、
該監視対象情報送信手段が送信した監視対象情報を受信する監視対象情報受信手段と、
前記監視対象情報送信手段から前記監視対象情報受信手段に前記監視対象情報を送信する際の通信ポリシーを、オブジェクト単位毎に決定し、設定する通信ポリシー設定手段と、
該通信ポリシー設定手段によって設定された通信ポリシーに基づいて、前記監視対象情報の送信をオブジェクト単位毎に制御する通信制御手段と
を備える通信システム。
【請求項１８】
前記オブジェクト単位には、データ単位、領域単位、コミュニティ単位、セッション単位、コネクション単位、又はトンネル単位が含まれることを特徴とする請求項１７に記載の通信システム。
【請求項１９】
前記通信ポリシー設定手段は、前記監視対象情報、測定情報、位置情報、時間情報、前記監視対象情報送信手段と前記監視対象情報受信手段との間のネットワークの状況、前記監視対象情報送信手段と前記監視対象情報受信手段との間の通信リソースの状況、前記監視対象情報送信手段に関する情報、前記監視対象情報受信手段に関する情報、前記通信ポリシーの達成度、前記監視対象情報の送受信に関する通信料金又は要求されるリアルタイム性の少なくとも１つに基づいて、前記通信ポリシーを決定し、設定することを特徴とする請求項１７又は１８に記載の通信システム。
【請求項２０】
前記設定した通信ポリシーに基づいて、前記監視対象情報の送信に通信リソースを予め割り当てるリソース割当手段を備えることを特徴とする請求項１７乃至１９のいずれか１項に記載の通信システム。
【請求項２１】
前記設定した通信ポリシーに基づいて、前記監視対象情報を変換する変換手段を備えることを特徴とする請求項１７乃至２０のいずれか１項に記載の通信システム。
【請求項２２】
提供情報をマルチキャスト送信するマルチキャスト送信手段と、
オブジェクト単位毎に設定された前記マルチキャスト送信手段から前記提供情報を受信する複数の提供情報受信手段に前記提供情報をマルチキャスト送信する際の通信ポリシーに基づいて、前記提供情報のマルチキャスト送信をオブジェクト単位毎に制御する通信制御手段と
を備える情報送信装置。
【請求項２３】
前記オブジェクト単位には、データ単位、領域単位、コミュニティ単位、セッション単位、コネクション単位、又はトンネル単位が含まれることを特徴とする請求項２２に記載の情報送信装置。
【請求項２４】
前記通信ポリシーをオブジェクト単位毎に決定し、設定する通信ポリシー設定手段を備えることを特徴とする請求項２２又は２３に記載の情報送信装置。
【請求項２５】
前記マルチキャスト送信手段が前記提供情報をマルチキャスト送信する複数の提供情報受信手段を決定する決定手段を備えることを特徴とする請求項２２乃至２４のいずれか１項に記載の情報送信装置。
【請求項２６】
制御情報を送信する制御情報送信手段と、
オブジェクト単位毎に設定された前記制御情報送信手段から前記制御情報を受信する制御情報受信手段に前記制御情報を送信する際の通信ポリシーに基づいて、前記制御情報の送信をオブジェクト単位毎に制御する通信制御手段と
を備えることを特徴とする制御装置。
【請求項２７】
前記オブジェクト単位には、データ単位、領域単位、コミュニティ単位、セッション単位、コネクション単位、又はトンネル単位が含まれることを特徴とする請求項２６に記載の制御装置。
【請求項２８】
前記通信ポリシーをオブジェクト単位毎に決定し、設定する通信ポリシー設定手段を備えることを特徴とする請求項２６又は２７に記載の制御装置。
【請求項２９】
監視対象に関する監視対象情報を取得する監視手段と、
該監視手段が取得した監視対象情報を送信する監視対象情報送信手段と、
オブジェクト単位毎に設定された前記監視対象情報送信手段から前記監視対象情報を受信する監視対象情報受信手段に前記監視対象情報を送信する際の通信ポリシーに基づいて、前記監視対象情報の送信をオブジェクト単位毎に制御する通信制御手段と
を備えることを特徴とする監視装置。
【請求項３０】
前記オブジェクト単位には、データ単位、領域単位、コミュニティ単位、セッション単位、コネクション単位、又はトンネル単位が含まれることを特徴とする請求項２９に記載の監視装置。
【請求項３１】
前記通信ポリシーをオブジェクト単位毎に決定し、設定する通信ポリシー設定手段を備えることを特徴とする請求項２９又は３０に記載の監視装置。
【請求項３２】
提供情報をマルチキャスト送信するマルチキャスト送信手段から前記提供情報を受信する複数の提供情報受信手段に、前記提供情報をマルチキャスト送信する際の通信ポリシーをオブジェクト単位毎に決定して設定し、
該設定した通信ポリシーに基づいて、前記提供情報をマルチキャスト送信することを特徴とする通信方法。
【請求項３３】
前記オブジェクト単位には、データ単位、領域単位、コミュニティ単位、セッション単位、コネクション単位、又はトンネル単位が含まれることを特徴とする請求項３２に記載の通信方法。
【請求項３４】
前記提供情報をマルチキャスト送信する複数の提供情報受信手段を決定し、
該決定した複数の提供情報受信手段に、前記提供情報をマルチキャスト送信することを特徴とする請求項３２又は３３に記載の通信方法。
【請求項３５】
前記設定した通信ポリシーに基づいて、前記提供情報のマルチキャスト送信に通信リソースを予め割り当てることを特徴とする請求項３２乃至３４のいずれか１項に記載の通信方法。
【請求項３６】
前記設定した通信ポリシーに基づいて、前記提供情報を変換することを特徴とする請求項３２乃至３５のいずれか１項に記載の通信方法。
【請求項３７】
前記マルチキャスト送信手段と前記提供情報受信手段との間のネットワークの状況、前記マルチキャスト送信手段と前記提供情報受信手段との間の通信リソースの状況、前記マルチキャスト送信手段の状況、前記提供情報受信手段の状況、前記通信ポリシーの達成度の少なくとも１つを取得することを特徴とする請求項３２乃至３６のいずれか１項に記載の通信方法。
【請求項３８】
無線通信装置が、近距離無線により無線情報を送信し、
端末装置が、前記無線情報を受信し、
前記端末装置が受信した無線情報に基づいて、前記提供情報を特定し、
該特定した提供情報をマルチキャスト送信することを特徴とする請求項３２乃至３７のいずれか１項に記載の通信方法。
【請求項３９】
制御情報を送信する制御情報送信手段から前記制御情報を受信する制御情報受信手段に、前記制御情報を送信する際の通信ポリシーをオブジェクト単位毎に設定し、
該設定した通信ポリシーに基づいて、前記制御情報を送信することを特徴とする通信方法。
【請求項４０】
前記オブジェクト単位には、データ単位、領域単位、コミュニティ単位、セッション単位、コネクション単位、又はトンネル単位が含まれることを特徴とする請求項３９に記載の通信方法。
【請求項４１】
前記設定した通信ポリシーに基づいて、前記制御情報の送信に通信リソースを予め割り当てることを特徴とする請求項３９又は４０に記載の通信方法。
【請求項４２】
前記設定した通信ポリシーに基づいて、前記制御情報を変換することを特徴とする請求項３９乃至４１のいずれか１項に記載の通信方法。
【請求項４３】
監視対象に関する監視対象情報を取得し、
前記監視対象情報を送信する監視対象情報送信手段から前記監視対象情報を受信する監視対象情報受信手段に、前記監視対象情報を送信する際の通信ポリシーをオブジェクト単位毎に設定し、
該設定した通信ポリシーに基づいて、前記監視対象情報を送信することを特徴とする通信方法。
【請求項４４】
前記オブジェクト単位には、データ単位、領域単位、コミュニティ単位、セッション単位、コネクション単位、又はトンネル単位が含まれることを特徴とする請求項４３に記載の通信方法。
【請求項４５】
前記設定した通信ポリシーに基づいて、前記監視対象情報の送信に通信リソースを予め割り当てることを特徴とする請求項４３又は４４に記載の通信方法。
【請求項４６】
前記設定した通信ポリシーに基づいて、前記監視対象情報を変換することを特徴とする請求項４３乃至４５のいずれか１項に記載の通信方法。
【発明の詳細な説明】
【０００１】
【発明の属する技術分野】
本発明は、通信システム、情報送信装置、制御装置、監視装置及び通信方法に関する。
【０００２】
【従来の技術】
従来、無線基地局から無線端末に配信する情報をマルチキャスト送信する際に、情報を構成要素の優先度に応じて複数のレイヤに区切り、そのレイヤ毎にチャネル割り当てを行う方法が提案されている（例えば、特許文献１参照）。又、パケットをマルチキャスト送信する際に、ある受信者にあわせてパケットのクラスを決定し、パケットを送信する方法が提案されている（例えば、特許文献２参照）。更に、現地の状況に関する情報を遠隔監視側に送信する遠隔監視システムにおいて、情報のファイルを予め設定した大きさに分けて、それらを並列伝送する方法が提案されている（例えば、特許文献３参照）。
【０００３】
【特許文献１】
特開２００２−９５０６５号公報
【０００４】
【特許文献２】
特開２００２−１２４９８４号公報
【０００５】
【特許文献３】
特開２００２−２１７９４９号公報
【０００６】
【発明が解決しようとする課題】
しかしながら、情報をその構成要素の優先度に応じて区切り、チャネルを割り当ててマルチキャスト送信する場合には、一律の条件で情報が区切られてしまう。そのため、情報を送信する送信側や、情報を受信する受信側が望む情報の単位毎に、それぞれに適したマルチキャスト送信を行うことができなかった。更に、ある受信者にあわせてパケットをマルチキャスト送信する場合には、各受信者に適したマルチキャスト送信を行うことができなかった。
【０００７】
又、遠隔監視システムにおいて情報のファイルを予め設定した大きさに分けて送信する場合にも、一律の大きさに情報が区切られてしまう。そのため、監視や制御に関する情報を、情報を送信する送信側や、情報を受信する受信側が望む情報の単位毎に、それぞれに適した送信を行うことができなかった。その結果、監視や制御が適切に行われない場合があった。
【０００８】
そこで、本発明は、情報の送信側や受信側が望む情報の単位毎に、それぞれに適した取り決めに従って、情報をマルチキャスト送信できる通信システム、情報送信装置及び通信方法を提供することを目的とする。又、他の発明は、制御や監視に関する情報を、適切に送信できる通信システム、制御装置、監視装置及び通信方法を提供することを目的とする。
【０００９】
【課題を解決するための手段】
本発明に係る通信システムは、情報送信装置と無線通信装置と端末装置の少なくとも２者間で行われる提供情報の送受信を行う通信システムである。本発明に係る通信システムは、提供情報をマルチキャスト送信するマルチキャスト送信手段と、マルチキャスト送信手段がマルチキャスト送信した提供情報を受信する複数の提供情報受信手段と、マルチキャスト送信手段から複数の提供情報受信手段に提供情報をマルチキャスト送信する際の通信ポリシーを、オブジェクト単位毎に決定し、設定する通信ポリシー設定手段と、通信ポリシー設定手段によって設定された通信ポリシーに基づいて、提供情報のマルチキャスト送信をオブジェクト単位毎に制御する通信制御手段とを備えることを特徴とする。
【００１０】
ここで、「通信ポリシー」とは、情報を送信する側と、情報を受信する側との間の取り決めであり、送信側から受信側に情報を送信する際の取り決めである。又、「オブジェクト単位」とは、情報の送信側や、情報の受信側が、ある情報を送信する場合に、１つの通信ポリシーの設定を望む情報の単位である。又、マルチキャスト（Ｍｕｌｔｉｃａｓｔ）送信とは、複数の受信側に同じ情報を送信することをいう。
【００１１】
このような通信システムによれば、通信ポリシー設定手段が、マルチキャスト送信手段から提供情報受信手段に提供情報をマルチキャスト送信する際の通信ポリシーを、オブジェクト単位毎に決定し、設定する。そして、通信制御手段が、設定された通信ポリシーに基づいて、提供情報のマルチキャスト送信をオブジェクト単位毎に制御する。そのため、通信システムは、情報の送信側であるマルチキャスト送信手段や、情報の受信側である提供情報受信手段が望む情報の単位毎に、それぞれに適した取り決めに従って、提供情報をマルチキャスト送信できる。
【００１２】
又、通信ポリシー設定手段は、複数の提供情報受信手段毎に通信ポリシーを決定し、設定することが好ましい。これによれば、通信システムは、各提供情報受信手段それぞれに適した取り決めに従って、提供情報をマルチキャスト送信できる。
【００１３】
更に、通信ポリシー設定手段は、複数の提供情報受信手段間の調整を行うことにより、通信ポリシーを決定し、設定することが好ましい。これによれば、複数の提供情報受信手段全てが、マルチキャスト送信された提供情報を適切に受信できる。
【００１４】
又、通信ポリシー設定手段は、複数の提供情報受信手段間で同期が確立するように通信ポリシーを決定し、設定することが好ましい。これによれば、複数の提供情報受信手段間の同期が確立したマルチキャスト送信を行うことができる。
【００１５】
又、通信ポリシー設定手段は、提供情報、複数の提供情報受信手段の数、測定情報、位置情報、時間情報、マルチキャスト送信手段と提供情報受信手段との間のネットワークの状況、マルチキャスト送信手段と提供情報受信手段との間の通信リソースの状況、マルチキャスト送信手段に関する情報、提供情報受信手段に関する情報、通信ポリシーの達成度、提供情報の送受信に関する通信料金又は要求されるリアルタイム性の少なくとも１つに基づいて、通信ポリシーを決定し、設定することが好ましい。これによれば、通信ポリシー設定手段は、様々な情報に基づいて、通信ポリシーを決定し、設定することができる。そのため、マルチキャスト送信手段は、より適切な通信ポリシーに従って、提供情報をマルチキャスト送信できる。
【００１６】
更に、通信システムは、マルチキャスト送信手段が提供情報をマルチキャスト送信する複数の提供情報受信手段を決定する決定手段を備えることが好ましい。これによれば、通信システムは、提供情報をマルチキャスト送信する相手の提供情報受信手段を決定し、決定した提供情報受信手段にのみ提供情報を送信できる。
又、通信システムは、設定した通信ポリシーに基づいて、提供情報のマルチキャスト送信に通信リソースを予め割り当てるリソース割当手段を備えることが好ましい。これによれば、マルチキャスト送信手段は、通信ポリシーを実現するために必要な通信リソースを予め確保してから、提供情報をマルチキャスト送信できる。
【００１７】
更に、通信システムは、設定した通信ポリシーに基づいて、提供情報を変換する変換手段を備えるようにしてもよい。これによれば、通信システムは、通信ポリシーを実現するために必要な提供情報の変換を行うことができる。
【００１８】
又、通信システムは、マルチキャスト送信手段と提供情報受信手段との間のネットワークの状況、マルチキャスト送信手段と提供情報受信手段との間の通信リソースの状況、マルチキャスト送信手段の状況、提供情報受信手段の状況、通信ポリシーの達成度の少なくとも１つを取得する取得手段を備えることが好ましい。これによれば、通信システムは、ネットワークの状況や通信リソースの状況、マルチキャスト送信手段や提供情報受信手段の状況、通信ポリシーの達成度を把握できる。そして、通信システムは、取得したこれらの情報に基づいて、通信ポリシーの設定や、提供情報をマルチキャスト送信する複数の提供情報受信手段を決定することができる。
【００１９】
更に、通信システムは、近距離無線により無線情報を送信する近距離無線送信手段と、近距離無線送信手段が送信した無線情報を受信する近距離無線受信手段と、近距離無線受信手段が受信した無線情報に基づいて、提供情報を特定する提供情報特定手段を備え、マルチキャスト送信手段は、提供情報特定手段が特定した提供情報をマルチキャスト送信することが好ましい。これによれば、近距離無線送信手段が、近距離無線により無線情報を送信する。近距離無線受信手段が、その無線情報を受信する。提供情報特定手段は、受信した無線情報に基づいて、提供情報を特定する。そして、マルチキャスト送信手段が、特定した提供情報をマルチキャスト送信する。そのため、提供情報を利用するユーザは、ユーザに適した情報を容易に取得できる。
【００２０】
他の発明に係る通信システムは、制御情報を送信する制御情報送信手段と、制御情報送信手段が送信した制御情報を受信する制御情報受信手段と、制御情報送信手段から制御情報受信手段に制御情報を送信する際の通信ポリシーを、オブジェクト単位毎に決定し、設定する通信ポリシー設定手段と、通信ポリシー設定手段によって設定された通信ポリシーに基づいて、制御情報の送信をオブジェクト単位毎に制御する通信制御手段とを備えることを特徴とする。
【００２１】
このような通信システムによれば、通信ポリシー設定手段が、制御情報送信手段から制御情報受信手段に制御情報を送信する際の通信ポリシーを、オブジェクト単位毎に決定し、設定する。そして、通信制御手段が、設定された通信ポリシーに基づいて、制御情報の送信をオブジェクト単位毎に制御する。そのため、通信システムは、情報の送信側である制御情報送信手段や、情報の受信側である制御情報受信手段が望む情報の単位毎に、それぞれに適した取り決めに従って、制御情報を適切に送信できる。
【００２２】
又、通信ポリシー設定手段は、制御情報、測定情報、位置情報、時間情報、制御情報送信手段と制御情報受信手段との間のネットワークの状況、制御情報送信手段と制御情報受信手段との間の通信リソースの状況、制御情報送信手段に関する情報、制御情報受信手段に関する情報、通信ポリシーの達成度、制御情報の送受信に関する通信料金又は要求されるリアルタイム性の少なくとも１つに基づいて、通信ポリシーを決定し、設定することが好ましい。これによれば、通信ポリシー設定手段は、様々な情報に基づいて、通信ポリシーを決定し、設定することができる。そのため、制御情報送信手段は、より適切な通信ポリシーに従って、制御情報を送信できる。
【００２３】
又、通信システムは、設定した通信ポリシーに基づいて、制御情報の送信に通信リソースを予め割り当てるリソース割当手段を備えることが好ましい。これによれば、制御情報送信手段は、通信ポリシーを実現するために必要な通信リソースを予め確保してから、制御情報を送信することができる。更に、通信システムは、設定した通信ポリシーに基づいて、制御情報を変換する変換手段を備えるようにしてもよい。これによれば、通信システムは、通信ポリシーを実現するために必要な制御情報の変換を行うことができる。
【００２４】
更に他の発明に係る通信システムは、監視対象に関する監視対象情報を取得する監視手段と、監視手段が取得した監視対象情報を送信する監視対象情報送信手段と、監視対象情報送信手段が送信した監視対象情報を受信する監視対象情報受信手段と、監視対象情報送信手段から監視対象情報受信手段に監視対象情報を送信する際の通信ポリシーを、オブジェクト単位毎に決定し、設定する通信ポリシー設定手段と、通信ポリシー設定手段によって設定された通信ポリシーに基づいて、監視対象情報の送信をオブジェクト単位毎に制御する通信制御手段とを備えることを特徴とする。
【００２５】
このような通信システムによれば、監視手段が、監視対象に関する監視対象情報を取得する。そして、監視対象情報送信手段が、取得した監視対象情報を、監視対象情報受信手段に送信する。更に、通信ポリシー設定手段が、監視対象情報送信手段から監視対象情報受信手段に監視対象情報を送信する際の通信ポリシーを、オブジェクト単位毎に決定し、設定する。そして、通信制御手段が、設定された通信ポリシーに基づいて、監視対象情報の送信をオブジェクト単位毎に制御する。そのため、通信システムは、監視対象に関する監視対象情報を取得し、監視対象情報受信手段に送信できる。その際に、通信システムは、情報の送信側である監視対象情報送信手段や、情報の受信側である監視対象情報受信手段が望む情報の単位毎に、それぞれに適した取り決めに従って、監視対象情報を適切に送信できる。
【００２６】
又、通信ポリシー設定手段は、監視対象情報、測定情報、位置情報、時間情報、監視対象情報送信手段と監視対象情報受信手段との間のネットワークの状況、監視対象情報送信手段と監視対象情報受信手段との間の通信リソースの状況、監視対象情報送信手段に関する情報、監視対象情報受信手段に関する情報、通信ポリシーの達成度、監視対象情報の送受信に関する通信料金又は要求されるリアルタイム性の少なくとも１つに基づいて、通信ポリシーを決定し、設定することが好ましい。これによれば、通信ポリシー設定手段は、様々な情報に基づいて、通信ポリシーを決定し、設定することができる。そのため、監視対象情報送信手段は、より適切な通信ポリシーに従って、監視対象情報を送信できる。
【００２７】
又、通信システムは、設定した通信ポリシーに基づいて、監視対象情報の送信に通信リソースを予め割り当てるリソース割当手段を備えることが好ましい。これによれば、監視対象情報送信手段は、通信ポリシーを実現するために必要な通信リソースを予め確保してから、監視対象情報を送信することができる。更に、通信システムは、設定した通信ポリシーに基づいて、監視対象情報を変換する変換手段を備えるようにしてもよい。これによれば、通信システムは、通信ポリシーを実現するために必要な監視対象情報の変換を行うことができる。
【００２８】
提供情報、制御情報、監視対象情報を構成するデータ単位として通信ポリシーを設定し、当該通信ポリシーに基づいて通信リソースを確保し、当該通信ポリシーに基づいてオブジェクトの送受信を制御することで、複数のオブジェクトを組み合わせて構成したマルチメディアコンテンツを送受信するに際し、高額の料金を支払ってもよいから全てのオブジェクトを最高の通信品質で受信したい、特定のオブジェクトについては通信品質を落としても良いから料金を安くして欲しいなどというような、コンテンツを受信するユーザの多様なニーズに柔軟に応えることができる。また、特定のオブジェクトについては通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００２９】
また領域単位、コミュニティ単位に通信ポリシーを設定し、当該通信ポリシーに基づいて通信リソースを確保し、当該通信ポリシーに基づいてコンテンツの送受信を制御することで、高額の料金を支払ってもよいからあらゆるユーザ状態（例えばユーザの存在する位置、所定のサービスに関するユーザ登録の有無）においてもコンテンツを最高の通信品質で受信したい、特定のユーザ状態にあるときは通信品質を落としても良いから料金を安くして欲しいなどというような、コンテンツを受信するユーザの多様なニーズに柔軟に応えることができる。また、特定のユーザ状態にあるときは通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００３０】
またセッション、コネクション、またはトンネルを単位として通信ポリシーを設定し、当該通信ポリシーに基づいて通信リソースを確保し、当該通信ポリシーに基づいてコンテンツの送受信を制御することで、高額の料金を支払ってもよいから全てのコネクション、セッションあるいはトンネルを利用したオブジェクトやコンテンツの送受信について最高の通信品質を確保したい、特定のコネクション、セッションあるいはトンネルを利用したオブジェクトやコンテンツの送受信については通信品質を落としても良いから料金を安くして欲しいなどというような、コンテンツを受信するユーザの多様なニーズに柔軟に応えることができる。また、特定のコネクション、セッションあるいはトンネルを利用したオブジェクトやコンテンツの送受信については通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００３１】
本発明に係る情報送信装置は、提供情報をマルチキャスト送信するマルチキャスト送信手段と、オブジェクト単位毎に設定されたマルチキャスト送信手段から提供情報を受信する複数の提供情報受信手段に提供情報をマルチキャスト送信する際の通信ポリシーに基づいて、提供情報のマルチキャスト送信をオブジェクト単位毎に制御する通信制御手段とを備える。
【００３２】
このような情報送信装置によれば、マルチキャスト送信手段が、複数の提供情報受信手段に、提供情報をマルチキャスト送信する。そして、通信制御手段が、オブジェクト単位毎に設定されたマルチキャスト送信手段から複数の提供情報受信手段に提供情報をマルチキャスト送信する際の通信ポリシーに基づいて、提供情報のマルチキャスト送信をオブジェクト単位毎に制御する。そのため、情報送信装置は、情報の送信側であるマルチキャスト送信手段や、情報の受信側である提供情報受信手段が望む情報の単位毎に、それぞれに適した取り決めに従って、提供情報をマルチキャスト送信できる。
【００３３】
更に、情報送信装置は、通信ポリシーをオブジェクト単位毎に決定し、設定する通信ポリシー設定手段を備えることが好ましい。これによれば、情報送信装置が、通信ポリシーを決定し、設定できる。又、情報送信装置は、マルチキャスト送信手段が提供情報をマルチキャスト送信する複数の提供情報受信手段を決定する決定手段を備えることが好ましい。
【００３４】
本発明に係る制御装置は、制御情報を送信する制御情報送信手段と、オブジェクト単位毎に設定された制御情報送信手段から制御情報を受信する制御情報受信手段に制御情報を送信する際の通信ポリシーに基づいて、制御情報の送信をオブジェクト単位毎に制御する通信制御手段とを備えることを特徴とする。
【００３５】
このような制御装置によれば、制御情報送信手段が、制御情報受信手段に、制御情報を送信する。そして、通信制御手段が、オブジェクト単位毎に設定された制御情報送信手段から制御情報受信手段に制御情報を送信する際の通信ポリシーに基づいて、制御情報の送信をオブジェクト単位毎に制御する。そのため、制御装置は、情報の送信側である制御情報送信手段や、情報の受信側である制御情報受信手段が望む情報の単位毎に、それぞれに適した取り決めに従って、制御情報を適切に送信できる。更に、制御装置は、通信ポリシーをオブジェクト単位毎に決定し、設定する通信ポリシー設定手段を備えることが好ましい。これによれば、制御装置が、通信ポリシーを決定し、設定できる。
【００３６】
本発明に係る監視装置は、監視対象に関する監視対象情報を取得する監視手段と、監視手段が取得した監視対象情報を送信する監視対象情報送信手段と、オブジェクト単位毎に設定された監視対象情報送信手段から監視対象情報を受信する監視対象情報受信手段に監視対象情報を送信する際の通信ポリシーに基づいて、監視対象情報の送信をオブジェクト単位毎に制御する通信制御手段とを備えることを特徴とする。
【００３７】
このような監視装置によれば、監視手段が、監視対象に関する監視対象情報を取得する。そして、監視対象情報送信手段が、取得した監視対象情報を、監視対象情報受信手段に送信する。そして、通信制御手段が、オブジェクト単位毎に設定された監視対象情報送信手段から監視対象情報受信手段に監視対象情報を送信する際の通信ポリシーに基づいて、監視対象情報の送信をオブジェクト単位毎に制御する。そのため、監視装置は、監視対象に関する監視対象情報を取得し、監視対象情報受信手段に送信できる。その際に、監視装置は、情報の送信側である監視対象情報送信手段や、情報の受信側である監視対象情報受信手段が望む情報の単位毎に、それぞれに適した取り決めに従って、監視対象情報を適切に送信できる。更に、監視装置は、通信ポリシーをオブジェクト単位毎に決定し、設定する通信ポリシー設定手段を備えることが好ましい。これによれば、監視装置が、通信ポリシーを決定し、設定できる。
【００３８】
本発明に係る通信方法は、提供情報をマルチキャスト送信するマルチキャスト送信手段から提供情報を受信する複数の提供情報受信手段に、提供情報をマルチキャスト送信する際の通信ポリシーをオブジェクト単位毎に決定して設定し、設定した通信ポリシーに基づいて、提供情報をマルチキャスト送信することを特徴とする。更に、提供情報をマルチキャスト送信する複数の提供情報受信手段を決定し、決定した複数の提供情報受信手段に、提供情報をマルチキャスト送信することが好ましい。
【００３９】
又、設定した通信ポリシーに基づいて、提供情報のマルチキャスト送信に通信リソースを予め割り当てることが好ましい。又、設定した通信ポリシーに基づいて、提供情報を変換するようにしてもよい。更に、マルチキャスト送信手段と提供情報受信手段との間のネットワークの状況、マルチキャスト送信手段と提供情報受信手段との間の通信リソースの状況、マルチキャスト送信手段の状況、提供情報受信手段の状況、通信ポリシーの達成度の少なくとも１つを取得することが好ましい。又、無線通信装置が、近距離無線により無線情報を送信し、端末装置が、無線情報を受信し、端末装置が受信した無線情報に基づいて提供情報を特定し、特定した提供情報をマルチキャスト送信するようにしてもよい。
【００４０】
他の発明に係る通信方法は、制御情報を送信する制御情報送信手段から制御情報を受信する制御情報受信手段に、制御情報を送信する際の通信ポリシーをオブジェクト単位毎に決定して設定し、設定した通信ポリシーに基づいて、制御情報を送信することを特徴とする。更に、設定した通信ポリシーに基づいて、制御情報の送信に通信リソースを予め割り当てることが好ましい。又、設定した通信ポリシーに基づいて、制御情報を変換するようにしてもよい。
【００４１】
更に他の発明に係る通信方法は、監視対象に関する監視対象情報を取得し、監視対象情報を送信する監視対象情報送信手段から監視対象情報を受信する監視対象情報受信手段に、監視対象情報を送信する際の通信ポリシーをオブジェクト単位毎に決定して設定し、設定した通信ポリシーに基づいて、監視対象情報を送信することを特徴とする。又、設定した通信ポリシーに基づいて、監視対象情報の送信に通信リソースを予め割り当てることが好ましい。更に、設定した通信ポリシーに基づいて、監視対象情報を変換するようにしてもよい。
【００４２】
【発明の実施の形態】
以下、図面を参照して本発明の実施の形態について説明する。
【００４３】
［第１の実施の形態］
〈通信システム〉
まず、通信システム１全体について説明する。図１に示すように、通信システム１は、複数の無線通信装置１０ａ〜１０ｆと、管理サーバ２０と、複数の端末装置３０ａ〜３０ｅと、複数の配信サーバ４０ａ，４０ｂと、中継装置５０ａと、中継制御装置５０ｂと、ポータルサーバ６０と、課金サーバ７０とを備える。
【００４４】
通信システム１では、無線通信装置１０ａ〜１０ｆが、端末装置３０ａ〜３０ｅに近距離無線により無線情報を送信する。ここで近距離とは、移動体通信で行われる移動機と基地局間のような距離に比べて、はるかに近い距離を指し、ＲＦ−ＩＤ（Ｒａｄｉｏ  Ｆｒｅｑｕｅｎｃｙ  ＩＤｅｎｔｉｆｉｃａｔｉｏｎ）、無線ＬＡＮ（Ｌｏｃａｌ  Ａｒｅａ  Ｎｅｔｗｏｒｋ）、ブルートゥース（Ｂｌｕｅｔｏｏｔｈ、登録商標）、赤外線等で提供される近距離通信にて提供される交信可能距離をいう。端末装置３０ａ〜３０ｅは、近距離無線通信により無線情報を送受信する機構を装備する。
【００４５】
無線情報は、無線通信装置１０ａ〜１０ｆが近距離無線により端末装置３０ａ〜３０ｅに送信する情報である。端末装置３０ａ〜３０ｅが、無線情報を受信する。そして、通信システム１は、端末装置３０ａ〜３０ｅが受信した無線情報に基づいて、提供情報を特定する。提供情報は、配信サーバ４０ａ，４０ｂが端末装置３０ａ〜３０ｅに送信する情報である。提供情報の特定は、無線通信装置１０ｄ〜１０ｆ、管理サーバ２０、端末装置３０ａ，３０ｃ〜３０ｅ又は配信サーバ４０ａのいずれが行ってもよい。
【００４６】
通信システム１は、配信サーバ４０ａ，４０ｂが、特定した提供情報をマルチキャスト送信する複数の端末装置３０ａ〜３０ｅを決定する。更に、通信システム１は、配信サーバ４０ａ，４０ｂから、決定した複数の端末装置３０ａ〜３０ｅに、特定した提供情報をマルチキャスト送信する際の通信ポリシーを、オブジェクト単位毎に決定し、設定する。通信ポリシーの設定には、通信ポリシーを制御すること、通信ポリシーを調整すること、一度設定した通信ポリシーを再度設定し直して変更すること、通信ポリシーの適用を制限することなどが含まれる。尚、通信システム１は、提供情報をマルチキャスト送信する際の通信ポリシーを決定し、設定した後に、提供情報を特定したり、マルチキャスト送信する複数の端末装置３０ａ〜３０ｅを決定したりしてもよい。
【００４７】
そして、配信サーバ４０ａ，４０ｂが、設定した通信ポリシーに基づいて、オブジェクト単位毎に、特定した提供情報を複数の端末装置３０ａ〜３０ｅにマルチキャスト送信する。配信サーバ４０ａ，４０ｂは、提供情報を、無線情報を受信した端末装置にマルチキャスト送信してもよく、無線情報を受信した端末装置以外の端末装置にマルチキャスト送信してもよい。そして、複数の端末装置３０ａ〜３０ｅが、マルチキャスト送信された提供情報を受信する。尚、端末装置３０ａ〜３０ｅは、無線通信装置１０ａ〜１０ｆからの無線情報の受信と、配信サーバ４０ａ，４０ｂからの提供情報の受信を並行して行ってもよい。
【００４８】
又、配信サーバ４０ａ，４０ｂは、端末装置３０ａ〜３０ｅ、無線通信装置１０ｄ〜１０ｆが配信サーバ４０ａ，４０ｂの制御対象の場合、端末装置３０ａ〜３０ｅ、無線通信装置１０ｄ〜１０ｆに制御情報を送信する。制御情報とは、制御対象を制御する情報である。制御情報には、制御信号、制御コマンド、制御メッセージなどがある。端末装置３０ａ〜３０ｅは、配信サーバ４０ａ，４０ｂが端末装置３０ａ〜３０ｅの制御対象の場合、配信サーバ４０ａ，４０ｂに制御情報を送信する。更に、端末装置３０ａ〜３０ｅ、無線通信装置１０ｄ〜１０ｆは、監視対象情報を取得する場合がある。監視対象情報とは、監視対象に関する情報である。この場合には、端末装置３０ａ〜３０ｅ、無線通信装置１０ｄ〜１０ｆは、配信サーバ４０ａ，４０ｂに取得した監視対象情報を送信する。
【００４９】
このとき、通信システム１は、配信サーバ４０ａ，４０ｂから端末装置３０ａ〜３０ｅ、無線通信装置１０ｄ〜１０ｆに制御情報を送信する際の通信ポリシーを、オブジェクト単位毎に決定し、設定する。又、通信システム１は、端末装置３０ａ〜３０ｅや無線通信装置１０ｄ〜１０ｆから配信サーバ４０ａ，４０ｂに、制御情報や監視対象情報を送信する際の通信ポリシーを、オブジェクト単位毎に決定し、設定する。そして、配信サーバ４０ａ，４０ｂ、端末装置３０ａ〜３０ｅ、無線通信装置１０ｄ〜１０ｆは、設定した通信ポリシーに基づいて、オブジェクト単位毎に、制御情報や監視対象情報を送信する。この場合、配信サーバ４０ａ，４０ｂは、複数の端末装置３０ａ〜３０ｅ、複数の無線通信装置１０ｄ〜１０ｆに制御情報をマルチキャスト送信してもよい。同様に、端末装置３０ａ〜３０ｅは、複数の配信サーバ４０ａ，４０ｂに制御情報や監視情報をマルチキャスト送信してもよい。そして、配信サーバ４０ａ，４０ｂ、端末装置３０ａ〜３０ｅ、無線通信装置１０ｄ〜１０ｆは、送信された制御情報や監視対象情報を受信する。
更に、通信システム１では、課金サーバ７０が、このような無線情報、提供情報、制御情報、監視対象情報の送受信に関する通信料金を課金する。そのため、管理サーバ２０、配信サーバ４０ａ，４０ｂ、中継装置５０ａ、中継制御装置５０ｂ、ポータルサーバ６０は、図１中点線で示すように、通信料金の算出に必要な情報（以下、「算出情報」という）を、課金サーバ７０に送信する。
【００５０】
尚、通信ポリシーの設定は、無線通信装置１０ｄ〜１０ｆ、管理サーバ２０、端末装置３０ａ，３０ｃ〜３０ｅ、配信サーバ４０ａ、中継制御装置５０ｂのいずれが行ってもよい。又、通信ポリシーの設定は、無線通信装置１０ｄ〜１０ｆ、管理サーバ２０、端末装置３０ａ，３０ｃ〜３０ｅ、配信サーバ４０ａ、中継制御装置５０ｂのいずれが単独で行ってもよく、２つ以上が共同で行ってもよい。
【００５１】
又、配信サーバ４０ａは、提供情報、制御情報を、端末装置３０ａ，３０ｂに直接送信してもよい。同様に、端末装置３０ａ，３０ｂは、制御情報、監視対象情報を、配信サーバ４０ａに直接送信してもよい。又、配信サーバ４０ａは、制御情報を、無線通信装置１０ｄに直接送信してもよい。同様に、無線通信装置１０ｄは、監視対象情報を、配信サーバ４０ａに直接送信してもよい。又、配信サーバ４０ａ，４０ｂは、端末装置３０ａ〜３０ｅに、無線通信装置１０ｃ〜１０ｆ、管理サーバ２０又は中継装置５０ａを介して、提供情報、制御情報を送信してもよい。同様に、端末装置３０ａ〜３０ｅは、配信サーバ４０ａ，４０ｂに、無線通信装置１０ｃ〜１０ｆ、管理サーバ２０又は中継装置５０ａを介して、制御情報、監視対象情報を送信してもよい。又、配信サーバ４０ａは、制御情報を、無線通信装置１０ｄ〜１０ｆに、無線通信装置１０ｄ、管理サーバ２０又は中継装置５０ａを介して、送信してもよい。同様に、無線通信装置１０ｄ〜１０ｆは、監視対象情報を、無線通信装置１０ｄ、管理サーバ２０又は中継装置５０ａを介して、配信サーバ４０ａ，４０ｂに送信してもよい。
【００５２】
このように、通信システム１は、配信サーバ４０ａ，４０ｂと無線通信装置１０ｃ〜１０ｆと端末装置３０ａ〜３０ｅの少なくとも二者間で行われる提供情報、制御情報、監視対象情報の送受信を行う通信システムである。
【００５３】
配信サーバ４０ａ，４０ｂと複数の端末装置３０ａ〜３０ｅとの間には、情報を送受信する経路が以下に示すように複数存在する。配信サーバ４０ａと複数の端末装置３０ａ，３０ｂが、直接情報を送受信する場合の経路には、経路１ａ，１ｂがある。又、配信サーバ４０ａ，４０ｂと複数の端末装置３０ａ，３０ｂが、中継装置５０ａを介して情報を送受信する場合の経路には、配信サーバ４０ａ，４０ｂと中継装置５０ａとの間の経路２ａ，２ｂと、中継装置５０ａと端末装置３０ａ，３０ｂとの間の経路３ａ，３ｂとを組み合わせた経路がある。
【００５４】
又、配信サーバ４０ａと複数の端末装置３０ｃ〜３０ｅが、無線通信装置１０ｄ〜１０ｆを介して情報を送受信する場合の経路には、配信サーバ４０ａと無線通信装置１０ｄとの間の経路１ｃと、無線通信装置１０ｄと無線通信装置１０ｅ，１０ｆとの間の経路４ａ，４ｂと、無線通信装置１０ｄ〜１０ｆと端末装置３０ｂ〜３０ｅとの間の経路６ｇ，５ａ〜５ｃとを組み合わせた経路がある。
【００５５】
又、配信サーバ４０ａ，４０ｂと複数の端末装置３０ｃ〜３０ｅが、中継装置５０ａと無線通信装置１０ｄ〜１０ｆを介して情報を送受信する場合の経路には、配信サーバ４０ａ，４０ｂと中継装置５０ａとの間の経路２ａ，２ｂと、中継装置５０ａと無線通信装置１０ｄとの間の経路３ｃと、無線通信装置１０ｄと無線通信装置１０ｅ，１０ｆとの間の経路４ａ，４ｂと、無線通信装置１０ｄ〜１０ｆと端末装置３０ｂ〜３０ｅとの間の経路６ｇ，５ａ〜５ｃとを組み合わせた経路がある。
【００５６】
更に、配信サーバ４０ｂと複数の端末装置３０ｂ〜３０ｅが、管理サーバ２０と無線通信装置１０ｃ〜１０ｆを介して情報を送受信する場合の経路には、配信サーバ４０ｂと管理サーバ２０との間の経路６ａと、管理サーバ２０と無線通信装置１０ｃ〜１０ｆとの間の経路６ｃ〜６ｆと、無線通信装置１０ｄと無線通信装置１０ｅ，１０ｆとの間の経路４ａ，４ｂと、無線通信装置１０ｃ，１０ｅ，１０ｆと端末装置３０ｂ〜３０ｅとの間の経路６ｈ，５ａ〜５ｃとを組み合わせた経路がある。
【００５７】
又、配信サーバ４０ａ，４０ｂと複数の端末装置３０ｂ〜３０ｅが、中継装置５０ａ、管理サーバ２０、無線通信装置１０ｃ〜１０ｆを介して情報を送受信する場合の経路には、配信サーバ４０ａ．４０ｂと中継装置５０ａとの間の経路２ａ，２ｂと、中継装置５０ａと管理サーバ２０との間の経路６ｂと、管理サーバ２０と無線通信装置１０ｃ〜１０ｆとの間の経路６ｃ〜６ｆと、無線通信装置１０ｄと無線通信装置１０ｅ，１０ｆとの間の経路４ａ，４ｂと、無線通信装置１０ｃ，１０ｅ，１０ｆと端末装置３０ｂ〜３０ｅとの間の経路６ｈ，５ａ〜５ｃとを組み合わせた経路がある。
【００５８】
又、通信システム１において、無線通信装置１０ａ〜１０ｄと端末装置３０ａ，１０ｂ、無線通信装置１０ｅと端末装置３０ｃ，３０ｄ、無線通信装置１０ｆと端末装置３０ｅは、それぞれ無線を介して通信する。又、無線通信装置１０ｄ〜１０ｆは、相互に無線を介して通信する。中継装置５０ａと、端末装置３０ａ，３０ｂや無線通信装置１０ｄ、管理サーバ２０、配信サーバ４０ａ，４０ｂ、中継制御装置５０ｂ、ポータルサーバ６０、課金サーバ７０とは、ネットワークを介して通信する。配信サーバ４０ａと、端末装置３０ａ，３０ｂや無線通信装置１０ｄ、課金サーバ７０とは、ネットワークを介して通信する。配信サーバ４０ｂと、管理サーバ２０、課金サーバ７０とは、ネットワークを介して通信する。無線通信装置１０ｃ〜１０ｆと管理サーバ２０とは、ネットワークを介して通信する。中継制御装置５０ｂと、ポータルサーバ６０，課金サーバ７０とはネットワークを介して通信する。
【００５９】
ネットワークの種類は、特に限定されない。例えば、ネットワークとしては、移動通信網、有線通信網、インターネット、専用線、仮想プライベートネットワーク（ＶＰＮ：Ｖｉｒｔｕａｌ  Ｐｒｉｖａｔｅ  Ｎｅｔｗｏｒｋ）、ＡＴＭ（Ａｓｙｎｃｈｒｏｎｏｕｓ  Ｔｒａｎｓｆｅｒ  Ｍｏｄｅ）網、ＡＤＳＬ（Ａｓｙｍｍｅｔｒｉｃ  Ｄｉｇｉｔａｌ  Ｓｕｂｓｃｒｉｂｅｒ  Ｌｉｎｅ）網、ＣＡＴＶ（Ｃａｂｌｅ  Ｔｅｌｅｖｉｓｉｏｎ）網、光ファイバ網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等を用いることができる。又、ネットワークは、公衆の通信網であってもよく、私設のローカル通信網であってもよい。
【００６０】
次に、各装置について詳細に説明する。
【００６１】
〔無線通信装置〕
無線通信装置１０ａ〜１０ｆは、近距離無線により無線情報を端末装置３０ａ〜３０ｅに送信する。又、無線通信装置１０ｃ〜１０ｆは、提供情報をマルチキャスト送信する情報送信装置としても機能する。更に、無線通信装置１０ｄ〜１０ｆは、監視対象情報を取得して、送信する監視装置としても機能する。又、無線通信装置１０ｄ〜１０ｆは、制御情報や提供情報を受信する。
【００６２】
無線通信装置１０ａ〜１０ｆは、あらゆる物体に付けられる。無線通信装置１０ａ〜１０ｆは、例えば、人、商品、所有物、印刷物、看板、ポスター、掲示板、装置、食料品、家電製品、荷物、バスや電車などの移動手段、建物や橋、信号機などの建造物などに付けられる。無線通信装置１０ａ〜１０ｆが付けられている物体を、その無線通信装置１０ａ〜１０ｆの対象物という。
【００６３】
無線情報には、対象物に関する対象物情報がある。対象物情報には、対象物を識別する識別子（以下「モノＩＤ」という）がある。モノＩＤとしては、例えば、装置や食料品の製造番号や製造記号、人、商品、所有物、看板、荷物、移動手段、建造物に付与した番号や記号、文字などを用いることができる。対象物情報は、例えば、対象物の説明文や説明図、対象物の映像、対象物と関連するサービス名、サービス内容、サービス利用料金、サービス提供時間などのサービス情報などがある。又、例えば、対象物が装置の場合、対象物情報には、装置の型番、構成部品、製造元等の装置に関する情報がある。対象物が食料品の場合、対象物情報には、食料品の種類、原材料、製造過程、値段、消費期限等の食料品に関する情報がある。対象物が建造物や看板の場合、対象物情報には、その位置情報などがある。対象物がバスや電車の場合、その運行経路、停留所名や停車駅名、時刻表、移動速度などがある。又、対象物が個人の所有物である鞄などの場合、対象物情報には、鞄に関する情報だけでなく、その鞄に入っている物に関する情報がある。同様に、対象物が部屋の壁である場合、対象物情報には、その部屋にある物に関する情報がある。このように、対象物情報は、対象物そのものだけでなく、対象物に関わる複数の物体に関する情報を含んでもよい。
【００６４】
又、複数の無線通信装置１０ａ〜１０ｆは、領域を特定できる。例えば、建物の壁や天井に付けられた複数の無線通信装置１０ａ〜１０ｆや、看板や橋、信号機に付けられた複数の無線通信装置１０ａ〜１０ｆが、領域を特定する。特定する領域は、２次元の領域であっても、３次元の領域であってもよい。複数の無線通信装置１０ａ〜１０ｆが特定する領域を、複数の無線通信装置１０ａ〜１０ｆの対象領域という。１つの無線通信装置が、重複して複数の対象領域の特定に加わってもよい。無線情報には、この対象領域に関する対象領域情報がある。対象領域情報には、対象領域を識別する識別子（以下「領域ＩＤ」という）がある。領域ＩＤとしては、対象領域に付与した番号や記号、文字などを用いることができる。又、対象領域情報には、領域に存在する物や人に関する情報や、領域の位置情報、温度や湿度等の領域の状況などがある。
【００６５】
更に、無線情報には、無線通信装置１０ａ〜１０ｆに関する無線通信装置情報がある。無線通信装置情報には、無線通信装置１０ａ〜１０ｆを識別する識別子（以下「タグＩＤ」という）がある。タグＩＤとしては、無線通信装置１０ａ〜１０ｆに付与した番号や記号、文字などを用いることができる。又、無線通信装置情報には、無線通信装置１０ａ〜１０ｆ全体に関する情報と、無線通信装置１０ａ〜１０ｆを構成する各構成に関する情報がある。又、無線通信装置情報には、無線通信装置１０ａ〜１０ｆのアドレス、無線通信装置１０ａ〜１０ｆの位置情報、無線通信装置１０ａ〜１０ｆの処理能力や通信速度、容量などの無線通信装置の性能に関する情報、無線通信装置１０ａ〜１０ｆの負荷状況や処理状況、無線通信装置１０ａ〜１０ｆが希望する通信ポリシー、通信料金の希望上限額、提供してもよい無線通信装置１０ａ〜１０ｆに関する通信リソース、希望するオブジェクト単位、要求する品質、要求されるリアルタイム性などがある。尚、要求されるリアルタイム性とは、情報の送信を急ぐ程度をいう。情報の送信を急ぐほど、要求されるリアルタイム性が高く、情報の送信がゆっくりであってもよいほど、要求されるリアルタイム性が低い。
【００６６】
具体的には、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ容量が大きいほど、要求されるリアルタイム性が高くなるように定められる。
【００６７】
又、複数の無線通信装置１０ａ〜１０ｆは、グループを形成してもよい（以下、複数の無線通信装置が形成するグループを「タググループ」という）。例えば、特定の領域に存在する無線通信装置１０ａ〜１０ｆでタググループを形成できる。又、タググループに属することができる一定数を定め、任意の無線通信装置１０ａ〜１０ｆが一定数集合することによりタググループを形成できる。又、特定の領域に存在する無線通信装置１０ａ〜１０ｆを、一定数で区切ったタググループを形成できる。無線通信装置情報には、このタググループを識別する識別子（以下「タググループＩＤ」という）や、タググループに関する情報がある。タググループＩＤとしては、タググループに付与した番号や記号、文字などを用いることができる。
【００６８】
更に、無線情報には、ユーザに通知する広告情報がある。広告情報には、不特定多数のユーザを対象に通知する情報や、特定のユーザを対象に通知する情報がある。広告情報には、例えば、講演会や学会発表、討論会、コンサートなどのイベント情報、会議の開催情報、テレビやラジオなどの放送情報、店舗情報、遊戯施設情報、観光情報、映画情報、商品やサービスに関する情報、アドレス情報、配信情報などがある。イベント情報や開催情報には、例えば、場所や開始時刻などがある。放送情報には、放送開始時刻や番組内容、出演者情報などがある。店舗情報や遊戯施設情報、観光情報には、場所、利用時間、値段、割引情報などがある。商品やサービスに関する情報は、名称、特徴、値段などがある。アドレス情報には、ＵＲＬ（Ｕｎｉｆｏｒｍ  Ｒｅｓｏｕｒｃｅ  Ｌｏｃａｔｏｒ）で表記されたアドレスや、そのリストなどがある。
【００６９】
配信情報は、提供情報の送信に関する情報である。配信情報には、提供情報の送信を予告する予告通知がある。予告通知には、送信開始日時、送信される提供情報の受信の準備の指示などが含まれる。尚、無線通信装置１０ａ〜１０ｆは、配信情報を、特定の領域に存在する端末装置３０ａ〜３０ｅや、特定のユーザに限って送信してもよい。又、複数の無線通信装置１０ａ〜１０ｆが、配信情報を送信してもよい。又、広告情報は、無線通信装置１０ａ〜１０ｆが存在する位置や時間に応じた情報を用いることが好ましい。
【００７０】
無線通信装置１０ａ〜１０ｆは、広告情報に応じて配置されることが好ましい。具体的には、無線通信装置１０ａ〜１０ｆは、広告情報を必要とするユーザや、広告情報を利用する可能性のあるユーザが多数存在する場所にある物体に付けられて、配置される。例えば、講演会や学会発表に関する情報を送信する無線通信装置１０ａ〜１０ｆは、学校や研究所などに配置する。コンサートに関する情報を送信する無線通信装置１０ａ〜１０ｆは、コンサート会場周辺に配置する。会議の開催情報を送信する無線通信装置１０ａ〜１０ｆは、会社に配置する。店舗情報や遊戯施設情報を送信する無線通信装置１０ａ〜１０ｆは、店舗や遊戯施設内に配置する。観光情報を送信する無線通信装置１０ａ〜１０ｆは、観光地に配置する。又、無線通信装置１０ａ〜１０ｆは、無線通信装置１０ａ〜１０ｆの性能に応じて配置されてもよい。
【００７１】
無線通信装置１０ａ〜１０ｆの種類には、機能により分類した場合、アクティブタグ、パッシブタグ、セミパッシブタグがある。アクティブタグは、無線通信装置の方から無線情報を送信する無線通信装置である。パッシブタグは、要求を受けて無線情報を送信する無線通信装置である。セミパッシブタグは、無線装置の方から無線情報を送信し、かつ、要求を受けた場合には要求に応じて無線情報送信する無線通信装置である。即ち、セミパッシブタグは、アクティブタグとパッシブタグ両方の機能を備えている。前者ほど、低価格化、小型化が可能であり、大量に物体に付けられる利点がある。又、アクティブタグとセミパッシブタグは、無線通信装置の方から無線情報を送信する場合、定期的に送信してもよく、ランダムに送信してもよい。アクティブタグ、パッシブタグ、セミパッシブタグは、無線情報をマルチキャスト送信できる。
【００７２】
又、図２（ａ）〜（ｃ）、図３に示すように、無線通信装置１０ａ〜１０ｄは、無線通信部１１ａ〜１１ｄを備える。尚、無線通信装置１０ｅ，１０ｆは、無線通信装置１０ｄと同様の構成を備える。無線通信部１１ａ〜１１ｄは、近距離無線により無線情報を、端末装置３０ａ，３０ｂに送信する近距離無線送信手段である。無線通信部１１ａ〜１１ｄは、端末装置３０ａ，３０ｂから近距離無線により情報を受信する。無線通信部１１ａ〜１１ｄは、電波や赤外線を用いて情報を送受信する。
【００７３】
無線通信装置１０ａ〜１０ｆの種類には、この無線通信部１１ａ〜１１ｄの種類により分類した場合、例えば、無線通信部１１ａ〜１１ｄにＩｒＤＡを用いるＩｒＤＡタグ、無線通信部１１ａ〜１１ｄにブルートゥース（登録商標）を用いるブルートゥースタグ、無線通信部１１ａ〜１１ｄがＲＦ電波による通信を行うＲＦタグやＲＦ−ＩＤタグ、無線通信部１１ａ〜１１ｄに無線ＬＡＮインタフェースを用いる無線ＬＡＮタグ、無線通信部１１ａ〜１１ｄにバーコードを用いるバーコードタグ、無線通信部１１ａ〜１１ｄにＤＳＲＣを用いるＤＳＲＣタグがある。
【００７４】
次に、無線通信装置１０ａ〜１０ｄの具体的な構成について説明する。図２（ａ）に示すように、無線通信装置１０ａは、無線通信部１１ａと、無線情報記憶部１２とを備える。無線情報記憶部１２は、無線情報を記憶する無線情報記憶手段である。無線通信部１１ａは、無線情報記憶部１２から、定期的に又はランダムに無線情報を取得する。無線通信部１１ａは、取得した無線情報を端末装置３０ａ，３０ｂに送信する。このように無線通信装置１０ａは、アクティブタグとして機能する。
【００７５】
図２（ｂ）に示すように、無線通信装置１０ｂは、無線通信部１１ｂと、無線情報記憶部１２と、無線情報提供部１２ｂと、ユーザ情報データベース１３とを備える。ユーザ情報データベース１３は、端末装置３０ａ〜３０ｅに関する端末情報を記憶する端末情報記憶手段である。
【００７６】
端末情報には、端末装置３０ａ〜３０ｅを使用するユーザを識別する識別子（以下「ユーザＩＤ」という）がある。ユーザＩＤとしては、例えば、電話番号、ＵＩＭ（Ｕｓｅｒ  Ｉｄｅｎｔｉｆｙ  Ｍｏｄｕｌｅ）カードＩＤ、社員番号、クレジットカード番号、契約者番号、自動車運転免許証番号、銀行口座番号、住民番号、端末装置３０ａ〜３０ｅの識別子（以下「端末ＩＤ」という）、ユーザに付与した番号や記号、文字などを用いることができる。又、端末情報には、パスワードがある。
【００７７】
又、端末情報には、例えば、ユーザの年齢、性別、資産、住所、職業、嗜好、端末装置３０ａ〜３０ｅのアドレス、契約内容などのユーザの属性情報がある。又、端末情報には、端末装置３０ａ〜３０ｅ全体に関する情報と、端末装置３０ａ〜３０ｅを構成する各構成に関する情報がある。端末情報には、端末装置３０ａ〜３０ｅの位置情報、端末装置の処理能力や通信速度、容量などの端末装置の性能に関する情報、端末装置の負荷状況や処理状況、端末装置３０ａ〜３０ｅが希望する通信ポリシーや情報の種類、通信料金の希望上限額、提供してもよい端末装置３０ａ〜３０ｅに関する通信リソース、希望するオブジェクト単位、要求する品質や要求されるリアルタイム性、情報が欲しい時間帯などがある。例えば、端末装置３０ａ〜３０ｅは、通信ポリシーとして、端末装置の性能や、端末装置３０ａ〜３０ｅが受信する他の情報を考慮して、情報の送信に適用可能な通信ポリシーを要求する。又、端末情報には、端末装置３０ａ〜３０ｅがこれまでに受信した無線情報、提供情報などの履歴に関する情報がある。
【００７８】
又、複数の端末装置３０ａ〜３０ｅは、グループを形成してもよい（以下、複数の端末装置が形成するグループを「端末グループ」という）。例えば、特定の領域に存在する端末装置３０ａ〜３０ｅで端末グループを形成できる。又、端末グループに属することができる一定数を定め、任意の端末装置３０ａ〜３０ｅが一定数集合することにより端末グループを形成できる。又、特定の領域に存在する端末装置３０ａ〜３０ｅを、一定数で区切った端末グループを形成できる。端末情報には、この端末グループを識別する識別子（以下「端末グループＩＤ」という）や、端末グループに関する情報がある。端末グループＩＤとしては、端末グループに付与した番号や記号、文字などを用いることができる。
【００７９】
無線情報には、不特定多数のユーザが利用できる情報と、特定のユーザにその利用を限定した情報がある。無線情報の利用を許可されたユーザを、特に無線情報ユーザという。同様に、提供情報には、不特定多数のユーザが利用できる情報と、特定のユーザにその利用を限定した情報がある。提供情報の利用を許可されたユーザを、特に提供情報ユーザという。
【００８０】
例えば、会社や学校、団体が、その社員や生徒、会員だけに利用を許可する場合には、社員や生徒、会員が無線情報ユーザ、提供情報ユーザとなる。無線情報や提供情報を提供する事業者が、その利用について契約をした者だけに利用を許可する場合には、契約者が無線情報ユーザ、提供情報ユーザとなる。無線通信装置が個人の所有物に付されている場合や、個人が提供情報を提供する場合には、所有者自身や提供者自身、所有者や提供者が利用を許可する家族や友人が、無線情報ユーザ、提供情報ユーザとなる。端末情報には、ユーザが無線情報ユーザであるか否か、ユーザが提供情報ユーザであるか否かも含まれる。ユーザ情報データベース１３は、ユーザＩＤに対応付けて、その他の端末情報を記憶する。
【００８１】
無線通信部１１ｂは、端末装置３０ａ，３０ｂから、無線情報の送信の要求を受信する。無線通信部１１ｂは、受信した要求を無線情報提供部１２ｂに入力する。無線情報の送信の要求には、ユーザＩＤとパスワードが含まれる。又、無線通信部１１ｂは、無線情報提供部１２ｂから無線情報を取得する。無線通信部１１ｂは、取得した無線情報を端末装置３０ａ，３０ｂに送信する。
【００８２】
無線情報提供部１２ｂは、無線通信部１１ｂから、無線情報の送信の要求を取得する。無線情報提供部１２ｂは、要求してきたユーザが、無線情報ユーザであるか否かを認証する。具体的には、無線情報提供部１２ｂは、無線情報の送信の要求に含まれるユーザＩＤとパスワードが、ユーザ情報データベース１３に記憶された無線情報ユーザのユーザＩＤとパスワードと一致するかを判断する。無線情報提供部１２ｂは、ユーザＩＤとパスワードが一致する場合には、無線情報ユーザであると判断する。そして、無線情報提供部１２ｂは、無線情報記憶部１２から無線情報を取得する。無線情報提供部１２ｂは、取得した無線情報を無線通信部１１ｂに入力する。一方、無線情報提供部１２ｂは、ユーザＩＤとパスワードが一致しない場合には、無線情報ユーザではないと判断する。この場合、無線情報提供部１２ｂは無線情報を取得しない。そのため、無線情報ユーザでない場合には無線情報は送信されない。このようにして、無線情報提供部１２ｂは、無線情報の送信を無線情報ユーザに制限する。
【００８３】
又、無線情報提供部１２ｂは、同時に無線情報を送信するユーザ数を制限してもよい。無線情報提供部１２ｂは、無線通信部１１ｂが無線情報を送信している端末装置３０ａ，３０ｂの数を、無線通信部１１ｂから取得する。そして、無線情報提供部１２ｂは、無線情報の送信の要求を取得した際に、制限するユーザ数と、無線情報を送信している端末装置３０ａ，３０ｂの数とを比較する。無線情報提供部１２ｂは、無線情報を送信している端末装置３０ａ，３０ｂの数が、制限するユーザ数未満の場合には、無線情報記憶部１２から無線情報を取得する。一方、無線情報提供部１２ｂは、無線情報を送信している端末装置３０ａ，３０ｂの数が、制限するユーザ数以上の場合には、無線情報を取得しない。
【００８４】
又、無線通信装置１０ｂは、無線通信装置１０ｂの方から無線情報を送信する際に、端末装置３０ａ，３０ｂに対して、ユーザＩＤとパスワードを要求してもよい。この場合、無線情報提供部１２ｂが、ユーザＩＤとパスワードの要求を無線通信部１１ｂに入力する。無線通信部１１ｂは、端末装置３０ａ，３０ｂに、ユーザＩＤとパスワードの要求を送信する。無線通信部１１ｂは、端末装置３０ａ，３０ｂからのユーザＩＤとパスワードを含む応答を受信する。無線通信部１１ｂは、受信した応答を無線情報提供部１２ｂに入力する。そして、無線情報提供部１２ｂが、応答してきたユーザが、無線情報ユーザであるか否かを認証する。無線情報提供部１２ｂは、ユーザＩＤとパスワードが一致する場合には、無線情報記憶部１２から無線情報を取得する。一方、無線情報提供部１２ｂは、ユーザＩＤとパスワードが一致しない場合には、無線情報を取得しない。このようにして、無線通信装置１０ｂの方から無線情報を送信する場合であっても、無線情報の送信を無線情報ユーザに制限できる。
【００８５】
更に、無線情報提供部１２ｂは、端末装置３０ａ，３０ｂの性能に応じて、無線情報の送信を制限してもよい。この場合には、無線情報提供部１２ｂは、無線情報の受信に必要な端末装置３０ａ，３０ｂの性能を記憶しておく。無線情報提供部１２ｂは、要求や応答に含まれるユーザＩＤに基づいて、ユーザ情報データベース１３から端末装置の性能に関する情報を取得する。無線情報提供部１２ｂは、取得した端末装置の性能に関する情報と必要な性能を比較して、無線情報の送信を制限する。又、無線情報提供部１２ｂは、ユーザの年齢などの属性情報に応じて、無線情報の送信を制限してもよい。この場合には、無線情報提供部１２ｂは、無線情報の送信が可能なユーザの属性情報を記憶しておく。無線情報提供部１２ｂは、要求や応答に含まれるユーザＩＤに基づいて、ユーザ情報データベース１３からユーザの属性情報を取得する。無線情報提供部１２ｂは、取得した属性情報と送信が可能な属性情報を比較して、無線情報の送信を制限する。
【００８６】
このように、無線情報提供部１２ｂは、無線通信部１１ｂによる無線情報の送信を制限する無線情報制限手段として機能する。これにより、無線通信装置１０ｂは、無線情報の利用が特定のユーザに限られている場合に、そのユーザにのみ無線情報を送信できる。又、無線通信装置１０ｂは、無線情報を同時に送信できるユーザ数を制限したい場合に、制限された数のユーザにだけ無線情報を送信できる。又、無線通信装置１０ｂは、アクティブタグ、パッシブタグ、セミパッシブタグのいずれとしても機能できる。
【００８７】
図２（ｃ）に示すように、無線通信装置１０ｃは、無線通信部１１ｃと、通信部１４ｃとを備える。通信部１４ｃは、管理サーバ２０から、無線情報、ユーザＩＤやパスワードの要求、提供情報、制御情報、提供情報の特定に関する情報（以下、「特定情報」という）、提供情報の特定結果、通信ポリシーの設定に関する情報（以下、「通信ポリシー設定情報」という）、設定した通信ポリシーに関する情報（以下、「設定情報」という）、提供情報、制御情報、監視対象情報の送信の制御に関する情報（以下、「送信制御情報」という）を受信する。
【００８８】
通信部１４ｃは、受信した情報を無線通信部１１ｃに入力する。尚、通信部１４ｃが受信する無線情報は、無線通信装置１０ｃの方から端末装置３０ａ，３０ｂに送信する無線情報であってもよく、端末装置３０ａ，３０ｂからの要求に応じて送信する無線情報であってもよく、両者であってもよい。
【００８９】
無線通信部１１ｃは、通信部１４ｃから情報を取得する。無線通信部１１ｃが取得する情報は、端末装置３０ａ，３０ｂに対する情報と、無線通信装置１０ｃに対する情報に分けられる。無線通信部１１ｃは、端末装置３０ａ，３０ｂに対する情報を、端末装置３０ａ，３０ｂに送信する。端末装置３０ａ，３０ｂに対する情報には、例えば、無線情報、ユーザＩＤやパスワードの要求、提供情報、制御情報、特定情報、特定結果、通信ポリシー設定情報、設定情報、送信制御情報がある。又、無線通信部１１ｃは、無線通信装置１０ｃに対する情報に含まれる指示に従う。例えば、無線通信部１１ｃは、無線通信装置１０ｃに対する送信制御情報に従い、端末装置３０ａ，３０ｂに提供情報、制御情報を送信する。
【００９０】
無線通信部１１ｃは、端末装置３０ａ，３０ｂから、無線情報の送信の要求、ユーザＩＤやパスワードを含む応答、特定情報、特定結果、通信ポリシー設定情報、設定情報、送信制御情報、制御情報、監視対象情報を受信する。無線通信部１１ｃは、受信した要求や情報を通信部１４ｃに入力する。通信部１４ｃは、無線通信部１１ｃから、無線情報の送信の要求、ユーザＩＤやパスワードを含む応答、特定情報、特定結果、通信ポリシー設定情報、設定情報、送信制御情報、制御情報、監視対象情報を取得する。通信部１４ｃは、取得した要求や情報を管理サーバ２０に送信する。
【００９１】
このようにして、通信部１４ｃと無線通信部１１ｃとは、配信サーバ４０ａ，４０ｂと、端末装置３０ａ〜３０ｅとの間の提供情報、制御情報、監視対象情報の送受信を中継する中継手段として機能する。このとき、無線通信部１１ｃは、複数の端末装置３０ａ，３０ｂに、提供情報や制御情報をマルチキャスト送信してもよい。このように、無線通信部１１ｃは、情報をマルチキャスト送信するマルチキャスト送信手段としても機能できる。
【００９２】
又、無線通信装置１０ｃは、管理サーバ２０から、無線通信装置１０ｃの方からが端末装置３０ａ，３０ｂに送信する無線情報、端末装置３０ａ，３０ｂからの要求に応じて送信する無線情報のいずれか、又は、両者を受信し、端末装置３０ａ，３０ｂに送信できる。よって、無線通信装置１０ｃは、アクティブタグ、パッシブタグ、セミパッシブタグのいずれとしても機能できる。
【００９３】
図３に示すように、無線通信装置１０ｄは、無線通信部１１ｄと、無線情報記憶部１２と、無線情報提供部１２ｄと、ユーザ情報データベース１３と、通信部１４ｄと、提供情報特定部１５と、通信ポリシー設定部１６と、通信ポリシーデータベース１６ａと、通信制御部１７と、変換部１８と、監視部１９ａと、時計部１９ｂと、無線装置情報記憶部１９ｃと、測定部１９ｄとを備える。
【００９４】
無線通信部１１ｄは、端末装置３０ａ，３０ｂから、ユーザＩＤを含む無線情報の送信の要求を受信する。あるいは、無線通信部１１ｄは、無線情報提供部１２ｄから、ユーザＩＤの要求を取得する。無線通信部１１ｄは、端末装置３０ａ，３０ｂに、取得したユーザＩＤの要求を送信する。無線通信部１１ｄは、端末装置３０ａ，３０ｂからユーザＩＤを含む応答を受信する。無線通信部１１ｄは、受信した要求や応答を無線情報提供部１２ｄに入力する。又、無線通信部１１ｄは、無線情報提供部１２ｄから無線情報を取得する。無線通信部１１ｄは、取得した無線情報を端末装置３０ａ，３０ｂに送信する。
【００９５】
無線情報提供部１２ｄは、無線通信部１１ｄから、無線情報の送信の要求や、ユーザＩＤの要求に対する応答を取得する。無線情報提供部１２ｄは、要求や応答に含まれるユーザＩＤに基づいて、ユーザ情報データベース１３を検索する。そして、無線情報提供部１２ｄは、ユーザＩＤに対応付けられている端末情報を取得する。又、無線情報提供部１２ｄは、時計部１９ｂから現在時刻などの時間情報を取得する。時計部１９ｂは、時刻を提供する。又、時計部１９ｂは、時間を測定する。
【００９６】
無線情報提供部１２ｄは、取得した端末情報、時間情報に基づいて、無線情報記憶部１２を検索する。そして、無線情報提供部１２ｄは、端末情報、時間情報に適した無線情報を特定する。無線情報提供部１２ｄは、特定した無線情報を、無線情報記憶部１２から取得する。無線情報提供部１２ｄは、取得した無線情報を無線通信部１１ｄに入力する。このように、無線情報提供部１２ｄは、送信する無線情報を特定する無線情報特定手段として機能する。
【００９７】
又、無線通信装置１０ｄが、無線情報ユーザへの無線情報を送信する場合には、無線通信部１１ｄ及び無線情報提供部１２ｄは、図２（ｂ）に示した無線通信部１１ｂ及び無線情報提供部１２ｂと同様にして、無線情報ユーザであるか否かの認証を行い、無線情報の送信を無線情報ユーザに制限する。無線通信部１１ｄ及び無線情報提供部１２ｄは、無線通信部１１ｂ及び無線情報提供部１２ｂと同様にして、同時に無線情報を送信するユーザ数を制限してもよい。又、無線通信部１１ｄ及び無線情報提供部１２ｄは、端末装置３０ａ，３０ｂの性能やユーザの属性情報に応じて、無線情報の送信を制限してもよい。又、無線通信装置１０ｄは、アクティブタグ、パッシブタグ、セミパッシブタグのいずれとしても機能できる。
【００９８】
通信部１４ｄは、管理サーバ２０から、無線情報記憶部１２に格納する無線情報を受信する。無線情報提供部１２ｄは、通信部１４ｄから、受信した無線情報を取得する。無線情報提供部１２ｄは、取得した無線情報を無線情報記憶部１２に格納する。これにより、無線情報記憶部１２が記憶する無線情報が更新される。このように、無線情報提供１２ｄは、無線情報を更新する無線情報更新手段としても機能する。
【００９９】
監視部１９ａは、配信サーバ４０ａ，４０ｂと端末装置３０ａ〜３０ｅとの間のネットワークの状況を監視する。具体的には、監視部１９ａは、無線通信部１１ｄを介して、配信サーバ４０ａ，４０ｂと端末装置３０ａ，３０ｂとの間のネットワークのうち、例えば、図１に示した無線通信装置１０ｄと端末装置３０ｂとの間の経路６ｇ、無線通信装置１０ｄと無線通信装置１０ｅ，１０ｆとの間の経路４ａ，４ｂの状況を取得する。又、監視部１９ａは、通信部１４ｄを介して、配信サーバ４０ａ，４０ｂと端末装置３０ａ，３０ｂとの間のネットワークのうち、図１に示した無線通信装置１０ｄと管理サーバ２０との間の経路６ｄ、無線通信装置１０ｄと中継装置５０ａとの間の経路３ｃ、無線通信装置１０ｄと配信サーバ４０ａとの間の経路１ｃの状況を取得する。
【０１００】
ネットワークの状況には、ネットワークにおけるトラヒック量（通信量）、輻輳状況、それらの変化量、平均値などがある。トラヒック量は、ネットワーク全体のトラヒック量であってもよく、ある領域におけるトラヒック量であってもよい。領域におけるトラヒック量には、領域に存在する端末装置３０ａ〜３０ｅの数、領域内で、ある時点において通信を行っている端末装置３０ａ〜３０ｅの数（以下「同時利用数」という）がある。トラヒック量を監視する領域は、新たに設定してもよく、基地局がカバーするセルなどの既存の領域を用いてもよい。監視部１９ａは、例えば、通信部１４ｄを介して、ネットワーク上に配置された監視装置から、ネットワークの状況を取得する。又、監視部１９ａは、通信部１４ｄを介して、ネットワークを構成する基地局から、基地局がカバーするセルにおけるトラヒック量などを取得できる。
【０１０１】
又、監視部１９ａは、配信サーバ４０ａ，４０ｂと端末装置３０ａ〜３０ｅとの間の通信リソースの状況を監視する。通信リソースの状況は、ネットワーク全体の通信リソースの状況であってもよく、ある領域における通信リソースの状況であってもよい。通信リソースの状況には、情報の送受信に使用している使用通信リソース量、使用していない空き通信リソース量、それらの変化量、平均値がある。
【０１０２】
具体的には、監視部１９ａは、無線通信部１１ｄから、配信サーバ４０ａ，４０ｂと端末装置３０ａ〜３０ｅとの間の通信リソースのうち、無線通信装置１０ｄと端末装置３０ｂとの間の通信リソースの状況、無線通信装置１０ｄと無線通信装置１０ｅ，１０ｆとの間の通信リソースの状況を取得する。監視部１９ａは、通信部１４ｄから、配信サーバ４０ａ，４０ｂと端末装置３０ａ，３０ｂとの間の通信リソースのうち、無線通信装置１０ｄと管理サーバ２０との間の通信リソースの状況、無線通信装置１０ｄと中継装置５０ａとの間の通信リソースの状況、無線通信装置１０ｄと配信サーバ４０ａとの間の通信リソースの状況を取得する。
【０１０３】
更に、監視部１９ａは、無線通信部１１ｄ、通信部１４ｄ、通信制御部１７、変換部１８の状況を監視する。監視部１９ａは、無線通信部１１ｄ、通信部１４ｄ、通信制御部１７、無線情報提供部１２ｄ、変換部１８から、その負荷状況や処理状況を取得する。例えば、監視部１９ａは、無線通信部１１ｄが情報の送受信をしている通信中の端末装置３０ａ，３０ｂの数や無線通信装置１０ｅ，１０ｆの数、無線通信部１１ｄと端末装置３０ａ，３０ｂとの間の通信路の数、無線通信部１１ｄと無線通信装置１０ｅ，１０ｆとの間の通信路の数、通信部１４ｄが管理サーバ２０や中継装置５０ａ、配信サーバ４０ａと送受信しているデータ量、通信制御部１７が制御している通信路の数、無線情報提供部１２ｄが行う処理量、変換部１８が行うデータ変換量などの負荷状況を取得する。監視部１９ａは、無線通信部１１ｄや通信部１４ｄが送受信を終了させた情報の割合、無線情報提供部１２ｄが終了させた処理量の割合、変換部１８が変換を終了させたデータ量の割合などの処理状況を取得する。更に、監視部１９ａは、無線通信部１１ｄ、通信部１４ｄ、通信制御部１７、変換部１８の負荷状況や処理状況から、無線通信装置１０ａ〜１０ｄ全体の負荷状況や処理状況を求めてもよい。
【０１０４】
又、監視部１９ａは、通信ポリシーの達成度を監視する。監視部１９ａは、通信ポリシー設定部１６から、設定した通信ポリシーを取得する。監視部１９ａは、無線通信部１１ｄ、通信部１４ｄ、通信制御部１７、変換部１８から、設定した通信ポリシーに関係する実際の状況を取得する。監視部１９ａは、取得した通信ポリシーと、実際の状況とを比較することにより、通信ポリシーの達成度を求める。尚、通信ポリシーの達成度は、通信ポリシーをどの程度達成できたかを表すものであればよい。そのため、通信ポリシーの達成度は、通信ポリシーを達成できた割合で示してもよく、通信ポリシーを達成できなかった割合、即ち、通信ポリシーと実際の状況との乖離割合で示してもよい。又、監視部１９ａは、通信ポリシーとは関係なく、通信品質やデータ品質、通信スケジュールの実際の状況を監視してもよい。
【０１０５】
このようなネットワークの状況、通信リソースの状況、無線通信部１１ｄ、通信部１４ｄ、通信制御部１７、変換部１８の状況、通信ポリシーの達成度、通信品質やデータ品質、通信スケジュールの実際の状況などの監視部１９ａが監視する情報を監視情報という。このように、監視部１９ａは、監視情報を取得する取得手段として機能する。監視部１９ａは、監視情報を、提供情報特定部１５、通信ポリシー設定部１６、通信制御部１７に入力する。監視部１９ａは、現在の監視情報を入力してもよく、過去の監視情報を入力してもよい。
【０１０６】
監視部１９ａは、監視情報の取得、監視情報の提供情報特定部１５、通信ポリシー設定部１６、通信制御部１７への入力を、定期的に行ってもよく、ランダムに行ってもよく、連続的に行ってもよい。更に、監視部１９ａは、提供情報特定部１５や通信ポリシー設定部１６、通信制御部１７から、監視情報の提供の要求を受ける。そして、監視部１９ａは、その要求に応じて、監視情報を提供情報特定部１５や通信ポリシー設定部１６、通信制御部１７に入力してもよい。無線通信装置情報記憶部１９ｃは、無線通信装置情報を記憶する。
【０１０７】
測定部１９ｄは、無線通信装置１０ｄに関する状態を測定する無線通信装置測定手段である。測定部１９ｄは、無線通信装置１０ｄに関する状態として、例えば、無線通信装置１０ｄ自体、無線通信装置１０ｄが備える各構成、無線通信装置１０ｄ周辺の状態を測定する。具体的には、測定部１９ｄは、無線通信装置１０ｄの位置、無線通信装置１０ｄ周辺の気温や湿度、無線通信装置１０ｄの進行方向、無線通信装置１０ｄ周辺の映像、無線通信装置１０ｄの移動速度、無線通信装置１０ｄと端末装置３０ａ，３０ｂとの距離や相対速度、無線通信装置１０ｄから所定の範囲内に存在する端末装置３０ａ，３０ｂの数を測定する。そのため、測定部１９ｄとしては、例えば、ＧＰＳ（Ｇｌｏｂａｌ  Ｐｏｓｉｔｉｏｎｉｎｇ  Ｓｙｓｔｅｍ）装置、温度計、湿度計、方位センサー、カメラ等の撮影手段、速度計を用いることができる。
【０１０８】
又、測定部１９ｄは、無線通信装置１０ｄと端末装置３０ａ，３０ｂとの距離を、例えば、以下のようにして測定できる。無線通信部１１ａは、端末装置３０ａ，３０ｂから、端末装置３０ａ，３０ｂの位置情報を受信する。測定部１９ｄは、無線通信部１１ａから、端末装置３０ａ，３０ｂの位置情報を取得する。更に、測定部１９ｄは、無線通信装置１０ｄの位置をＧＰＳ衛星などを用いて測定する。測定部１９ｄは、取得した端末装置３０ａ，３０ｂの位置情報と、測定した無線通信装置１０ｄの位置とから、無線通信装置１０ｄと端末装置３０ａ，３０ｂとの距離を求める。又、測定部１９ｄは、端末装置３０ａ，３０ｂから受信する複数の電波の強度を測定する。測定部１９ｄは、強度が閾値以上の電波の数を求めることにより、無線通信装置１０ｄから所定の範囲内に存在する端末装置３０ａ，３０ｂの数を求める。測定部３２は、電波の強度の閾値を、範囲の広さに応じて設定する。
【０１０９】
このように、測定した状態に関する情報を測定情報という。測定部１９ｄは、測定情報を、提供情報特定部１５、通信ポリシー設定部１６、通信制御部１７に入力する。測定部１９ｄは、現在の測定情報を入力してもよく、過去の測定情報を入力してもよい。
【０１１０】
更に、無線通信装置１０ｄの監視対象が無線通信装置１０ｄ周辺の状況の場合、測定部１９ｄは、監視対象情報を取得する監視手段としても機能する。測定部１９ｄは、無線通信装置１０ｄ周辺の気温や湿度、無線通信装置１０ｄ周辺の映像などを測定して、取得する。測定部１９ｄは、取得した無線通信装置１０ｄ周辺の気温や湿度、無線通信装置１０ｄ周辺の映像などを監視対象情報として、通信部１４ｄ又は変換部１８に入力する。その際、測定部１９ｄは、監視対象情報に、監視対象情報の宛先である配信サーバ４０ａ，４０ｂのアドレス、監視対象情報を識別する識別子（以下「監視対象情報ＩＤ」を付与して入力する。又、測定部１９ｄは、監視対象情報に関する情報を、通信ポリシー設定部１６、通信制御部１７に入力する。
【０１１１】
監視対象情報に関する情報には、監視対象情報の内容、監視対象情報のデータ量、送信開始予定時刻、監視対象情報の送信に要する平均時間、監視対象情報を構成するデータの種類、監視対象情報のデータ品質、監視対象情報の送信に推奨する通信ポリシー（以下、情報の送信に推奨する通信ポリシーを「推奨通信ポリシー」という）、監視対象情報の要求されるリアルタイム性、監視対象情報の重要度、監視対象情報を区切るオブジェクト単位、監視対象情報がマルチキャスト送信する情報であるか否かなどがある。尚、監視対象情報ＩＤとしては、監視対象情報に付与した番号や記号、文字などを用いることができる。
【０１１２】
測定は、定期的に行ってもよく、ランダムに行ってもよく、連続的に行ってもよい。又、測定部１９ｄは、提供情報特定部１５、通信ポリシー設定部１６、通信制御部１７からの測定情報の提供の要求に応じて、測定してもよい。又、測定部１９ｄは、配信サーバ４０ａ，４０ｂからの制御情報に応じて測定し、監視対象情報を取得してもよい。
【０１１３】
無線通信部１１ｄは、無線通信部１１ｄが送信した無線情報を受信した端末装置３０ａ，３０ｂや無線通信装置１０ｅ，１０ｆから、特定情報、特定結果を受信する。無線通信部１１ｄは、受信した特定情報を提供情報特定部１５に入力する。無線通信部１１ｄは、受信した特定情報、特定結果を通信部１４ｄに入力する。又、無線通信部１１ｄは、提供情報特定部１５又は通信部１４ｄから特定情報、特定結果を取得する。無線通信部１１ｄは、取得した特定情報、特定結果を端末装置３０ａ，３０ｂや無線通信装置１０ｅ，１０ｆに送信する。
【０１１４】
通信部１４ｄは、管理サーバ２０、配信サーバ４０ａ、中継装置５０ａから、特定情報、特定結果を受信する。通信部１４ｄは、受信した特定情報を提供情報特定部１５又は無線通信部１１ｄに入力する。通信部１４ｄは、受信した特定結果を無線通信部１１ｄに入力する。又、通信部１４ｄは、提供情報特定部１５から、特定情報、特定結果、特定した提供情報の送信の指示を取得する。又、通信部１４ｄは、無線通信部１１ｄから、特定情報、特定結果を取得する。通信部１４ｄは、取得した特定情報、特定結果を管理サーバ２０、配信サーバ４０ａ、中継装置５０ａに送信する。
【０１１５】
提供情報特定部１５は、端末装置３０ａ，３０ｂが受信した無線情報に基づいて、提供情報を特定する提供情報特定手段である。又、提供情報特定部１５は、特定情報を通知する特定情報通知手段としても機能する。
【０１１６】
提供情報特定部１５は、無線情報通信部１１ｄから、特定情報を取得する。提供情報特定部１５は、ユーザＩＤに基づいて、ユーザ情報データベース１３を検索する。そして、提供情報特定部１５は、ユーザＩＤに対応付けられている端末情報を取得する。提供情報特定部１５は、時計部１９ｂから時間情報を取得する。提供情報特定部１５は、監視部１９ａから監視情報を取得する。提供情報特定部１５は、無線通信装置情報記憶部１９ｃから、無線通信装置情報を取得する。提供情報特定部１５は、測定部１９ｄから測定情報を取得する。
【０１１７】
提供情報特定部１５は、取得した特定情報、端末情報、時間情報、監視情報、無線通信装置情報、測定情報に基づいて、提供情報を特定する。提供情報特定部１５は、特定した特定結果を通信ポリシー設定部１６に入力する。又、提供情報特定部１５は、配信サーバ４０ａ，４０ｂに対して、特定した提供情報の送信を指示する。提供情報特定部１５は、特定した提供情報の送信の指示、特定結果、特定情報を、通信部１４ｄに入力する。提供情報特定部１５は、特定結果、特定情報を、無線通信部１１ｄに入力する。
【０１１８】
又、提供情報特定部１５は、取得した特定情報、端末情報、時間情報、監視情報、無線通信装置情報、測定情報に基づいて、特定情報を通知する。提供情報特定部１５は、無線通信装置１０ｅ，１０ｆ、端末装置３０ａ，３０ｃ〜３０ｅ、管理サーバ２０、配信サーバ４０ａに特定情報を通知する。提供情報特定部１５は、通知する特定情報を、無線通信部１１ｄ、通信部１４ｄに入力する。
【０１１９】
通信ポリシーデータベース１６ａは、通信ポリシーに関する情報を記憶する通信ポリシー記憶手段である。通信ポリシーデータベース１６ａは、通信ポリシーの設定規則、通信ポリシーの設定条件、オブジェクト単位の決定規則、通信ポリシーの達成目標値の算出規則を記憶する。又、通信ポリシーデータベース１６ａは、設定した通信ポリシー、通信ポリシーの達成目標値、オブジェクト単位、通信ポリシーの達成度、これまでに設定した通信ポリシーの履歴に関する情報を、端末装置毎、提供情報毎、制御情報毎、監視対象情報毎に記憶する。
【０１２０】
無線通信部１１ｄは、端末装置３０ａ，３０ｂ、無線通信装置１０ｅ，１０ｆから、通信ポリシー設定情報、設定情報を受信する。通信部１４ｄは、管理サーバ２０、配信サーバ４０ａ、中継装置５０ａから、通信ポリシー設定情報、設定情報を受信する。無線通信部１１ｄは、受信した通信ポリシー設定情報や設定情報を、通信ポリシー設定部１５や通信部１４ｄ、通信制御部１７に入力する。通信部１４ｄは、受信した通信ポリシー設定情報や設定情報を、通信ポリシー設定部１５や無線通信部１１ｄ、通信制御部１７に入力する。
【０１２１】
無線通信部１１ｄは、通信ポリシー設定部１６や通信部１４ｄから通信ポリシー設定情報や設定情報を取得する。無線通信部１１ｄは、取得した通信ポリシー設定情報や設定情報を端末装置３０ａ，３０ｂ、無線通信装置１０ｅ，１０ｆに送信する。通信部１４ｄは、通信ポリシー設定部１６や無線通信部１１ｄから通信ポリシー設定情報や設定情報を取得する。通信部１４ｄは、取得した通信ポリシー設定情報や設定情報を管理サーバ２０、配信サーバ４０ａ、中継装置５０ａに送信する。
【０１２２】
通信ポリシー設定部１６は、配信サーバ４０ａ，４０ｂから複数の端末装置３０ａ〜３０ｅに提供情報をマルチキャスト送信する際の通信ポリシー、配信サーバ４０ａ，４０ｂから端末装置３０ａ〜３０ｅに制御情報を送信する際の通信ポリシー、端末装置３０ａ〜３０ｅから配信サーバ４０ａ，４０ｂに制御情報や監視対象情報を送信する際の通信ポリシーを、オブジェクト単位毎に決定し、設定する通信ポリシー設定手段である。又、通信ポリシー設定部１６は、通信ポリシー設定情報を通知する制御情報通知手段としても機能する。又、通信ポリシー設定部１６は、提供情報をマルチキャスト送信する複数の端末装置３０ａ〜３０ｅや無線通信装置１０ｃ〜１０ｆを決定する決定手段としても機能する。以下、情報をマルチキャスト送信する相手装置を、「マルチキャスト送信対象装置」という。尚、マルチキャスト送信対象装置には、端末装置３０ａ〜３０ｅや無線通信装置１０ｃ〜１０ｆなどがある。
【０１２３】
通信ポリシー設定部１６は、無線情報通信部１１ｄ、通信部１４ｄから、通信ポリシー設定情報、設定情報を取得する。通信ポリシー設定部１６は、提供情報特定部１５から特定結果を取得する。通信ポリシー設定部１６は、ユーザＩＤに基づいて、ユーザ情報データベース１３を検索する。そして、通信ポリシー設定部１６は、ユーザＩＤに対応付けられている端末情報を取得する。通信ポリシー設定部１６は、時計部１９ｂから時間情報を取得する。通信ポリシー設定部１６は、監視部１９ａから監視情報を取得する。通信ポリシー設定部１６は、無線通信装置情報記憶部１９ｃから、無線通信装置情報を取得する。
【０１２４】
通信ポリシー設定部１６は、測定部１９ｄから測定情報、監視対象情報に関する情報を取得する。通信ポリシー設定部１６は、通信ポリシーデータベース１６ａから、通信ポリシーの設定規則、通信ポリシーの設定条件、オブジェクト単位の決定規則、達成目標値の算出規則、通信ポリシーの達成度、通信ポリシーの履歴に関する情報を取得する。
【０１２５】
通信ポリシー設定部１６は、取得した特定結果、通信ポリシー設定情報、端末情報、時間情報、監視情報、無線通信装置情報、測定情報、通信ポリシーの達成度、通信ポリシーの履歴に関する情報に基づいて、マルチキャスト送信対象装置を決定する。
【０１２６】
通信ポリシー設定部１６は、決定したマルチキャスト送信対象装置の数、取得した特定結果、通信ポリシー設定情報、端末情報、時間情報、監視情報、無線通信装置情報、測定情報、監視対象情報に関する情報、通信ポリシーの設定規則、通信ポリシーの設定条件、オブジェクト単位の決定規則、通信ポリシーの達成度、通信ポリシーの履歴に関する情報に基づいて、通信ポリシーを決定し、設定する。又、通信ポリシー設定部１６は、設定した通信ポリシー、達成目標値の算出規則に基づいて、通信ポリシーの達成目標値を設定する。通信ポリシー設定部１６は、通信ポリシー設定情報、設定情報を、無線通信部１１ｄ、通信部１４ｄに入力する。通信ポリシー設定部１６は、設定情報を通信制御部１７に入力する。
【０１２７】
尚、通信ポリシー設定部１６が通信ポリシーを決定し、設定してから、提供情報特定部１５が提供情報を特定してもよい。この場合、通信ポリシー設定部１６は、特定結果以外の情報に基づいて、通信ポリシーを決定し、設定する。そして、通信ポリシー設定部１６は、設定情報を提供情報特定部１５に入力する。提供情報特定部１５は、通信ポリシー設定部１６から、設定情報を取得する。そして、提供情報特定部１５は、取得した設定情報に基づいて提供情報を特定する。これらの点以外は、提供情報特定部１５が提供情報を特定してから、通信ポリシー設定部１６が通信ポリシーを決定し、設定する場合と同様である。
【０１２８】
又、通信ポリシー設定部１６は、決定したマルチキャスト送信対象装置の数、取得した特定結果、通信ポリシー設定情報、端末情報、時間情報、監視情報、無線通信装置情報、測定情報、監視対象情報に関する情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部１６は、無線通信装置１０ｅ，１０ｆ、端末装置３０ａ，３０ｃ〜３０ｅ、管理サーバ２０、配信サーバ４０ａ、中継制御装置５０ｂに通信ポリシー設定情報を通知する。通信ポリシー設定部１６は、通知する通信ポリシー設定情報を、無線通信部１１ｄ、通信部１４ｄに入力する。
【０１２９】
又、通信ポリシー設定部１６は、設定した通信ポリシーや達成目標値、オブジェクト単位、取得した設定情報、取得した監視情報を、通信ポリシーデータベース１６ａに格納する。これにより、通信ポリシーデータベース１６ａが更新される。又、通信ポリシー設定部１６は、通信ポリシーデータベース１６ａから、設定した通信ポリシーを取得し、監視部１９ａに入力する。
【０１３０】
通信制御部１７は、設定した通信ポリシーに基づいて、提供情報のマルチキャスト送信、制御情報や監視対象情報の送信をオブジェクト単位毎に制御する通信制御手段である。通信制御部１７は、通信ポリシー設定部１６から、設定情報を取得する。又、通信制御部１７は、無線通信部１１ｄ、通信部１４ｄから、設定情報、通信ポリシー設定情報を取得する。通信制御部１７は、ユーザ情報データベース１３から、端末情報を取得する。通信制御部１７は、時計部１９ｂから時間情報を取得する。通信制御部１７は、監視部１９ａから監視情報を取得する。通信制御部１７は、無線通信装置情報記憶部１９ｃから、無線通信装置情報を取得する。通信制御部１７は、測定部１９ｄから測定情報、監視対象情報に関する情報を取得する。
【０１３１】
通信制御部１７は、取得した設定情報、通信ポリシー設定情報、端末情報、時間情報、監視情報、無線通信装置情報、測定情報、監視対象情報に関する情報に基づいて、オブジェクト単位毎に送信制御情報を決定する。通信制御部１７は、決定した送信制御情報を、無線通信部１１ｄ、通信部１４ｄに入力する。又、無線通信部１１ｄは、端末装置３０ａ，３０ｂ、無線通信装置１０ｅ，１０ｆから、送信制御情報を受信する。無線通信部１１ｄは、受信した送信制御情報を、通信部１４ｄ又は通信制御部１７に入力する。通信部１４ｄは、管理サーバ２０、配信サーバ４０ａ、中継装置５０ａから、送信制御情報を受信する。通信部１４ｄは、受信した送信制御情報を、無線通信部１１ｄ又は通信制御部１７に入力する。無線通信部１１ｄは、通信制御部１７又は通信部１４ｄから送信制御情報を取得する。無線通信部１１ｄは、取得した送信制御情報を端末装置３０ａ，３０ｂ、無線通信装置１０ｅ，１０ｆに送信する。通信部１４ｄは、通信制御部１７又は無線通信部１１ｄから送信制御情報を取得する。通信部１４ｄは、取得した送信制御情報を管理サーバ２０、配信サーバ４０ａ、中継装置５０ａに送信する。
【０１３２】
又、通信制御部１７は、時間情報と、決定した送信制御情報、又は、無線通信部１１ｄ、通信部１４ｄから取得した送信制御情報とに基づいて、無線通信部１１ｄ、通信部１４ｄ、変換部１８、測定部１９ｄを制御する。このように、通信制御部１７は、通信ポリシー設定部１６によって設定された通信ポリシーに関する設定情報に基づいて、オブジェクト単位毎に決定した送信制御情報を用いて、無線通信部１１ｄ、通信部１４ｄ、変換部１８を制御する。これにより、通信制御部１７は、設定した通信ポリシーに基づいて、提供情報のマルチキャスト送信、制御情報や監視対象情報の送信をオブジェクト単位毎に制御することができる。
【０１３３】
通信部１４ｄは、管理サーバ２０、配信サーバ４０ａ、中継装置５０ａから、提供情報、制御情報を受信する。通信部１４ｄは、通信制御部１７の制御に従って、受信した提供情報、制御情報を、無線通信部１１ｄ又は変換部１８に入力する。無線通信部１１ｄは、通信部１４ｄ又は変換部１８から、提供情報、制御情報を取得する。無線通信部１１ｄは、通信制御部１７の制御に従って、取得した提供情報をオブジェクト単位毎に、複数の端末装置３０ａ，３０ｂや無線通信装置１０ｅ，１０ｆにマルチキャスト送信する。又、無線通信部１１ｄは、提供情報を無線通信装置１０ｅに送信し、無線通信装置１０ｅが端末装置３０ｃ，３０ｄに、提供情報をマルチキャスト送信してもよい。又、無線通信部１１ｄは、通信制御部１７の制御に従って、取得した制御情報をオブジェクト単位毎に、端末装置３０ａ，３０ｂや無線通信装置１０ｅ，１０ｆに送信する。尚、通信部１４ｄは、受信した制御情報のうち、配信サーバ４０ａ，４０ｂからの無線通信装置１０ｄに対する制御情報は、測定部１９ｄに入力する。又、無線通信部１１ｄは、制御情報をマルチキャスト送信してもよい。
【０１３４】
又、無線通信部１１ｄは、端末装置３０ａ，３０ｂ、無線通信装置１０ｅ，１０ｆから、制御情報、監視対象情報を受信する。無線通信部１１ｄは、通信制御部１７の制御に従って、受信した制御情報、監視対象情報を、通信部１４ｄ又は変換部１８に入力する。又、測定部１９ｄは、通信制御部１７の制御に従って、監視対象情報を、通信部１４ｄ又は変換部１８に入力する。通信部１４ｄは、無線通信部１１ｄ、測定部１９ｄ又は変換部１８から、制御情報、監視対象情報を取得する。通信部１４ｄは、通信制御部１７の制御に従って、取得した制御情報、監視対象情報をオブジェクト単位毎に、管理サーバ２０、配信サーバ４０ａ、中継装置５０ａに送信する。
【０１３５】
このようにして、通信部１４ｄと無線通信部１１ｄとは、配信サーバ４０ａ，４０ｂと端末装置３０ａ〜３０ｅとの間の提供情報、制御情報、監視対象情報の送受信を中継する中継手段として機能する。又、無線通信部１１ｄは、提供情報をマルチキャスト送信するマルチキャスト送信手段として機能する。更に、通信部１４ｄは、監視対象情報を送信する監視対象情報送信手段として機能する。又、無線通信部１１ｄ、通信部１４ｄは、制御情報を受信する制御情報受信手段や、提供情報を受信する提供情報受信手段としても機能する。更に、無線通信部１１ｄ、通信部１４ｄは、通信制御部１７から、通信ポリシー設定部１６が設定した通信ポリシーに関する設定情報に基づいて決定した送信制御情報に基づいた制御を受ける。そのため、無線通信部１１ｄ、通信部１４ｄは、提供情報、制御情報、監視対象情報を、通信ポリシーに基づいて送信できる。
【０１３６】
変換部１８は、設定した通信ポリシーに基づいて、提供情報、制御情報、監視対象情報を変換する変換手段である。変換部１８は、通信制御部１７から、通信ポリシー設定部１６が設定した通信ポリシーに関する設定情報に基づいて決定した送信制御情報による制御を受ける。変換部１８は、無線通信部１１ｄ、通信部１４ｄ、測定部１９ｄから提供情報、制御情報、監視対象情報を取得する。変換部１８は、通信制御部１７の制御に従って、提供情報、制御情報、監視対象情報をオブジェクト単位毎に変換する。変換部１８は、変換した提供情報、制御情報、監視対象情報を、無線通信部１１ｄ、通信部１４ｄに入力する。
【０１３７】
又、提供情報特定部１５、通信ポリシー設定部１６、通信制御部１７、監視部１９ａは、算出情報を、通信部１４ｄに入力する。通信部１４ｄは、取得した算出情報を、管理サーバ２０、配信サーバ４０ａ又は中継装置５０ａに送信する。
【０１３８】
〔管理サーバ〕
管理サーバ２０は、無線通信装置１０ｃ〜１０ｆを制御する。例えば、管理サーバ２０は、配信サーバ４０ｂ、中継装置５０ａと、無線通信装置１０ｃ〜１０ｆとの間の情報の送受信を中継する。管理サーバ２０は、無線通信装置１０ｃに代わり、端末情報や無線情報を管理する。そして、管理サーバ２０は、無線通信装置１０ｃに代わり、無線情報ユーザの認証や無線情報の送信の制限を行う。管理サーバ２０は、無線情報を無線通信装置１０ｃ〜１０ｆに提供する。又、管理サーバ２０は、提供情報をマルチキャスト送信する情報送信装置としても機能する。
【０１３９】
図４に示すように、管理サーバ２０は、無線情報データベース２２と、無線情報提供部２２ａと、ユーザ情報データベース２３と、通信部２４と、提供情報特定部２５と、通信ポリシー設定部２６と、通信ポリシーデータベース２６ａと、通信制御部２７と、変換部２８ａと、リソース割当部２８ｂと、監視部２９ａと、時計部２９ｂと、管理サーバ情報記憶部２９ｃとを備える。
【０１４０】
ユーザ情報データベース２３、通信ポリシーデータベース２６ａ、時計部２９ｂは、図３に示したユーザ情報データベース１３、通信ポリシーデータベース１６ａ、時計部１９ｂと同様である。通信部２４は、無線通信装置１０ｃ〜１０ｆ、配信サーバ４０ｂ、中継装置５０ａ、課金サーバ７０と通信する。無線情報データベース２２は、無線情報記憶手段である。無線情報データベース２２は、無線情報を、無線通信装置１０ｃ〜１０ｆ毎に記憶する。例えば、無線情報データベース２２は、タグＩＤに対応付けて、各無線通信装置１０ｃ〜１０ｆが送信する無線情報を記憶する。
【０１４１】
無線通信装置１０ｃがアクティブタグ、セミパッシブタグとして機能する場合、無線情報提供部２２ａは、定期的又はランダムに無線情報データベース２２から無線情報を取得する。一方、無線通信装置１０ｃがパッシブタグ、セミパッシブタグとして機能する場合、通信部２４は、無線通信装置１０ｃから無線情報の要求を受信する。通信部２４は、受信した無線情報の要求を無線情報提供部２２ａに入力する。無線情報提供部２２ａは、無線情報の要求を取得した際に、無線情報データベース２２から無線情報を取得する。無線情報提供部２２ａは、無線通信装置１０ｃのタグＩＤに基づいて、そのタグＩＤに対応付けられた無線情報を取得する。無線情報提供部２２ａは、取得した無線情報を通信部２４に入力する。
【０１４２】
尚、無線情報提供部２２ａは、無線情報制限手段や無線情報特定手段としても機能できる。その場合、無線情報提供部２２ａは、ユーザＩＤやパスワードを含む無線情報の要求を取得する。又は、無線情報提供部２２ａは、ユーザＩＤやパスワードの要求を通信部２４に入力する。通信部２４は、無線通信装置１０ｃに、ユーザＩＤやパスワードの要求を送信する。通信部２４は、無線通信装置１０ｃから、ユーザＩＤやパスワードを含む応答を受信する。無線情報提供部２２ａは、通信部２４から、受信した応答を取得する。
【０１４３】
無線情報提供部２２ａは、図２（ｂ）に示した無線情報提供部１２ｂと同様にして、要求や応答に含まれるユーザＩＤ、パスワードと、ユーザ情報データベース２３に記憶されたユーザＩＤ、パスワードを用いて、無線情報ユーザであるか否かの認証を行う。そして、無線情報提供部２２ａは、無線情報の送信を無線情報ユーザに制限する。あるいは、無線情報提供部２２ａは、図２（ｂ）に示した無線情報提供部１２ｂと同様にして、同時に無線情報を送信するユーザ数を制限してもよい。又、無線情報提供部２２ａは、端末装置３０ａ，３０ｂの性能やユーザの属性情報に応じて、無線情報の送信を制限してもよい。
【０１４４】
これによれば、管理サーバ２０は、無線情報の利用が特定のユーザに限られている場合に、そのユーザにのみ無線情報を送信できる。又、管理サーバ２０は、無線情報を同時に送信できるユーザ数を制限したい場合に、制限された数のユーザにだけ無線情報を送信できる。尚、無線情報提供部２２ａは、無線情報の送信を制限するユーザ数を、例えば、ネットワークの状況や通信リソースの状況、配信サーバ４０ａ，４０ｂ、中継装置５０ａ、中継制御装置５０ｂ、管理サーバ２０、無線通信装置１０ｄ〜１０ｆ、端末装置３０ａ，３０ｂの処理状況や負荷状況、通信ポリシーの達成度、通信品質やデータ品質、通信スケジュールの実際の状況などに基づいて定めることができる。
【０１４５】
又、無線情報提供部２２ａは、図３に示した無線情報提供部１２ｄと同様にして、要求や応答に含まれるユーザＩＤに基づいて、ユーザ情報データベース２３から、端末情報を取得する。時計部２９ｂから、時間情報を取得する。そして、無線情報提供部２２ａは、端末情報に基づいて、無線情報を特定する。無線情報提供部２２ａは、特定した無線情報を、無線情報データベース２２から取得する。
【０１４６】
更に、無線情報提供部２２ａは、無線通信装置１０ｄ〜１０ｆに格納する無線情報を、無線情報データベース２２から取得する。無線情報提供部２２ａは、無線通信装置１０ｄ〜１０ｆのタグＩＤに基づいて、そのタグＩＤに対応付けられた無線情報を取得する。無線情報提供部２２ａは、取得した無線情報を通信部２４に入力する。
【０１４７】
通信部２４は、無線情報提供部２２ａから、無線情報を取得する。通信部２４は、取得した無線情報を無線通信装置１０ｃ〜１０ｆに送信する。このように、通信部２４は、無線通信装置１０ｃ〜１０ｆに無線情報を提供する無線情報提供手段として機能する。
【０１４８】
監視部２９ａは、図３に示した監視部１９ａと同様にして、監視情報を取得する。具体的には、通信部２９ａは、通信部２４を介して、配信サーバ４０ａ，４０ｂと端末装置３０ａ〜３０ｅとの間のネットワークのうち、例えば、図１に示した無線通信装置１０ｃ〜１０ｆと管理サーバ２０との間の経路６ｃ〜６ｆの状況、配信サーバ４０ｂ又は中継装置５０ａと、管理サーバ２０との間の経路６ａ，６ｂの状況を取得する。又、監視部２９ａは、リソース割当部２８ｂ又は通信部２４から、配信サーバ４０ａ，４０ｂと端末装置３０ａ〜３０ｅとの間の通信リソースのうち、無線通信装置１０ｃ〜１０ｆと管理サーバ２０との間の通信リソースの状況、配信サーバ４０ｂ又は中継装置５０ａと、管理サーバ２０との間の通信リソースの状況を取得する。
【０１４９】
更に、監視部２９ａは、通信部２４、通信制御部２７、変換部２８ａ、リソース割当部２８ｂの状況を監視する。監視部２９ａは、通信部２４、通信制御部２７、変換部２８ａ、リソース割当部２８ｂから、その負荷状況や処理状況を取得する。例えば、監視部２９ａは、通信部２４が情報の送受信を行っている通信中の無線通信装置１０ｃ〜１０ｆ、配信サーバ４０ｂ、中継装置５０ａの数、通信部２４と、無線通信装置１０ｃ〜１０ｆ、配信サーバ４０ｂ、中継装置５０ａとの間の通信路の数、通信部２４が送受信しているデータ量、通信制御部２７が制御している通信路の数、変換部２８ａが行うデータ変換量、リソース割当部２８ｂが行う処理量などの負荷状況を取得する。監視部２９ａは、通信部２４が送受信を終了させた情報の割合、変換部２８ａが変換を終了させたデータ量の割合、リソース割当部２８ｂが終了させた処理量の割合などの処理状況を取得する。更に、監視部２９ａは、通信部２４、通信制御部２７、変換部２８ａ、リソース割当部２８ｂの負荷状況や処理状況から、管理サーバ２０全体の負荷状況や処理状況を求めてもよい。
【０１５０】
又、監視部２９ａは、通信ポリシーの達成度や、通信品質やデータ品質、通信スケジュールの実際の状況を監視する。その際、監視部２９ａは、通信ポリシー設定部２６から、設定した通信ポリシーを取得する。監視部２９ａは、通信部２４、通信制御部２７、変換部２８ａ、リソース割当部２８ｂから、設定した通信ポリシーに関係する実際の状況を取得する。又、監視部２９ａは、提供情報特定部２５、通信ポリシー設定部２６からの監視情報の提供の要求に応じて、監視情報を取得する。監視部２９ａは、監視情報を、提供情報特定部２５、通信ポリシー設定部２６、通信制御部２７に入力する。監視部２９ａは、現在の監視情報を入力してもよく、過去の監視情報を入力してもよい。
【０１５１】
管理サーバ情報記憶部２９ｃは、管理サーバ２０に関する管理サーバ情報を記憶する。管理サーバ情報には、管理サーバ２０の識別子（以下「管理サーバＩＤ」という）、管理サーバ２０の位置情報、管理サーバ２０の処理能力や通信速度、容量などの管理サーバ２０の性能に関する情報、管理サーバ２０の負荷状況や処理状況、管理サーバ２０が希望する通信ポリシー、通信料金の希望上限額、提供してもよい管理サーバ２０に関する通信リソース、希望するオブジェクト単位、要求する品質、要求されるリアルタイム性などがある。又、管理サーバ情報には、管理サーバ２０全体に関する情報と、管理サーバ２０を構成する各構成に関する情報がある。尚、管理サーバ情報記憶部２９ｃは、管理サーバ２０が管理する無線通信装置１０ｃ，１０ｄの無線通信装置情報も記憶する。尚、管理サーバＩＤとしては、管理サーバ２０に付与した番号や記号、文字などを用いることができる。
【０１５２】
通信部２４は、配信サーバ４０ｂ、中継装置５０ａから、特定情報、特定結果を受信する。通信部２４は、無線通信装置１０ｃ〜１０ｆから、特定情報、特定結果、特定した提供情報の送信の指示を受信する。通信部２４は、受信した特定情報を提供情報特定部２５に入力する。通信部２４は、提供情報特定部２５から特定情報、特定結果、特定した提供情報の送信の指示を取得する。通信部２４は、無線通信装置１０ｃ〜１０ｆに、受信した特定情報、特定結果、又は、提供情報特定部２５から取得した特定情報、特定結果を送信する。通信部２４は、配信サーバ４０ｂ、中継装置５０ａに、受信した特定情報、特定結果、特定した提供情報の送信の指示、又は、提供情報特定部２５から取得した特定情報、特定結果、特定した提供情報の送信の指示を送信する。
【０１５３】
提供情報特定部２５は、図３に示した提供情報特定部１５と同様にして、提供情報を特定する。又、提供情報特定部２５は、特定情報を、無線通信装置１０ｄ〜１０ｆ、端末装置３０ａ，３０ｃ〜３０ｅ、配信サーバ４０ａに特定情報を通知する。その際、提供情報特定部２５は、通信部２４、ユーザ情報データベース２３、時計部２９ｂ、監視部２９ａ、管理サーバ情報記憶部２９ｃから、特定情報、端末情報、時間情報、監視情報、管理サーバ情報、無線通信装置情報を取得する。提供情報特定部２５は、特定した特定結果を通信ポリシー設定部２６に入力する。又、提供情報特定部２５は、配信サーバ４０ａ，４０ｂに対して、特定した提供情報の送信を指示する。提供情報特定部２５は、特定した提供情報の送信の指示、特定結果、特定情報を、通信部２４に入力する。
【０１５４】
通信部２４は、無線通信装置１０ｃ〜１０ｆ、配信サーバ４０ｂ、中継装置５０ａから、通信ポリシー設定情報、設定情報を受信する。通信部２４は、受信した通信ポリシー設定情報、設定情報を通信ポリシー設定部２５、通信制御部２７に入力する。通信部２４は、通信ポリシー設定部２６から通信ポリシー設定情報、設定情報を取得する。通信部２４は、受信した通信ポリシー設定情報、設定情報、又は、通信ポリシー設定部２６から取得した通信ポリシー設定情報、設定情報を、無線通信装置１０ｃ〜１０ｆ、配信サーバ４０ｂ、中継装置５０ａに送信する。
【０１５５】
通信ポリシー設定部２６は、図３に示した通信ポリシー設定部１６と同様にして、提供情報をマルチキャスト送信する際の通信ポリシー設定情報や監視対象情報を送信する際の通信ポリシーを決定し、設定する。又、通信ポリシー設定部２６は、無線通信装置１０ｄ〜１０ｆ、端末装置３０ａ，３０ｃ〜３０ｅ、配信サーバ４０ａ、中継制御装置５０ｂに通信ポリシー設定情報を通知する。又、通信ポリシー設定部２６は、マルチキャスト送信対象装置を決定する。
【０１５６】
その際、通信ポリシー設定部２６は、提供情報特定部２５、通信部２４、ユーザ情報データベース２３、監視部２９ａ、時計部２９ｂ、管理サーバ情報記憶部２９ｃ、通信ポリシーデータベース２６ａから、特定結果、通信ポリシー設定情報、端末情報、監視情報、管理サーバ情報、無線通信装置情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０１５７】
通信ポリシー設定部２６は、通信ポリシー設定情報、設定情報を、通信部２４に入力する。通信ポリシー設定部２６は、設定情報を通信制御部２７に入力する。又、通信ポリシー設定部２６は、通信ポリシーの達成目標値の設定、設定した通信ポリシー及び達成目標値、オブジェクト単位、取得した設定情報、取得した監視情報の通信ポリシーデータベース２６ａへの格納を行う。又、通信ポリシー設定部２６は、通信ポリシーデータベース２６ａから、設定した通信ポリシーを取得し、監視部２９ａに入力する。尚、図３に示した提供情報特定部１５、通信ポリシー設定部１６と同様に通信ポリシー設定部２６が通信ポリシーを決定し、設定してから、提供情報特定部２５が提供情報を特定してもよい。
【０１５８】
通信制御部２７は、図３に示した通信制御部１７と同様にして、オブジェクト単位毎に送信制御情報を決定する。その際、通信制御部２７は、通信ポリシー設定部２６、通信部２４、ユーザ情報データベース２３、監視部２９ａ、時計部２９ｂ、管理サーバ情報記憶部２９ｃから、設定情報、通信ポリシー設定情報、端末情報、監視情報、管理サーバ情報、無線通信装置情報、時間情報を取得する。
【０１５９】
通信制御部２７は、決定した送信制御情報を、通信部２４に入力する。又、通信部２４は、無線通信装置１０ｃ，１０ｄ、配信サーバ４０ｂ、中継装置５０ａから送信制御情報を受信する。通信部２４は、通信制御部２７から取得した送信制御情報、又は、受信した送信制御情報を、無線通信装置１０ｃ〜１０ｆ、配信サーバ４０ｂ、中継装置５０ａに送信する。又、通信制御部２７は、時間情報と、決定した送信制御情報、又は、通信部２４から取得した送信制御情報に基づいて、通信部２４、変換部２８ａ、リソース割当部２８ｂを制御する。
【０１６０】
通信部２４は、配信サーバ４０ｂ、中継装置５０ａから、提供情報、制御情報を受信する。通信部２４は、無線通信装置１０ｄ〜１０ｆから、制御情報、監視対象情報を受信する。通信部２４は、通信制御部２７の制御に従い、受信した提供情報そのままを、オブジェクト単位毎に複数の無線通信装置１０ｃ〜１０ｆにマルチキャスト送信する。又、通信部２４は、通信制御部２７の制御に従い、受信した制御情報そのままを、オブジェクト単位毎に無線通信装置１０ｃ〜１０ｆに送信する。更に、通信部２４は、通信制御部２７の制御に従い、受信した制御情報、監視対象情報そのままを、オブジェクト単位毎に配信サーバ４０ｂ、中継装置５０ａに送信する。
【０１６１】
あるいは、通信部２４は、通信制御部２７の制御に従い、受信した提供情報、制御情報、監視対象情報を変換部２８ａに入力する。そして、通信部２４は、変換部２８ａから、変換された提供情報、制御情報、監視対象情報を取得する。通信部２４は、通信制御部２７の制御に従い、変換部２８ａから取得した提供情報を、オブジェクト単位毎に複数の無線通信装置１０ｃ〜１０ｆにマルチキャスト送信する。又、通信部２４は、提供情報を無線通信装置１０ｄ，１０ｅに送信し、無線通信装置１０ｄ，１０ｅが、無線通信装置１０ｅ，１０ｆや、端末装置３０ｃ，３０ｄに、提供情報をマルチキャスト送信してもよい。又、通信部２４は、通信制御部２７の制御に従い、変換部２８ａから取得した制御情報を、オブジェクト単位毎に無線通信装置１０ｃ〜１０ｆに送信する。更に、通信部２４は、通信制御部２７の制御に従い、変換部２８ａから取得した制御情報、監視対象情報を、オブジェクト単位毎に配信サーバ４０ｂ、中継装置５０ａに送信する。尚、通信部２４は、制御情報、監視対象情報をマルチキャスト送信してもよい。
【０１６２】
このようにして、通信部２４は、配信サーバ４０ａ，４０ｂと、端末装置３０ａ〜３０ｅや無線通信装置１０ｄ〜１０ｆとの間の提供情報、制御情報、監視対象情報の送受信を中継する中継手段として機能する。又、通信部２４は、マルチキャスト送信手段としても機能する。
【０１６３】
変換部２８ａは、通信部２４から提供情報、制御情報、監視対象情報を取得する。変換部２８ａは、通信制御部２７の制御に従って、オブジェクト単位毎に提供情報、制御情報、監視対象情報を変換する。変換部２８ａは、変換した提供情報、制御情報、監視対象情報を通信部２４に入力する。
【０１６４】
リソース割当部２８ｂは、通信制御部２７から、設定情報に基づいて決定した送信制御情報に基づいた制御を受ける。リソース割当部２８ｂは、通信制御部２７の制御に従い、提供情報、制御情報、監視対象情報の送信に通信リソースを予め割り当てる。これにより、リソース割当部２８ｂは、提供情報、制御情報、監視対象情報の送信に必要な通信リソースを予約確保する。そして、リソース割当部２８ｂは、通信制御部２７の制御に従い、予約確保した通信リソースの中から、実際に使用する通信リソースを提供情報、制御情報、監視対象情報の送信に割り当てる。リソース割当部２８ｂは、無線通信装置１０ｃ〜１０ｆと管理サーバ２０との間の通信リソース、配信サーバ４０ｂ又は中継装置５０ａと、管理サーバ２０との間の通信リソースの割当を行う。このように、リソース割当部２８ｂは、設定した通信ポリシーに基づいて、提供情報、制御情報、監視対象情報の送信に通信リソースを予め割り当てるリソース割当手段として機能する。
【０１６５】
又、リソース割当部２８ｂは、監視部２９ａにリソースの状況を入力する。リソース割当部２８ｂは、情報の送受信に割り当てて使用している使用通信リソース量、情報の送受信に割り当てておらず使用していない空き通信リソース量、それらの変化量などを、監視部２９ａに入力する。リソース割当部２８ｂは、定期的に又はランダムに、あるいは、連続的に、リソースの状況を監視部２９ａに入力してもよく、監視部２９ａからの要求に応じてリソースの状況を監視部２９ａに入力してもよい。
【０１６６】
又、提供情報特定部２５、通信ポリシー設定部２６、通信制御部２７、監視部２９ａは、算出情報を、通信部２４に入力する。又、通信部２４は、無線通信装置１０ｄ〜１０ｆから、算出情報を受信する。通信部２４は、取得した算出情報や、受信した算出情報を、課金サーバ７０に送信する。
【０１６７】
〔端末装置〕
端末装置３０ａ〜３０ｅは、無線情報、提供情報、制御情報を受信する。又、端末装置３０ａ〜３０ｅは、監視対象情報を取得して、送信する監視装置としても機能する。更に、端末装置３０ａ〜３０ｅは、制御情報を送信して、配信サーバ４０ａ，４０ｂを制御する制御装置としても機能する。端末装置３０ａ〜３０ｅは、例えば、携帯電話、ＰＨＳ（Ｐｅｒｓｏｎａｌ  Ｈａｎｄｙｐｈｏｎｅ  Ｓｙｓｔｅｍ）、携帯情報端末（ＰＤＡ：Ｐｅｒｓｏｎａｌ  Ｄｉｇｉｔａｌ  Ａｓｓｉｓｔａｎｔｓ）などの移動通信端末、コンピュータなどがある。
【０１６８】
図５に示すように、端末装置３０ａは、無線通信部３１ａと、測定部３２と、ユーザ情報記憶部３３と、通信部３４ａと、提供情報特定部３５と、通信ポリシー設定部３６と、通信ポリシーデータベース３６ａと、通信制御部３７ａと、入力部３８ａと、出力部３８ｂと、監視部３９ａと、時計部３９ｂとを備える。尚、端末装置３０ｃ〜３０ｅは、端末装置３０ａと同様の構成を備える。又、通信ポリシーデータベース３６ａ、時計部３９ｂは、図３に示した通信ポリシーデータベース１６ａ、時計部１９ｂと同様である。
【０１６９】
ユーザ情報記憶部３３は、ユーザ情報記憶手段である。ユーザ情報記憶部３３は、端末装置３０ａのユーザのユーザＩＤ、パスワード、その他の端末情報を記憶する。
【０１７０】
無線通信部３１ａは、近距離無線により、無線通信装置１０ａ〜１０ｄと情報を送受信する。無線通信部３１ａは、電波や赤外線を用いて情報を送受信する。無線通信部３１ａとしては、例えば、ＩｒＤＡ、ブルートゥース（登録商標）、ＲＦ電波により情報を受信するリーダとＲＦ電波により情報を送信するライターを組み合わせたもの、無線ＬＡＮインタフェース、バーコードリーダ、ＤＳＲＣを用いることができる。
【０１７１】
無線通信部３１ａは、無線通信装置１０ａ〜１０ｄが送信した無線情報を受信する近距離無線受信手段である。無線通信部３１ａは、アクティブタグやセミパッシブタグとして機能する無線通信装置１０ａ〜１０ｄからは、定期的に又はランダムに無線情報を受信する。無線情報を受信する際に、無線通信部３１ａは、無線通信装置１０ｂ〜１０ｃから、ユーザＩＤやパスワードの要求を受信する場合がある。この場合には、無線通信部３１ａは、ユーザ情報記憶部３３からユーザＩＤやパスワードを取得する。無線通信部３１ａは、取得したユーザＩＤやパスワードを含む応答を、無線通信装置１０ｂ〜１０ｄに送信する。
【０１７２】
無線通信部３１ａは、パッシブタグやセミパッシブタグとして機能する無線通信装置１０ａ〜１０ｄに、無線情報の送信を要求する。そして、無線通信部３１ａは、無線通信装置１０ｂ〜１０ｄが無線情報の送信の要求に応じて送信した無線情報を受信する。無線通信部３１ａは、ユーザＩＤやパスワードを含む無線情報の送信の要求を送信できる。又、無線通信部３１ａは、ユーザＩＤやパスワードを含まない無線情報の送信の要求を送信してもよい。この場合に、無線通信部３１ａが、無線通信装置１０ｂ〜１０ｄからユーザＩＤやパスワードの要求を受けた場合には、ユーザＩＤやパスワードを含む応答を、無線通信装置１０ｂ〜１０ｄに送信する。いずれの場合にも、無線通信部３１ａは、ユーザ情報記憶部３３からユーザＩＤやパスワードを取得する。
【０１７３】
無線通信部３１ａは、時計部３９ｂから時間情報を取得し、所定の間隔で無線情報を要求したり、所定の時刻に無線情報を要求したりできる。又、無線通信部３１ａは、入力部３８ａから、無線情報の要求を受けた際に、無線情報を要求してもよい。あるいは、無線通信部３１ａは、ランダムに無線情報を要求してもよい。無線通信部３１ａは、受信した無線情報を、提供情報特定部３５に入力する。
【０１７４】
通信部３４ａは、配信サーバ４０ａ、中継装置５０ａと通信する。通信部３４ａ、無線通信部３１ａは、配信サーバ４０ａ、中継装置５０ａ、無線通信装置１０ｃ，１０ｄが、マルチキャスト送信した提供情報を受信する提供情報受信手段である。通信部３４ａ、無線通信部３１ａは、受信した提供情報を出力部３８ｂに出力する。通信部３４ａ、無線通信部３１ａは、配信サーバ４０ａ，４０ｂが送信した制御情報を受信する制御情報受信手段としても機能する。通信部３４ａ、無線通信部３１ａは、受信した制御情報を、測定部３２に入力したり、出力部３８ｂに出力したりする。
【０１７５】
又、通信部３４ａ、無線通信部３１ａは、配信サーバ４０ａ，４０ｂに、監視対象情報を送信する監視対象情報送信手段としても機能する。通信部３４ａ、無線通信部３１ａは、測定部３２から監視対象情報を取得する。更に、通信部３４ａ、無線通信部３１ａは、配信サーバ４０ａ，４０ｂに、配信サーバ４０ａ，４０ｂに対する制御情報を送信する制御情報送信手段としても機能する。通信部３４ａ、無線通信部３１ａは、入力部３８ａ、提供情報特定部３５、通信制御部３７ａから、制御情報を取得する。尚、通信部３４ａ、無線通信部３１ａは、制御情報、監視対象情報をマルチキャスト送信してもよい。
【０１７６】
測定部３２は、端末装置３０ａに関する状態を測定する端末測定手段である。測定部３２は、端末装置３０ａに関する状態として、例えば、端末装置３０ａ自体、端末装置３０ａが備える各構成、端末装置３０ａ周辺、端末装置３０ａを使用するユーザの状態を測定する。具体的には、測定部３２は、端末装置３０ａの位置、端末装置３０ａ周辺の気温や湿度、端末装置３０ａの進行方向、端末装置３０ａ周辺の映像、端末装置３０ａの移動速度、端末装置３０ａと無線通信装置１０ａ〜１０ｄとの距離や相対速度、通信端末３０ａから所定の範囲内に存在する無線通信装置１０ａ〜１０ｄの数、端末装置３０ａのユーザの体温、脈拍、心拍数、血圧、表面湿度、ユーザが握ることにより端末装置に加えられる圧力を測定する。そのため、測定部３２としては、例えば、ＧＰＳ装置、温度計、湿度計、方位センサー、カメラ等の撮影手段、速度計、脈拍計、心拍計、血圧計、圧力計を用いることができる。
【０１７７】
又、測定部３２は、端末装置３０ａと無線通信装置１０ａ〜１０ｄとの距離を、例えば、以下のようにして測定できる。無線通信部３１ａは、無線情報として、対象物の位置情報を含む対象物情報を受信する。測定部３２は、無線通信部３１ａから、対象物の位置情報を取得する。更に、測定部３２は、端末装置３０ａの位置をＧＰＳ衛星などを用いて測定する。測定部３２は、取得した対象物の位置情報と、測定した端末装置３０ａの位置から、端末装置３０ａと無線通信装置１０ａ〜１０ｄとの距離を求める。又、測定部３２は、無線通信部３１ａが、無線通信装置１０ａ〜１０ｄから受信する電波の強度を測定する。測定部３２は、測定した電波の強度から、端末装置３０ａと無線通信装置１０ａ〜１０ｄとの距離を求める。
【０１７８】
又、測定部３２は、無線通信装置１０ａ〜１０ｄから受信する複数の電波の強度を測定する。測定部３２は、強度が閾値以上の電波の数を求めることにより、通信端末３０ａから一定の範囲内に存在する無線通信装置１０ａ〜１０ｄの数を求める。測定部３２は、電波の強度の閾値を、範囲の広さに応じて設定する。
【０１７９】
更に、端末装置３０ａの監視対象が端末装置３０ａ周辺の状況の場合、測定部３２は、監視対象情報を取得する監視手段としても機能する。測定部３２は、端末装置３０ａ周辺の気温や湿度、端末装置３０ａ周辺の映像などを測定して、取得する。測定部３２は、取得した端末装置３０ａ周辺の気温や湿度、端末装置３０ａ周辺の映像などを監視対象情報として、無線通信部３１ａ又は通信部３４ａに入力する。その際、測定部３２は、監視対象情報に、監視対象情報の宛先である配信サーバ４０ａ，４０ｂのアドレス、監視対象情報ＩＤを付与して入力する。又、測定部３２は、監視対象情報に関する情報を、通信ポリシー設定部３６、通信制御部３７ａに入力する。
【０１８０】
測定は、定期的に行ってもよく、ランダムに行ってもよく、連続的に行ってもよい。又、測定部３２は、提供情報特定部３５、通信ポリシー設定部３６からの測定情報の提供の要求に応じて、測定してもよい。測定部３２は、測定情報を提供情報特定部３５、通信ポリシー設定部３６、通信制御部３７ａに入力する。測定部３２は、現在の測定情報を入力してもよく、過去の測定情報を入力してもよい。又、測定部３２は、配信サーバ４０ａ，４０ｂからの制御情報に応じて測定し、監視対象情報を取得してもよい。
【０１８１】
入力部３８ａは、情報や要求を入力する入力手段である。入力部３８ａは、ユーザ操作により情報や要求を入力する。入力部３８ａは、無線情報の送信の要求を無線通信部３１ａに入力する。入力部３８ａは、特定情報、特定結果を提供情報特定部３５に入力する。入力部３８ａは、通信ポリシー設定情報を通信ポリシー設定部３６、通信制御部３７ａに入力する。入力部３８ａは、端末装置３０ａが希望する通信ポリシーや情報の種類、通信料金の希望上限額、希望するオブジェクト単位、要求する品質、要求されるリアルタイム性などを、ユーザ情報記憶部３３に格納する。
【０１８２】
又、入力部３８ａは、配信サーバ４０ａ，４０ｂに対する制御情報を、無線通信部３１ａ又は通信部３４ａに入力する。配信サーバ４０ａ，４０ｂに対する制御情報には、特定した提供情報の送信の要求、提供情報の送信中における要求などがある。送信中における要求には、送信している提供情報のデータ品質の変更、通信ポリシーの変更の要求などがある。入力部３８ａは、制御情報に、制御情報の宛先である配信サーバ４０ａ，４０ｂのアドレス、制御情報を識別する識別子（以下「制御情報ＩＤ」という）を付与して入力する。又、入力部３８ａは、制御情報に関する情報を、通信ポリシー設定部３６、通信制御部３７ａに入力する。
【０１８３】
制御情報に関する情報には、制御情報の内容、制御情報のデータ量、送信開始予定時刻、制御情報の送信に要する平均時間、制御情報を構成するデータの種類、制御情報のデータ品質、制御情報の推奨通信ポリシー設定情報の要求されるリアルタイム性、制御情報の重要度、制御情報を区切るオブジェクト単位、制御情報がマルチキャスト送信する情報であるか否かなどがある。尚、制御情報ＩＤとしては、制御情報に付与した番号や記号、文字などを用いることができる。
【０１８４】
出力部３８ｂは、情報を出力する出力手段である。出力部３８ｂは、例えば、無線通信部３１ａが受信した無線情報、無線通信部３１ａや通信部３４ａが受信した提供情報、制御情報、特定情報、特定結果、通信ポリシー設定情報、設定情報、送信制御情報、入力部３８ａが入力した情報や要求を出力する。
【０１８５】
監視部３９ａは、図３に示した監視部１９ａと同様にして、監視情報を取得する。具体的には、監視部３９ａは、通信部３４ａを介して、配信サーバ４０ａと端末装置３０ａとの間のネットワークのうち、例えば、図１に示した配信サーバ４０ａ又は中継装置５０ａと、端末装置３０ａとの間の経路１ａ，３ａの状況を取得する。又、監視部３９ａは、通信部３４ａから、配信サーバ４０ａと端末装置３０ａとの間の通信リソースのうち、配信サーバ４０ａ又は中継装置５０ａと、端末装置３０ａとの間の通信リソースの状況を取得する。
【０１８６】
更に、監視部３９ａは、無線通信部３１ａ、通信部３４ａ、通信制御部３７ａの状況を監視する。監視部３９ａは、無線通信部３１ａ、通信部３４ａ、通信制御部３７ａから、その負荷状況や処理状況を取得する。例えば、監視部３９ａは、無線通信部３１ａが情報の送受信を行っている通信中の無線通信装置１０ａ〜１０ｄの数、無線通信部３１ａと無線通信装置１０ａ〜１０ｄとの間の通信路の数、無線通信部３１ａが送受信しているデータ量、通信部３４ａが情報の送受信を行っている通信中の配信サーバ４０ａ、中継装置５０ａの数、通信部３４ａと、配信サーバ４０ａ、中継装置５０ａとの間の通信路の数、通信部３４ａが送受信しているデータ量、通信制御部３７ａが制御している通信路の数などの負荷状況を取得する。監視部３９ａは、無線通信部３１ａや通信部３４ａが送受信を終了させた情報の割合などの処理状況を取得する。更に、監視部３９ａは、無線通信部３１ａ、通信部３４ａ、通信制御部３７ａの負荷状況や処理状況から、端末装置３０ａ全体の負荷状況や処理状況を求めてもよい。
【０１８７】
更に、監視部３９ａは、通信ポリシーの達成度や、通信品質やデータ品質、通信スケジュールの実際の状況を監視する。その際、監視部３９ａは、通信ポリシー設定部２６から、設定した通信ポリシーを取得する。監視部３９ａは、通信部３４ａ、通信制御部３７ａ、出力部３８ｂから、設定した通信ポリシーに関係する実際の状況を取得する。監視部３９ａは、図３に示した監視部１９ａと同様に、定期的、ランダム又は連続的に、あるいは、提供情報特定部３５、通信ポリシー設定部３６からの監視情報の提供の要求に応じて、監視情報を取得する。監視部３９ａは、監視情報を、提供情報特定部３５、通信ポリシー設定部３６、通信制御部３７ａに入力する。監視部３９ａは、現在の監視情報を入力してもよく、過去の監視情報を入力してもよい。
【０１８８】
無線通信部３１ａは、無線通信装置１０ｃ、１０ｄから、特定情報、特定結果を受信する。通信部３４ａは、配信サーバ４０ａ、中継装置５０ａから、特定情報を受信する。無線通信部３１ａ，通信部３４ａは、受信した特定情報、特定結果を提供情報特定部３５に入力する。無線通信部３１ａ、通信部３４ａは、提供情報特定部３５から、特定情報、特定結果を取得する。無線通信部３１ａは、特定情報、特定結果を、無線通信装置１０ｃ，１０ｄに送信する。通信部３４ａは、特定情報、特定結果を、配信サーバ４０ａ、中継装置５０ａに送信する。
【０１８９】
提供情報特定部３５は、提供情報を特定する。又、提供情報特定部３５は、特定情報を通知する。その際、提供情報特定部３５は、無線通信部３１ａから受信した無線情報を取得する。又、提供情報特定部３５は、無線通信部３１ａ、通信部３４ａ、入力部３８ａから、特定情報を取得する。提供情報特定部３５は、測定部３２、ユーザ情報記憶部３３、時計部３９ｂ、監視部３９ａから、測定情報、端末情報、時間情報、監視情報を取得する。
【０１９０】
提供情報特定部３５は、取得した受信した無線情報、特定情報、測定情報、端末情報、時間情報、監視情報に基づいて、提供情報を特定する。提供情報特定部３５は、特定した特定結果を通信ポリシー設定部３６に入力する。又、提供情報特定部３５は、配信サーバ４０ａ，４０ｂに対して、特定した提供情報の送信を要求する。提供情報特定部３５は、特定結果、特定情報を、無線通信部３１ａ、通信部３４ａに入力する。又、提供情報特定部３５は、特定した提供情報の送信の要求を、制御情報として無線通信部３１ａ、通信部３４ａに入力する。その際、提供情報特定部３５は、制御情報に、制御情報の宛先である配信サーバ４０ａ，４０ｂのアドレス、制御情報ＩＤを付与して入力する。又、提供情報特定部３５は、制御情報に関する情報を、通信ポリシー設定部３６、通信制御部３７ａに入力する。
【０１９１】
又、提供情報特定部３５は、取得した受信した無線情報、特定情報、測定情報、端末情報、時間情報、監視情報に基づいて、特定情報を通知する。提供情報特定部３５は、無線通信装置１０ｄ〜１０ｆ、管理サーバ２０、配信サーバ４０ａに特定情報を通知する。提供情報特定部３５は、通知する特定情報を、無線通信部３１ａ、通信部３４ａに入力する。
【０１９２】
無線通信部３１ａは、無線通信装置１０ｃ、１０ｄから、通信ポリシー設定情報、設定情報を受信する。通信部３４ａは、配信サーバ４０ａ、中継装置５０ａから、通信ポリシー設定情報、設定情報を受信する。無線通信部３１ａ、通信部３４ａは、受信した通信ポリシー設定情報、設定情報を通信ポリシー設定部３６、通信制御部３７ａに入力する。無線通信部３１ａは、受信した通信ポリシー設定情報、設定情報を通信部３４ａに入力する。通信部３４ａは、受信した通信ポリシー設定情報、設定情報を無線通信部３１ａに入力する。無線通信部３１ａ、通信部３４ａは、通信ポリシー設定部３６から通信ポリシー設定情報、設定情報を取得する。無線通信部３１ａは、取得した通信ポリシー設定情報、設定情報を、無線通信装置１０ｃ，１０ｄに送信する。通信部３４ａは、取得した通信ポリシー設定情報、設定情報を、配信サーバ４０ａ、中継装置５０ａに送信する。
【０１９３】
通信ポリシー設定部３６は、提供情報をマルチキャスト送信する際の通信ポリシー設定情報や監視対象情報を送信する際の通信ポリシーを決定し、設定する。又、通信ポリシー設定部３６は、通信ポリシー設定情報を通知する。更に、通信ポリシー設定部３６は、マルチキャスト送信対象装置を決定する。その際、通信ポリシー設定部３６は、提供情報特定部３５、通信制御部３７ａ、入力部３８ａ、無線通信部３１ａ、通信部３４ａ、測定部３２、ユーザ情報記憶部３３、監視部３９ａ、時計部３９ｂ、通信ポリシーデータベース３６ａから、特定結果、制御情報に関する情報、通信ポリシー設定情報、測定情報、監視対象情報に関する情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０１９４】
通信ポリシー設定部３６は、取得した特定結果、通信ポリシー設定情報、測定情報、端末情報、時間情報、監視情報、通信ポリシーの達成度、通信ポリシーの履歴に関する情報に基づいて、マルチキャスト送信対象装置を決定する。
【０１９５】
通信ポリシー設定部３６は、決定したマルチキャスト送信対象装置の数、取得した特定結果、制御情報に関する情報、通信ポリシー設定情報、測定情報、監視対象情報に関する情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報をマルチキャスト送信する際の通信ポリシー設定情報や監視対象情報を送信する際の通信ポリシーを決定し、設定する。通信ポリシー設定部３６は、通信ポリシー設定情報、設定情報を、無線通信部３１ａ，通信部３４ａに入力する。通信ポリシー設定部３６は、設定情報を通信制御部３７ａに入力する。
【０１９６】
又、通信ポリシー設定部３６は、通信ポリシーの達成目標値の設定、設定した通信ポリシー及び達成目標値、オブジェクト単位、取得した設定情報、取得した監視情報の通信ポリシーデータベース３６ａへの格納を行う。又、通信ポリシー設定部３６は、通信ポリシーデータベース３６ａから、設定した通信ポリシーを取得し、監視部３９ａに入力する。尚、図３に示した提供情報特定部１５、通信ポリシー設定部１６と同様に通信ポリシー設定部３６が通信ポリシーを決定し、設定してから、提供情報特定部３５が提供情報を特定してもよい。
【０１９７】
又、通信ポリシー設定部３６は、取得した特定結果、制御情報に関する情報、通信ポリシー設定情報、測定情報、監視対象情報に関する情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部３６は、無線通信装置１０ｄ〜１０ｆ、管理サーバ２０、配信サーバ４０ａ、中継制御装置５０ｂに通信ポリシー設定情報を通知する。通信ポリシー設定部３６は、通知する通信ポリシー設定情報を、無線通信部３１ａ、通信部３４ａに入力する。
【０１９８】
通信制御部３７ａは、配信サーバ４０ａ，４０ｂに対する制御情報を生成する。通信制御部３７ａは、例えば、提供情報の送信中における要求を制御情報として生成する。通信制御部３７は、生成した制御情報を、無線通信部３１ａ、通信部３４ａに入力する。その際、通信制御部３７ａは、制御情報に、制御情報の宛先である配信サーバ４０ａ，４０ｂのアドレス、制御情報ＩＤを付与して入力する。又、通信制御部３７ａは、制御情報に関する情報を、通信ポリシー設定部３６に入力する。
【０１９９】
通信制御部３７ａは、通信ポリシー設定部３６、無線通信部３１ａ、通信部３４ａ、測定部３２、ユーザ情報記憶部３３、監視部３９ａ、時計部３９ｂ、入力部３８ａ、提供情報特定部３５から、設定情報、制御情報に関する情報、通信ポリシー設定情報、測定情報、監視対象情報に関する情報、端末情報、監視情報、時間情報を取得する。通信制御部３７ａは、取得した設定情報、制御情報に関する情報、通信ポリシー設定情報、測定情報、監視対象情報に関する情報、端末情報、監視情報、時間情報、自らが生成した制御情報に関する情報に基づいて、オブジェクト単位毎に送信制御情報を決定する。通信制御部３７は、決定した送信制御情報を、無線通信部３１ａ、通信部３４ａに入力する
又、無線通信部３１ａは、無線通信装置１０ｃ，１０ｄから、送信制御情報を受信する。無線通信部３１ａは、受信した送信制御情報を通信部３４ａ、通信制御部３７ａに入力する。通信部３４ａは、配信サーバ４０ａ、中継装置５０ａから送信制御情報を受信する。通信部３４ａは、受信した送信制御情報を無線通信部３１ａ、通信制御部３７ａに入力する。無線通信部３１ａは、取得した送信制御情報を無線通信装置１０ｃ，１０ｄに送信する。通信部３４ａは、取得した送信制御情報を配信サーバ４０ａ、中継装置５０ａに送信する。
【０２００】
又、通信制御部３７ａは、時間情報と、決定した送信制御情報、又は、無線通信部３１ａ、通信部３４ａから取得した送信制御情報に基づいて、無線通信部３１ａ、通信部３４ａを制御する。通信制御部３７ａは、無線通信部３１ａ、通信部３４ａが、送信制御情報に従って、提供情報、制御情報の受信、監視対象情報、制御情報の送信を制御する。又、提供情報特定部３５、通信ポリシー設定部３６、監視部３９ａは、算出情報を無線通信部３１ａ又は通信部３４ａに入力する。通信部３４ａは、取得した算出情報を、課金サーバ７０に送信する。
【０２０１】
又、図６に示すように、端末装置３０ｂは、無線通信部３１ｂと、測定部３２と、ユーザ情報記憶部３３と、通信部３４ｂと、通信制御部３７ｂと、通知部３８と、入力部３８ａと、出力部３８ｂと、時計部３９ｂとを備える。
【０２０２】
図６に示す無線通信部３１ｂ、測定部３２、ユーザ情報記憶部３３、通信部３４ｂ、通信制御部３７ｂ、入力部３８ａ、出力部３８ｂ、時計部３９ｂは、図５に示した無線通信部３１ａ、測定部３２、ユーザ情報記憶部３３、通信部３４ａ、通信制御部３７ａ、入力部３８ａ、出力部３８ｂ、時計部３９ｂと実質的に同様である。但し、図６に示す無線通信部３１ｂ、測定部３２、通信部３４ｂ、通信制御部３７ｂ、入力部３８ａは、以下に説明する点においては、図５と異なっている。
【０２０３】
通知部３８は、特定情報通知手段である。無線通信部３１ｂは、受信した無線情報を通知部３８に入力する。無線通信部３１ｂは、無線通信装置１０ｃ，１０ｄから特定情報、特定結果を受信する。通信部３４ｂは、配信サーバ４０ａ、中継装置５０ａから特定情報、特定結果を受信する。無線通信部３１ｂ、通信部３４ｂは、受信した特定情報、特定結果を通知部３８に入力する。入力部３８ａは、特定情報を通知部３８に入力する。測定部３２は、測定情報を通知部３８に入力する。又、測定部３２は、通知部３８からの測定情報の提供の要求に応じて測定してもよい。通信制御部３７ｂは、制御情報に関する情報を通知部３８に入力する。
【０２０４】
通知部３８は、無線通信部３１ｂ、通信部３４ｂ、入力部３８ａ、測定部３２、ユーザ情報記憶部３３から、受信した無線情報、特定情報、測定情報、端末情報、を取得する。通知部３８は、取得した特定情報、無線情報、測定情報、端末情報に基づいて、特定情報を通知する。通知部３８は、無線通信装置１０ｄ〜１０ｆ、管理サーバ２０、配信サーバ４０ａに、特定情報を通知する。通知部３８は、通知する特定情報を、無線通信部３１ａ、通信部３４ａに入力する。又、通知部３８は、取得した特定結果に基づいて、特定した提供情報の送信を、配信サーバ４０ａ，４０ｂに要求する。通知部３８は、特定した提供情報の送信の要求を制御情報として生成し、無線通信部３１ｂ、通信部３４ｂに入力する。その際、通知部３８は、制御情報に、制御情報の宛先である配信サーバ４０ａ，４０ｂのアドレス、制御情報ＩＤを付与して入力する。
【０２０５】
更に、通知部３８は、制御情報通知手段としても機能する。無線通信部３１ｂは、無線通信装置１０ｃ，１０ｄから通信ポリシー設定情報を受信する。通信部３４ｂは、配信サーバ４０ａ、中継装置５０ａから通信ポリシー設定情報を受信する。無線通信部３１ｂ、通信部３４ｂは、受信した通信ポリシー設定情報を通知部３８に入力する。入力部３８ａは、通信ポリシー設定情報、制御情報に関する情報を通知部３８に入力する。通知部３８は、無線通信部３１ｂ、通信部３４ｂ、入力部３８ａ、測定部３２、ユーザ情報記憶部３３から、受信した通信ポリシー設定情報、測定情報、監視対象情報に関する情報、端末情報を取得する。通知部３８ａは、通信制御部３７ｂから、制御情報に関する情報を取得する。
【０２０６】
通知部３８は、取得した通信ポリシー設定情報、制御情報に関する情報、測定情報、監視対象情報に関する情報、端末情報、自らが生成した制御情報に関する情報に基づいて、通信ポリシー設定情報を通知する。通知部３８は、無線通信装置１０ｄ〜１０ｆ、管理サーバ２０、配信サーバ４０ａ、中継制御装置５０ｂに、通信ポリシー設定情報を通知する。通知部３８は、通知する通信ポリシー設定情報を無線通信部３１ｂ、通信部３４ｂに入力する。
【０２０７】
通信制御部３７ｂは、無線通信部３１ｂ、通信部３４ｂ、測定部３２、ユーザ情報記憶部３３、時計部３９ｂから、設定情報、通信ポリシー設定情報、測定情報、端末情報、時間情報を取得する。通信制御部３７ｂは、取得した設定情報、通信ポリシー設定情報、測定情報、端末情報、時間情報に基づいて、オブジェクト単位毎に送信制御情報を決定する。
【０２０８】
〔配信サーバ〕
配信サーバ４０ａ，４０ｂは、端末装置３０ａ，３０ｂに提供情報をマルチキャスト送信する情報送信装置である。又、配信サーバ４０ａ，４０ｂは、制御情報を送信して、端末装置３０ａ〜３０ｅ、無線通信装置１０ｄ〜１０ｆを制御する制御装置としても機能する。更に、配信サーバ４０ａ，４０ｂは、制御情報、監視対象情報を受信する。
【０２０９】
提供情報は、配信サーバ４０ａ，４０ｂが端末装置３０ａ〜３０ｅに送信する情報である。提供情報には、そのデータの種類によって分類した場合、テキスト情報、静止画像情報、動画像情報、音声情報、プログラム情報、これらの情報を複合したマルチメディアコンテンツなどがある。又、提供情報は、そのデータのリアルタイム性によって分類した場合、非リアルタイムコンテンツ、リアルタイムコンテンツ、通信端末、ＲＦ−ＩＤタグの移動速度に対応するリアルタイム性の指標をメタデータその他のコンテンツ制御情報に記載したコンテンツがある。又、提供情報は、無線情報との関係によって分類した場合、対象物情報に関連する対象物関連情報、対象領域情報に関連する対象領域関連情報、無線通信装置情報に関連する無線通信装置関連情報、広告情報に関連する広告関連情報がある。
【０２１０】
図７に示すように、配信サーバ４０ａは、提供情報提供部４１ａと、提供情報データベース４２と、ユーザ情報データベース４３と、通信部４４ａと、提供情報特定部４５ａと、通信ポリシー設定部４６と、通信ポリシーデータベース４６ａと、設定条件制御部４６ｂと、制御部４６ｃと、通信制御部４７ａと、変換部４８ａと、リソース割当部４８ｂと、監視部４９ａと、時計部４９ｂと、配信サーバ情報記憶部４９ｃとを備える。
【０２１１】
ユーザ情報データベース４３、通信ポリシーデータベース４６ａ、時計部４９ｂは、図３に示したユーザ情報データベース１３、通信ポリシーデータベース１６ａ、時計部１９ｂと同様である。通信部４４ａは、無線通信装置１０ｄ、端末装置３０ａ，３０ｂ、中継装置５０ａ、課金サーバ７０と通信する。
【０２１２】
監視部４９ａは、図３に示した監視部１９ａと同様にして、監視情報を取得する。具体的には、監視部４９ａは、通信部４４ａを介して、配信サーバ４０ａと端末装置３０ａ〜３０ｅとの間のネットワークのうち、例えば、図１に示した端末装置３０ａ〜３０ｅ又は中継装置５０ａと、配信サーバ４０ａとの間の経路１ａ，１ｂ，２ａの状況を取得する。又、監視部４９ａは、リソース割当部４８ｂ又は通信部４４ａから、配信サーバ４０ａと端末装置３０ａ〜３０ｅとの間の通信リソースのうち、端末装置３０ａ〜３０ｅ又は中継装置５０ａと、配信サーバ４０ａとの間の通信リソースの状況を取得する。
【０２１３】
又、監視部４９ａは、提供情報提供部４１ａ、通信部４４ａ、通信制御部４７ａ、変換部４８ａ、リソース割当部４８ｂの状況を監視する。監視部４９ａは、提供情報提供部４１ａ、通信部４４ａ、通信制御部４７ａ、変換部４８ａ、リソース割当部４８ｂから、その負荷状況や処理状況を取得する。例えば、監視部４９ａは、提供情報提供部４１ａが行う処理量、通信部４４ａが情報の送受信を行っている通信中の端末装置３０ａ〜３０ｅ、中継装置５０ａの数、通信部４４ａと、端末装置３０ａ〜３０ｅ、中継装置５０ａとの間の通信路の数、通信部４４ａが送受信しているデータ量、通信制御部４７ａが制御している通信路の数、変換部４８ａが行うデータ変換量、リソース割当部４８ｂが行う処理量などの負荷状況を取得する。監視部４９ａは、提供情報提供部４１ａが終了させた処理量の割合、通信部４４ａが送受信を終了させた情報の割合、変換部４８ａが変換を終了させたデータ量の割合、リソース割当部４８ｂが終了させた処理量の割合などの処理状況を取得する。更に、監視部４９ａは、提供情報提供部４１ａ、通信部４４ａ、通信制御部４７ａ、変換部４８ａ、リソース割当部４８ｂの負荷状況や処理状況から、配信サーバ４０ａ全体の負荷状況や処理状況を求めてもよい。
【０２１４】
更に、監視部４９ａは、通信ポリシーの達成度や、通信品質やデータ品質、通信スケジュールの実際の状況を監視する。その際、監視部４９ａは、通信ポリシー設定部４６から、設定した通信ポリシーを取得する。監視部４９ａは、提供情報提供部４１ａ、通信部４４ａ、通信制御部４７ａ、変換部４８ａ、リソース割当部４８ｂから、設定した通信ポリシーに関係する実際の状況を取得する。監視部４９ａは、提供情報特定部４５ａ、通信ポリシー設定部４６からの監視情報の提供の要求に応じて、監視情報を取得する。監視部４９ａは、監視情報を、提供情報特定部４５ａ、通信ポリシー設定部４６、設定条件制御部４６ｂ、通信制御部４７ａに入力する。監視部４９ａは、現在の監視情報を入力してもよく、過去の監視情報を入力してもよい。
【０２１５】
配信サーバ情報記憶部４９ｃは、配信サーバ４０ａに関する配信サーバ情報を記憶する。配信サーバ情報には、配信サーバ４０ａの識別子（以下「配信サーバＩＤ」という）、配信サーバ４０ａのアドレス、配信サーバ４０ａの位置情報、配信サーバ４０ａの処理能力や通信速度、容量などの配信サーバ４０ａの性能に関する情報、配信サーバ４０ａの負荷状況や処理状況、配信サーバ４０ａが希望する通信ポリシー、通信料金の希望上限額、提供してもよい配信サーバ４０ａに関する通信リソース、希望するオブジェクト単位、要求する品質、要求されるリアルタイム性などがある。又、配信サーバ情報には、配信サーバ４０ａ全体に関する情報と、配信サーバ４０ａを構成する各構成に関する情報がある。尚、配信サーバＩＤとしては、配信サーバ４０ａに付与した番号や記号、文字などを用いることができる。
【０２１６】
提供情報データベース４２は、提供情報を記憶する提供情報記憶手段である。提供情報データベース４２は、提供情報そのものだけでなく、提供情報に関する情報を記憶する。提供情報に関する情報には、その提供情報を特定する無線情報、提供情報を識別する識別子（以下「コンテンツＩＤ」という）、提供情報がマルチキャスト送信する情報であるか否か、提供情報の名称、内容の説明、提供情報のサンプル、提供情報のデータ量、提供情報を利用可能な時間、送信開始予定時刻、提供情報の送信に要する平均時間、提供情報を構成するデータの種類、提供情報のデータ品質、提供情報の推奨通信ポリシー、提供情報の要求されるリアルタイム性、提供情報を区切るオブジェクト単位、提供情報の利用状況、提供情報の料金などがある。提供情報データベース４２は、コンテンツＩＤに対応付けて、提供情報、提供情報に関する情報を記憶する。尚、コンテンツＩＤとしては、提供情報に付与した番号や記号、文字などを用いることができる。
【０２１７】
通信部４４ａは、無線通信装置１０ｄ、端末装置３０ａ，３０ｂ、中継装置５０ａから、特定情報、特定結果、制御情報、特定した提供情報の送信の指示を受信する。通信部４４ａは、受信した特定情報を提供情報特定部４５ａに入力する。通信部４４ａは、受信した特定結果、制御情報、特定した提供情報の送信の指示を、提供情報提供部４１ａに入力する。又、通信部４４ａは、受信した制御情報を、通信ポリシー設定部４６、通信制御部４７ａに入力する。又、通信部４４ａは、提供情報特定部４５ａから特定情報、特定結果を取得する。通信部４４ａは、受信又は取得した特定情報や特定結果を、無線通信装置１０ｄ、端末装置３０ａ，３０ｂ、中継装置５０ａに送信する。
【０２１８】
提供情報特定部４５ａは、通信部４４ａから特定情報を取得する。提供情報特定部４５ａは、ユーザＩＤに基づいて、ユーザ情報データベース４３から端末情報を取得する。更に、提供情報特定部４５ａは、時計部４９ｂ、監視部４９ａ、配信サーバ情報記憶部４９ｃから、時間情報、監視情報、配信サーバ情報を取得する。提供情報特定部４５ａは、取得した特定情報、端末情報、時間情報、監視情報、配信サーバ情報に基づいて、提供情報データベース４２を検索する。そして、提供情報特定部４５ａは、特定情報、端末情報、時間情報、監視情報、配信サーバ情報に適した提供情報を特定する。提供情報特定部４５ａは、特定した特定結果を、通信ポリシー設定部４６、提供情報提供部４１ａに入力する。提供情報特定部４５ａは、特定情報、特定結果を通信部４４ａに入力する。
【０２１９】
又、提供情報特定部４５ａは、図３、図４、図５に示した提供情報特定部１５，２５，３５に対して、提供情報に関する情報を提供する提示手段としても機能する。提供情報特定部４５ａは、取得した特定情報、端末情報、時間情報、監視情報、配信サーバ情報に基づいて、提供情報データベース４２を検索する。提供情報特定部４５ａは、特定情報、端末情報、時間情報、監視情報、配信サーバ情報に適した提供情報に関する情報を、提供する情報として決定する。
【０２２０】
提供情報特定部４５ａは、決定した提供情報に関する情報を、提供情報データベース４２から取得する。提供情報特定部４５ａは、取得した提供情報に関する情報を特定情報として、提供情報特定部１５，２５，３５に対して提供する。又、提供情報特定部４５ａは、提供情報データベース４２から、任意の提供情報に関する情報を取得して、提供情報特定部１５，２５，３５に対して提供してもよい。
【０２２１】
更に、提供情報特定部４５ａは、提供情報に関する情報以外の特定情報の通知も行う。提供情報特定部４５ａは、取得した特定情報、端末情報、時間情報、監視情報、配信サーバ情報に基づいて、特定情報を通知する。提供情報特定部４５ａは、無線通信装置１０ｄ〜１０ｆ、管理サーバ２０、端末装置３０ａ，３０ｃ〜３０ｅに、特定情報を通知する。提供情報特定部４５ａは、特定情報を通信部４４ａに入力する。
【０２２２】
通信部４４ａは、無線通信装置１０ｄ、端末装置３０ａ，３０ｂ、中継装置５０ａから、監視対象情報を受信する監視対象情報受信手段として機能する。通信部４４ａは、受信した監視対象情報を制御部４６ｃに入力する。又、通信部４４ａは、制御部４６ｃから、制御情報を取得する。通信部４４ａは、取得した制御情報を、無線通信装置１０ｄ、端末装置３０ａ，３０ｂ、中継装置５０ａに送信する制御情報送信手段としても機能する。
【０２２３】
制御部４６ｃは、端末装置３０ａ〜３０ｅ、無線通信装置１０ｄ〜１０ｆを制御する。制御部４６ｃは、制御対象である端末装置３０ａ〜３０ｅ、無線通信装置１０ｄ〜１０ｆに対する制御情報を生成し、通信部４４ａを介して制御対象に送信することにより遠隔制御を行う。制御部４６ｃは、監視対象情報の送信の指示、取得する監視対象情報の変更の指示などを、制御情報として生成する。例えば、端末装置３０ａ〜３０ｅ、無線通信装置１０ｄ〜１０ｆの測定部１９ｄ、３２がカメラの場合、制御部４６ｃは、カメラが撮影している方向の変更の指示などを、制御情報として生成する。更に、制御部４６ｃは、通信部４４ａから、監視対象情報を取得する。制御部４６ｃは、取得した監視対象情報に基づいて、制御対象に対する次の指示を、制御情報として生成する。制御部４６ｃは、通信制御部４７ａの制御に従い、生成した制御情報を通信部４４ａ又は変換部４８ａに入力する。その際、制御部４６ｃは、制御情報に、制御情報の宛先である端末装置３０ａ〜３０ｅ、無線通信装置１０ｄ〜１０ｆのアドレス、制御情報ＩＤを付与して入力する。又、制御部４６ｃは、制御情報に関する情報を、通信ポリシー設定部４６、通信制御部４７ａに入力する。
【０２２４】
設定条件制御部４６ｂは、通信ポリシーの設定条件を制御する設定条件制御手段である。設定条件制御部４６ｂは、通信ポリシーの設定規則、オブジェクト単位の決定規則、通信ポリシーの達成目標値の算出規則についても制御する。設定条件制御部４６ｂは、監視部４９ａから監視情報を取得する。設定条件制御部４６ｂは、取得した監視情報に基づいて、通信ポリシーの設定条件、通信ポリシーの設定規則、オブジェクト単位の決定規則、通信ポリシーの達成目標値の算出規則を制御してもよい。設定条件制御部４６ｂは、制御した設定条件、設定規則、決定規則、算出規則を通信ポリシー設定部４６に入力する。又、設定条件制御部４６ｂは、制御した設定条件、設定規則、決定規則、算出規則を通信ポリシーデータベース４６ａに格納する。これにより、通信ポリシーデータベース４６ａが更新される。
【０２２５】
通信部４４ａは、端末装置３０ａ，３０ｂ、中継装置５０ａから、通信ポリシー設定情報、設定情報を受信する。通信部４４ａは、受信した通信ポリシー設定情報、設定情報を通信ポリシー設定部４６、通信制御部４７ａに入力する。通信部４４ａは、通信ポリシー設定部４６から通信ポリシー設定情報、設定情報を取得する。通信部４４ａは、受信又は取得した通信ポリシー設定情報や設定情報を、端末装置３０ａ，３０ｂ、中継装置５０ａに送信する。
【０２２６】
通信ポリシー設定部４６は、提供情報をマルチキャスト送信する際の通信ポリシー設定情報や監視対象情報を送信する際の通信ポリシーを決定し、設定する。又、通信ポリシー設定部４６は、マルチキャスト送信対象装置を決定する。又、通信ポリシー設定部４６は、通信ポリシー設定情報を通知する。
【０２２７】
通信ポリシー設定部４６は、通信部４４ａから、通信ポリシー設定情報、設定情報、制御情報を取得する。通信ポリシー設定部４６は、提供情報特定部４５ａから特定結果を取得する。通信ポリシー設定部４６は、提供情報データベース４２から提供情報に関する情報を取得する。通信ポリシー設定部４６は、ユーザＩＤに基づいて、ユーザ情報データベース４３から、端末情報を取得する。通信ポリシー設定部４６は、時計部４９ｂ、監視部４９ａ、配信サーバ情報記憶部４９ｃ、制御部４６ｃから、時間情報、監視情報、配信サーバ情報、制御情報に関する情報を取得する。通信ポリシー設定部４６は、通信ポリシーデータベース４６ａ又は設定条件制御部４６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０２２８】
通信ポリシー設定部４６は、取得した特定結果、通信ポリシー設定情報、提供情報に関する情報、端末情報、時間情報、監視情報、配信サーバ情報、通信ポリシーの達成度、通信ポリシーの履歴に関する情報に基づいて、マルチキャスト送信対象装置を決定する。
【０２２９】
通信ポリシー設定部４６は、決定したマルチキャスト送信対象装置の数、取得した特定結果、通信ポリシー設定情報、制御情報、提供情報に関する情報、端末情報、時間情報、監視情報、配信サーバ情報、制御情報に関する情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報をマルチキャスト送信する際の通信ポリシー設定情報や監視対象情報を送信する際の通信ポリシーを決定し、設定する。通信ポリシー設定部４６は、通信ポリシー設定情報、設定情報を、通信部４４ａに入力する。通信ポリシー設定部４６は、設定情報を通信制御部４７ａに入力する。
【０２３０】
又、通信ポリシー設定部４６は、通信ポリシーの達成目標値の設定、設定した通信ポリシー及び達成目標値、オブジェクト単位、取得した設定情報、取得した監視情報の通信ポリシーデータベース４６ａへの格納を行う。又、通信ポリシー設定部４６は、通信ポリシーデータベース４６ａから、設定した通信ポリシーを取得し、監視部４９ａに入力する。尚、図３に示した提供情報特定部１５、通信ポリシー設定部１６と同様に通信ポリシー設定部４６が通信ポリシーを決定し、設定してから、提供情報特定部４５ａが提供情報を特定してもよい。
【０２３１】
又、通信ポリシー設定部４６は、取得した特定結果、通信ポリシー設定情報、制御情報、提供情報に関する情報、端末情報、時間情報、監視情報、配信サーバ情報、制御情報に関する情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部４６は、無線通信装置１０ｄ〜１０ｆ、管理サーバ２０、端末装置３０ａ，３０ｃ〜３０ｅ、中継制御装置５０ｂに、通信ポリシー設定情報を通知する。通信ポリシー設定部４６は、通知する通信ポリシー設定情報を通信部４４ａに入力する。
【０２３２】
通信制御部４７ａは、図３に示した通信制御部１７と同様にして、オブジェクト単位毎に送信制御情報を決定する。その際、通信制御部４７ａは、通信ポリシー設定部４６、通信部４４ａ、提供情報データベース４２、ユーザ情報データベース４３、監視部４９ａ、時計部４９ｂ、配信サーバ情報記憶部４９ｃ、制御部４６ｃから、設定情報、通信ポリシー設定情報、提供情報に関する情報、端末情報、監視情報、時間情報、配信サーバ情報、制御情報に関する情報を取得する。通信制御部４７ａは、決定した送信制御情報を通信部４４ａに入力する。通信部４４ａは、受信又は取得した送信制御情報を、端末装置３０ｂ、中継装置５０ａに送信する。
【０２３３】
又、通信制御部４７ａは、時計部４９ｂから時間情報を取得する。通信制御部４７ａは、時間情報と、決定した送信制御情報、又は、通信部４４ａから取得した送信制御情報に基づいて、提供情報提供部４１ａ、通信部４４ａ、変換部４８ａ、リソース割当部４８ｂ、制御部４６ｃを制御する。更に、通信制御部４７ａは、通信部４４ａから制御情報を取得する場合がある。その場合、通信制御部４７ａは、取得した制御情報に基づいて、提供情報提供部４１ａ、通信部４４ａ、変換部４８ａ、リソース割当部４８ｂを制御する。例えば、通信制御部４７ａは、送信している提供情報のデータ品質の変更の要求を制御情報として取得した場合には、提供情報提供部４１ａに変換部４８ａに提供情報を入力するように指示する。又、通信制御部４７ａは、変換部４８ａに、要求されたデータ品質に提供情報を変換して、通信部４４ａに入力するように指示する。
【０２３４】
提供情報提供部４１ａは、提供情報を通信部４４ａに提供する提供情報提供手段である。提供情報提供部４１ａは、通信部４４ａから、受信した特定結果、制御情報、特定した提供情報の送信の指示を取得する。提供情報提供部４１ａは、制御情報として、特定した提供情報の送信の要求を取得する。又、提供情報提供部４１ａは、提供情報特定部４５ａから、特定した特定結果を取得する。提供情報提供部４１ａは、取得した特定結果、提供情報の送信の要求や指示に基づいて、提供情報を提供情報データベース４２から取得する。又、提供情報提供部４１ａは、取得した特定結果、提供情報の送信の要求や指示に基づいて、提供情報を送信する端末装置３０ａ〜３０ｅのアドレスを、ユーザ情報データベース４３から取得する。提供情報提供部４１ａは、提供情報に端末装置３０ａ〜３０ｅのアドレスを付加する。提供情報提供部４１ａは、通信制御部４７ａの制御に従い、端末装置３０ａ〜３０ｅのアドレスを付与した提供情報を通信部４４ａ又は変換部４８ａに入力する。
【０２３５】
変換部４８ａは、提供情報提供部４１ａから提供情報を取得する。又、変換部４８ａは、制御部４６ｃから制御情報を取得する。変換部４８ａは、通信制御部４７ａの制御に従って、オブジェクト単位毎に提供情報、制御情報を変換する。変換部４８ａは、変換した提供情報、制御情報を通信部４４ａに入力する。
【０２３６】
通信部４４ａは、特定した提供情報をマルチキャスト送信するマルチキャスト送信手段としても機能する。通信部４４ａは、提供情報提供部４１ａ又は変換部４８ａから提供情報を取得する。通信部４４ａは、通信制御部４７ａの制御に従って、取得した提供情報をオブジェクト単位毎に、複数の端末装置３０ａ，３０ｂや無線通信装置１０ｄにマルチキャスト送信する。又、通信部４４ａは、提供情報を中継装置５０ａや無線通信装置１０ｄに送信し、中継装置５０ａや無線通信装置１０ｄが、端末装置３０ａ，３０ｂと無線通信装置１０ｄや、無線通信装置１０ｅ，１０ｆに、提供情報をマルチキャスト送信してもよい。又、通信部４４ａが、制御情報を送信する場合にも、通信制御部４７ａの制御に従って、制御情報をオブジェクト単位毎に、無線通信装置１０ｄ、端末装置３０ａ，３０ｂ、中継装置５０ａに送信する。尚、通信部４４ａは、制御情報をマルチキャスト送信してもよい。
【０２３７】
リソース割当部４８ｂは、図４に示したリソース割当部２８ｂと同様に、通信リソースの割当、通信リソースの状況の監視部４９ａへの入力を行う。リソース割当部４８ｂは、無線通信装置１０ｄ、端末装置３０ａ，３０ｂ、中継装置５０ａと、配信サーバ４０ａとの間の通信リソースの割当を行う。
【０２３８】
又、提供情報特定部４５ａ、通信ポリシー設定部４６、通信制御部４７ａ、監視部４９ａは、算出情報を通信部４４ａに入力する。又、通信部４４ａは、端末装置３０ａ，３０ｂから、算出情報を受信する。通信部４４ａは、取得又は受信した算出情報を課金サーバ７０に送信する。
【０２３９】
図８に示すように、配信サーバ４０ｂは、提供情報提供部４１ｂと、提供情報データベース４２と、ユーザ情報データベース４３と、通信部４４ｂと、提供情報提示部４５ｂと、通知部４５ｃと、制御部４６ｃと、通信制御部４７ｂと、変換部４８ａと、リソース割当部４８ｃと、監視部４９ｄと、時計部４９ｂと、配信サーバ情報記憶部４９ｅとを備える。図８に示す提供情報データベース４２と、ユーザ情報データベース４３と、制御部４６ｃ、変換部４８ａと、時計部４９ｂと、配信サーバ情報記憶部４９ｅは、図７に示した提供情報データベース４２と、ユーザ情報データベース４３と、制御部４６ｃ、変換部４８ａと、時計部４９ｂと、配信サーバ情報記憶部４９ｃと実質的に同様である。但し、制御部４６ｃは、制御情報に関する情報を通知部４５ｃに入力する。通信部４４ｂは、中継装置５０ａ、管理サーバ２０、課金サーバ７０と通信する。
【０２４０】
監視部４９ｄは、図３に示した監視部１９ａと同様にして、監視情報を取得する。具体的には、監視部４９ｄは、通信部４４ｂを介して、配信サーバ４０ｂと端末装置３０ａ〜３０ｅとの間のネットワークのうち、例えば、図１に示した中継装置５０ａ又は管理サーバ２０と、配信サーバ４０ｂとの間の経路２ｂ，６ａの状況を取得する。又、監視部４９ｄは、リソース割当部４８ｃ又は通信部４４ｂから、配信サーバ４０ｂと端末装置３０ａ〜３０ｅとの間の通信リソースのうち、中継装置５０ａ又は管理サーバ２０と、配信サーバ４０ｂとの間の通信リソースの状況を取得する。監視部４９ｄは、監視情報を、提供情報提示部４５ｂ、通知部４５ｃに入力する。監視部４９ｄは、これらの点以外は、図７に示した監視部４９ａと実質的に同様である。尚、監視部４９ｄは、通信ポリシーの達成度を監視する際に、通信制御部４７ｂから設定した通信ポリシーを取得する。
【０２４１】
通信部４４ｂは、中継装置５０ａ、管理サーバ２０から、特定情報、特定結果、制御情報、特定した提供情報の送信の指示を受信する。通信部４４ｂは、受信した特定情報を提供情報提示部４５ｂに入力する。通信部４４ｂは、受信した特定結果を通知部４５ｃに入力する。通信部４４ｂは、受信した特定結果、制御情報、特定した提供情報の送信の指示を、提供情報提供部４１ｂに入力する。通信部４４ｂは、受信した制御情報を通信制御部４７ｂに入力する。又、通信部４４ｂは、提供情報提示部４５ｂから特定情報を取得する。通信部４４ｂは、受信した特定結果、特定情報、又は、取得した特定情報を、中継装置５０ａ、管理サーバ２０に送信する。
【０２４２】
提供情報提示部４５ｂは、図７に示した提供情報特定部４５ａと同様にして、提供情報特定部１５，２５，３５に対して、提供情報に関する情報の提供、提供情報に関する情報以外の特定情報の通知を行う。提供情報提示部４５ｂは、特定情報を通信部４４ｂに入力する。
【０２４３】
通信部４４ｂは、中継装置５０ａ、管理サーバ２０から、通信ポリシー設定情報、設定情報を受信する。通信部４４ｂは、受信した通信ポリシー設定情報を通知部４５ｃに入力する。通信部４４ｂは、受信した設定情報、通信ポリシー設定情報を通信制御部４７ｂに入力する。通信部４４ｂは、通知部４５ｃから通信ポリシー設定情報を取得する。通信部４４ｂは、受信した通信ポリシー設定情報、設定情報、又は、取得した通信ポリシー設定情報を、中継装置５０ａ、管理サーバ２０に送信する。
【０２４４】
通知部４５ｃは、通信部４４ｂ、提供情報データベース４２、ユーザ情報データベース４３、監視部４９ｄ、配信サーバ情報記憶部４９ｅ、制御部４６ｃから、受信した特定結果、通信ポリシー設定情報、制御情報、提供情報に関する情報、端末情報、監視情報、配信サーバ情報、制御情報に関する情報を取得する。通知部４５ｃは、取得した特定結果、通信ポリシー設定情報、提供情報に関する情報、端末情報、監視情報、配信サーバ情報、制御情報に関する情報に基づいて、通信ポリシー設定情報を通知する。通知部４５ｃは、無線通信装置１０ｄ、管理サーバ２０、端末装置３０ａ，３０ｃ〜３０ｅ、中継制御装置５０ｂに、通信ポリシー設定情報を通知する。通知部４５ｃは、通知する通信ポリシー設定情報を通信部４４ｂに入力する。
【０２４５】
通信制御部４７ｂは、通信部４４ｂから設定情報、通信ポリシー設定情報を取得する。又、提供情報提供部４１ｂは、通信部４４ｂから、受信した特定結果、制御情報、特定した提供情報の送信の指示を取得する。これらの点以外は、通信制御部４７ｂ、提供情報提供部４１ｂは、図７に示した通信制御部４７ａ、提供情報提供部４１ａと実質的に同様である。
【０２４６】
リソース割当部４８ｃは、図４に示したリソース割当部２８ｂと同様に、通信リソースの割当、通信リソースの状況の監視部４９ｄへの入力を行う。リソース割当部４８ｃは、中継装置５０ａ又は管理サーバ２０と、配信サーバ４０ｂとの間の通信リソースの割当を行う。
【０２４７】
通信部４４ｂは、図７に示した通信部４４ａと同様にして、提供情報、制御情報を、中継装置５０ａ又は管理サーバ２０に送信する。又、通信部４４ｂは、通信制御部４７ｂから取得した送信制御情報、又は、中継装置５０ａ、管理サーバ２０から受信した送信制御情報を、中継装置５０ａ又は管理サーバ２０に送信する。提供情報提示部４５ｂ、通知部４５ｃ、通信制御部４７ｂ、監視部４９ｄは、算出情報を通信部４４ｂに入力する。通信部４４ｂは、取得した算出情報を課金サーバ７０に送信する。
【０２４８】
〔中継装置、中継制御装置〕
中継装置５０ａは、端末装置３０ａ，３０ｂ、無線通信装置１０ｄ又は管理サーバ２０と、配信サーバ４０ａ，４０ｂとの間の情報の送受信を中継する。又、中継装置５０ａは、端末装置３０ａ，３０ｂ、無線通信装置１０ｄ又は配信サーバ４０ａ，４０ｂと、ポータルサーバ６０との間の情報の送受信を中継する。中継装置５０ａは、提供情報をマルチキャスト送信する情報送信装置としても機能する。中継制御装置５０ｂは、中継装置５０ａを制御する。
【０２４９】
図９に示すように、中継装置５０ａは、通信部５４ａと、通信制御部５７ａとを備える。通信部５４ａは、中継制御装置５０ｂ、無線通信装置１０ｄ、端末装置３０ａ，３０ｂ、配信サーバ４０ａ，４０ｂ、管理サーバ２０、ポータルサーバ６０、課金サーバ７０と通信する。
【０２５０】
通信部５４ａは、無線通信装置１０ｄ、端末装置３０ａ，３０ｂ、配信サーバ４０ａ，４０ｂ、管理サーバ２０から、特定情報、通信ポリシー設定情報、設定情報、送信制御情報を受信し、中継制御装置５０ｂに送信する。通信部５４ａは、中継制御装置５０ｂから、特定情報、通信ポリシー設定情報、設定情報、送信制御情報を受信し、無線通信装置１０ｄ、端末装置３０ａ，３０ｂ、配信サーバ４０ａ，４０ｂ、管理サーバ２０に送信する。
【０２５１】
又、通信部５４ａは、受信した送信制御情報を、通信制御部５７ａに入力する。通信制御部５７ａは、取得した送信制御情報に基づいて、通信部５４ａを制御する。
【０２５２】
通信部５４ａは、配信サーバ４０ａ，４０ｂと端末装置３０ａ〜３０ｅ、無線通信装置１０ｄ〜１０ｆとの間の提供情報、制御情報、監視対象情報の送信を中継する中継手段として機能する。又、通信部５４ａは、提供情報を、複数の端末装置３０ａ，３０ｂや無線通信装置１０ｄにマルチキャスト送信するマルチキャスト送信手段としても機能する。
【０２５３】
通信部５４ａは、配信サーバ４０ａ，４０ｂから、提供情報を受信する。通信部５４ａは、通信制御部５７ａの制御に従い、受信した提供情報そのままを、オブジェクト単位毎に、端末装置３０ａ，３０ｂ、無線通信装置１０ｄにマルチキャスト送信する。あるいは、通信部５４ａは、通信制御部５７ａの制御に従い、受信した提供情報を中継制御装置５０ｂに送信する。そして、通信部５４ａは、中継制御装置５０ｂから、変換された提供情報を受信する。通信部５４ａは、通信制御部５７ａの制御に従い、受信した変換後の提供情報を、オブジェクト単位毎に、端末装置３０ａ，３０ｂ、無線通信装置１０ｄにマルチキャスト送信する。尚、通信部５４ａは、無線通信装置１０ｄ、管理サーバ２０に提供情報を送信し、無線通信装置１０ｄや管理サーバ２０が、無線通信装置１０ｅ，１０ｆや無線通信装置１０ｃ〜１０ｆに、提供情報をマルチキャスト送信するようにしてもよい。
【０２５４】
又、通信部５４ａは、配信サーバ４０ａ，４０ｂ、端末装置３０ａ，３０ｂ、無線通信装置１０ｄ、管理サーバ２０から、制御情報、監視対象情報を受信する。通信部５４ａは、通信制御部５７ａの制御に従い、受信した制御情報、監視対象情報そのままを、オブジェクト単位毎に、配信サーバ４０ａ，４０ｂ、端末装置３０ａ，３０ｂ、無線通信装置１０ｄ、管理サーバ２０に送信する。あるいは、通信部５４ａは、通信制御部５７ａの制御に従い、受信した制御情報、監視対象情報を中継制御装置５０ｂに送信する。そして、通信部５４ａは、中継制御装置５０ｂから、変換された制御情報、監視対象情報を受信する。通信部５４ａは、通信制御部５７ａの制御に従い、受信した変換後の制御情報、監視対象情報を、オブジェクト単位毎に、配信サーバ４０ａ，４０ｂ、端末装置３０ａ，３０ｂ、無線通信装置１０ｄ、管理サーバ２０に送信する。尚、通信部５４ａは、制御情報、監視対象情報をマルチキャスト送信してもよい。
【０２５５】
又、通信部５４ａは、特定した提供情報の送信の指示、特定結果、算出情報を受信する。通信部５４ａは、受信した提供情報の送信の指示や特定結果を、配信サーバ４０ａ，４０ｂに送信する。又、通信部５４ａは、受信した特定結果を、端末装置３０ａ，３０ｂ、無線通信装置１０ｄ、管理サーバ２０に送信する。通信部５４ａは、受信した算出情報を課金サーバ７０に送信する。更に、通信部５４ａは、配信サーバ４０ａ，４０ｂ、端末装置３０ａ〜３０ｅ、管理サーバ２０又は無線通信装置１０ｄ〜１０ｆと、ポータルサーバ６０との間の情報の送受信を中継する。
【０２５６】
図９に示すように、中継制御装置５０ｂは、ユーザ情報データベース５３と、通信部５４ｂと、通知部５５と、通信ポリシー設定部５６と、通信ポリシーデータベース５６ａと、設定条件制御部５６ｂと、通信制御部５７ｂと、変換部５８ａと、リソース割当部５８ｂと、監視部５９ａと、時計部５９ｂと、中継装置情報記憶部５９ｃとを備える。ユーザ情報データベース５３、通信ポリシーデータベース５６ａ、時計部５９ｂは、図３に示したユーザ情報データベース１３、通信ポリシーデータベース１６ａ、時計部１９ｂと同様である。設定条件制御部５６ｂは、図７に示した設定条件制御部５６ｂと同様である。
【０２５７】
通信部５４ｂは、中継装置５０ａ、ポータルサーバ６０、課金サーバ７０と通信する。監視部５９ａは、図３に示した監視部１９ａと同様にして、監視情報を取得する。具体的には、監視部５９ａは、通信部５４ｂを介して、配信サーバ４０ａ，４０ｂと端末装置３０ａ〜３０ｅとの間のネットワークのうち、例えば、図１に示した配信サーバ４０ａ，４０ｂと、中継装置５０ａとの間の経路２ａ，２ｂの状況、端末装置３０ａ，３０ｂ、無線通信装置１０ｄ又は管理サーバ２０と、中継装置５０ａとの間の経路３ａ〜３ｃ，６ｂの状況を取得する。
【０２５８】
又、監視部５９ａは、リソース割当部５８ｂ又は通信部５４ｂから、配信サーバ４０ａ，４０ｂと端末装置３０ａ〜３０ｅとの間の通信リソースのうち、配信サーバ４０ａ，４０ｂと、中継装置５０ａとの間の通信リソースの状況を取得する。又、監視部５９ａは、端末装置３０ａ，３０ｂ、無線通信装置１０ｄ又は管理サーバ２０と、中継装置５０ａとの間の通信リソースの状況を取得する。
【０２５９】
更に、監視部５９ａは、通信部５４ｂ、通信制御部５７ｂ、変換部５８ａ、リソース割当部５８ｂ、中継装置５０ａの通信部５４ａ、通信制御部５７ａの状況を監視する。監視部５９ａは、通信部５４ａ，５４ｂ、通信制御部５７ａ，５７ｂ、変換部５８ａ、リソース割当部５８ｂから、その負荷状況や処理状況を取得する。例えば、監視部５９ａは、通信部５４ａが情報の送受信を行っている通信中の端末装置３０ａ，３０ｂ、無線通信装置１０ｄ、管理サーバ２０、配信サーバ４０ａ、４０ｂの数、通信部５４ａと、端末装置３０ａ，３０ｂ、無線通信装置１０ｄ、管理サーバ２０、配信サーバ４０ａ、４０ｂとの間の通信路の数、通信部５４ａ，５４ｂが送受信しているデータ量、通信制御部５７ａ，５７ｂが制御している通信路の数、変換部５８ａが行うデータ変換量、リソース割当部５８ｂが行う処理量などの負荷状況を取得する。監視部５９ａは、通信部５４ａ，５４ｂが送受信を終了させた情報の割合、変換部５８ａが変換を終了させたデータ量の割合、リソース割当部５８ｂが終了させた処理量の割合などの処理状況を取得する。更に、監視部５９ａは、通信部５４ａ，５４ｂ、通信制御部５７ａ，５７ｂ、変換部５８ａ、リソース割当部５８ｂの負荷状況や処理状況から、中継装置５０ａ全体や中継制御装置５０ｂ全体の負荷状況や処理状況を求めてもよい。
【０２６０】
又、監視部５９ａは、図４に示した監視部２９ａと同様にして、通信ポリシーの達成度、通信品質やデータ品質、通信スケジュールの実際の状況を監視する。監視部５９ａは、通知部５５、通信ポリシー設定部５６からの監視情報の提供の要求に応じて、監視情報を取得する。監視部５９ａは、監視情報を、通知部５５、通信ポリシー設定部５６、設定条件制御部５６ｂ、通信制御部５７ｂ入力する。監視部５９ａは、現在の監視情報を入力してもよく、過去の監視情報を入力してもよい。
【０２６１】
中継装置情報記憶部５９ｃは、中継装置５０ａに関する中継装置情報と、中継制御装置５０ｂに関する中継制御装置情報を記憶する。中継装置情報、中継制御装置情報には、中継装置５０ａの識別子（以下「中継装置ＩＤ」という）、中継制御装置５０ｂの識別子（以下「中継制御装置ＩＤ」という）、中継装置５０ａの位置情報、中継装置５０ａや中継制御装置５０ｂの処理能力や通信速度、容量などの中継装置５０ａや中継制御装置５０ｂの性能に関する情報、中継装置５０ａや中継制御装置５０ｂの負荷状況や処理状況、中継制御装置５０ｂが希望する通信ポリシー、通信料金の希望上限額、提供してもよい中継装置５０ａに関する通信リソース、希望するオブジェクト単位、要求する品質、要求されるリアルタイム性などがある。又、中継装置情報には、中継装置５０ａ全体や中継制御装置５０ｂ全体に関する情報と、中継装置５０ａや中継制御装置５０ｂを構成する各構成に関する情報がある。尚、中継装置ＩＤや中継制御装置ＩＤとしては、中継装置５０ａや中継制御装置５０ｂに付与した番号や記号、文字などを用いることができる。
【０２６２】
通信部５４ｂは、中継装置５０ａ、ポータルサーバ６０から、特定情報を受信する。通信部５４ｂは、受信した特定情報を通知部５５に入力する。通信部５４ｂは、通知部５５から特定情報を取得する。通信部５４ｂは、特定情報を中継装置５０ａ、ポータルサーバ６０に送信する。
【０２６３】
通知部５５は、通信部５４ｂ、ユーザ情報データベース５３、通信ポリシー設定部５６、監視部５９ａ、中継装置情報記憶部５９ｃから、特定情報、端末情報、設定情報、監視情報、中継装置情報、中継制御装置情報を取得する。通知部５５は、取得した特定情報、端末情報、設定情報、監視情報、中継装置情報、中継制御装置情報に基づいて、特定情報を通知する。通知部５５は、無線通信装置１０ｄ〜１０ｆ、管理サーバ２０、端末装置３０ａ，３０ｃ〜３０ｅ、配信サーバ４０ａに、特定情報を通知する。
【０２６４】
通信部５４ｂは、中継装置５０ａから、通信ポリシー設定情報、設定情報を受信する。通信部５４ｂは、受信した通信ポリシー設定情報、設定情報を通信ポリシー設定部５６、通信制御部５７ｂに入力する。通信部５４ｂは、通信ポリシー設定部５６から通信ポリシー設定情報、設定情報を取得する。通信部５４ｂは、通信ポリシー設定情報や設定情報を中継装置５０ａに送信する。
【０２６５】
通信ポリシー設定部５６は、提供情報をマルチキャスト送信する際の通信ポリシー設定情報、監視対象情報送信する際の通信ポリシーを決定し、設定する。又、通信ポリシー設定部５６は、通信ポリシー設定情報を通知する。更に、通信ポリシー設定部５６は、マルチキャスト送信対象装置を決定する。その際、通信ポリシー設定部５６は、通信部５４ｂから、通信ポリシー設定情報、設定情報を取得する。通信ポリシー設定部５６は、ユーザＩＤに基づいて、ユーザ情報データベース５３から、端末情報を取得する。通信ポリシー設定部５６は、時計部５９ｂ、監視部５９ａ、中継装置情報記憶部５９ｃから、時間情報、監視情報、中継装置情報、中継制御装置情報を取得する。通信ポリシー設定部５６は、通信ポリシーデータベース５６ａ又は設定条件制御部５６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０２６６】
通信ポリシー設定部５６は、取得した通信ポリシー設定情報、端末情報、時間情報、監視情報、中継装置情報、中継制御装置情報、通信ポリシーの達成度、通信ポリシーの履歴に関する情報に基づいて、マルチキャスト送信対象装置を決定する。
【０２６７】
通信ポリシー設定部５６は、決定したマルチキャスト送信対象装置の数、取得した通信ポリシー設定情報、端末情報、時間情報、監視情報、中継装置情報、中継制御装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報をマルチキャスト送信する際の通信ポリシー設定情報や監視対象情報を送信する際の通信ポリシーを決定し、設定する。通信ポリシー設定部５６は、通信ポリシー設定情報、設定情報を、通信部５４ｂに入力する。通信ポリシー設定部５６は、設定情報を通信制御部５７ｂ、通知部５５に入力する。
【０２６８】
又、通信ポリシー設定部５６は、通信ポリシーの達成目標値の設定、設定した通信ポリシー及び達成目標値、オブジェクト単位、取得した設定情報、取得した監視情報の通信ポリシーデータベース５６ａへの格納を行う。又、通信ポリシー設定部５６は、通信ポリシーデータベース５６ａから、設定した通信ポリシーを取得し、監視部５９ａに入力する。
【０２６９】
通信ポリシー設定部５６は、決定したマルチキャスト送信対象装置の数、取得した通信ポリシー設定情報、端末情報、時間情報、監視情報、中継装置情報、中継制御装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部５６は、無線通信装置１０ｄ〜１０ｆ、管理サーバ２０、端末装置３０ａ，３０ｃ〜３０ｅ、配信サーバ４０ａに、通信ポリシー設定情報を通知する。通信ポリシー設定部５６は、通知する通信ポリシー設定情報を、通信部５４ｂに入力する。
【０２７０】
通信制御部５７ｂは、図３に示した通信制御部１７と同様にして、オブジェクト単位毎に送信制御情報を決定する。その際、通信制御部５７ｂは、通信ポリシー設定部５６、通信部５４ｂ、ユーザ情報データベース５３、監視部５９ａ、時計部５９ｂ、中継装置情報記憶部５９ｃから、設定情報、通信ポリシー設定情報、端末情報、監視情報、中継装置情報、中継制御装置情報、時間情報を取得する。通信制御部５７ｂは、決定した送信制御情報を、通信部５４ｂに入力する。通信部５４ｂは、送信制御情報を中継装置５０ａに送信する。
【０２７１】
又、通信部５４ｂは、中継装置５０ａから送信制御情報を受信する。通信部５４ｂは、受信した送信制御情報を、通信制御部５７ｂに入力する。通信制御部５７ｂは、時間情報と、決定した送信制御情報、又は、通信部５４ｂから取得した送信制御情報に基づいて、変換部５８ａ、リソース割当部５８ｂを制御する。
【０２７２】
リソース割当部５８ｂは、図４に示したリソース割当部２８ｂと同様に、通信リソースの割当、通信リソースの状況の監視部５９ａへの入力を行う。リソース割当部５８ｂは、配信サーバ４０ａ，４０ｂと中継装置５０ａとの間の通信リソース、端末装置３０ａ，３０ｂ、無線通信装置１０ｄ又は管理サーバ２０と、中継装置５０ａとの間の通信リソースの割当を行う。
【０２７３】
通信部５４ｂは、中継装置５０ａから、提供情報、制御情報、監視対象情報を受信する。通信部５４ｂは、受信した提供情報、制御情報、監視対象情報を、変換部５８ａに入力する。変換部５８ａは、通信制御部５７ｂの制御に従って、オブジェクト単位毎に提供情報、制御情報、監視対象情報を変換する。変換部５８ａは、変換した提供情報、制御情報、監視対象情報を通信部５４ｂに入力する。通信部５４ｂは、変換された提供情報、制御情報、監視対象情報を、中継装置５０ａに送信する。
【０２７４】
又、通知部５５、通信ポリシー設定部５６、通信制御部５７ｂ、監視部５９ａは、算出情報を通信部５４ｂに入力する。通信部５４ｂは、取得した算出情報を課金サーバ７０に送信する。
【０２７５】
〔ポータルサーバ〕
ポータルサーバ６０は、配信サーバ４０ａ，４０ｂが提供する提供情報に関する情報を、無線通信装置１０ｄ〜１０ｆ、端末装置３０ａ〜３０ｅ、管理サーバ２０、中継制御装置５０ｂに提供する。又、ポータルサーバ６０は認証を行う。更に、ポータルサーバ６０は、配信サーバ４０ａ，４０ｂから、提供情報に関する情報を取得し、ポータルサーバ６０に登録する。又、ポータルサーバ６０は、タグＩＤ管理データベースが記憶する情報を、無線通信装置１０ｄ〜１０ｆ、端末装置３０ａ〜３０ｅ、管理サーバ２０、配信サーバ４０ａ，４０ｂ、中継制御装置５０ｂに提供する。
【０２７６】
図１０に示すように、ポータルサーバ６０は、通信部６４と、認証部６１と、ユーザ情報データベース６３と、提供情報提示部６５と、サービスリソースデータベース６２と、登録部６６と、タグＩＤ提供部６７と、タグＩＤ管理データベース６８とを備える。ユーザ情報データベース６３は、図２（ｂ）に示したユーザ情報データベース１３と同様である。サービスリソースデータベース６２は、提供情報に関する情報を記憶する。サービスリソースデータベース６２は、コンテンツＩＤに対応付けて、その他の提供情報に関する情報を記憶する。
【０２７７】
通信部６４は、中継装置５０ａ、中継制御装置５０ｂ、課金サーバ７０と通信する。通信部６４は、中継装置５０ａ、中継制御装置５０ｂから、特定情報を受信する。通信部６４は、特定情報を認証部６１に入力する。認証部６１は、提供情報ユーザの認証を行う。認証部６１は、通信部６４から特定情報を取得する。認証部６１は、取得した特定情報に含まれるユーザＩＤとパスワードが、ユーザ情報データベース６３に記憶された提供情報ユーザのユーザＩＤとパスワードと一致するかを判断して、認証を行う。認証部６１は、ユーザＩＤとパスワードが一致する場合には、提供情報ユーザであると判断する。この場合には、認証部６１は、取得した特定情報を、提供情報提示部６５に入力する。
【０２７８】
一方、認証部６１は、ユーザＩＤとパスワードが一致しない場合には、提供情報ユーザではないと判断する。この場合には、認証部６１は、取得した特定情報を、提供情報提示部６５に入力せずに破棄する。更に、認証部６１は、端末装置３０ａ〜３０ｅに対する提供情報ユーザとして認証できない旨の通知を、通信部６４に入力する。通信部６４は、中継装置５０ａを介して端末装置３０ａ〜３０ｅに認証できない旨の通知を送信する。尚、認証部６１は、ユーザＩＤとパスワードが一致しない場合に、端末装置３０ａ〜３０ｅに対して、再度、ユーザＩＤとパスワードを送信するよう指示してもよい。この場合には、認証部６１は、再度認証を行う。認証部６１により、提供情報の送信を提供情報ユーザに制限できる。このように、認証部６１は、配信サーバ４０ａ，４０ｂの通信部４４ａ，４４ｂによる提供情報の送信を制限する提供情報制限手段として機能できる。そのため、通信システム１は、提供情報の送信を提供情報ユーザに制限できる。
【０２７９】
提供情報提示部６５は、提供情報に関する情報を、無線通信装置１０ｄ〜１０ｆ、端末装置３０ａ〜３０ｅ、管理サーバ２０、中継制御装置５０ｂに提供する。提供情報提示部６５は、認証部６１から特定情報を取得する。又、提供情報提示部６５は、特定情報に含まれるユーザＩＤに基づいて、ユーザ情報データベース６３から端末情報を取得する。提供情報提示部６５は、取得した特定情報と、端末情報に基づいて、サービスリソースデータベース６２を検索し、無線通信装置１０ｄ〜１０ｆ、端末装置３０ａ〜３０ｅ、管理サーバ２０、中継制御装置５０ｂに提供する提供情報に関する情報を取得する。
【０２８０】
提供情報提示部６５は、取得した提供情報に関する情報を、特定情報として、通信部６４に入力する。通信部６５は、特定情報を中継制御装置５０ｂに送信する。通信部６５は、中継装置５０ａを介して、特定情報を無線通信装置１０ｄ〜１０ｆ、端末装置３０ａ〜３０ｅ、管理サーバ２０に送信する
登録部６６は、提供情報に関する情報を、サービスリソースデータベース６２に登録する。通信部６４は、配信サーバ４０ａ，４０ｂから、中継装置５０ａを介して、提供情報に関する情報を受信する。通信部６４は、受信した提供情報に関する情報を、登録部６６に入力する。登録部６６は、取得した提供情報に関する情報に含まれるコンテンツＩＤに対応付けて、その他の提供情報に関する情報を、サービスリソースデータベース６２に格納する。又、登録部６６は、配信サーバ４０ａ，４０ｂに対する提供情報に関する情報の要求を、通信部６４に入力してもよい。この場合、登録部６６は、要求に対して送信された提供情報に関する情報を、サービスリソースデータベース６２に格納する。
【０２８１】
タグＩＤ管理データベース６８は、無線通信装置１０ａ〜１０ｆの設置位置や現在位置、無線通信装置１０ａ〜１０ｆと通信中の端末装置３０ａ〜３０ｅのユーザＩＤのリスト、無線通信装置１０ａ〜１０ｆと過去に通信を行った端末装置３０ａ〜３０ｅのユーザＩＤのリスト、ある端末装置３０ａ〜３０ｅが無線通信装置１０ａ〜１０ｆと通信を開始した時刻や通信を行っている時間、無線通信装置１０ａ〜１０ｆに固定的又は一時的に付与されたグローバルＩＰアドレス情報、無線通信装置１０ａ〜１０ｆに付与されたプライベートＩＰアドレス情報、無線通信装置１０ａ〜１０ｆへのアクセス条件、無線通信装置１０ｄ〜１０ｆが設定可能な通信ポリシー、無線通信装置１０ａ〜１０ｆが通信可能な領域内に存在する無線通信装置１０ａ〜１０ｆのタグＩＤを、タグＩＤに対応付けて記憶する。又、タグＩＤ管理データベース６８は、タググループに属する無線通信装置１０ａ〜１０ｆのタグＩＤのリスト、タググループに属する無線通信装置１０ｄ〜１０ｆが設定可能な通信ポリシー、提供可能な無線情報や中継処理、そのデータ品質や通信品質を、タググループＩＤに対応付けて記憶する。
【０２８２】
尚、無線通信装置１０ａ〜１０ｆへのアクセス条件には、タグＩＤを提供してもよい端末装置３０ａ〜３０ｅ、無線通信装置１０ａ〜１０ｆ、配信サーバ４０ａ，４０ｂ、中継制御装置５０ｂを限定した条件、無線通信装置１０ａ〜１０ｆの利用に関する制限条件、無線通信装置１０ａ〜１０ｆへのアクセス数の制限条件、無線通信装置１０ａ〜１０ｆが提供する無線情報や中継処理ごとのアクセス数の制限条件などがある。又、無線通信装置１０ａ〜１０ｆの利用に関する制限条件には、無線通信装置１０ａ〜１０ｆが提供可能な無線情報や中継処理、そのデータ品質や通信品質、無線通信装置１０ａ〜１０ｆの利用時に設定可能な通信ポリシー、無線情報や中継処理の利用可能時間などがあり、タグＩＤに対応付けて記憶されている。
【０２８３】
通信部６４は、中継装置５０ａを介して、無線通信装置１０ｄ〜１０ｆ、端末装置３０ａ〜３０ｅ、管理サーバ２０、配信サーバ４０ａ，４０ｂから、タグＩＤ管理データベース６８に記憶されている情報に関する問い合わせを受信する。又、通信部６４は、中継制御装置５０ｂからも問い合わせを受信する。通信部６４は、受信した問い合わせをタグＩＤ提供部６７に入力する。問い合わせには、例えば、通信可能な無線通信装置１０ａ〜１０ｆの問い合わせ、無線通信装置１０ａ〜１０ｆに付与されているアドレスの問い合わせなどがある。
【０２８４】
タグＩＤ提供部６７は、通信部６４から問い合わせを取得する。タグＩＤ提供部６７は、問い合わせに基づいて、タグＩＤ管理データベース６８を検索し、情報を取得する。タグＩＤ提供部６７は、取得した情報を、問い合わせに対する応答として、通信部６４に入力する。通信部６４は、取得した応答を、中継装置５０ａを介して、無線通信装置１０ｄ〜１０ｆ、端末装置３０ａ〜３０ｅ、管理サーバ２０、配信サーバ４０ａ，４０ｂに送信する。又、通信部６４は、取得した応答を、中継制御装置５０ｂに送信する。
【０２８５】
例えば、通信可能な無線通信装置１０ａ〜１０ｆの問い合わせには、問い合わせをしてきた無線通信装置１０ｄ〜１０ｆ、端末装置３０ａ〜３０ｅ、管理サーバ２０、配信サーバ４０ａ，４０ｂ、中継制御装置５０ｂ自身の位置情報や、タグＩＤが含まれる。タグＩＤ提供部６７は、問い合わせに含まれる位置情報やタグＩＤに基づいて、タグＩＤ管理データベース６８を検索し、問い合わせをしてきた無線通信装置１０ｄ〜１０ｆ、端末装置３０ａ〜３０ｅ、管理サーバ２０、配信サーバ４０ａ，４０ｂ、中継制御装置５０ｂ自身と通信可能な位置に存在する無線通信装置１０ａ〜１０ｆのタグＩＤや、問い合わせに含まれるタグＩＤの無線通信装置１０ｄ〜１０ｆと通信可能な位置に存在する無線通信装置１０ａ〜１０ｆのタグＩＤを取得する。タグＩＤ提供部６７は、取得したタグＩＤを応答として通信部６４に入力する。このとき、タグＩＤ提供部６７は、通信可能な位置に存在する無線通信装置１０ａ〜１０ｆのタグＩＤだけでなく、そのタグＩＤに対応付けられたグローバルＩＰアドレスやプライベートＩＰアドレスを応答に含めてもよい。
【０２８６】
又、無線通信装置１０ａ〜１０ｆに付与されているアドレスの問い合わせには、無線通信装置１０ａ〜１０ｆのタグＩＤが含まれる。タグＩＤ提供部６７は、問い合わせに含まれるタグＩＤに基づいて、タグＩＤ管理データベース６８を検索し、タグＩＤに対応付けられたグローバルＩＰアドレスやプライベートＩＰアドレスを取得する。タグＩＤ提供部６７は、取得したアドレスを応答として通信部６４に入力する。
【０２８７】
提供情報提示部６５、登録部６６、タグＩＤ提供部６７は、算出情報を通信部６４に入力する。通信部６４は、取得した算出情報を課金サーバ７０に送信する。
【０２８８】
〔課金サーバ〕
課金サーバ７０は、無線情報、提供情報の送受信に関する通信料金など、通信システム１において発生する料金を課金する。図１１に示すように、課金サーバ７０は、通信部７１と、課金部７２と、課金データベース７３とを備える。
【０２８９】
課金データベース７３は、課金に関する課金情報を記憶する課金情報記憶手段である。課金データベース７３は、課金情報として、例えば、算出情報、料金を算出する料金算出規則、課金する課金料金を記憶する。課金データベース７３は、ユーザＩＤに対応付けて、算出情報、課金料金を記憶する。通信部７１は、配信サーバ４０ａ，４０ｂ、中継装置５０ａ、中継制御装置５０ｂ、管理サーバ２０、ポータルサーバ６０と通信する。通信部７１は、配信サーバ４０ａ，４０ｂ、中継装置５０ａ、中継制御装置５０ｂ、管理サーバ２０、ポータルサーバ６０から、算出情報を受信する。通信部７１は、受信した算出情報を課金部７２に入力する。
【０２９０】
課金部７２は、通信料金を課金する課金手段である。課金部７２は、通信料金に限らず、通信システム１において発生する料金を課金する。課金部７２は、通信部７１から算出情報を取得する。課金部７２は、課金データベース７３から、料金算出規則を取得する。課金部７２は、算出情報、料金算出規則に基づいて、通信料金などの通信システム１において発生する料金を算出する。課金部７２は、算出した料金を、課金料金として課金する。課金部７２は、取得した算出情報、課金した課金料金を課金データベース７３に格納する。これにより、課金データベース７３が更新される。尚、課金部７２が、課金料金を通信部７１に入力し、通信部７１が、取得した課金料金を端末装置３０ａ〜３０ｅに送信してもよい。
【０２９１】
次に、提供情報の特定、通信ポリシーの設定、情報の送信、通信料金の算出について、詳細に説明する。
【０２９２】
〔提供情報の特定〕
図３、図４、図５、図７に示した提供情報特定部１５，２５，３５，４５ａは、端末装置３０ａ〜３０ｅの無線通信部３１ａ，３１ｂが受信した無線情報に基づいて、提供情報を特定する。受信した無線情報が対象物情報の場合、提供情報特定部１５，２５，３５，４５ａは、例えば、提供情報として対象物関連情報を特定する。例えば、提供情報特定部１５，２５，３５，４５ａは、対象物情報が装置の型番の場合、その装置の取り扱い方法を記載したテキスト情報を特定する。提供情報特定部１５，２５，３５，４５ａは、対象物情報が食料品の種類の場合、その食料品を用いた料理方法を動画像と音声で説明する情報を特定する。提供情報特定部１５，２５，３５，４５ａは、対象物情報が看板の位置情報の場合、その位置情報周辺の地図を表した静止画像情報を特定する。提供情報特定部１５，２５，３５，４５ａは、対象物情報が電車の停車駅の場合、その停車駅周辺の店舗情報を静止画像とテキストで説明する情報を特定する。
【０２９３】
受信した無線情報が対象領域情報の場合、提供情報特定部１５，２５，３５，４５ａは、例えば、提供情報として対象領域関連情報を特定する。例えば、提供情報特定部１５，２５，３５，４５ａは、対象領域情報が領域ＩＤとその領域の温度の場合、その領域で火災が発生している可能性があるか否かを音声で通知する災害情報を特定する。受信した無線情報が無線通信装置情報の場合、提供情報特定部１５，２５，３５，４５ａは、例えば、提供情報として無線通信装置関連情報を特定する。例えば、提供情報特定部１５，２５，３５，４５ａは、無線通信装置情報が無線通信装置１０ａ〜１０ｆのタグＩＤの場合、そのタグＩＤの無線通信装置１０ａ〜１０ｆ周辺の交通情報を音声で説明する情報を特定する。提供情報特定部１５，２５，３５，４５ａは、無線通信装置情報がタググループＩＤの場合、そのタググループＩＤを受信したユーザに限定された情報を特定する。
【０２９４】
受信した無線情報が広告情報の場合、提供情報特定部１５，２５，３５，４５ａは、例えば、提供情報として広告関連情報を特定する。例えば、提供情報特定部１５，２５，３５，４５ａは、広告情報が講演会や学会発表、討論会などのイベント情報の場合、その講演会や学会発表、討論会を動画像と音声で中継する情報や、イベント会場の地図を表した静止画像情報を特定できる。提供情報特定部１５，２５，３５，４５ａは、広告情報が番組内容などの放送情報の場合、より詳細な番組内容をテキストと静止画像で説明する情報を特定できる。提供情報特定部１５，２５，３５，４５ａは、広告情報が観光地の場所を示す観光情報の場合、その観光地までの行き方を、音声と静止画像を用いてナビゲーションする情報を特定する。提供情報特定部１５，２５，３５，４５ａは、広告情報がアドレス情報の場合、そのアドレスで提供されている情報を特定する。提供情報特定部１５，２５，３５，４５ａは、広告情報が予告通知のような配信情報の場合、その予告通知された情報を特定する。
【０２９５】
提供情報には、無線情報に対して固定的に特定される提供情報がある。そのため、提供情報特定部１５，２５，３５，４５ａは、受信した無線情報が、提供情報を特定する無線情報である提供情報を特定することができる。
【０２９６】
更に、提供情報特定部１５，２５，３５，４５ａは、受信した無線情報に加えて、測定情報、位置情報、時間情報、配信サーバ４０ａ，４０ｂの通信部４４ａ，４４ｂと端末装置３０ａ〜３０ｅの通信部３４ａ，３４ｂとの間のネットワークの状況、配信サーバ４０ａ，４０ｂの通信部４４ａ，４４ｂと端末装置３０ａ〜３０ｅの通信部３４ａ，３４ｂとの間の通信リソースの状況、提供情報に関する情報、配信サーバ情報、中継装置情報、中継制御装置情報、端末情報、無線通信装置情報、管理サーバ情報、端末装置３０ａ〜３０ｅと無線通信装置１０ａ〜１０ｆとの関係、通信料金、通信ポリシー設定部１６，２６，３６，４６，５６によって設定された通信ポリシー又は要求されるリアルタイム性の少なくとも１つに基づいて、提供情報を特定することが好ましい。
【０２９７】
これらの情報は、一部重複するものもある。測定情報、ネットワークの状況、通信リソースの状況、提供情報に関する情報、配信サーバ情報、中継装置情報、中継制御装置、端末情報、無線通信装置情報、管理サーバ情報、通信料金、通信ポリシー、要求されるリアルタイム性は、上述したとおりである。位置情報は、例えば、端末装置３０ａ〜３０ｅの現在位置や移動先の位置、無線通信装置１０ａ〜１０ｆの位置、配信サーバ４０ａ，４０ｂと端末装置３０ａ〜３０ｅとの位置関係などがある。尚、位置情報は、緯度、経度、方位などを用いて表すことができる。時間情報は、例えば、現在時刻、提供情報の送信完了を希望する時刻、提供情報の利用時間などがある。
【０２９８】
端末装置３０ａ〜３０ｅと無線通信装置１０ａ〜１０ｆとの関係は、より詳細には、端末装置３０ａ〜３０ｅの無線通信部３１ａ，３１ｂと、無線通信装置１０ａ〜１０ｆの無線通信部１１ａ〜１１ｄとの関係に相当する。具体的には、端末装置３０ａ〜３０ｅと無線通信装置１０ａ〜１０ｄとの関係には、端末装置３０ａ〜３０ｅと無線通信装置１０ａ〜１０ｆとの距離や相対速度、通信端末３０ａ〜３０ｅから所定の範囲内に存在する無線通信装置１０ａ〜１０ｆの数、無線通信装置１０ａ〜１０ｆが情報の送受信をしている通信中の端末装置３０ａ〜３０ｅの数、無線通信装置１０ａ〜１０ｆと端末装置３０ａ〜３０ｅとの間の通信路の数、端末装置３０ａ〜３０ｅが情報の送受信をしている通信中の無線通信装置１０ａ〜１０ｆの数などがある。
【０２９９】
提供情報特定部１５，２５，３５，４５ａは、受信した無線情報に加えて、端末情報を用いる場合、例えば、ユーザの履歴情報にあった提供情報を特定する。例えば、提供情報特定部１５，２５，３５，４５ａは、ユーザがこれまでに最も多く受信している提供情報を特定する。提供情報特定部１５，２５，３５，４５ａは、受信した無線情報に加えて、測定情報を用いる場合、例えば、端末装置３０ａ周辺の気温や湿度、ユーザの状態にあった提供情報を特定する。例えば、提供情報特定部１５，２５，３５，４５ａは、ユーザの脈拍が閾値以下の場合には、医療機関の端末装置に身体の異常を音声で通知する医療情報を特定する。
【０３００】
提供情報特定部１５，２５，３５，４５ａは、受信した無線情報に加えて、位置情報を用いる場合、例えば、位置情報にあった提供情報を特定する。例えば、提供情報特定部１５，２５，３５，４５ａは、ユーザの移動先の店舗情報を特定する。提供情報特定部１５，２５，３５，４５ａは、受信した無線情報に加えて、時間情報を用いる場合、例えば、時間情報にあった提供情報を特定する。例えば、提供情報特定部１５，２５，３５，４５ａは、現在時刻で利用可能な遊戯施設に関する情報を特定する。
【０３０１】
提供情報特定部１５，２５，３５，４５ａは、受信した無線情報に加えて、配信サーバ４０ａ，４０ｂと端末装置３０ａ〜３０ｅとの間のネットワークの状況を用いる場合には、例えば、ネットワークのトラフィック量にあった提供情報を特定する。例えば、提供情報特定部１５，２５，３５，４５ａは、ある領域に存在する端末装置３０ａ〜３０ｅの数が多いほど、データ量の少ない提供情報を特定し、端末装置３０ａ，３０ｂの数が少ないほど、データ量の多い提供情報を特定する。提供情報特定部１５，２５，３５，４５ａは、受信した無線情報に加えて、配信サーバ４０ａ，４０ｂと端末装置３０ａ，３０ｂとの間の通信リソースの状況と、提供情報に関する情報を用いる場合には、例えば、空き通信リソース量で送信可能なデータ量の提供情報を特定する。
【０３０２】
提供情報特定部１５，２５，３５，４５ａは、受信した無線情報に加えて、配信サーバ情報や中継装置情報と、提供情報に関する情報を用いる場合には、例えば、配信サーバ４０ａ，４０ｂや中継装置５０ａの負荷状況で送信可能な提供情報を特定する。提供情報特定部１５，２５，３５，４５ａは、受信した無線情報に加えて、端末装置３０ａ，３０ｂに関する情報を用いる場合には、例えば、端末装置３０ａの出力部３８ｂで出力可能な映像情報を特定する。提供情報特定部１５，２５，３５，４５ａは、受信した無線情報に加えて、無線通信装置１０ａ〜１０ｆに関する情報や管理サーバ２０に関する情報を用いる場合には、例えば、無線通信装置１０ａ〜１０ｆや管理サーバ２０の処理状況で送信可能な提供情報を特定する。
【０３０３】
提供情報特定部１５，２５，３５，４５ａは、受信した無線情報に加えて、端末装置３０ａ〜３０ｅと無線通信装置１０ａ〜１０ｆとの関係を用いる場合には、その関係にあった提供情報を特定する。例えば、端末装置３０ａ〜３０ｅと無線通信装置１０ａ〜１０ｆとの相対速度から、端末装置３０ａ〜３０ｅが無線通信装置１０ａ〜１０ｆと通信可能な距離にいる間に、送信が完了する提供情報を特定する。このような提供情報の特定は、例えば、無線通信装置１０ａ〜１０ｆがバスの停留所に付けられており、端末装置３０ａ〜３０ｅがバスや電車などの移動手段に配置されている場合などに行われる。提供情報特定部１５，２５，３５，４５ａは、受信した無線情報に加えて、通信料金と提供情報に関する情報を用いる場合には、ユーザが要求する通信料金の上限値の範囲内で送信可能な料金の提供情報を特定する。
【０３０４】
提供情報特定部１５，２５，３５，４５ａは、受信した無線情報に加えて、設定した通信ポリシーを用いる場合には、設定された通信ポリシーにあった提供情報を特定する。例えば、提供情報特定部１５，２５，３５，４５ａは、設定した通信ポリシーで送信可能な提供情報を特定する。このように、提供情報特定部１５，２５，３５，４５ａは、提供情報を送信する際の通信ポリシーを設定した後に、その設定した通信ポリシーに基づいて提供情報を特定してもよい。
【０３０５】
提供情報特定部１５，２５，３５，４５ａは、受信した無線情報に加えて、要求されるリアルタイム性を用いる場合には、要求されるリアルタイム性にあった提供情報を特定する。例えば、提供情報特定部１５，２５，３５，４５ａは、要求されるリアルタイム性の高い人命救助や医療、災害に関する緊急情報を特定する。
【０３０６】
特定情報には、提供情報の特定に用いる情報がある。提供情報の特定に用いる情報には、これらの無線通信部３１ａ，３１ｂが受信した無線情報、測定情報、位置情報、時間情報、配信サーバ４０ａ，４０ｂと端末装置３０ａ〜３０ｅとの間のネットワークの状況、配信サーバ４０ａ，４０ｂと端末装置３０ａ〜３０ｅとの間の通信リソースの状況、提供情報に関する情報、配信サーバ情報、中継装置情報、中継制御装置情報、端末情報、無線通信装置情報、管理サーバ情報、端末装置３０ａ〜３０ｅと無線通信装置１０ａ〜１０ｆとの関係、通信料金、設定された通信ポリシー、要求されるリアルタイム性などがある。
【０３０７】
提供情報特定部３５は、端末装置３０ａ，３０ｃ〜３０ｅが受信、監視、記憶、測定、入力などにより把握している提供情報の特定に用いる情報に基づいて、提供情報を特定できる。又、無線通信装置１０ｄ〜１０ｆ、管理サーバ２０、端末装置３０ａ〜３０ｅ、配信サーバ４０ａ，４０ｂ、中継制御装置５０ｂは、監視、受信、記憶、測定、入力などにより把握している提供情報の特定に用いる情報を、図３〜１０に示した提供情報特定部１５，２５，３５，４５ａ、通知部３８、５５、提供情報提示部４５ｂを用いて、特定情報として相互に通知しあうことができる。又、無線通信装置１０ｄ〜１０ｆ、管理サーバ２０、端末装置３０ａ〜３０ｅ、中継制御装置５０ｂは、ポータルサーバ６０の提供情報提示部６５からも、提供情報の特定に用いる情報を取得することができる。そして、提供情報特定部１５，２５，３５，４５ａは、無線通信装置１０ｄ〜１０ｆ、管理サーバ２０、端末装置３０ａ，３０ｃ〜３０ｅ、配信サーバ４０ａが把握している提供情報の特定に用いる情報と、通知された特定情報や取得した特定情報を用いて、提供情報を特定する。
【０３０８】
又、提供情報特定部１５，２５，３５，４５ａは、単独で提供情報を特定してもよく、相互に調整して提供情報を特定してもよい。例えば、提供情報を特定する主体の提供情報特定部が、他の提供情報特定部に、特定しようとする希望の提供情報を通知し、検討するように指示をする。他の提供情報特定部は、その通知内容を検討し、検討結果を主体の提供情報特定部に通知する。主体の提供情報特定部は、取得した検討結果に基づいて、提供情報を特定する。
【０３０９】
又、提供情報を特定する主体の提供情報特定部が、他の第１の提供情報特定部から、特定しようとする希望の提供情報の通知を受ける。主体の提供情報特定部は、希望の提供情報の通知を、第１の提供情報特定部以外の第２の提供情報特定部に通知し、検討するように指示する。第２の提供情報特定部は、その通知内容を検討し、検討結果を主体の提供情報特定部に通知する。主体の提供情報特定部は、取得した検討結果を、第１の提供情報特定部に通知して、検討するように指示をする。第１の提供情報特定部は、第２の提供情報特定部の検討結果に基づいて、再度、検討する。第１の提供情報特定部は、再検討した希望の提供情報を、主体の提供情報特定部に通知する。主体の提供情報特定部は、再検討された結果に基づいて、提供情報を特定する。
【０３１０】
そのため、特定情報には、このような通知のように提供情報を特定する際の調整に用いる情報もある。尚、提供情報特定部１５，２５，３５，４５ａは、このようなやりとりを複数回繰り返してもよい。
【０３１１】
更に、通知部３８、５５、提供情報提示部４５ｂは、提供情報特定部１５，２５，３５，４５ａに対して、提供情報の特定を要求できる。そのため、特定情報には、提供情報の特定の要求もある。尚、通知部３８、５５、提供情報提示部４５ｂは、提供情報の特定の要求に、提供情報の特定に用いる情報を含めてもよい。
【０３１２】
又、提供情報特定部１５，２５，３５，４５ａは、通知部３８、５５、提供情報提示部４５ｂ，６５や、他の提供情報特定部１５，２５，３５，４５ａに、提供情報の特定に用いる情報を要求できる。要求を受けた通知部３８、５５、提供情報提示部４５ｂ，６５や、他の提供情報特定部１５，２５，３５，４５ａは、要求に対する応答として、提供情報の特定に用いる情報を返す。そのため、特定情報には、このような要求、応答などの提供情報の特定に用いる情報をやりとりするための情報もある。尚、提供情報特定部１５，２５，３５，４５ａ、通知部３８、５５、提供情報提示部４５ｂ，６５は、このようなやりとりを複数回繰り返してもよい。又、提供情報特定部１５，２５，３５，４５ａは、通知部３８、５５、提供情報提示部４５ｂから、提供情報の特定の要求を受けた際に、提供情報の特定に用いる情報を要求してもよい。
【０３１３】
又、特定情報には、図７、図８、図１０に示す提供情報特定部４５ａ，提供情報提示部４５ｂ，６５が提供する提供情報に関する情報がある。提供情報特定部１５，２５，３５は、提供情報特定部４５ａ、提供情報提示部４５ｂ，６５が提供する提供情報の中から、提供情報を特定できる。又、図５、図６に示した出力部３８ｂが、提示された提供情報に関する情報を出力し、入力部３８ａが提供結果を入力することにより、提供情報を特定してもよい。
【０３１４】
提供情報特定部１５，２５，３５は、提供情報特定部４５ａ、提供情報提示部４５ｂ，６５に、提供情報に関する情報の提供を要求できる。提供情報に関する情報の提供の要求も特定情報である。提供情報特定部４５ａ、提供情報提示部４５ｂ，６５は、提供の要求に対して提供情報に関する情報を提供する。提供情報特定部１５，２５，３５と、提供情報特定部４５ａや提供情報提示部４５ｂ，６５は、このようなやりとりを複数回繰り返してもよい。
【０３１５】
提供情報特定部４５ａ、提供情報提示部４５ｂ，６５は、端末装置３０ａ〜３０ｅの無線通信部３１ａ，３１ｂが受信した無線情報に基づいて、提供する提供情報に関する情報を決定する。更に、提供情報特定部４５ａ、提供情報提示部４５ｂ，６５は、受信した無線情報に加えて、測定情報、位置情報、時間情報、配信サーバ４０ａ，４０ｂと端末装置３０ａ〜３０ｅとの間のネットワークの状況、提供情報に関する情報、配信サーバ４０ａ，４０ｂと端末装置３０ａ〜３０ｅとの間の通信リソースの状況、配信サーバ情報、中継装置情報、中継制御装置情報、端末情報、無線通信装置情報、管理サーバ情報、端末装置３０ａ〜３０ｅと無線通信装置１０ａ〜１０ｆとの関係、通信料金、設定された通信ポリシー、要求されるリアルタイム性の少なくとも１つに基づいて、提供する提供情報に関する情報を決定することが好ましい。
【０３１６】
提供情報特定部４５ａ、提供情報提示部４５ｂ，６５は、提供情報特定部１５，２５，３５，４５ａと同様に、配信サーバ４０ａ，４０ｂやポータルサーバ６０が把握している提供情報の特定に用いる情報に基づいて、提供する提供情報に関する情報を決定できる。又、提供情報特定部４５ａ、提供情報提示部４５ｂ，６５は、無線通信装置１０ｄ〜１０ｆ、管理サーバ２０、端末装置３０ａ〜３０ｅ、中継制御装置５０ｂから、それらが把握している提供情報の特定に用いる情報を取得できる。そして、提供情報特定部４５ａ、提供情報提示部４５ｂ，６５は、配信サーバ４０ａ，４０ｂやポータルサーバ６０が把握している提供情報の特定に用いる情報と、通知された特定情報を用いて、提供する提供情報に関する情報を決定する。又、提供情報特定部４５ａ、提供情報提示部４５ｂ，６５は、通知部３８、５５、提供情報特定部１５，２５，３５に、提供情報の特定に用いる情報を要求できる。
【０３１７】
このように、提供情報特定部４５ａや提供情報提示部４５ｂ，６５が、提供情報特定部１５，２５，３５に対して、提供情報に関する情報を提供し、提供情報特定部１５，２５，３５が、提供された提供情報に関する情報に基づいて、提供情報を特定することができる。そのため、提供情報特定部１５，２５，３５は、提供情報特定部４５ａや提供情報提示部４５ｂ，６５によって提供された提供情報に関する情報に基づいて、提供情報を容易に特定できる。更に、ポータルサーバ６０を用いる場合には、配信サーバ４０ａ，４０ｂは、ポータルサーバ６０に提供情報に関する情報を登録した後は、自らが提供情報に関する情報の通知を行うことを省略できる。そのため、配信サーバ４０ａ，４０ｂは、制御負荷を軽減できる。
【０３１８】
尚、提供情報特定部１５，２５，３５，４５ａ、通知部３８、５５、提供情報提示部４５ｂ，６５が、特定情報をやりとりする際には、ユーザＩＤに特定情報を対応付けてやりとりする。
【０３１９】
又、図３、図４、図７、図８に示す提供情報特定部１５，２５，４５ａや提供情報提示部４５ｂが、端末情報に基づいて、提供情報の特定や提供する提供情報に関する情報の決定を行うことにより、提供情報の送信を提供情報ユーザに制限できる。具体的には、提供情報特定部１５，２５，４５ａや提供情報提示部４５ｂは、特定情報に含まれるユーザＩＤとパスワードが、ユーザ情報データベース１３，２３，４３に記憶された提供情報ユーザのユーザＩＤとパスワードと一致するかを判断して、認証を行う。提供情報特定部１５，２５，４５ａや提供情報提示部４５ｂは、ユーザＩＤとパスワードが一致する場合には、提供情報ユーザであると判断する。この場合には、提供情報特定部１５，２５，４５ａや提供情報提示部４５ｂは、提供情報ユーザにその利用が限られた提供情報を特定したり、提供情報に関する情報を提供したりする。
【０３２０】
一方、提供情報特定部１５，２５，４５ａや提供情報提示部４５ｂは、ユーザＩＤとパスワードが一致しない場合には、提供情報ユーザではないと判断する。この場合には、提供情報特定部１５，２５，４５ａや提供情報提示部４５ｂは、提供情報ユーザにその利用が限られた提供情報を特定したり、提供情報に関する情報を提供したりしない。尚、特定情報にパスワードが含まれていない場合には、提供情報特定部１５，２５，４５ａや提供情報提示部４５ｂは、図５、図６に示す提供情報特定部３５や通知部３８に、パスワードを特定情報として通知するように要求する。
【０３２１】
又、図３、図４、図７、図８に示す提供情報特定部１５，２５，４５ａや提供情報提示部４５ｂが、配信サーバ４０ａ，４０ｂに関する情報に基づいて、提供情報の特定や提供する提供情報に関する情報の決定を行うことにより、同時に提供情報を送信するユーザ数を制限できる。具体的には、提供情報特定部１５，２５，４５ａや提供情報提示部４５ｂは、配信サーバ４０ａ，４０ｂの通信部４４ａ，４４ｂが情報の送受信を行っている通信中の端末装置３０ａ〜３０ｅの数と、配信サーバ４０ａ，４０ｂが制限するユーザ数を比較する。
【０３２２】
提供情報特定部１５，２５，４５ａや提供情報提示部４５ｂは、通信中の端末装置３０ａ〜３０ｅの数が、制限するユーザ数未満の場合には、ユーザ数を制限したい提供情報を特定したり、提供情報に関する情報を提供したりする。一方、提供情報特定部１５，２５，４５ａや提供情報提示部４５ｂは、通信中の端末装置３０ａ〜３０ｅの数が、制限するユーザ数以上の場合には、ユーザ数を制限したい提供情報を特定したり、提供情報に関する情報を提供したりしない。このように、提供情報特定部１５，２５，４５ａや提供情報提示部４５ｂは、配信サーバ４０ａ，４０ｂの通信部４４ａ，４４ｂによる提供情報の送信を制限する提供情報制限手段として機能できる。尚、制限するユーザ数は、例えば、ネットワークの状況や通信リソースの状況、配信サーバ４０ａ，４０ｂ、中継装置５０ａ、中継制御装置５０ｂ、管理サーバ２０、無線通信装置１０ｄ〜１０ｆ、端末装置３０ａ〜３０ｅの処理状況や負荷状況、通信ポリシーの達成度、通信品質やデータ品質、通信スケジュールの実際の状況などに基づいて定めることができる。
【０３２３】
これによれば、配信サーバ４０ａ，４０ｂは、提供情報の利用が特定のユーザに限られている場合に、そのユーザにのみ提供情報を送信できる。又、配信サーバ４０ａ，４０ｂが、提供情報を同時に送信できるユーザ数を制限したい場合に、制限された数のユーザにだけ提供情報を送信できる。
【０３２４】
又、端末装置３０ａ〜３０ｅの無線通信部３１ａ，３１ｂが、複数の無線情報を受信する場合がある。無線通信部３１ａ，３１ｂは、同時に複数の無線情報を受信する場合や、一定時間内に複数の無線情報を受信する場合がある。この場合、提供情報特定部１５，２５，３５，４５ａは、無線情報の優先度に従って、複数の無線情報に基づく提供情報を順番に特定することが好ましい。例えば、優先度は、無線情報の料金に応じて設定できる。例えば、料金が高い無線情報ほど、高い優先度を設定する。優先度は、無線通信装置１０ａ〜１０ｆの存在する領域に応じて設定できる。例えば、特定の領域に存在する無線通信装置１０ａ〜１０ｆの無線情報に、高い優先度を設定する。又、優先度は、無線情報の種類に応じて設定できる。例えば、無線情報が対象物情報の場合、ユーザは自分の所有物に関する対象物情報に高い優先度を設定する。
【０３２５】
優先度は予め設定しておいてもよく、無線情報の受信後に設定してもよい。提供情報特定部１５，２５，３５，４５ａや通知部３８、５５、提供情報提示部４５ｂは、優先度の設定条件を記憶する。優先度の設定条件には、無線情報の料金に応じて優先度を設定する設定条件、無線通信装置１０ａ〜１０ｆの存在する領域に応じて優先度を設定する設定条件、無線情報の種類に応じて優先度を設定する設定条件などがある。
【０３２６】
提供情報特定部３５、通知部３８は、無線通信部３１ａ，３１ｂから取得した無線情報に、設定条件に基づいて優先度を設定する。又、提供情報特定部１５，２５，４５ａや通知部５５、提供情報提示部４５ｂ，６５は、特定情報に含まれる無線通信部３１ａ，３１ｂが受信した無線情報に、設定条件に基づいて優先度を設定する。このように、提供情報特定部１５，２５，３５，４５ａや通知部３８、５５，６５、提供情報提示部４５ｂ，６５は、複数の無線情報の優先度を設定する優先度設定手段として機能する。これによれば、通信システム１、配信サーバ４０ａ，４０ｂは、複数の無線情報の優先度を設定することができる。更に、通信システム１、配信サーバ４０ａ，４０ｂは、優先度の設定条件を変更することにより、無線情報の優先度を動的に変更できる。
【０３２７】
又、提供情報特定部１５，２５，３５，４５ａは、特定する順番に関する規則に従って、複数の無線情報に基づく提供情報を順番に特定してもよい。例えば、無線情報を受信した順番に従って特定する、無線情報の種類に応じて決められた順番に従って特定する、データ量に応じて決められた順番に従って特定するなどの規則を設定できる。具体的には、受信した順番が早い無線情報から先に用いて提供情報を特定する、受信した順番が遅い無線情報から先に用いて提供情報を特定する、データ量が大きい無線情報から先に用いて提供情報を特定するなどの規則を設定できる。
【０３２８】
尚、提供情報特定部１５，２５，３５，４５ａは、規則に関係なく、ランダムに複数の無線情報に基づく提供情報を特定してもよい。更に、提供情報特定部１５，２５，３５，４５ａは、優先度の低い無線情報については、その無線情報に基づく提供情報の特定を行わなくてもよい。又、提供情報特定部１５，２５，３５，４５ａは、無線情報の受信数の閾値を定めておき、閾値を越えて受信した無線情報については、その無線情報に基づく提供情報の特定を行わないようにしてもよい。又、提供情報特定部１５，２５，３５，４５ａは、受信した複数の無線情報を並行して処理してもよい。
【０３２９】
このように、端末装置３０ａ〜３０ｅの無線通信部３１ａ，３１ｂが複数の無線情報を受信することにより、端末装置３０ａ〜３０ｅのユーザは、複数の無線情報に基づく提供情報を取得できる。更に、提供情報特定部１５，２５，３５，４５ａが、無線情報の優先度に従って、複数の無線情報のうち、優先度が高いものから順番に用い、複数の無線情報に基づく提供情報を順番に特定することにより、ユーザは、ユーザにより適した提供情報から優先して取得することができる。
【０３３０】
提供情報特定部１５，２５，３５，４５ａは、このようにして提供情報を特定した後、通信ポリシー設定部１６，２６，３６，４６、提供情報提供部４１ａ、通信部１４ｄ，２４，３４ａ，４４ａ、無線通信部１１ｄ，３１ａに特定結果を入力する。又、提供情報特定部３５は、配信サーバ４０ａ，４０ｂに、特定した提供情報の送信を要求する制御情報を生成する。又、提供情報特定部１５，２５，４５ａは、配信サーバ４０ａ，４０ｂに、特定した提供情報の端末装置３０ａ〜３０ｅへの送信を指示する。
【０３３１】
提供情報特定部１５，２５，３５，４５ａが通信ポリシー設定部１６，２６，４６、提供情報提供部４１ａ、通信部１４ｄ，２４，３４ａ，４４ａ、無線通信部１１ｄ，３１ａに入力する特定結果と、提供情報の送信の要求や指示には、少なくとも、ユーザＩＤと、特定した提供情報のコンテンツＩＤとが含まれる。又、提供情報特定部３５が通信ポリシー設定部３６に入力する特定結果には、少なくとも特定した提供情報のコンテンツＩＤが含まれる。
【０３３２】
そのため、提供情報提供部４１ａは、コンテンツＩＤに基づいて、提供情報データベース４２から提供情報を取得できる。又、提供情報提供部４１ａは、ユーザＩＤに基づいて、ユーザ情報データベース４３から端末装置３０ａ〜３０ｅのアドレスを取得できる。
【０３３３】
〔通信ポリシーの設定、情報の送信〕
（通信ポリシー）
通信ポリシーとは、情報を送信する側と、情報を受信する側との間の取り決めであり、送信側から受信側に情報を送信する際の取り決めである。通信ポリシーには、送信側から受信側に情報を送信する際の品質、通信形態、通信料金、通信スケジュール、変換方法、同期制御方法、通信ポリシーの設定規則、要求されるリアルタイム性に関する取り決めがある。通信ポリシー設定部１６，２６，３６，４６，５６は、これらの通信ポリシーの項目の少なくとも１つを決定、設定すればよい。以下、通信ポリシー設定部１６，２６，３６，４６，５６が設定する通信ポリシーの項目を「通信ポリシー設定項目」という。
【０３３４】
品質に関する取り決めには、情報の送信における通信品質と、情報のデータ品質に関する取り決めがある。通信品質に関する取り決めには、通信速度、スループット、遅延時間、ＲＲＴ（Ｒｏｕｎｄ  Ｔｒｉｐ  Ｔｉｍｅ）、誤り率、再送率、送信した情報が受信側に到達した割合（以下「到達度」という）、送信した情報が受信側に到達しなかった割合（以下「欠損率」という）、情報をパケット通信により送信した場合に、受信したパケットに含まれるデータに誤りが発生し、破棄した割合（以下「パケット破棄率」という）、ジッター、通信品質の決定規則、通信品質の保証方法などに関する取り決めがある。尚、到達度は、送信した情報のデータ量に対する受信した情報のデータ量の割合で表すことができる。データ品質に関する取り決めには、例えば、情報を受信側で再生する際の品質がある。具体的には、情報の表示サイズ、表示開始時刻、表示時間やその許容遅延時間、フレームレート、解像度、複数の情報を連続して表示する場合の表示順序、複数の情報を同時に表示する場合の配列、同期のタイミングやそのずれの許容値などがある。
【０３３５】
通信品質の保証方法には、規定範囲の通信品質を保証しなければならないギャランティモードと、通信品質を保証しなくてもよいベストエフォートモードがある。例えば、ギャランティモードの場合には、障害が発生しても通信品質を保証しなければならないが、ベストエフォートモードの場合には、障害発生時に通信品質を保証できなくなっても許容される。ベストエフォートモードには、目標とする通信品質の上限値を規定するモード、目標とする通信品質の下限値を規定するモード、目標とする通信品質の上限値と下限値を規定するモードがある。通信品質の上限値としては、例えば、最大許容遅延時間、最大許容ジッター値などがある。又、ベストエフォートモードにおいて、各通信品質に保証する優先度を設定し、優先度の高い通信品質から優先して保証するようにしてもよい。又、通信品質の方法には、保証する割合（以下「保証度」という）を定め、その保証度を保証する方法もある。この方法は、保証度が１００％であれば、ギャランティモードに分類され、１００％未満であれば、ベストエフォートモードに分類される。
【０３３６】
又、通信品質の保証方法には、保証する基準で分類すると、ネットワークの状況、通信リソースの状況、通信ポリシーの達成度、到達度、無線通信装置情報、端末情報、管理サーバ情報、配信サーバ情報、中継装置情報、中継制御装置情報、通信品質、通信形態などに応じて通信品質を保証する方法がある。例えば、ネットワークのトラフィック量が閾値以上の場合には、閾値未満の通信品質しか保証せず、トラフィック量が閾値未満の場合には、閾値以上の通信品質を保証するといった方法がある。又、通信品質の保証方法に関する取り決めには、再送方法などの通信品質を保証するために行う手法に関する取り決めがある。
【０３３７】
通信形態に関する取り決めには、通信プロトコル、帯域、通信リソース、負荷、情報のデータ構造、情報を構成するデータの表現形式、情報を構成するデータの収納形式、セッション数、コネクション数、トンネル数、利用するネットワーク、通信形態の決定規則などに関する取り決めがある。データの収納形式に関する取り決めには、例えば、パケットへのデータの収納形式、ペイロードフォーマット、データを収納する順番、データを収納する位置に関する取り決めがある。具体的なデータの収納形式に関する取り決めとしては、重要度の高いデータからパケットの先頭に収納するといった取り決めがある。又、コネクションとは、送信側と受信側との間に設定される通信路をいう。セッションとは、送信側と受信側との間で行う通信の開始から終了までの一連の処理をいう。トンネルとは、特定のプロトコルやアドレス体系に従う情報や、特定のユーザの情報等、特定の情報だけが通信可能な通信路をいう。そのため、情報は、特定のプロトコルやアドレスでカプセル化されたり、認証処理を受けたりして、トンネル上で通信される。
【０３３８】
通信料金に関する取り決めには、通信料金の上限値などの制約条件、料金算出規則などに関する取り決めがある。又、通信料金に関する取り決めには、通信料金全額についての取り決めや、通信料金の内訳についての取り決めがある。
【０３３９】
通信スケジュールに関する取り決めには、情報の送信開始予定時刻や送信完了予定時刻、各通信ポリシー設定項目を適用するタイミングや時刻、通信スケジュールの決定規則などに関する取り決めがある。
【０３４０】
変換方法に関する取り決めには、例えば、情報を構成するデータの変換方法、変換方法の決定規則などに関する取り決めがある。データの変換方法には、変換する対象で分類すると、例えば、データ構造、フレームレート、データの表現形式、データ品質、データの収納形式を変換する方法がある。又、データの変換方法には、変換する基準で分類すると、例えば、ネットワークの状況、通信リソースの状況、通信ポリシーの達成度、無線通信装置情報、端末情報、管理サーバ情報、配信サーバ情報、中継装置情報、中継制御装置情報、通信品質、データ品質、通信形態、要求されるリアルタイム性、ネットワークの切り替えなどに応じてデータを変換する方法がある。
【０３４１】
具体的な変換方法には、端末装置３０ａ〜３０ｅで再生し、出力可能なデータに変換する方法、要求されるデータ品質に変換する方法、通信速度が閾値以上の場合にはデータを変換せず、閾値未満の場合にはデータ量を減らす変換を行う方法などがある。データ量を減らす変換には、フレームレートを下げる変換や、データを圧縮する変換がある。更に、変換方法には、データ構造を、情報を再生するために最低限必要なデータが上位の階層となり、再生品質を向上するために必要なデータが下位の階層となるように変換する方法、データの収納形式を、重要度の高いデータからパケットの先頭に収納されるように変換する方法などがある。又、変換手法には、ネットワークを切り替える際に、切り替わるネットワークに適したデータに変換する方法がある。
【０３４２】
同期制御方法に関する取り決めには、同期のタイミング、スケジュール、同期のとり方、同期制御方法の決定規則などに関する取り決めがある。尚、同期は、情報間、端末装置間、オブジェクト単位に区切られた情報間などでとる。
【０３４３】
通信ポリシーの設定規則は、通信ポリシーを設定する際の規則である。通信ポリシーの設定規則に関する取り決めには、設定規則そのもの、設定規則の切り替え条件、設定規則の選択方法に関する取り決めがある。
【０３４４】
要求されるリアルタイム性に関する取り決めには、要求されるリアルタイム性そのもの、要求されるリアルタイム性の決定規則に関する取り決めがある。
【０３４５】
（オブジェクト単位）
オブジェクト単位とは、情報の送信側や、情報の受信側が、ある情報を送信する場合に、１つの通信ポリシーの設定を望む情報の単位である。又、情報をオブジェクト単位毎にしたものを「オブジェクト」という。
【０３４６】
オブジェクト単位には、例えば、情報を構成するデータによって情報を区切るデータ単位がある。データ単位には、例えば、情報を構成するデータの種類によって情報を区切る類型単位、情報を構成するデータの容量によって情報を区切る容量単位がある。データの種類には、テキストデータ、静止画像データ、動画像データ、音声データ、プログラムデータなどがある。
【０３４７】
又、オブジェクト単位には、送信側と受信側との間のコネクション、セッション、トンネルによって情報を区切るコネクション単位、セッション単位、トンネル単位がある。更に、オブジェクト単位には、１回の呼でネットワークに接続している間を１つの単位とする呼単位がある。又、オブジェクト単位には、１つの情報の送信開始から受信完了までを１つのアクセスとし、アクセスによって情報を区切るアクセス単位がある。アクセス単位には、アクセスの回数によって情報を区切るアクセス数単位、アクセスしている時間によって情報を区切るアクセス時間単位がある。
【０３４８】
オブジェクト単位には、時間によって情報を区切る時間単位がある。時間単位には、例えば、情報を、送信開始時刻から送信完了時刻までの間の時刻によって区切る単位、情報を送信開始から一定時間毎に区切る単位などがある。又、オブジェクト単位には、情報を、端末装置３０ａ〜３０ｅや無線通信装置１０ａ〜１０ｆが存在する特定の端末装置や無線通信装置に関する位置情報や位置情報に特定の範囲（例えばセルエリアやイベント会場など）を設定した領域毎に区切る領域単位がある。オブジェクト単位には、領域に存在する端末装置３０ａ〜３０ｅの数や無線通信装置１０ａ〜１０ｆの数によって情報を区切る数単位がある。更に、オブジェクト単位には、課金対象毎に情報を区切る課金対象単位がある。
【０３４９】
オブジェクト単位には、提供情報を、その情報をマルチキャスト送信する配信サーバ４０ａ，４０ｂの通信部４４ａ，４４ｂや中継装置５０ａの通信部５４ａ、無線通信装置１０ｃ〜１０ｆの無線通信部１１ｄのようなマルチキャスト送信手段毎に区切るマルチキャスト送信手段単位がある。オブジェクト単位には、制御情報を、その情報を送信する配信サーバ４０ａ，４０ｂの通信部４４ａ，４４ｂ、端末装置３０ａ〜３０ｅの通信部３４ａ，３４ｂ、無線通信部３１ａ，３１ｂのような制御情報送信手段毎に区切る制御情報送信手段単位がある。オブジェクト単位には、監視対象情報を、その情報を送信する端末装置３０ａ〜３０ｅの通信部３４ａ，３４ｂ、無線通信部３１ａ，３１ｂ、無線通信装置１０ａ〜１０ｆの通信部１４ｄ、無線通信部１１ｄのような監視対象情送信手段毎に区切る監視対象情報送信手段単位がある。又、オブジェクト単位には、情報を、その情報を中継する管理サーバ２０の通信部２４、中継装置５０ａの通信部５４ａのような中継手段毎に区切る中継手段単位がある。更に、オブジェクト単位には、提供情報毎に情報を区切る提供情報単位、制御情報毎に情報を区切る制御情報単位、監視対象情報毎に情報を区切る監視対象情報単位がある。
【０３５０】
オブジェクト単位には、情報を、提供情報を受信する端末装置３０ａ〜３０ｅの通信部３４ａ，３４ｂ、無線通信部３１ａ，３１ｂ、無線通信装置１０ｄ〜１０ｆの通信部１４ｄ、無線通信部１１ｄのような提供情報受信手段毎に区切る提供情報受信手段単位がある。又、オブジェクト単位には、情報を、制御情報を受信する端末装置３０ａ〜３０ｅの通信部３４ａ，３４ｂ、無線通信部３１ａ，３１ｂ、無線通信装置１０ｄ〜１０ｆの通信部１４ｄ、無線通信部１１ｄ、配信サーバ４０ａ，４０ｂの通信部４４ａ，４４ｂのような制御情報受信手段毎に区切る制御情報受信手段単位がある。又、オブジェクト単位には、情報を、監視対象情報を受信する配信サーバ４０ａ，４０ｂの通信部４４ａ，４４ｂのような監視対象情報受信手段毎に区切る監視対象情報受信手段単位がある。又、オブジェクト単位には、情報をユーザ毎に区切るユーザ単位がある。例えば、ユーザ単位には、情報をユーザＩＤ毎に区切るユーザＩＤ単位がある。
【０３５１】
オブジェクト単位には、情報を、その情報を中継する無線通信装置１０ｃ〜１０ｆの無線通信部１１ｃ，１１ｄのような近距離無線送信手段毎に区切る近距離無線送信手段単位がある。例えば、近距離無線送信手段単位には、情報をタグＩＤ毎に区切るタグＩＤ単位がある。又、オブジェクト単位には、情報を、その情報を中継する無線通信装置１０ｃ〜１０ｆが付けられている対象物、対象領域毎に区切る対象物単位、対象領域単位がある。対象物単位、対象領域単位には、情報をモノＩＤ毎に区切るモノＩＤ単位、領域ＩＤ毎に区切る領域ＩＤ単位がある。
【０３５２】
又、オブジェクト単位には、グループ毎に情報を区切るコミュニティ単位がある。コミュニティ単位には、情報を、その情報を中継する複数の無線通信装置１０ｃ〜１０ｆが形成するタググループ毎に区切るタググループ単位がある。タググループ単位には、情報をタググループＩＤ毎に区切るタググループＩＤ単位がある。又、コミュニティ単位には、情報を、その情報を受信する複数の端末装置３０ａ〜３０ｅが形成する端末グループ毎に区切る端末グループ単位がある。端末グループ単位には、情報を端末グループＩＤ毎に区切る端末グループＩＤ単位がある。
【０３５３】
（通信ポリシーの設定方法）
図３、図４、図５、図７、図９に示した通信ポリシー設定部１６，２６，３６，４６，５６は、配信サーバ４０ａ，４０ｂの通信部４４ａ，４４ｂから、端末装置３０ａ〜３０ｅの通信部３４ａ，３４ｂ又は無線通信部３１ａ，３１ｂに提供情報をマルチキャスト送信する際の通信ポリシー、配信サーバ４０ａ，４０ｂの通信部４４ａ，４４ｂから、端末装置３０ａ〜３０ｅの通信部３４ａ，３４ｂ又は無線通信部３１ａ，３１ｂ、無線通信装置１０ｄ〜１０ｆの通信部１４ｄ又は無線通信部１１ｄに制御情報を送信する際の通信ポリシー、端末装置３０ａ〜３０ｅの通信部３４ａ，３４ｂ又は無線通信部３１ａ，３１ｂから、配信サーバ４０ａ，４０ｂの通信部４４ａ，４４ｂに制御情報を送信する際の通信ポリシー、端末装置３０ａ〜３０ｅの通信部３４ａ，３４ｂ又は無線通信部３１ａ，３１ｂ、無線通信装置１０ｄ〜１０ｆの通信部１４ｄ又は無線通信部１１ｄから、配信サーバ４０ａ，４０ｂの通信部４４ａ，４４ｂに監視対象情報を送信する際の通信ポリシーを、オブジェクト単位毎に決定し、設定する。
【０３５４】
図１に示したように、配信サーバ４０ａ，４０ｂ、端末装置３０ａ〜３０ｅ、無線通信装置１０ｄ〜１０ｆは、提供情報、制御情報、監視対象情報を、直接送受信したり、無線通信装置１０ｃ〜１０ｆ、管理サーバ２０又は中継装置５０ａを介して送受信したりする。そのため、配信サーバ４０ａ，４０ｂ、端末装置３０ａ〜３０ｅ、無線通信装置１０ｃ〜１０ｆ、管理サーバ２０、中継装置５０ａは、提供情報、制御情報、監視対象情報の送信側となったり、受信側となったりする。
【０３５５】
通信ポリシーは、送信側から受信側に情報を送信する際の取り決めである。そのため、送信側と受信側との間の通信ポリシーは、送信側と受信側の組み合わせ毎に決定し、設定する。更に、通信ポリシーは、オブジェクト単位毎に決定し、設定する。
【０３５６】
例えば、図１２に示すように、配信サーバ４０ａが中継装置５０ａを介して、複数の端末装置３０ａ，３０ｂに提供情報をマルチキャスト送信する場合がある。提供情報は、経路２ａと経路３ａ，３ｂを通って送信される。
【０３５７】
この場合、通信ポリシー設定部は、送信側の配信サーバ４０ａと受信側の中継装置５０ａとの間の通信ポリシーと、送信側の中継装置５０ａと受信側の端末装置３０ａとの間の通信ポリシーと、送信側の中継装置５０ａと受信側の端末装置３０ｂとの間の通信ポリシーを決定し、設定する。
【０３５８】
更に、通信ポリシー設定部は、配信サーバ４０ａと中継装置５０ａとの間の通信ポリシーを、オブジェクト単位毎に決定し、設定する。そして、配信サーバ４０ａは、提供情報をオブジェクト単位ごとに区切った３つのオブジェクトＡ〜Ｃを、配信サーバ４０ａと中継装置５０ａとの間の各オブジェクトＡ〜Ｃの通信ポリシーに基づいて送信する。
【０３５９】
又、通信ポリシー設定部は、中継装置５０ａと端末装置３０ａとの間の通信ポリシーを、オブジェクト単位毎に決定し、設定する。通信ポリシー設定部は、中継装置５０ａと端末装置３０ｂとの間の通信ポリシーを、オブジェクト単位毎に決定し、設定する。そして、中継装置５０ａは、オブジェクトＡ〜Ｃを、中継装置５０ａと端末装置３０ａとの間の各オブジェクトＡ〜Ｃの通信ポリシーと、中継装置５０ａと端末装置３０ｂとの間の各オブジェクトＡ〜Ｃの通信ポリシーにそれぞれ基づいて、複数の端末装置３０ａ，３０ｂにマルチキャスト送信する。
【０３６０】
このように、通信ポリシー設定部は、情報をマルチキャスト送信する場合には、マルチキャスト送信対象装置である複数の端末装置３０ａ，３０ｂ毎に、即ち、複数の提供情報受信手段毎に通信ポリシーを決定し、設定する。そのため、通信システム１は、複数のマルチキャスト送信対象装置それぞれに適した取り決めに従って、提供情報をマルチキャスト送信できる。
【０３６１】
次に、具体的な通信ポリシーの設定方法について説明する。
【０３６２】
１．マルチキャスト送信対象装置の決定
まず、通信ポリシー設定部１６，２６，３６，４６，５６は、特定結果、制御情報に関する情報、監視対象情報に関する情報を取得する。通信ポリシー設定部１６，２６，３６，４６はそれぞれ、提供情報特定部１５，２５，３５，４５ａから、直接、特定結果を取得する。又、通信ポリシー設定部３６，４６はそれぞれ入力部３８ａ、通信制御部３７ａ、提供情報特定部３５、制御部４６ｃから、直接、制御情報に関する情報を取得する。又、通信ポリシー設定部１６，３６はそれぞれ測定部１９ｄ，３２から、直接、監視対象情報に関する情報を取得する。又、通信ポリシー設定部１６，２６，３６，４６，５６は、無線通信部１１ｄ，３１ａ、通信部１４ｄ，２４，３４ａ，４４ａ，５４ｂを介して、通信ポリシー設定情報として特定結果、制御情報に関する情報、監視対象情報に関する情報を取得する。
【０３６３】
次に、通信ポリシー設定部１６，２６，３６，４６，５６は、マルチキャスト送信対象装置を決定する。マルチキャスト送信対象装置を決定することは、情報をマルチキャスト送信する複数の提供情報受信手段を決定することになる。尚、制御情報、監視対象情報を送信する場合には、マルチキャスト送信対象装置の決定を行わなくてもよい。又、通信ポリシーの設定を提供情報の特定よりも前に行う場合には、まず、提供情報を送信するマルチキャスト送信対象装置を決定する。
【０３６４】
マルチキャスト送信対象装置は、提供情報、制御情報、監視対象情報、測定情報、位置情報、時間情報、配信サーバ４０ａ，４０ｂの通信部４４ａ，４４ｂと端末装置３０ａ〜３０ｅの通信部３４ａ，３４ｂとの間のネットワークの状況、配信サーバ４０ａ，４０ｂの通信部４４ａ，４４ｂと端末装置３０ａ〜３０ｅの通信部３４ａ，３４ｂとの間の通信リソースの状況、配信サーバ情報、端末情報、無線通信装置情報、管理サーバ情報、中継装置情報、中継制御装置情報、端末装置３０ａ〜３０ｅと無線通信装置１０ａ〜１０ｆとの関係、通信ポリシーの達成度、通信料金、要求されるリアルタイム性に基づいて決定することができる。
【０３６５】
例えば、まず、通信ポリシー設定部１６，２６，３６，４６，５６は、特定した提供情報や、送信する制御情報が同じ端末装置３０ａ〜３０ｅを、マルチキャスト送信対象装置の候補に決定する。そして、通信ポリシー設定部１６，２６，３６，４６，５６は、マルチキャスト送信対象装置の候補を、希望する通信ポリシーが類似する端末装置、性能が類似する端末装置、現在位置が近い端末装置、送信開始予定時刻が同じ端末装置毎に分けて、マルチキャスト送信対象装置を決定する。例えば、通信ポリシー設定部１６，２６，３６，４６，５６は、マルチキャスト送信対象装置を決定するための通信ポリシー、性能、位置の範囲を予め定めておき、同じ範囲に属する複数の端末装置を、マルチキャスト送信対象装置に決定できる。
【０３６６】
又、通信ポリシー設定部１６，２６，３６，４６，５６は、配信サーバ４０ａ，４０ｂの性能や負荷状況、処理状況に応じて、マルチキャスト送信対象装置の数を決定する。あるいは、通信ポリシー設定部１６，２６，３６，４６，５６は、提供情報や制御情報に応じて、予めマルチキャスト送信対象装置の数を定めておく。そして、通信ポリシー設定部１６，２６，３６，４６，５６は、マルチキャスト送信対象装置の候補を、決定した数や定められた数毎に分けて、マルチキャスト送信対象装置を決定する。
【０３６７】
又、通信ポリシー設定部１６，２６，３６，４６，５６は、通信ポリシーの達成度が低い端末装置を、マルチキャスト送信対象装置の候補から除き、所定の通信ポリシーの達成度を満たす端末装置３０ａ〜３０ｅを、マルチキャスト送信対象装置に決定する。例えば、通信ポリシー設定部１６，２６，３６，４６，５６は、マルチキャスト送信対象装置を決定するための通信ポリシーの達成度の閾値を予め定めておき、閾値以上の端末装置だけをマルチキャスト送信対象装置と決定する。
【０３６８】
又、提供情報や制御情報が、特定の領域に存在する端末装置３０ａ〜３０ｅに送信する情報の場合に、通信ポリシー設定部１６，２６，３６，４６，５６は、まず、特定の領域に存在する端末装置３０ａ〜３０ｅを、マルチキャスト送信対象装置の候補に決定する。そして、通信ポリシー設定部１６，２６，３６，４６，５６は、特定の領域に存在する端末装置３０ａ〜３０ｅの数が閾値を越える場合には、閾値を超える数の端末装置をマルチキャスト送信対象装置の候補から除き、閾値以下の端末装置３０ａ〜３０ｅを、マルチキャスト送信対象装置に決定する。
【０３６９】
尚、通信ポリシー設定部１６，２６，３６，４６，５６は、単に、特定した提供情報や、送信する制御情報が同じ端末装置３０ａ〜３０ｅや、特定の領域に存在する端末装置３０ａ〜３０ｅを、マルチキャスト送信対象装置に決定してもよい。通信ポリシー設定情報には、このようなマルチキャスト送信対象装置を決定する際に用いる情報や、決定したマルチキャスト送信対象装置やその数がある。
【０３７０】
このように、通信ポリシー設定部１６，２６，３６，４６，５６が、情報をマルチキャスト送信するマルチキャスト送信対象装置を決定することにより、決定したマルチキャスト送信対象装置にのみ提供情報を送信できる。
２．オブジェクト単位の決定
次に、通信ポリシー設定部１６，２６，３６，４６，５６は、特定した提供情報、制御情報、監視対象情報を区切るオブジェクト単位を決定する。又、通信ポリシーの設定を提供情報の特定よりも前に行う場合には、まず、提供情報を区切るオブジェクト単位を決定する。
【０３７１】
提供情報、制御情報、監視対象情報を区切るオブジェクト単位は、提供情報毎に定めておくことができる。例えば、提供情報が図１３に示す動画像データのストリーミング映像８ａと、テキストデータの説明文８ｂと、静止画像データの写真８ｃと、動画像データのストリーミング映像８ｄから構成されるホームページ８の場合には、オブジェクト単位として類型単位を定めておくことができる。提供情報毎に定められたオブジェクト単位は、例えば、提供情報データベース４２が記憶する。通信ポリシー設定部１６，２６，３６，４６，５６は、特定結果に含まれるコンテンツＩＤに基づいて、提供情報データベース４２から、特定した提供情報に対応するオブジェクト単位を取得して、決定する。この場合、オブジェクト単位は、配信サーバ４０ａ、４０ｂのような送信側が１つの通信ポリシーの設定を望む情報の単位となる。
【０３７２】
又、提供情報、制御情報、監視対象情報を区切るオブジェクト単位は、オブジェクト単位を決定するオブジェクト単位の決定規則に従って、決定するようにしてもよい。例えば、オブジェクト単位の決定規則には、提供情報に関する情報、制御情報に関する情報、監視対象情報に関する情報、マルチキャスト送信対象装置の数、測定情報、位置情報、時間情報、配信サーバ４０ａ，４０ｂの通信部４４ａ，４４ｂと端末装置３０ａ〜３０ｅの通信部３４ａ，３４ｂとの間のネットワークの状況、配信サーバ４０ａ，４０ｂの通信部４４ａ，４４ｂと端末装置３０ａ〜３０ｅの通信部３４ａ，３４ｂとの間の通信リソースの状況、配信サーバ情報、端末情報、無線通信装置情報、管理サーバ情報、中継装置情報、中継制御装置情報、端末装置３０ａ〜３０ｅと無線通信装置１０ａ〜１０ｆとの関係、通信ポリシーの達成度、通信料金、要求されるリアルタイム性に応じて、オブジェクト単位を決定する規則がある。例えば、オブジェクト単位の決定規則には、同時期に並行して送信する複数の提供情報に応じて、オブジェクト単位を決定する規則がある。
【０３７３】
オブジェクト単位の決定規則は、例えば、通信ポリシーデータベース１６ａ，２６ａ，３６ａ，４６ａ，５６ａが記憶する。そして、通信ポリシー設定部１６，２６，３６，４６，５６が、オブジェクト単位の決定規則に基づいて、用いるオブジェクト単位を決定する。この場合、オブジェクト単位は、オブジェクト単位の決定規則を定めた方が望む情報の単位となる。よって、オブジェクト単位の決定規則を送信側が定めた場合には、オブジェクト単位は送信側が１つの通信ポリシーの設定を望む情報の単位となり、受信側が定めた場合には、受信側が１つの通信ポリシーの設定を望む情報の単位となる。
【０３７４】
又、端末装置３０ａ〜３０ｅ、無線通信装置１０ｄ〜１０ｆ、管理サーバ２０、配信サーバ４０ａ，４０ｂ、中継制御装置５０ｂが希望するオブジェクト単位を用いてもよい。この場合、図５、図６に示した入力部３８ａが希望するオブジェクト単位を入力してもよく、ユーザ情報データベース１３，２３，４３，５３，６３、無線通信装置記憶部１９ｃ、管理サーバ情報記憶部２９ｃ、ユーザ情報記憶部３３、配信サーバ情報記憶部４９ｃ，４９ｅ、中継装置情報記憶部５９ｃが、希望するオブジェクト単位を記憶しておいてもよい。又、通信ポリシー設定部１６，２６，３６，４６，５６や、通知部３８，４５ｃが、用いるオブジェクト単位を希望してもよい。この場合、オブジェクト単位は、送信側や受信側が１つの通信ポリシーの設定を望む情報の単位となる。通信ポリシー設定情報には、このようなオブジェクト単位を決定する際に用いる情報や、決定したオブジェクト単位がある。
【０３７５】
３．通信ポリシーの設定
次に、通信ポリシー設定部１６，２６，３６，４６，５６は、通信ポリシーを、オブジェクト単位毎に設定する。
【０３７６】
通信ポリシー設定部１６，２６，３６，４６，５６は、特定した提供情報、制御情報、監視対象情報、マルチキャスト送信対象装置の数、測定情報、位置情報、時間情報、配信サーバ４０ａ，４０ｂの通信部４４ａ，４４ｂと端末装置３０ａ〜３０ｅとの間のネットワークの状況、配信サーバ４０ａ，４０ｂの通信部４４ａ，４４ｂと端末装置３０ａ〜３０ｅとの間の通信リソースの状況、配信サーバ情報、端末情報、無線通信装置情報、管理サーバ情報、中継装置情報、中継制御装置情報、端末装置３０ａ〜３０ｅの通信部３４ａ，３４ｂ又は無線通信部３１ａ，３１ｂと、無線通信装置１０ａ〜１０ｆの無線通信部１１ａ〜１１ｄとの関係、通信ポリシーの達成度、通信料金、要求されるリアルタイム性の少なくとも１つに基づいて、通信ポリシーを決定し、設定する。
【０３７７】
通信ポリシー設定情報には、通信ポリシーの設定に用いる情報がある。通信ポリシーの設定に用いる情報には、これらの特定した提供情報に関する情報、制御情報に関する情報、監視対象情報に関する情報、マルチキャスト送信対象装置の数、測定情報、位置情報、時間情報、配信サーバ４０ａ，４０ｂの通信部４４ａ，４４ｂと端末装置３０ａ〜３０ｅとの間のネットワークの状況、配信サーバ４０ａ，４０ｂの通信部４４ａ，４４ｂと端末装置３０ａ〜３０ｅとの間の通信リソースの状況、配信サーバ情報、端末情報、無線通信装置情報、管理サーバ情報、中継装置情報、中継制御装置情報、端末装置３０ａ〜３０ｅの通信部３４ａ，３４ｂ又は無線通信部３１ａ，３１ｂと、無線通信装置１０ａ〜１０ｆの無線通信部１１ａ〜１１ｄとの関係、通信ポリシーの達成度、通信料金、要求されるリアルタイム性、制御情報などがある。
【０３７８】
通信ポリシー設定部１６，２６，３６，４６，５６は、無線通信装置１０ｄ〜１０ｆ、管理サーバ２０、端末装置３０ａ、配信サーバ４０ａ、中継制御装置５０ｂが受信、監視、記憶、測定、入力などにより把握している通信ポリシーの設定に用いる情報に基づいて、通信ポリシーを決定し、設定できる。又、無線通信装置１０ｄ〜１０ｆ、管理サーバ２０、端末装置３０ａ，３０ｂ、配信サーバ４０ａ，４０ｂ、中継制御装置５０ｂは、監視、受信、記憶、測定、入力などにより把握している通信ポリシーの設定に用いる情報を、通信ポリシー設定部１６，２６，３６，４６，５６、通知部３８、５５を用いて、通信ポリシー設定情報として相互に通知しあうことができる。そして、通信ポリシー設定部１６，２６，３６，４６，５６は、無線通信装置１０ｄ、管理サーバ２０、端末装置３０ａ、配信サーバ４０ａが把握している通信ポリシーの設定に用いる情報と、通知された通信ポリシー設定情報を用いて、通信ポリシーを決定し、設定する。
【０３７９】
更に、通知部３８、５５は、通信ポリシー設定部１６，２６，３６，４６，５６に対して、通信ポリシーの設定を要求できる。そのため、通信ポリシー設定情報には、通信ポリシーの設定の要求もある。尚、通知部３８、５５は、通信ポリシーの設定の要求に、通信ポリシーの設定に用いる情報を含めてもよい。
【０３８０】
又、通信ポリシー設定部１６，２６，３６，４６，５６は、通知部３８、５５や、他の通信ポリシー設定部１６，２６，３６，４６，５６に、通信ポリシーの設定に用いる情報を要求できる。要求を受けた通知部３８、５５や他の通信ポリシー設定部１６，２６，３６，４６，５６は、要求に対する応答として、通信ポリシーの設定に用いる情報を返す。そのため、通信ポリシー設定情報には、このような要求、応答などの通信ポリシーの設定に用いる情報をやりとりするための情報もある。尚、通信ポリシー設定部１６，２６，３６，４６，５６、通知部３８、５５は、このようなやりとりを複数回繰り返してもよい。又、通信ポリシー設定部１６，２６，３６，４６，５６は、通知部３８、５５から、通信ポリシーの設定の要求を受けた際に、通信ポリシーの設定に用いる情報を要求してもよい。
【０３８１】
通信ポリシー設定部１６，２６，３６，４６，５６は、これらの通信ポリシーの設定に用いる情報と、通信ポリシーの設定規則や通信ポリシーの設定条件、決定したオブジェクト単位などに基づいて、オブジェクト単位毎に通信ポリシーを設定する。
【０３８２】
通信ポリシーの設定条件は、どのように通信ポリシーを決定し、設定するかを定めた条件である。通信ポリシーの設定条件には、優先する通信ポリシー設定項目、優先する通信ポリシーの設定に用いる情報を定めた条件がある。例えば、通信ポリシーの設定条件には、同期の確立を優先して通信ポリシーを決定し、設定する、通信品質を優先して通信ポリシーを決定し、設定する、通信スケジュールを優先して通信ポリシーを決定し、設定する、通信料金が希望する上限額以下になることを優先して通信ポリシーを決定し、設定する、提供情報を再生する際のデータ品質を優先して通信ポリシーを決定し、設定するといった条件がある。又、各通信ポリシー設定項目、各通信ポリシーの設定に用いる情報に優先度を設定した条件がある。例えば、通信ポリシー設定項目のうち、維持しなければならない項目ほど、高い優先度を設定する。
【０３８３】
通信ポリシーの設定条件は、通信ポリシーの設定に用いる情報と対応付けて、定められる。通信ポリシーの設定条件は、オブジェクト単位毎に定めてもよい。例えば、使用通信リソース量に応じて、通信ポリシーの設定条件を定める。通信ポリシー設定部１６，２６，３６，４６，５６は、通信ポリシーの設定に用いる情報に基づいて、合致する設定条件を選択する。例えば、通信ポリシー設定部１６，２６，３６，４６，５６は、マルチキャスト送信する情報の場合には、同期の確立を優先して通信ポリシーを決定し、設定するという設定条件を選択する。又、通信ポリシー設定部１６，２６，３６，４６，５６は、制御情報や監視対象情報の場合には、通信スケジュール、要求されるリアルタイム性、通信品質を優先して通信ポリシーを決定し、設定するという設定条件を選択する。
【０３８４】
通信ポリシー設定部１６，２６，３６，４６，５６は、選択した通信ポリシーの設定条件に基づいて、通信ポリシーを決定し、設定する。例えば、通信ポリシー設定部１６，２６，３６，４６，５６は、優先度が高い通信ポリシー設定項目を優先して、通信ポリシーを設定する。例えば、同期の確立の優先度が最も高く、通信料金の優先度が最も低い場合には、通信料金は高くなってもよいが、同期だけは確立できるように通信ポリシーを設定する。
【０３８５】
具体的には、通信ポリシー設定部１６，２６，３６，４６，５６は、選択した通信ポリシーの設定条件に基づいて、通信ポリシーの設定規則を選択する。即ち、通信ポリシー設定部１６，２６，３６，４６，５６は、設定条件で優先すると定められた通信ポリシー設定項目、通信ポリシーの設定に用いる情報を優先できる設定規則を選択する。例えば、通信ポリシー設定部１６，２６，３６，４６，５６は、設定規則によって設定される通信ポリシーの設定項目が、優先度の高い通信ポリシー設定項目と一致する設定規則や、優先度の高い通信ポリシー設定項目が高く設定できる設定規則を選択する。そして、通信ポリシー設定部１６，２６，３６，４６，５６は、選択した通信ポリシーの設定規則に基づいて、通信ポリシーを設定する。
【０３８６】
尚、通信ポリシーの設定条件は、予め定めておき、通信ポリシーデータベース１６ａ，２６ａ，３６ａ，４６ａ，５６ａが記憶する。又、設定条件制御部４６ｂ，５６ｂが、通信ポリシーの設定条件を制御してもよい。設定条件制御部４６ｂ，５６ｂは、監視情報に基づいて通信ポリシーの設定条件を制御する。このように、通信システム１、配信サーバ４０ａ、中継制御装置５０ｂは、設定条件制御部４６ｂ，５６ｂを備えることにより、通信ポリシーの設定条件を制御できる。又、通信ポリシー設定部１６，２６，３６，４６，５６が、設定条件に基づいて通信ポリシーを決定し、設定することにより、様々な設定条件に基づいた通信ポリシーの設定ができる。
【０３８７】
通信ポリシーの設定規則には、提供情報、制御情報、監視対象情報毎に定められた推奨通信ポリシーを設定するという規則がある。例えば、通信ポリシー設定部４６は、特定した提供情報のコンテンツＩＤに基づいて、提供情報データベース４２から特定した提供情報の推奨通信ポリシーを取得して、通信ポリシーを設定する。通信ポリシー設定部１６，２６，３６，５６は、配信サーバ４０ａ，４０ｂに、コンテンツＩＤを指定して推奨通信ポリシーを要求する。そして、通信ポリシー設定部１６，２６，３６，５６は、配信サーバ４０ａ，４０ｂから、通信ポリシー設定情報として推奨通信ポリシーを取得し、通信ポリシーを設定する。
【０３８８】
又、測定部１９ｄ，３２、入力部３８ａ、提供情報特定部３５、通信制御部３７ａ，３７ｂ、制御部４６ｃは、監視対象情報を取得した際や、制御情報を生成した際に、その推奨通信ポリシーを決定し、監視対象情報や制御情報に関する情報として、通信ポリシー設定部１６，３６，４６に入力する。そのため、通信ポリシー設定部１６，３６，５６は、取得した推奨通信ポリシーを、通信ポリシーを設定する。又、通信ポリシー設定部２６は、通信ポリシー設定情報として推奨通信ポリシーを取得し、通信ポリシーを設定する。
【０３８９】
例えば、通信ポリシー設定項目が通信プロトコルの場合、提供情報毎の推奨通信ポリシーとして、ＨＴＴＰ（Ｈｙｐｅｒ  Ｔｅｘｔ  Ｔｒａｎｓｆｅｒ  Ｐｒｏｔｏｃｏｌ）、ＲＴＰ（Ｒｅａｌ−ｔｉｍｅ  Ｔｒａｎｓｐｏｒｔ  Ｐｒｏｔｏｃｏｌ）、トンネリングプロトコル、ＴＣＰ（Ｔｒａｎｓｍｉｓｓｉｏｎ  Ｃｏｎｔｒｏｌ  Ｐｒｏｔｏｃｏｌ）、ＵＤＰ（Ｕｓｅｒ  Ｄａｔａｇｒａｍ  Ｐｒｏｔｏｃｏｌ）を定めることができる。
【０３９０】
又、通信ポリシーの設定規則には、過去に設定した通信ポリシーを設定するという規則がある。通信ポリシー設定部１６，２６，３６，４６，５６は、通信ポリシーデータベース１６ａ，２６ａ，３６ａ，４６ａ，５６ａから、過去の通信ポリシー設定項目と、その設定内容を取得し、通信ポリシーを設定する。例えば、通信ポリシーデータベース１６ａ，２６ａ，３６ａ，４６ａ，５６ａが、これまでに設定した通信ポリシーの履歴に関する情報として、過去の通信ポリシー設定項目と、その設定内容、その通信ポリシーの達成度とを対応付けて記憶する。そして、通信ポリシー設定部１６，２６，３６，４６，５６は、通信ポリシーデータベース１６ａ，２６ａ，３６ａ，４６ａ，５６ａから、通信ポリシーの達成度が良好な通信ポリシーの設定項目と設定内容を取得し、通信ポリシーとして設定する。
【０３９１】
更に、通信ポリシーの設定規則には、通信ポリシーの適用条件と、その適用条件毎に定められた通信ポリシーを設定するという規則がある。適用条件は、通信ポリシーの設定に用いる情報をパラメータとして定める。例えば、適用条件は、通信リソース、通信ポリシーの達成度、端末装置３０ａ，３０ｂの位置や移動速度、要求されるリアルタイム性、端末装置３０ａ，３０ｂが要求するデータ品質や通信品質、通信料金などをパラメータとして定める。又、適用条件は、オブジェクト単位毎に定めてもよい。通信ポリシー設定部１６，２６，３６，４６，５６は、通信ポリシーの設定に用いる情報に基づいて、その情報と合致する通信ポリシーの適用条件を選択する。そして、通信ポリシー設定部１６，２６，３６，４６，５６は、選択した適用条件を満たす場合に適用する通信ポリシーを設定する。
【０３９２】
例えば、情報がマルチキャスト送信する情報であるという適用条件と、その適用条件を満たす場合に適用する通信ポリシーを定めた設定規則がある。具体的には、情報がマルチキャスト送信する情報の場合、複数のマルチキャスト送信対象装置間で同期が確立するようにした通信ポリシーを設定するという設定規則がある。即ち、複数の提供情報受信手段間や制御情報受信手段間、監視対象情報受信手段間で同期が確立するように通信ポリシーを設定する。又、情報がマルチキャスト送信する情報の場合、複数のマルチキャスト送信対象装置間の調整を行った通信ポリシーを設定するという設定規則がある。即ち、複数の提供情報受信手段間、制御情報受信手段間、監視対象情報受信手段間で調整を行うことにより、通信ポリシーを設定する。更に、情報がマルチキャスト送信する情報の場合、複数のマルチキャスト送信対象装置の数に基づいて、通信ポリシーを設定するという設定規則がある。
【０３９３】
そのため、通信ポリシー設定部１６，２６，３６，４６，５６は、まず、送信開始予定時刻、送信完了予定時刻などの通信スケジュール、同期のタイミングなどの通信ポリシー設定項目について、複数のマルチキャスト送信対象装置間で一致させた通信ポリシーを設定し、同期が確立するようにする。このとき、通信ポリシー設定部１６，２６，３６，４６，５６は、複数のマルチキャスト送信対象装置間の調整を行うことにより、通信ポリシーを設定する。例えば、端末情報、ネットワークの状況、通信リソースの状況に基づいて、最も性能の低いマルチキャスト送信対象装置、最も負荷が高いマルチキャスト送信対象装置、最もトラヒック量が多いネットワークを使用しているマルチキャスト送信対象装置、最も使用可能な通信リソース量が少ないマルチキャスト送信対象装置にあわせて、送信開始予定時刻、送信完了予定時刻などの通信スケジュール、同期のタイミングを設定する。
【０３９４】
更に、通信ポリシー設定部１６，２６，３６，４６，５６は、複数のマルチキャスト送信対象装置の数に基づいて、通信ポリシーを設定する。例えば、マルチキャスト送信対象装置の数が多く、配信サーバ４０ａ，４０ｂや中継装置５０ａの負荷が大きくなる場合には、その負荷状況で配信サーバ４０ａ，４０ｂや中継装置５０ａが設定可能な通信スケジュールや同期のタイミングを設定する。
【０３９５】
次に、通信ポリシー設定部１６，２６，３６，４６，５６は、一致させた送信開始予定時刻、送信完了予定時刻などの通信スケジュール、同期のタイミングを実現するために、複数のマルチキャスト送信対象装置毎に、通信スケジュールや同期のタイミング以外の通信ポリシー設定項目について設定する。例えば、データ量が小さい場合、同じ帯域であっても送信所要時間は短くなる。そのため、通信ポリシー設定部１６，２６，３６，４６，５６は、例えば、送信完了予定時刻や同期のタイミングを一致させるために、使用する帯域が狭いマルチキャスト送信対象装置について、データ品質を低下させてデータ量を小さくするデータ変換を、通信ポリシーとして設定する。又、通信ポリシー設定部１６，２６，３６，４６，５６は、例えば、送信完了予定時刻や同期のタイミングを一致させるために、通信速度などを調整して、通信ポリシーを設定する。
【０３９６】
最後に、通信ポリシー設定部１６，２６，３６，４６，５６は、複数のマルチキャスト送信対象装置毎に、同期確立を目的とした通信ポリシー設定項目以外の通信ポリシー設定項目について設定してもよい。通信ポリシー設定部１６，２６，３６，４６，５６は、通信スケジュールや同期のタイミング以外の通信ポリシー設定項目や、同期確立を目的とした通信ポリシー設定項目以外の通信ポリシー設定項目について設定する場合にも、複数のマルチキャスト送信対象装置の数に基づいて通信ポリシーを設定できる。
【０３９７】
尚、例えば、データ量や使用する帯域が同程度で、一致させた送信開始予定時刻、送信完了予定時刻などの通信スケジュール、同期のタイミングを設定するだけで、同期を確立できる場合には、通信ポリシー設定部１６，２６，３６，４６，５６は、通信スケジュールや同期のタイミング以外の通信ポリシー設定項目について必ずしも設定する必要はない。又、通信ポリシー設定部１６，２６，３６，４６，５６は、フレームレートや通信速度、スループットなどの通信ポリシー設定項目についても、複数のマルチキャスト送信対象装置間で一致させるようにしてもよい。更に、通信ポリシー設定部１６，２６，３６，４６，５６は、マルチキャスト送信するオブジェクト間でも同期が確立するように通信ポリシーを設定してもよい。
【０３９８】
例えば、データ量が２Ｍバイト、データの欠落が全体の５％まで許容される画像データであるオブジェクト１と、データ量が５００ｋバイト、データの欠落が全く許容されない画像データであるオブジェクト２を、複数の端末装置３０ａ，端末装置３０ｂに、同時に並行してマルチキャスト送信する場合について説明する。この場合、通信ポリシー設定部１６，２６，３６，４６，５６は、複数の端末装置３０ａ，３０ｂにおける２つのオブジェクトの再生開始のタイミングと、再生完了のタイミングの同期を確立させるように、通信ポリシーを設定する。そのため、通信ポリシー設定部１６，２６，３６，４６，５６は、複数の端末装置３０ａ，３０ｂ間と、２つのオブジェクト間で同期を確立したマルチキャスト送信ができるように、通信ポリシーを設定する。
【０３９９】
例えば、通信ポリシー設定部１６，２６，３６，４６，５６は、端末装置３０ａにオブジェクト１を送信する際の通信ポリシーを、通信プロトコルとしてＵＤＰを用いる、通信速度を、ネットワークの輻輳率がＸ１以下の場合には１００ｋｂｐｓ、ネットワークの輻輳率がＸ１を越える場合には５０ｋｂｐｓとする、到達度を９５％、到達度を実現するために許容できる再送率を６０％、通信ポリシー達成度を５０％と設定する。端末装置３０ａにオブジェクト２を送信する際の通信ポリシーを、通信プロトコルとしてＵＤＰを用いる、通信速度を２０ｋｂｐｓとする、到達度を１００％、到達度を実現するために許容できる再送率を１００％、通信速度についての通信ポリシー達成度を９０％と設定する。同様に、端末装置３０ｂについても、オブジェクト１を送信する際の通信ポリシーとオブジェクト２を送信する際の通信ポリシーをそれぞれ設定する。
【０４００】
このように、通信ポリシー設定部１６，２６，３６，４６，５６が、複数のマルチキャスト送信対象装置間の調整行うことにより、通信ポリシーを決定し、設定する。そのため、複数のマルチキャスト送信対象装置全てが、マルチキャスト送信された提供情報を適切に受信できる。又、通信ポリシー設定部１６，２６，３６，４６，５６が、複数のマルチキャスト送信対象装置間で同期が確立するように通信ポリシーを決定し、設定する。そのため、通信システム１は、複数のマルチキャスト送信対象装置間の同期が確立したマルチキャスト送信を行うことができる。
【０４０１】
又、例えば、情報が制御情報や監視対象情報であるという適用条件と、その適用条件を満たす場合に適用する通信ポリシーを定めた設定規則がある。具体的には、情報が制御情報や監視対象情報の場合、通信スケジュール、要求されるリアルタイム性、通信品質などについて、通信ポリシーを設定するという設定規則がある。制御情報や監視対象情報は、適切な制御や監視を行うためには、遅延せずに正確に情報が届くことや、適切なタイミングで情報が届くことが必要となる。そのため、通信ポリシー設定部１６，２６，３６，４６，５６は、通信スケジュール、要求されるリアルタイム性、通信品質などについて、通信ポリシーを設定することが好ましい。例えば、通信ポリシー設定部１６，２６，３６，４６，５６は、例えば、要求されるリアルタイム性を高く、送信開始予定時刻や送信完了時刻を早く、遅延時間を小さく、通信速度を大きく、誤り率や再送率、欠損率やパケット破棄率を低く、到達度を高くした通信ポリシーを設定することが好ましい。
【０４０２】
具体的には、通信ポリシー設定部１６，２６，３６，４６，５６は、制御情報や監視対象情報の要求されるリアルタイム性が設定されていない場合には、重要度などの制御情報や監視対象情報に関する情報に基づいて、要求されるリアルタイム性を設定する。そして、通信ポリシー設定部１６，２６，３６，４６，５６は、要求されるリアルタイム性毎に定められた許容遅延時間、通信速度、送信開始予定時刻や送信完了予定時刻を設定する。又、通信ポリシー設定部１６，２６，３６，４６，５６は、重要度や要求されるリアルタイム性などの制御情報や監視対象情報に関する情報に基づいて、欠損率やパケット破棄率、到達度を設定する。
【０４０３】
又、例えば、通信ポリシー設定項目が要求されるリアルタイム性である場合、送信開始時刻、送信完了時刻、送信開始から完了までの送信所要時間、許容遅延時間、移動速度をパラメータとする複数の適用条件と、各適用条件を満たす場合に適用する要求されるリアルタイム性を定めた設定規則がある。設定規則は、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ量が大きいほど、要求されるリアルタイム性が高くなるように定められる。
【０４０４】
又、通信ポリシー設定項目が通信品質やデータ品質である場合、データの種類や位置情報をパラメータとする複数の適用条件と、各適用条件を満たす場合に適用する通信品質やデータ品質を定めた設定規則がある。例えば、建物内にいる場合と屋外にいる場合、イベント会場内とその外にいる場合で、適用するデータ品質や通信品質を変えた設定規則を定めることができる。具体的には、建物内では通信状況が屋外に比べて良好でないため、データ品質を屋外よりも低く設定する。又、イベント会場内では、多くの端末装置３０ａ〜３０ｅに同時に提供情報を送信するため、各端末装置３０ａ〜３０ｅに提供情報を送信できるように個々のデータ品質をイベント会場外よりも低く設定する。
【０４０５】
又、通信ポリシー設定項目が帯域である場合、端末装置３０ａ〜３０ｅの移動速度をパラメータとする複数の適用条件と、各適用条件を満たす場合に適用する帯域を定めた設定規則がある。例えば、提供情報、監視対象情報が無線通信装置１０ａ〜１０ｆの位置情報に基づく情報の場合、端末装置３０ａ〜３０ｅが無線通信装置１０ａ〜１０ｆから離れてしまうと、その提供情報、監視対象情報の必要性は低くなる。そのため、移動速度が大きいほど、大きい帯域となるように設定規則を定めることができる。又、提供情報、制御情報、監視対象情報を送信する時間をパラメータとする複数の適用条件と、各適用条件を満たす場合に適用する通信ポリシーを定めた設定規則としてもよい。
【０４０６】
以下に、通信ポリシー設定項目が通信速度である場合の３つの具体例を示す。図１４に示す通信ポリシーの設定規則は、輻輳状況、通信リソースの使用状況、通信ポリシーの達成度、端末装置３０ａ〜３０ｅの存在する緯度、経度をパラメータとする適用条件１と、その適用条件１を満たす場合に適用する通信ポリシー１として通信速度を定めたものである。通信ポリシー設定部１６，２６，３６，４６，５６は、通信ポリシーの設定に用いる情報として、輻輳状況、通信リソースの使用状況、通信ポリシーの達成度、緯度、経度を取得する。通信ポリシー設定部１６，２６，３６，４６，５６は、取得した情報と適用条件１とを比較し、合致するか判断する。
【０４０７】
通信ポリシー設定部１６，２６，３６，４６，５６は、取得した輻輳状況がａ１以上ａ２未満、取得した通信リソースの状況がｂ１以上ｂ２未満、通信ポリシーの達成度がｃ１以上ｃ２未満、緯度がｄ１以上ｄ２未満、経度がｅ１以上ｅ２未満の場合には、取得した情報と適用条件１とが合致するため、この適用条件１を選択する。そして、通信ポリシー設定部１６，２６，３６，４６，５６は、選択した適用条件１を満たす場合に適用する通信ポリシー１として定められた２８．８ｋｂｐｓ以上６４ｋｂｐｓ未満という通信速度を、通信ポリシーとして設定する。一方、取得した情報と適用条件１とが合致しない場合には、適用条件１を満たす場合に適用する通信ポリシー１として定められた通信ポリシーを、設定することはできない。
【０４０８】
又、図１５に示す通信ポリシーの設定規則は、ネットワークのトラヒックをパラメータとする適用条件２、３と、その適用条件２、３を満たす場合に適用する通信ポリシー２、３として、通信速度の決定規則と、通信速度を定めたものである。図１５では、トラヒックをネットワークの使用率で表す。通信ポリシー設定部１６，２６，３６，４６，５６は、通信ポリシーの設定に用いる情報として、ネットワークのトラヒックを取得する。通信ポリシー設定部１６，２６，３６，４６，５６は、取得したネットワークのトラヒックに基づいて、合致する通信ポリシーの適用条件を選択する。
【０４０９】
通信ポリシー設定部１６，２６，３６，４６，５６は、取得したネットワークのトラヒックが１０％以上４０％未満の場合には、適用条件２と合致するため、適用条件２を選択する。そして、通信ポリシー設定部１６，２６，３６，４６，５６は、適用条件２を満たす場合に適用する通信ポリシー２として定められた通信速度の決定規則を通信ポリシーとして設定する。通信速度の決定規則は、リアルタイムタイム性がｆ１以上ｆ２未満、通信ポリシーの達成度がｇ１以上ｇ２未満、緯度がｈ１以上ｈ２未満、経度がｉ１以上ｉ２未満、輻輳状況がｊ１以上ｊ２未満、通信リソースの使用状況がｋ１以上ｋ２未満の場合には、通信速度を２８．８ｋｂｐｓ以上６４ｋｂｐｓ未満の範囲内で決定するという規則である。
【０４１０】
又、通信ポリシー設定部１６，２６，３６，４６，５６は、取得したネットワークのトラヒックが５０％以上６０％未満の場合には、適用条件３と合致するため、適用条件３を選択する。そして、通信ポリシー設定部１６，２６，３６，４６，５６は、適用条件３を満たす場合に適用する通信ポリシー３として定められた通信速度１００ｋｂｐｓを通信ポリシーとして設定する。
【０４１１】
又、図１６に示す通信ポリシーの設定規則は、輻輳状況、通信リソース使用料、要求されるリアルタイム性、通信ポリシーの達成度、端末装置３０ａ〜３０ｅの存在する緯度、経度、端末装置３０ａ〜３０ｅが進行する方位、端末装置３０ａ〜３０ｅの移動速度をパラメータとする適用条件４〜６と、その適用条件を満たす場合に適用する通信ポリシー４〜６として、通信速度の決定規則と、通信速度を定めたものである。図１６では、輻輳状況を、最も輻輳度が高いときを１００として表す。又、要求されるリアルタイム性を、最も要求されるリアルタイム性が高い場合を１００として表す。又、通信ポリシーの達成度を、完全に達成できた場合を１００として表す。
【０４１２】
通信ポリシー設定部１６，２６，３６，４６，５６は、通信ポリシーの設定に用いる情報として、輻輳状況、通信リソース使用料、要求されるリアルタイム性、通信ポリシーの達成度、端末装置３０ａ〜３０ｅの存在する緯度、経度、端末装置３０ａ，３０ｂが進行する方位、端末装置３０ａ〜３０ｅの移動速度を取得する。通信ポリシー設定部１６，２６，３６，４６，５６は、取得した輻輳状況、通信リソース使用料金、要求されるリアルタイム性、通信ポリシーの達成度、緯度、経度、方位、移動速度に基づいて、合致する通信ポリシーの適用条件を選択する。尚、通信リソース使用料金とは、通信リソースの使用にかかる料金である。
【０４１３】
通信ポリシー設定部１６，２６，３６，４６，５６は、取得した輻輳状況が５０未満、通信リソース使用料金が２円／バイト以上４円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件４と合致するため、適用条件４を選択する。そして、通信ポリシー設定部１６，２６，３６，４６，５６は、適用条件４を満たす場合に適用する通信ポリシー４として定められた通信速度２００ｋｂｐｓ以上３８４ｋｂｐｓ未満を通信ポリシーとして設定する。
【０４１４】
又、通信ポリシー設定部１６，２６，３６，４６，５６は、取得した輻輳状況が５０以上７０未満、通信リソース使用料金が２円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件５と合致するため、適用条件５を選択する。そして、通信ポリシー設定部１６，２６，３６，４６，５６は、適用条件５を満たす場合に適用する通信ポリシー５として定められた通信速度１００ｋｂｐｓ以上２００ｋｂｐｓ未満を通信ポリシーとして設定する。
【０４１５】
又、通信ポリシー設定部１６，２６，３６，４６，５６は、取得した輻輳状況、通信リソース使用量、要求されるリアルタイム性、通信ポリシーの達成度、緯度、経度、方位、移動速度が、適用条件４、５のいずれとも合致しない場合には、適用条件６を選択する。そして、通信ポリシー設定部１６，２６，３６，４６，５６は、適用条件６を満たす場合に適用する通信ポリシー６として定められた通信速度６４ｋｂｐｓ以下を通信ポリシーとして設定する。尚、初回は通信ポリシーの達成度はないため、通信ポリシーの達成度は考慮せずに適用条件を選択する。
【０４１６】
このように、通信ポリシーの適用条件を定めて通信ポリシーを設定することにより、通信ポリシー設定部１６，２６，３６，４６，５６は、適用条件を満たせない場合には、その通信ポリシーを設定することはできない。よって、通信ポリシー設定部１６，２６，３６，４６，５６は、通信ポリシーの適用を制限することができる。
【０４１７】
又、通信ポリシーの設定規則には、設定する通信ポリシーを求める通信ポリシー算出規則により求められる通信ポリシーを設定するという規則がある。通信ポリシー算出規則は、通信ポリシーの設定に用いる情報をパラメータとして定める。又、通信ポリシー算出規則は、オブジェクト単位毎に定めてもよい。例えば、通信ポリシー算出規則には、特定した提供情報、制御情報や監視対象情報が特定の領域内でのみ送信する情報である場合に、提供情報、制御情報や監視対象情報のデータ量やデータ品質などの提供情報、制御情報や監視対象情報に関する情報、端末装置３０ａ〜３０ｅの現在位置、移動速度、ネットワークのトラヒック、通信リソースの状況に基づいて、端末装置３０ａ〜３０ｅが特定の領域内に存在する間に、提供情報、制御情報や監視対象情報の送信を開始し、完了する通信スケジュールを求める規則がある。同様に、通信ポリシー算出規則には、無線通信装置１０ｄ〜１０ｆが提供情報、制御情報や監視対象情報を中継して端末装置３０ａ〜３０ｅに送信する場合に、提供情報、制御情報や監視対象情報のデータ量やデータ品質などの提供情報、制御情報や監視対象情報に関する情報、端末装置３０ａ〜３０ｅと無線通信装置１０ｄ〜１０ｆとの相対速度、ネットワークのトラヒック、通信リソースの状況に基づいて、端末装置３０ａ〜３０ｅが無線通信装置１０ｄ〜１０ｆと通信可能な間に、提供情報、制御情報や監視対象情報の送信を開始し、完了する通信スケジュールを求める規則がある。
【０４１８】
又、通信ポリシー算出規則には、例えば、設定する通信ポリシーを求める関数（以下「通信ポリシー設定関数」という）がある。例えば、通信ポリシーの設定項目が要求されるリアルタイム性の場合の通信ポリシー設定関数には、以下に示す（１）式がある。
【０４１９】
要求されるリアルタイム性＝｛Ｘ（１）×Ｐ１×未送信データ量／（送信開始予定時刻―現在時刻）｝＋｛Ｘ（２）×Ｐ２×未送信データ量／現在の送信完了予定時刻｝＋｛Ｘ（３）×Ｐ３×未送信データ量／送信完了までの所要予定時間｝＋｛Ｘ（４）×Ｐ４×未送信データ量／通信速度｝＋｛Ｘ（５）×Ｐ５×未送信データ量／許容遅延時間｝＋｛Ｘ（６）×Ｐ６×未送信データ量／許容ジッター｝＋｛Ｘ（７）×Ｐ７×未送信データ量／課金単価｝・・・（１）式
尚、（１）式において、｛Ｘ（１）×Ｐ１×未送信データ量／（送信開始予定時刻―現在時刻）｝の分母は、（送信完了予定時刻の初期値―現在時刻）であってもよい。又、係数Ｐ１〜Ｐ７は、各項目に与える未送信データ量の影響度である。Ｘ（１）〜Ｘ（７）は、要求されるリアルタイム性を評価する際の各項目に対する重み付けであり、各項目の係数である。Ｘ（１）〜Ｘ（７）は、（２）式に示す関数ｇ｛ａ，ｂ，ｃ，ｄ，ｅ，ｆ｝により求められる。
【０４２０】
Ｘ（ｍ）＝ｇ｛ａｍ（通信ポリシーの達成度）、ｂｍ（端末装置の移動速度）、ｃｍ（端末装置の位置情報）、ｄｍ（通信リソースの状況）、ｅｍ（ネットワークのトラヒックの状況）、ｆｍ（課金総額）｝・・・（２）式
尚（２）式において、ｍ＝１〜７である。ａｍ，ｂｍ，ｃｍ，ｄｍ，ｅｍ，ｆｍは、各項目の影響度である。又、（２）式は、通信ポリシーの設定項目が通信速度の場合の通信ポリシー設定関数としても用いることができる。
【０４２１】
（１）式に示す要求されるリアルタイム性の中の、Ｘ（１）×Ｐ１×未送信データ量／（送信完了予定時刻―現在時刻）の示す意味について説明する。分母にくる項目は、その項目が大きくなるにしたがって、要求されるリアルタイム性が小さくなるような項目とし、分子に記載している項目は、その項目値が大きくなるにしたがって、要求されるリアルタイム性が大きくなる項目とする。したがって、未送信データ量が多いほど、要求されるリアルタイム性は大きくなる。
【０４２２】
例えば、要求されるリアルタイム性を提供すべき通信帯域で判定する場合について説明する。オブジェクト単位に送信完了時刻を設定した場合、送信完了予定時刻が現在時刻との差分が大きいほど、要求されるリアルタイム性（データの着信を求める緊急度）は小さいと考える。差分が大きいということは、それだけ送信に費やすことのできる時間が多いため、データの送信のために必要とする通信帯域はそれだけ小さくて済む。また、オブジェクトのデータサイズが大きいほど、決められた時間までに送信しなければならないデータ量が多いことになるため、それだけ要求される通信帯域が大きくなる。したがって、オブジェクトのデータサイズが大きいほど要求されるリアルタイム性は大きくなる。この場合、要求されるリアルタイム性は、オブジェクトデータの送信時に要求される通信帯域によってあらわすことができ、しかも要求される通信帯域は、オブジェクトの未送信データ量／（送信完了予定時刻―現在時刻）により算出される。
【０４２３】
したがって、送信処理がネットワークの輻輳や通信リソースの使用状況、負荷状況が悪化して、オブジェクトの送信処理が予定通り（配信スケジュール通り）に進まなくなった場合、未送信データが予定以上に多く残り、送信処理を完了させなければならない送信完了予定時刻と現在時刻の差分がさらに小さくなってくることになるため、オブジェクトの未送信データの送信処理に対して要求されるリアルタイム性はなおいっそう高くなる。
【０４２４】
このような場合、要求されるリアルタイム性が次第に高くなってくるため、送信完了予定時刻を優先して守るという通信ポリシーを採用している場合、要求される通信帯域を割り当ててもらえる通信サービスでそのサービスの利用にあたっての通信リソースに空きがあれば、同送信サービスに段階的に切り替えて、通信料金が高くなるけれど要求されるリアルタイム性に応じた通信帯域を割り当てることにより、送信完了予定時刻を死守するような制御を行う。同送信サービスに通信リソースの空きがない場合は、さらに高額でサービス利用にあたっての通信リソースに空きがある送信処理サービスを策定することになる。
【０４２５】
通信ポリシーに通信料金に関する制約ルールとして、１パケットあたりの送信単価の上限を設けている場合、上限の送信単価にて利用できる通信帯域が、要求されるリアルタイム性を満足することのできる通信帯域を割り当てることができないため、このような場合、送信完了予定時刻を変更するか、送信オブジェクトのデータのデータ品質を制御して未送信データ量を低減して当初の送信完了予定時刻にオブジェクトの送信処理が完了するような配信（送信）制御を行う。このような対処法も通信ポリシーとして設定しておくことになるが、動的に対処法を通信ポリシーに加えてもよい。
【０４２６】
また、送信単価等の通信費を考慮しない場合は、通信費の上限という制約はなくなるが、要求されるリアルタイム性に相応の通信帯域を割り当てることのできる送信システムの空き状況を判定して、割り当てる通信帯域を制御する。
【０４２７】
ユーザの指示する配信期限、配信期間、配信開始等の要求に応じて通信ポリシーを設定し、同通信ポリシーに応じて、上記観測情報（ユーザ端末の位置情報、タグ（無線通信装置）の位置情報、通信ポリシー達成度、ネットワークの輻輳（トラヒック）状況、通信リソースの使用状況、送信データの要求されるリアルタイム性、時刻、ユーザ状態）を考慮して、配信（送信）制御を行う。
【０４２８】
ネットワーク監視者の判断に基づいて、ネットワークトラヒック、通信リソースの使用状況、ネットワーク／通信設備の負荷を負荷分散するような配信（送信）制御を通信ポリシーにしたがって、送信データの要求されるリアルタイム性を考慮の上実施する。
【０４２９】
また、ユーザの位置、通話中、会議中、移動中、あるエリア内にいる、あるタグの交信エリア内、移動機の交信エリア圏内、等のユーザの状態に応じた通信ポリシーを設定しておき、ユーザ状態に応じて、適宜適用する通信ポリシーを選択し、アクセス／提供するサービス内容、サービス品質、コンテンツを決定し、選択した通信ポリシーにしたがって配信（送信）制御する。ユーザの状態に応じて、例えば配信を停止し、ユーザの状態が変化したら送信を開始するといった通信ポリシーを設定し、データの要求されるリアルタイム性を考慮して、通信ポリシーを適用して送信制御を行う。
【０４３０】
配信予約に対して、ネットワークから取得可能なコンテンツを、ユーザ状態（通話中、待ち受け中、位置、同時アクセスしているコンテンツの数、移動機の通信リソースの使用状況、パケット通信により送受信している単位時間あたりのデータ量等）に応じて、サービス内容、サービス品質を決定して、通信ポリシーにしたがって送信制御する。
【０４３１】
通話中である場合は、通話が終了した後にデータを配信するもの、通話中に同時的に配信するコンテンツ等を予め通信ポリシーに登録して送信制御を行う。ユーザ端末の位置に応じて、配信するコンテンツ、適用する通信ポリシー、通信ポリシーの適用制限、サービス品質制限、送信するデータの要求されるリアルタイム性等を考慮して制御する。
【０４３２】
また、通信ポリシーとして、ネットワーク（通信路）設備、通信リソース、の閑散な使用状況を狙い撃ちした利用を指定した通信ポリシーを予約設定することにより、ネットワークリソース、通信リソースの有効利用を実現することができる。
【０４３３】
ユーザからの非リアルタイムコンテンツの配信要求に対しても、通信ポリシーを設定することにより、効果的な配信を実現することができる。特に、ユーザが配信要求する非リアルタイムコンテンツの要求されるリアルタイム性を考慮した配信制御を行うことにより、ユーザにストレスを感じさせることなく、ネットワークリソース、設備を効率的に使用したコンテンツの配信制御ができる。
【０４３４】
通信ポリシーのポリシー設定項目として、いつでもよいとか（送信完了期限を指定しない）、送信完了期限、配信期間等を、ネットワークの閑散時間帯を優先するように（ネットワークトラヒック量がある値以下のとき）、統計的トラヒックデータと指定された配信時期（配信開始完了、配送期間の要求／要望）にしたがって、ネットワークのトラヒック状況と通信リソースの使用状況、と配信データの要求されるリアルタイム性（配信完了期限を設定時に考慮する必要が発生する）を考慮して配信（送信）制御を行う。
【０４３５】
リアルタイム性を要求する度合いに応じて、通信リソースを割り当て、ＱｏＳを保証することでサービスを展開することになるが、まったくリアルタイム性が要求されない非リアルタイム性コンテンツについては、他のユーザが使用時に提供される通信品質、コンテンツ品質に制限を加えないように、遊休の通信リソースを優先して割り当てを行う。他のユーザからのリソースの予約要求が発生して、通信リソースが枯渇してくると、非リアルタイム性コンテンツは、通信リソースを一時解放して、リアルタイム性コンテンツ（データ）に、同コンテンツ（データ）の要求されるリアルタイム性に応じて通信リソースを提供する。通信リソースに空きができたときにのみ、通信リソースを割り当てて、コンテンツの送信を行うといった通信ポリシーが有効である。
【０４３６】
また、通信ポリシー設定部１６，２６，３６，４６，５６は、端末装置３０ａ〜３０ｅの位置、情報ほしさの緊急度、要求するサービス品質、通話中、会議中、休憩中、食事中、デスクワーク中、移動中、移動速度、あるエリア（建物、店舗、会場、スタジアム、ある特別に定めた領域等）内にいる、あるタグの交信エリア内、移動機の交信エリア圏内、端末装置の処理負荷状況／リソースの空き状況の等のユーザの状態に応じて、また、無線通信装置の  位置、情報ほしさの緊急度、要求するサービス品質、交信可能エリア内のユーザの数、情報提供ユーザ数、発生している送信トラヒック状況、処理負荷状況等の状態に応じて、コンテンツのコンテンツ内容（サービス内容）、データ品質（サービス品質）、コンテンツの送信時に適用する通信品質を、ネットワークのトラヒック状況（輻輳状況）、通信リソースの使用状況、配信データの要求されるリアルタイム性、通信ポリシー達成状況、等を考慮して決定する。
【０４３７】
又、通信ポリシーの設定規則には、オブジェクトの階級を決定し、その階級に応じた通信ポリシーを設定するという規則がある。階級は、通信ポリシーの設定に用いる情報に基づいて定めることができる。階級毎に設定可能な通信ポリシー設定項目とその設定内容を、階級別通信ポリシーとして予め定めておく。そして、通信ポリシー設定部１６，２６，３６，４６，５６は、通信ポリシーの設定に用いる情報に基づいて、階級を決定する。通信ポリシー設定部１６，２６，３６，４６，５６は、決定した階級以下の階級別通信ポリシーを、通信ポリシーとして設定する。
【０４３８】
更に、通信ポリシーの設定規則には、適用可能な通信ポリシーを制限する制限条件に従って、通信ポリシーを設定するという規則がある。制限条件は、通信ポリシーの設定に用いる情報をパラメータとして定めることができる。例えば、制限条件は、端末装置３０ａ〜３０ｅや無線通信装置１０ａ〜１０ｆの位置や存在する領域などの位置情報、時間情報、監視情報、タググループＩＤや端末グループＩＤなどの無線通信装置情報や端末情報などをパラメータとして定める。例えば、端末装置３０ａ〜３０ｅの存在する領域に応じて、適用可能な通信ポリシーを制限する制限条件を定める。又、制限条件は、オブジェクト単位毎に定めることができる。更に、制限条件は、適用可能な通信ポリシーを直接制限する条件だけでなく、通信ポリシーの設定に用いる適用条件や通信ポリシー算出規則の使用を制限する条件を定めてもよい。又、制限条件は、その制限する程度についても定めてもよい。
【０４３９】
通信ポリシー設定部１６，２６，３６，４６，５６は、通信ポリシーの設定に用いる情報や決定したオブジェクト単位に基づいて、該当する制限条件の有無を判断する。そして、通信ポリシー設定部１６，２６，３６，４６，５６は、該当する制限条件がある場合には、その制限条件を満たすように通信ポリシーを設定する。このように、通信ポリシーの制限条件を定めて通信ポリシーを設定することにより、通信ポリシー設定部１６，２６，３６，４６，５６は、通信ポリシーの適用を制限することができる。
【０４４０】
又、通信ポリシー設定部１６，２６，３６，４６，５６は、これらの通信ポリシーの設定規則を複数組み合わせて、通信ポリシーを設定することが好ましい。例えば、通信ポリシー算出規則と通信ポリシー制限条件とを組み合わせた場合、通信ポリシー設定部１６，２６，３６，４６，５６は、通信ポリシー算出規則に、通信ポリシー制限条件と、端末装置３０ａ〜３０ｅが希望するデータ品質や変換方法、通信料金と、無線通信装置情報と、測定情報と、監視情報と、時間情報とを代入して、設定する通信ポリシーを求める。
【０４４１】
この場合、例えば、通信ポリシー設定部１６，２６，３６，４６，５６は、希望するデータ品質として、複数のオブジェクトから構成される提供情報や監視対象情報を再生する際の提供情報の表示サイズ、表示開始時刻、表示時間やその許容遅延時間、フレームレート、解像度、複数の提供情報や監視対象情報を連続して表示する場合の表示順序、複数の提供情報や監視対象情報を同時に表示する場合の配列、同期のタイミングやそのずれの許容値などを代入する。
【０４４２】
通信ポリシー設定部１６，２６，３６，４６，５６は、希望する変換方法として、データの圧縮方法、データ品質の変換方法を代入する。通信ポリシー設定部１６，２６，３６，４６，５６は、希望する通信料金として、支払ってもよいと考える料金の上限値、料金算出規則を代入する。通信ポリシー設定部１６，２６，３６，４６，５６は、無線通信装置情報として、無線通信装置１０ａ〜１０ｆの位置情報、測定情報としてある領域に存在する無線通信装置１０ａ〜１０ｆや端末装置３０ａ〜３０ｅの数、無線通信装置１０ａ〜１０ｆや端末装置３０ａ〜３０ｅの移動速度、監視情報として、ある領域における現在のトラヒック量や使用通信リソース量、現在又は過去のネットワーク全体のトラヒック量や使用通信リソース量、通信ポリシー達成度、誤り率、再送率、パケット破棄率、時間情報として提供情報の利用時間を代入する。
【０４４３】
尚、通信ポリシーの設定規則は、予め定めておき、通信ポリシーデータベース１６ａ，２６ａ，３６ａ，４６ａ，５６ａが記憶する。又、設定条件制御部４６ｂ，５６ｂが、通信ポリシーの設定規則を制御してもよい。設定条件制御部４６ｂ，５６ｂは、監視情報に基づいて通信ポリシーの設定規則を制御する。
【０４４４】
次に、通信ポリシー設定部１６，２６，３６，４６，５６は、設定した通信ポリシーを実行できるか否かを判断する。通信ポリシー設定部１６，２６，３６，４６，５６は、通信ポリシーの設定に用いる情報に基づいて判断する。例えば、通信ポリシー設定部１６，２６，３６，４６，５６は、現在の通信リソースの状況に基づいて、設定した通信ポリシーを実行するために必要な通信リソースを確保できるか否かを判断する。そして、通信ポリシー設定部１６，２６，３６，４６，５６は、必要な通信リソースを確保できない場合には、設定した通信ポリシーを実行できないと判断し、必要な通信リソースを確保できる場合には、設定した通信ポリシーを実行できると判断する。
【０４４５】
通信ポリシー設定部１６，２６，３６，４６，５６は、設定した通信ポリシーを実行できないと判断した場合には、異なる通信ポリシーを更に設定する。このとき、最初に設定した通信ポリシーを第１通信ポリシーといい、更に設定した通信ポリシーを第２通信ポリシーという。通信ポリシー設定部１６，２６，３６，４６，５６は、通信ポリシーの設定規則を用いて、第１通信ポリシーに基づいて第２通信ポリシーを設定する。
【０４４６】
具体的には、通信ポリシー設定部１６，２６，３６，４６，５６は、第１通信ポリシーが実行できない原因を解消した第２通信ポリシーを設定する。そして、通信ポリシー設定部１６，２６，３６，４６，５６は、実行可能な第２通信ポリシーを設定する。例えば、通信リソースが不足しているために第１通信ポリシーが実行できなかった場合には、通信ポリシー設定部１６，２６，３６，４６，５６は、第１通信ポリシーよりも少ない通信リソースで足りるような通信ポリシーを設定する。又、通信ポリシー設定部１６，２６，３６，４６，５６は、第１通信ポリシーの設定の際に要求されていた条件を可能な限り満たす第２通信ポリシーを設定する。例えば、通信ポリシー設定部１６，２６，３６，４６，５６は、通信料金の希望上限額、提供してもよい通信リソース、要求する品質、要求されるリアルタイム性などを満たす第２通信ポリシーを設定する。
【０４４７】
例えば、図１６に示した通信ポリシー４を実行するためには、通信リソース量が全通信リソース量の１０％必要であり、通信ポリシー５を実行するためには５％必要であり、通信ポリシー６を実行するためには２％必要であるとする。又、設定した通信ポリシーが通信ポリシー４であり、現在の使用通信リソース量が９３％であるとする。通信ポリシー設定部１６，２６，３６，４６，５６は、現在の空き通信リソース量７％と、通信ポリシー４の実行に必要な通信リソース量１０％を比較して、設定した通信ポリシーを実行できるか否かを判断する。
【０４４８】
通信ポリシー設定部１６，２６，３６，４６，５６は、通信ポリシー４を実行するために必要な通信リソース量を確保できず、通信ポリシー４を実行できないと判断する。そして、通信ポリシー設定部１６，２６，３６，４６，５６は、通信ポリシー４を第１通信ポリシーとする。更に、通信ポリシー設定部１６，２６，３６，４６，５６は、必要な通信リソース量が５％であり、現在の空き通信リソース量７％で実行できる通信ポリシー５を、第２通信ポリシーとして設定する。
【０４４９】
一方、通信ポリシー設定部１６，２６，３６，４６，５６が、設定した通信ポリシーを実行できると判断した場合には、通信ポリシーは最初に設定した１つだけとなる。尚、通信ポリシー設定部１６，２６，３６，４６，５６は、最初に設定した通信ポリシーを実行できると判断した場合であっても、最初に設定した通信ポリシーを第１通信ポリシーとし、更に、第２通信ポリシーを設定してもよい。この場合、第２通信ポリシーとして、第１通信ポリシーよりも、例えば、通信品質や要求されるリアルタイム性が低い通信ポリシーを設定してもよく、高い通信ポリシーを設定してもよい。又、通信ポリシー設定部１６，２６，３６，４６，５６は、設定した通信ポリシーを実行できないと判断した場合に、最初に設定した通信ポリシーの設定を解除し、新たに異なる通信ポリシーを１つ設定してもよい。即ち、通信ポリシー設定部１６，２６，３６，４６，５６は、通信ポリシーを設定しなおしてもよい。
【０４５０】
４．達成目標値の設定
次に、通信ポリシー設定部１６，２６，３６，４６，５６は、オブジェクト単位毎に、設定した通信ポリシーを達成する目標値（以下「達成目標値」という）を設定する。通信ポリシー設定部１６，２６，３６，４６，５６は、通信ポリシーの設定に用いる情報に基づいて達成目標値を設定する。例えば、通信ポリシー設定部１６，２６，３６，４６，５６は、通信リソースの状況、ネットワークの状況、処理サーバ６０、配信サーバ４０ａ，４０ｂ、中継装置５０、管理サーバ２０、無線通信装置１０ｃ，１０ｄ、端末装置３０ａ，３０ｂの付加状況、処理状況に基づいて、達成目標値を設定する。
【０４５１】
通信ポリシー設定部１６，２６，３６，４６，５６は、達成目標値を、具体的な数値で設定してもよく、割合で設定してもよい。例えば、通信ポリシー設定項目が通信速度であり、設定した通信ポリシーが２８．８ｋｂｐｓ以上６４ｋｂｐｓ未満の場合に、通信ポリシー設定部１６，２６，３６，４６，５６は、達成目標値を平均通信速度３０ｋｂｐｓ以上と設定できる。又、同様の場合に、通信ポリシー設定部１６，２６，３６，４６，５６は、達成目標値を、オブジェクト送信中に通信速度が設定した通信ポリシーを満たしている割合８０％以上と設定できる。
【０４５２】
又、通信ポリシー設定部１６，２６，３６，４６，５６は、選択した通信ポリシー設定条件に基づいて、達成目標値を設定する。具体的には、通信ポリシー設定部１６，２６，３６，４６，５６は、設定条件で優先すると定められた通信ポリシー設定項目の達成目標値を、優先度の低い通信ポリシー設定項目の達成目標値よりも高く設定する。又、通信ポリシー設定部１６，２６，３６，４６，５６は、設定条件で優先すると定められた通信ポリシー設定項目についてだけ達成目標値を設定してもよい。
【０４５３】
通信ポリシー設定部１６，２６，３６，４６，５６は、達成目標値の算出規則に基づいて、達成目標値を算出する。達成目標値の算出規則は、通信ポリシーの設定に用いる情報をパラメータとして定める。又、達成目標値の算出規則には、設定する達成目標値を求める関数（以下「目標値関数」という）がある。目標値関数は、通信ポリシーの設定に用いる情報がパラメータである関数である。例えば、目標値関数には、そのパラメータが輻輳の程度を表す輻輳度、要求されるリアルタイム性、通信ポリシー達成度、端末装置３０ａ〜３０ｅの位置情報や移動速度である関数がある。通信ポリシー設定部１６，２６，３６，４６，５６は、算出した達成目標値を設定する。
【０４５４】
又、達成目標値の算出規則は予め定めておき、通信ポリシーデータベース１６ａ，２６ａ，３６ａ，４６ａ，５６ａが記憶する。又、設定条件制御部４６ｂ，５６ｂが、達成目標値の算出規則を制御してもよい。設定条件制御部４６ｂ，５６ｂは、監視情報に基づいて達成目標値の算出規則を制御する。尚、達成目標値は設定しなくてもよい。
【０４５５】
通信ポリシー設定情報には、このような通信ポリシーの設定や達成目標値の設定に用いる通信ポリシーの設定条件、通信ポリシーの設定規則、目標値関数がある。又、設定情報には、設定した通信ポリシー、具体的には、通信ポリシー設定項目とその設定内容、設定した達成目標値がある。
【０４５６】
通信ポリシー設定部１６，２６，３６，４６，５６は、このようにして通信ポリシー、達成目標値を設定した後、通信制御部１７，２７，３７ａ，３７ｂ，４７ａ，４７ｂ，５７ｂ、通信部１４ｄ，２４，３４ａ，４４ａ、５４ｂ、無線通信部１１ｄ，３１ａに設定情報を入力する。又、通信ポリシー設定部１６，２６，３６，４６，５６は、設定した通信ポリシー、達成目標値、決定したオブジェクト単位を、通信ポリシーデータベース１６ａ，２６ａ，３６ａ，４６ａ，５６ａに格納する。
【０４５７】
通信ポリシー設定部１６，２６，３６，４６，５６が、入力する設定情報には、少なくとも、ユーザＩＤと、コンテンツＩＤ、制御情報ＩＤ又は監視対象情報ＩＤと、決定したオブジェクト単位と、通信ポリシー設定項目と、その設定内容と、設定した達成目標値とが含まれる。又、通信ポリシー設定部１６，２６，４６は、ユーザＩＤ、コンテンツＩＤ、制御情報ＩＤ又は監視対象情報ＩＤに対応付けて、設定した通信ポリシー、設定した達成目標値、決定したオブジェクト単位を格納する。尚、マルチキャスト送信対象装置を決定した場合には、設定情報に含まれるユーザＩＤは、マルチキャスト送信対象装置に決定された端末装置のユーザＩＤとなる。
【０４５８】
５．通信ポリシーの変更
通信システム１は、このようにして通信ポリシーを設定すると、提供情報のマルチキャスト送信や、制御情報や監視対象情報の送信を行う。例えば、図１７に示すように、通信システム１は、通信ポリシーを設定すると（１０１）、送信制御情報を決定し（１０２）、提供情報、制御情報、監視対象情報を送信する（１０４）。あるいは、通信システム１は、決定した送信制御情報に基づいて、提供情報、制御情報、監視対象情報の送信に通信リソースを予め割り当てて、通信リソースを予約確保してから（１０３）、提供情報、制御情報、監視対象情報を送信する（１０４）。
【０４５９】
通信ポリシー設定部１６，２６，３６，４６，５６は、一度設定した通信ポリシーを、設定後の状況、例えば、情報の送信の開始後の状況に応じて、再度設定し直して、変更することができる（１０１）。そして、通信システム１は、変更した通信ポリシーに基づいて、再度、送信制御情報を決定し（１０２）、通信リソースを予約確保し（１０３）、提供情報、制御情報、監視対象情報を送信する（１０４）。尚、一度設定した通信ポリシーを変更せずに、提供情報、制御情報、監視対象情報の送信を続けてもよい。
【０４６０】
通信ポリシー設定部１６，２６，３６，４６，５６は、通信ポリシーの設定に用いる情報に基づいて、通信ポリシーを変更する。例えば、図１７に示すように、通信ポリシー設定部１６，２６，３６，４６，５６は、ネットワークの状況、通信リソースの状況、通信ポリシーの達成度、位置情報、時間情報、要求されるリアルタイム性に基づいて、通信ポリシーを変更する。通信ポリシー設定部１６，２６，３６，４６，５６は、最初に通信ポリシーを設定したときと同様にして、通信ポリシーの設定条件に従って、通信ポリシーの設定規則を用いて、新たな通信ポリシーを設定できる。
【０４６１】
具体的には、通信ポリシー設定項目がデータ品質や通信品質の場合に、一定の領域内の同時利用数が増加すると、通信ポリシー設定部１６，２６，３６，４６，５６は、データ品質や通信品質を低下させることができる。このとき、通信ポリシー設定部１６，２６，３６，４６，５６は、他の通信ポリシーの設定に用いる情報に基づいて、データ品質や通信品質を低下させることができる。例えば、通信ポリシー設定部１６，２６，３６，４６，５６は、通信料金、端末装置３０ａ〜３０ｅの要求に応じて、データ品質や通信品質を低下させる程度を変えることができる。又、通信ポリシー設定部１６，２６，３６，４６，５６は、領域内の全ての端末装置３０ａ〜３０ｅのデータ品質や通信品質を等しく低下させてもよい。
【０４６２】
又、通信ポリシー設定項目が通信スケジュールであり、特定した提供情報が特定の領域内でのみ送信する情報である場合に、通信ポリシー設定部１６，２６，３６，４６，５６は、提供情報のデータ品質、端末装置３０ａ〜３０ｅの現在位置、移動速度、ネットワークのトラヒック、通信リソースの状況、通信ポリシーの達成度に基づいて、端末装置３０ａ〜３０ｅが特定の領域内に存在する間に、提供情報の送信が完了するように、通信スケジュールを変更する。
【０４６３】
又、通信ポリシー設定項目が通信スケジュールであり、無線通信装置１０ｄ〜１０ｆが提供情報、制御情報や監視対象情報を中継して端末装置３０ａ〜３０ｅに送信する場合に、通信ポリシー設定部１６，２６，３６，４６，５６は、提供情報、制御情報や監視対象情報のデータ品質、端末装置３０ａ〜３０ｅと無線通信装置１０ｄ〜１０ｆとの相対速度、ネットワークのトラヒック、通信リソースの状況、通信ポリシーの達成度に基づいて、端末装置３０ａ〜３０ｅが無線通信装置１０ｄ〜１０ｆと通信可能な間に、提供情報、制御情報や監視対象情報の送信を完了するように、通信スケジュールを変更する。尚、配信サーバ４０ａ，４０ｂの監視部４９ａ，４９ｄは、通信ポリシーを変更しても特定の領域内に存在する間や、通信可能な間に送信が完了できない場合には、端末装置３０ａ〜３０ｅが領域外に移動したり、通信できなくなったりする前に、提供情報、制御情報や監視対象情報の送信を停止又は中断することを、端末装置３０ａ〜３０ｅに対してアラーム等によって通知する。そして、通信部４４ａ，４４ｂが、その通知を端末装置３０ａ〜３０ｅに送信する。
【０４６４】
又、通信ポリシー設定部１６，２６，３６，４６，５６は、通信品質や通信スケジュールの実際の状況に基づいて、通信ポリシーを変更できる。例えば、通信ポリシー設定部１６，２６，３６，４６，５６は、誤り率、再送率、到達度、欠損率、パケット破棄率、遅延時間に応じて、通信ポリシーを変更できる。又、通信品質の低下量や低下の割合（以下「低下度」という）の閾値を設定しておいてもよい。例えば、送信開始時の通信品質を基準値とし、その基準値からの低下量や、基準値に対する低下量の割合を低下度として設定できる。そして、通信ポリシー設定部１６，２６，３６，４６，５６は、実際の通信品質の低下量や低下度が閾値以下となるように、通信ポリシーを変更する。
【０４６５】
又、通信ポリシー設定項目の変化量や変化の割合（以下「変化度」という）の閾値を設定しておいてもよい。例えば、送信開始時の通信ポリシー設定項目の値を基準値とし、その基準値からの変化量や、基準値に対する変化量の割合を変化度として設定できる。そして、通信ポリシー設定部１６，２６，３６，４６，５６は、実際の通信ポリシー設定項目の変化量や変化度が閾値以下となるように、通信ポリシーを変更してもよい。
【０４６６】
又、通信ポリシー設定部１６，２６，３６，４６，５６は、提供情報、制御情報、監視対象情報の送信の開始後の状況に応じて、発生している通信料金を推定する。例えば、通信ポリシーデータベース１６ａ，２６ａ，３６ａ，４６ａ，５６ａが、料金算出規則を記憶しておく。そして、通信ポリシー設定部１６，２６，３６，４６，５６は、取得した監視情報と料金算出規則に基づいて、発生している通信料金を推定する。通信ポリシー設定部１６，２６，３６，４６，５６は、推定した通信料金に基づいて、通信ポリシーを変更できる。例えば、通信ポリシー設定項目が通信料金と通信リソースの場合、通信ポリシー設定部１６，２６，３６，４６，５６は、通信料金の上限額と推定した通信料金を比較する。通信ポリシー設定部１６，２６，３６，４６，５６は、その比較結果に応じて、割り当てる通信リソース量を変化させることができる。
【０４６７】
又、空き通信リソース量が低下すると、通信リソースを確保するために高額な通信料金が必要になる場合がある。通信ポリシー設定項目が通信品質であり、通信ポリシーの設定条件が、通信料金が希望する上限額以下になることを優先して通信ポリシーを決定し、設定するという条件であるとする。この場合に、空き通信リソース量が低下すると、通信ポリシー設定部１６，２６，３６，４６，５６は、確保する通信リソース量を減らして通信料金が希望する上限額以下になるようにするために、通信品質を低下させる。
【０４６８】
一方、通信ポリシー設定項目が通信リソースであり、通信ポリシーの設定条件が、通信品質を優先して通信ポリシーを決定し、設定するという条件の場合に、空き通信リソース量が低下すると、通信ポリシー設定部１６，２６，３６，４６，５６は、通信品質を高く維持するために、たとえ通信料金が高くなったとしても、確保する通信リソース量を増加させる。
【０４６９】
又、最初に設定したが、実行できないと判断した第１通信ポリシーと、実行可能な通信ポリシーとして更に設定した第２通信ポリシーがある場合には、通信システム１は、まず、第２通信ポリシーに基づいて、提供情報、制御情報や監視対象情報の送信を開始する。通信ポリシー設定部１６，２６，３６，４６，５６は、通信ポリシーの設定に用いる情報に基づいて、第２通信ポリシーから第１通信ポリシーに近づくように、通信ポリシーを変更する。通信ポリシー設定部１６，２６，３６，４６，５６は、可能な場合には、第１通信ポリシーに変更する。
【０４７０】
例えば、図１６に示した通信ポリシー４を実行するためには、通信リソース量が全通信リソース量の１０％必要であるとする。現在、使用通信リソース量が９３％であり、第１通信ポリシーとして通信ポリシー４が設定され、第２通信ポリシーとして通信ポリシー２が設定されているとする。通信ポリシー設定部１６，２６，３６，４６，５６は、空き通信リソース量が１０％以上発生した場合には、通信ポリシー４に変更する。
【０４７１】
又、通信ポリシー設定部１６，２６，３６，４６，５６は、通信ポリシーの変更を要求する制御情報に基づいて、通信ポリシーを変更する。
【０４７２】
又、通信ポリシー設定部１６，２６，３６，４６，５６は、通信ポリシーの達成目標値を変更してもよい。通信ポリシー設定部１６，２６，３６，４６，５６は、通信ポリシーの設定に用いる情報に基づいて、達成目標値を変更する。例えば、通信ポリシー設定部１６，２６，３６，４６，５６は、ネットワークの状況、通信リソースの状況、通信ポリシーの達成度に基づいて、達成目標値を再設定して変更する。通信ポリシー設定情報には、このような通信ポリシーの変更や達成目標値の変更に用いる通信ポリシーの設定条件、通信ポリシーの設定規則、目標値関数がある。
【０４７３】
更に、通信ポリシー設定部１６，２６，３６，４６，５６は、マルチキャスト送信対象装置を変更する。通信ポリシー設定部１６，２６，３６，４６，５６は、通信ポリシーの設定に用いる情報に基づいて、マルチキャスト送信対象装置を変更する。
【０４７４】
例えば、通信ポリシー設定部１６，２６，３６，４６，５６は、通信ポリシーの達成度が低い端末装置を、マルチキャスト送信対象装置から除き、所定の通信ポリシーの達成度を満たす端末装置だけに、マルチキャスト送信対象装置を変更する。例えば、通信ポリシー設定部１６，２６，３６，４６，５６は、マルチキャスト送信対象装置を変更するための通信ポリシーの達成度の閾値を予め定めておき、閾値以上の端末装置だけをマルチキャスト送信対象装置に変更する。
【０４７５】
又、通信ポリシー設定部１６，２６，３６，４６，５６は、希望する通信ポリシーが類似していたが通信ポリシーの変更により、類似しなくなった端末装置や、近くに存在していたが、移動により離れてしまった端末装置を、マルチキャスト送信対象装置から除き、通信ポリシーが類似する端末装置や現在位置が近い端末装置だけに、マルチキャスト送信対象装置を変更する。例えば、通信ポリシー設定部１６，２６，３６，４６，５６は、マルチキャスト送信対象装置を決定するための通信ポリシー、位置の範囲外となった端末装置を、マルチキャスト送信対象装置から除く。
【０４７６】
又、通信ポリシー設定部１６，２６，３６，４６，５６は、配信サーバ４０ａ，４０ｂの性能や負荷状況、処理状況に応じて、マルチキャスト送信対象装置の数を変更する。そして、通信ポリシー設定部１６，２６，３６，４６，５６は、マルチキャスト送信対象装置を、変更した数毎に分けて、マルチキャスト送信対象装置を変更する。
【０４７７】
通信ポリシー設定部１６，２６，３６，４６，５６は、マルチキャスト送信対象装置を変更したことにより、更に、通信ポリシーを変更できる。マルチキャスト送信対象装置が変更されると、通信ポリシーの設定に用いる情報も変更される。そのため、通信ポリシー設定部１６，２６，３６，４６，５６は、変更後の通信ポリシーの設定に用いる情報に基づいて、通信ポリシーを変更できる。
【０４７８】
通信ポリシー設定情報には、このような通信ポリシーの変更や達成目標値の変更に用いる通信ポリシーの設定条件、通信ポリシーの設定規則、目標値関数、マルチキャスト送信対象装置を変更する際に用いる情報や、変更したマルチキャスト送信対象装置やその数がある。又、設定情報には、設定し直して変更した通信ポリシー、具体的には、変更した通信ポリシー設定項目とその設定内容、設定し直して変更した達成目標値がある。又、マルチキャスト送信対象装置を変更した場合には、設定情報に含まれるユーザＩＤは、変更後のマルチキャスト送信対象装置となった端末装置のユーザＩＤとなる。
【０４７９】
通信ポリシー設定部１６，２６，３６，４６，５６は、このようにして通信ポリシー、達成目標値を変更した後、最初に通信ポリシーを設定した場合と同様にして、通信制御部１７，２７，３７ａ，３７ｂ，４７ａ，４７ｂ，５７ｂ、通信部１４ｄ，２４，３４ａ，４４ａ、５４ｂ、無線通信部１１ｄ，３１ａに設定情報を入力する。又、通信ポリシー設定部１６，２６，３６，４６，５６は、変更した通信ポリシー、達成目標値を、通信ポリシーデータベース１６ａ，２６ａ，３６ａ，４６ａ，５６ａに格納する。
【０４８０】
通信ポリシー設定部１６，２６，３６，４６，５６は、以上説明したようにして通信ポリシーを決定し、設定する。通信ポリシー設定部１６，２６，３６，４６，５６は、このような通信ポリシーの設定、即ち、マルチキャスト送信対象装置やオブジェクト単位の決定、通信ポリシーや達成目標値の設定、通信ポリシーや達成目標値、マルチキャスト送信対象装置の変更を、単独で行ってもよく、相互に調整して行ってもよい。
【０４８１】
例えば、まず、通信ポリシーを決定し、設定する主体の通信ポリシー設定部が、通信ポリシーを設定する場合と同様に、通信ポリシーの設定条件に従って、通信ポリシーの設定規則を用いて、設定しようとする希望の通信ポリシーを決定する。そして、主体の通信ポリシー設定部が、他の通信ポリシー設定部に、希望の通信ポリシーを通知して、検討するように指示する。他の通信ポリシー設定部は、その通知内容を検討し、検討結果を主体の通信ポリシー設定部に通知する。例えば、他の通信ポリシー設定部は、通知された通信ポリシーを了承する回答、通知された通信ポリシーの希望修正内容などを検討結果として通知する。主体の通信ポリシー設定部は、取得した検討結果に基づいて、通信ポリシーを設定する。例えば、検討結果が了承する回答の場合には、希望の通信ポリシーをそのまま設定する。検討結果に希望修正内容が含まれていた場合には、その希望修正内容に基づいて修正を加えた通信ポリシーを設定する。
【０４８２】
又、通信ポリシーを決定し、設定する主体の通信ポリシー設定部が、他の第１の通信ポリシー設定部から、設定しようとする希望の通信ポリシーの通知を受ける。尚、第１の通信ポリシー設定部は、通信ポリシーを設定する場合と同様に、通信ポリシーの設定条件に従って、通信ポリシーの設定規則を用いて、希望の通信ポリシーを決定する。主体の通信ポリシー設定部は、希望の通信ポリシーの通知を、第１の通信ポリシー設定部以外の第２の通信ポリシー設定部に通知し、検討するように指示する。第２の通信ポリシー設定部は、その通知内容を検討し、検討結果を主体の通信ポリシー設定部に通知する。
【０４８３】
主体の通信ポリシー設定部は、取得した検討結果を、第１の通信ポリシー設定部に通知して、検討するように指示をする。第１の通信ポリシー設定部は、第２の通信ポリシー設定部の検討結果に基づいて、再度、通信ポリシーを検討する。第１の通信ポリシー設定部は、再検討した希望の通信ポリシーを、主体の通信ポリシー設定部に通知する。主体の通信ポリシー設定部は、第１の通信ポリシー設定部により再検討された通信ポリシーと、第２の通信ポリシー設定部からの検討結果に基づいて、通信ポリシーを設定する。
【０４８４】
そのため、通信ポリシー設定情報には、このような通知のように通信ポリシーの調整に用いる情報もある。尚、通信ポリシー設定部１６，２６，３６，４６，５６は、このようなやりとりを複数回繰り返してもよい。このように、複数の通信ポリシー設定部１６，２６，３６，４６，５６が、相互に通信ポリシーの調整を行うことにより、無線通信装置１０ｃ〜１０ｆ、管理サーバ２０、端末装置３０ａ〜３０ｅ、配信サーバ４０ａ，４０ｂ、中継装置５０ａの無線通信部１１ｄ，３１ａ，３１ｂ、通信部１４ｄ，２４，３４ａ，３４ｂ，４４ａ，４４ｂ，５４ａは、より適切な通信ポリシーに従って、提供情報、制御情報や監視対象情報を送受信できる。
【０４８５】
（情報の送信方法）
１．送信制御情報の決定、変更
通信ポリシーが設定されると、通信制御部１７，２７，３７ａ，３７ｂ，４７ａ，４７ｂ，５７ｂは、設定された通信ポリシーに基づいて、オブジェクト単位毎に送信制御情報を決定する。又、通信ポリシーが変更されると、通信制御部１７，２７，３７ａ，３７ｂ，４７ａ，４７ｂ，５７は、変更された通信ポリシーに基づいて、送信制御情報を再度決定し直して、変更する。
【０４８６】
送信制御情報には、提供情報をマルチキャスト送信する際や、制御情報、監視対象情報を送信する際の具体的な事項や数値が含まれる。例えば、送信制御情報には、送受信のタイミング、送信開始予定時刻や送信完了予定時刻、通信速度の変更のタイミング、送信順序などの通信スケジュール、送信順序の変更方法、送信の優先度、通信速度、使用する通信プロトコルや帯域、使用するセッションやコネクション、トンネル、予約確保する通信リソース量や予約確保するスケジュール、実際に使用する通信リソースやその量、再送方法、データの変換方法、同期のタイミングなどの同期制御方法、データの多重方法などが含まれる。尚、送信の優先度は、送信を完了させる優先度である。そのため、送信の優先度が高いほど、通信リソースが優先して割り当てられ、送信順序が早くなり、再送も優先して行われる。
【０４８７】
通信制御部１７，２７，３７ａ，３７ｂ，４７ａ，４７ｂ，５７ｂは、設定された通信ポリシー、達成目標値、通信ポリシーの設定に用いる情報に基づいて、送信制御情報を決定する。通信制御部１７，２７，３７ａ，３７ｂ，４７ａ，４７ｂ，５７ｂは、設定情報から、設定された通信ポリシー、達成目標値を取得する。例えば、通信制御部１７，２７，３７ａ，３７ｂ，４７ａ，４７ｂ，５７，６７は、設定された通信ポリシーと、要求されるリアルタイム性、ネットワークの状況、通信リソースの状況、位置情報、通信ポリシーの達成度、通信料金、負荷状況、処理状況に基づいて、送信制御情報を決定する。又、例えば、通信制御部１７，２７，３７ａ，３７ｂ，４７ａ，４７ｂ，５７ｂは、設定された通信ポリシーと、端末装置３０ａ〜３０ｅと無線通信装置１０ａ〜１０ｆの距離や相対速度、特定の領域に存在する無線通信装置１０ａ〜１０ｆの数、端末装置３０ａ〜３０ｅと通信中の無線通信装置１０ａ〜１０ｆの数、同時利用数に基づいて、送信制御情報を決定する。
【０４８８】
通信制御部１７，２７，３７ａ，３７ｂ，４７ａ，４７ｂ，５７ｂは、設定された通信ポリシーを実行できるように送信制御情報を決定する。更に、通信制御部１７，２７，３７ａ，３７ｂ，４７ａ，４７ｂ，５７ｂは、設定された達成目標値を達成できるように送信制御情報を決定することが好ましい。
【０４８９】
例えば、通信制御部１７，２７，３７ａ，３７ｂ，４７ａ，４７ｂ，５７ｂは、設定された通信ポリシーを実行するために必要な通信リソース量を算出する。そして、通信制御部１７，２７，３７ａ，３７ｂ，４７ａ，４７ｂ，５７ｂは、送信制御情報として、算出した通信リソース量を予約確保する通信リソース量に決定する。又、通信制御部１７，２７，３７ａ，３７ｂ，４７ａ，４７ｂ，５７ｂは、通信ポリシーとして通信スケジュールが設定されている場合に、送信制御情報として、その通信スケジュールで提供情報、制御情報、監視対象情報の送信が実行できるように、送信に必要な通信リソースを予約確保するスケジュールを決定する。このとき、通信制御部１７，２７，３７ａ，３７ｂ，４７ａ，４７ｂ，５７ｂは、ネットワークの状況、通信リソースの状況、通信ポリシーの達成度、位置情報、時刻情報にも基づいて、予約確保するスケジュールを決定することが好ましい。
【０４９０】
又、通信制御部１７，２７，３７ａ，３７ｂ，４７ａ，４７ｂ，５７ｂは、まず、設定された通信ポリシーに基づいて、送信制御情報として、オブジェクトの送信の優先度を決定する。例えば、通信制御部１７，２７，３７ａ，３７ｂ，４７ａ，４７ｂ，５７ｂは、通信ポリシーとして要求されるリアルタイム性が設定されている場合、その要求されるリアルタイム性が高いほど、高い送信の優先度を決定する。尚、通信制御部１７，２７，３７ａ，３７ｂ，４７ａ，４７ｂ，５７ｂは、送信の優先度によって通信料金が変動する場合には、通信料金も考慮して送信の優先度を決定する。次に、通信制御部１７，２７，３７ａ，３７ｂ，４７ａ，４７ｂ，５７ｂは、決定した送信の優先度が高いオブジェクトほど、通信リソースを優先して割り当て、送信順序を早くし、再送を優先するような送信制御情報を決定する。よって、例えば、通信ポリシーとして要求されるリアルタイム性が設定されている場合には、通信制御部１７，２７，３７ａ，３７ｂ，４７ａ，４７ｂ，５７ｂは、送信の優先度を高くし、通信リソースを優先して割り当て、送信順序を早くするような送信制御情報を決定する。
【０４９１】
又、通信制御部１７，２７，３７ａ，３７ｂ，４７ａ，４７ｂ，５７ｂは、通信ポリシーとして設定されたセッションやトンネル、通信スケジュールに関する情報に基づいて、送信制御情報として、使用するセッションやトンネルを通信スケジュールとあわせて決定する。例えば、オブジェクトＡは、時刻Ｔ１から送信を開始し、時刻Ｔ２までは、セッション１、トンネル１を使用して送信し、時刻Ｔ２以降は、セッション２、トンネル２を使用して送信すると決定する。オブジェクトＢは、時刻Ｔ３から送信を開始し、セッション３及びトンネル３と、セッション４及びトンネル３を同時並行して送信すると決定する。
【０４９２】
又、例えば、通信ポリシーの設定内容が、「通信速度を１００ｋｂｐｓとする」というように具体的な数値の場合には、通信制御部１７，２７，４７ａ，４７ｂ，５７ｂは、通信ポリシーの設定内容をそのまま送信制御情報として決定する。一方、通信ポリシーの設定内容が、「通信速度を２８．８ｋｂｐｓ以上６４ｋｂｐｓ未満とする」というような範囲で示されている場合には、通信制御部１７，２７，３７ａ，３７ｂ，４７ａ，４７ｂ，５７ｂは、設定された範囲の通信速度の値を、送信制御情報として決定する。このとき、通信制御部１７，２７，３７ａ，３７ｂ，４７ａ，４７ｂ，５７ｂは、設定された達成目標値を達成できるように、通信速度の値を決定する。例えば、達成目標値が「平均通信速度３０ｋｂｐｓ以上」の場合に、通信制御部１７，２７，３７ａ，３７ｂ，４７ａ，４７ｂ，５７ｂは、通信速度の値を達成目標値を上回る４５ｋｂｐｓに決定できる。又、通信ポリシーの設定内容が、図１５に示した通信ポリシー２のように、通信速度の決定規則の場合には、通信制御部１７，２７，３７ａ，３７ｂ，４７ａ，４７ｂ，５７ｂは、設定された通信速度の決定規則に従って求めた通信速度の値を、送信制御情報として決定する。
【０４９３】
又、通信ポリシーとして、通信料金ができるだけ低額になるようにという制約条件と、送信完了時刻が設定されている場合に、通信制御部１７，２７，３７ａ，３７ｂ，４７ａ，４７ｂ，５７ｂは、まず、使用通信リソース量、輻輳状況に基づいて、送信完了時刻に送信が完了するように、通信スケジュール、予約確保する通信リソース量、予約確保する通信リソースを、送信制御情報として決定する。そして、通信システム１は、決定した送信制御情報に従って、提供情報や処理情報の送信を開始する。
【０４９４】
その後、通信制御部１７，２７，３７ａ，３７ｂ，４７ａ，４７ｂ，５７ｂは、通信リソースの状況に基づいて、低料金の通信リソースが空くと、低料金の通信リソースに予約確保する通信リソースを切り替えるように、送信制御情報を変更する。又、通信スケジュールに余裕が生じた場合には、通信速度を小さくできる。そのため、この場合には、通信制御部１７，２７，３７ａ，３７ｂ，４７ａ，４７ｂ，５７ｂは、処理状況に基づいて、予約確保する通信リソース量を減らし、通信料金を抑えるように送信制御情報を変更する。又、通信制御部１７，２７，３７ａ，３７ｂ，４７ａ，４７ｂ，５７ｂは、予約確保している通信リソースの中で、低料金の通信リソースを実際に使用する通信リソースに決定するようにしてもよい。
【０４９５】
又、通信制御部１７，２７，３７ａ，３７ｂ，４７ａ，４７ｂ，５７ｂは、通信ポリシーの達成度が低い場合に、通信ポリシーの達成度が向上するように、送信制御情報を変更する。このとき、通信制御部１７，２７，３７ａ，３７ｂ，４７ａ，４７ｂ，５７ｂは、通信ポリシーの設定条件に基づいて、送信制御情報を変更してもよい。例えば、通信制御部１７，２７，３７ａ，３７ｂ，４７ａ，４７ｂ，５７ｂは、優先度の高い通信ポリシー設定項目の達成度を優先して向上できるように、送信制御情報を変更する。
【０４９６】
通信制御部１７，２７，３７ａ，３７ｂ，４７ａ，４７ｂ，５７ｂは、決定したオブジェクト単位毎の送信制御情報と、設定情報に含まれているユーザＩＤと、コンテンツＩＤ制御情報ＩＤ又は監視対象情報ＩＤとを対応付ける。
【０４９７】
２．通信リソースの確保
次に、通信制御部１７，２７，３７ａ，３７ｂ，４７ａ，４７ｂ，５７ｂが決定した送信制御情報に基づいて、リソース割当部２８ｂ，４８ｂ，４８ｃ，５８ｂが、提供情報のマルチキャスト送信、制御情報や監視対象情報の送信に通信リソースを予め割り当てて、通信リソースを予約確保する。通信制御部１７，２７，４７ａ，４７ｂ，５７ｂは、送信制御情報として決定した予約確保する通信リソースを、予約確保する通信リソース量だけ、予約確保するスケジュールに従って、予約確保するように、リソース割当部２８ｂ，４８ｂ，４８ｃ，５８ｂに指示する。リソース割当部２８ｂ，４８ｂ，４８ｃ，５８ｂは、通信制御部１７，２７，４７ａ，４７ｂ，５７ｂの指示に従って、予約確保する通信リソースを、予約確保する通信リソース量だけ、予約確保するスケジュールに従って予約確保する。
【０４９８】
このとき、リソース割当部２８ｂ，４８ｂ，４８ｃ，５８ｂは、指示された通信リソース量を確保できない場合には、待機する。そして、リソース割当部２８ｂ，４８ｂ，４８ｃ，５８ｂは、通信リソースに空きが発生し、指示された通信リソース量を確保できるようになったら、通信リソースを予約確保する。あるいは、リソース割当部２８ｂ，４８ｂ，４８ｃ，５８ｂは、現在確保できる通信リソース量だけ、予約確保する。そして、リソース割当部２８ｂ，４８ｂ，４８ｃ，５８ｂは、通信リソースに空きが発生した際に、順次、残りの通信リソースを予約確保するようにしてもよい。
【０４９９】
次に、通信制御部１７，２７，４７ａ，４７ｂ，５７ｂは、送信制御情報として決定した実際に使用する通信リソースを、使用する通信リソース量だけ、提供情報のマルチキャスト送信、制御情報や監視対象情報の送信に割り当てるように、リソース割当部２８ｂ，４８ｂ，４８ｃ，５８ｂに指示する。リソース割当部２８ｂ，４８ｂ，４８ｃ，５８ｂは、通信制御部１７，２７，４７ａ，４７ｂ，５７ｂの指示に従って、予約確保した通信リソースの中から、実際に使用する通信リソースを、使用する通信リソース量だけ、提供情報のマルチキャスト送信、制御情報や監視対象情報の送信に割り当てる。
【０５００】
又、通信制御部１７，２７，４７ａ，４７ｂ，５７ｂは、予約確保する通信リソースを切り替えるように、送信制御情報を変更した場合には、その切り替えをリソース割当部２８ｂ，４８ｂ，４８ｃ，５８ｂに指示する。リソース割当部２８ｂ，４８ｂ，４８ｃ，５８ｂは、通信制御部１７，２７，４７ａ，４７ｂ，５７ｂの指示に従って、予約確保していた通信リソースを解放し、新たに通信リソースを予約確保して、切り替えを行う。
【０５０１】
３．送信
通信システム１は、このように、送信制御情報を決定し、必要な通信リソースを予約確保し、使用する通信リソースの割り当てを行うと、提供情報をマルチキャスト送信し、制御情報や監視対象情報を送信する。
【０５０２】
た配信サーバ４０ａ，４０ｂの通信制御部４７ａ，４７ｂは、送信制御情報に含まれる通信スケジュールと時間情報に基づいて、マルチキャスト送信を開始しなければならない提供情報があるか否かを判断する。通信制御部４７ａ，４７ｂは、マルチキャスト送信を開始しなければならない提供情報がある場合には、その送信制御情報と対応づけられているコンテンツＩＤを指定して、その提供情報を、通信部４４ａ，４４ｂ又は変換部４８ａに入力するように、提供情報提供部４１ａ，４１ｂに指示する。提供情報提供部４１ａ，４１ｂは、通信制御部４７ａ，４７ｂの指示に従って、指定されたコンテンツＩＤの提供情報を、提供情報データベース４２から取得して、通信部４４ａ，４４ｂ又は変換部４８ａに入力する。
【０５０３】
通信制御部４７ａ，４７ｂは、コンテンツＩＤと対応付けられている送信制御情報に基づいて、そのコンテンツＩＤの提供情報のマルチキャスト送信について、通信部４４ａ，４４ｂ又は変換部４８ａを制御する。まず、通信部４４ａ，４４ｂは、通信制御部４７ａ，４７ｂの制御に従って、複数の端末装置３０ａ〜３０ｅとの間に通信路を確立する。変換部４８ａは、通信制御部４７ａ，４７ｂの制御に従って、提供情報をオブジェクト単位毎に変換し、通信部４４ａ，４４ｂに入力する。そして、通信部４４ａ，４４ｂが、通信制御部４７ａ，４７ｂの制御に従って、オブジェクト単位毎に、複数の端末装置３０ａ〜３０ｅに向けて提供情報をマルチキャスト送信する。
【０５０４】
又、無線通信装置１０ｄ〜１０ｆ、端末装置３０ａ〜３０ｅ、配信サーバ４０ａ，４０ｂの通信制御部１７，３７ａ，３７ｂ，４７ａ，４７ｂは、制御情報ＩＤ、監視対象情報ＩＤと対応付けられている送信制御情報に基づいて、その制御情報ＩＤの制御情報の送信、監視対象情報ＩＤ監視対象情報の送信について、通信部１４ｄ，３４ａ，３４ｂ，４４ａ，４４ｂ、無線通信部１１ａ，３１ａ，３１ｂ又は変換部１８，４８ａを制御する。
【０５０５】
まず、通信部１４ｄ，３４ａ，３４ｂ，４４ａ，４４ｂ、無線通信部１１ａ，３１ａ，３１ｂは、通信制御部１７，３７ａ，３７ｂ，４７ａ，４７ｂの制御に従って、通信路を確立する。変換部１８，４８ａは、通信制御部１７，４７ａ，４７ｂの制御に従って、監視対象情報、制御情報をオブジェクト単位毎に変換し、通信部１４ｄ，４４ａ，４４ｂ、無線通信部１１ａに入力する。そして、通信部１４ｄ，３４ａ，３４ｂ，４４ａ，４４ｂ、無線通信部１１ａ，３１ａ，３１ｂが、通信制御部１７，３７ａ，３７ｂ，４７ａ，４７ｂの制御に従って、オブジェクト単位毎に、監視対象情報や制御情報を送信する。
【０５０６】
このとき、無線通信装置１０ｃ〜１０ｆ、管理サーバ２０、中継装置５０ａが、提供情報、制御情報、監視対象情報を中継する場合がある。これらの場合には、通信制御部１７，２７、５７ａ，５７ｂは、コンテンツＩＤや制御情報ＩＤ、監視対象情報ＩＤと対応付けられている送信制御情報に基づいて、そのコンテンツＩＤの提供情報のマルチキャスト送信、制御情報ＩＤの制御情報や監視対象情報ＩＤの監視対象情報の送信について、通信部１４ｄ，２４，５４ａ、無線通信部１１ｃ，１１ｄ、変換部１８，２８ａ，４８ａ，５８ａを制御する。
【０５０７】
そして、通信制御部１７，２７，５７ａの制御に従って、通信部１４ｄ，２４，５４ａ、無線通信部１１ｃ，１１ｄが、通信路を確立し、オブジェクト単位毎に、提供情報や制御情報、監視対象情報を中継する。又、必要に応じて、変換部１８，２８ａ，５８ａが、通信制御部１７，２７、５７ｂの制御に従って、オブジェクト単位毎に提供情報、制御情報、監視対象情報を変換する。尚、通信部１４ｄ，２４，４４ａ，４４ｂ，５４ａ、無線通信部１１ｃ，１１ｄ，３１ａ，３１ｂは、例えば、コネクション、セッション、トンネルなどを介して、提供情報をマルチキャスト送信したり、制御情報や監視対象情報を送信したりできる。
【０５０８】
例えば、配信サーバ４０ａが、中継装置５０ａに提供情報をオブジェクト単位毎に送信する。このとき、オブジェクト単位毎に異なる配信サーバ４０ａ，４０ｂが、中継装置５０ａに提供情報を送信してもよい。このとき、中継装置５０ａが受信バッファを備える場合には、配信サーバ４０ａは、その受信バッファに空きができないように、提供情報を送信する。そして、中継装置５０ａが、無線通信装置１０ｄと端末装置３０ａ，３０ｂに、オブジェクト単位毎、無線通信装置１０ｄ、端末装置３０ａ，３０ｂ毎に設定した通信ポリシーに基づいて、提供情報をオブジェクト単位毎にマルチキャスト送信する。更に、無線通信装置１０ｄが、無線通信装置１０ｅと無線通信装置１０ｆに、オブジェクト単位毎、無線通信装置１０ｅ，１０ｆ毎に設定した通信ポリシーに基づいて、近距離無線により、提供情報をオブジェクト単位毎にマルチキャスト送信する。
【０５０９】
更に、無線通信装置１０ｅが、端末装置３０ｃと端末装置３０ｄに、オブジェクト単位毎、端末装置３０ｃ，３０ｄ毎に設定した通信ポリシーに基づいて、近距離無線により、提供情報をオブジェクト単位毎にマルチキャスト送信する。又、無線通信装置１０ｆは、端末装置３０ｅに、オブジェクト単位毎に設定した通信ポリシーに基づいて、近距離無線により、提供情報をオブジェクト単位毎に送信する。尚、無線通信装置１０ｆと端末装置３０ｅとは、有線接続してもよい。又、無線通信装置１０ｄは、提供情報のデータ変換が必要な場合に、変換部１８でデータ変換を行わずに、管理サーバ２０に提供情報を送信し、データ変換を指示してもよい。この場合、管理サーバ２０の変換部２８ａがデータ変換を行い、無線通信装置１０ｄに変換後の提供情報を送信する。そして、無線通信装置１０ｄは、管理サーバ２０から受信した変換後の提供情報を、無線通信装置１０ｅ，１０ｆにマルチキャスト送信する。
【０５１０】
又、通信路の確立は、例えば、以下のようにして行うことができる。配信サーバ４０ａが、端末装置３０ｅに制御情報を送信して、端末装置３０ｅを遠隔制御する場合を例にとって説明する。配信サーバ４０ａが、予め、端末装置３０ｅと通信を行っている無線通信装置１０ｆのタグＩＤを取得しているとする。配信サーバ４０ａは、中継装置５０ａを介して、ポータルサーバ６０に、無線通信装置１０ｆのタグＩＤを含む通信可能な無線通信装置の問い合わせを送信する。ポータルサーバ６０は、問い合わせに含まれるタグＩＤの無線通信装置１０ｆと通信可能な位置に存在する無線通信装置１０ｄのタグＩＤとそのグローバルＩＰアドレスを取得する。そして、ポータルサーバ６０は、無線通信装置１０ｄのタグＩＤ、グローバルＩＰアドレスを、中継装置５０ａを介して、配信サーバ４０ａに送信する。
【０５１１】
配信サーバ４０ａは、ポータルサーバ６０からの応答に基づいて、通信可能な位置に存在する無線通信装置１０ｄとセッションを確立する。その際、配信サーバ４０ａは、応答に含まれる無線通信装置１０ｄのグローバルＩＰを用いる。次に、無線通信装置１０ｄが無線通信装置１０ｆとセッションを確立する。これにより、配信サーバ４０ａから無線通信装置１０ｆまでのセッションが確立する。そして、配信サーバ４０ａは、配信サーバ４０ａから無線通信装置１０ｆまでのセッションを介して、端末装置３０ｅのアドレスに、オブジェクト単位毎に設定した通信ポリシーに基づいて、制御情報をオブジェクト単位毎に送信する。このように、配信サーバ４０ａは、通信ポリシーを設定し、それに基づいて制御情報を送信する。よって、配信サーバ４０ａは、遅延することなく、確実に、適切なタイミングで、制御情報を制御対象である端末装置３０ｅに送信し、制御することができる。
【０５１２】
又、端末装置３０ｅが、配信サーバ４０ａに監視対象情報を送信する場合を例にとって説明する。まず、端末装置３０ｅが、配信サーバ４０ａのアドレスに監視対象情報を送信することを要求する送信処理要求を、無線通信装置１０ｆに送信する。次に、無線通信装置１０ｆは、受信した送信処理要求を、通信可能な無線通信装置１０ｄに送信する。無線通信装置１０ｄは、送信処理要求に含まれる配信サーバ４０ａのアドレスを用いて、中継装置５０ａを介して、配信サーバ４０ａとセッションを確立する。次に、無線通信装置１０ｄが無線通信装置１０ｆとセッションを確立する。これにより、無線通信装置１０ｆから配信サーバ４０ａまでのセッションが確立する。そして、端末装置３０ｅは、無線通信装置１０ｆから配信サーバ４０ａまでのセッションを介して、配信サーバ４０ａのアドレスに、オブジェクト単位毎に設定した通信ポリシーに基づいて、監視対象情報をオブジェクト単位毎に送信する。
【０５１３】
このように、端末装置３０ｅは、通信ポリシーを設定し、それに基づいて監視対象情報を送信する。よって、端末装置３０ｅは、遅延することなく、確実に、適切なタイミング、適切な品質で、監視対象情報を制御装置として機能する配信サーバ４０ａに送信することができる。
【０５１４】
又、端末装置３０ｅが無線通信装置１０ｅと通信路を確立したい場合に、端末装置３０ｅが通信可能な無線通信装置１０ｆに、無線通信装置１０ｅとの通信路の確立の要求を送信する。無線通信装置１０ｆは、無線通信装置１０ｅとの中継を依頼する無線通信装置を把握していない場合には、無線通信装置１０ｅに対する通信路の確立の要求を、ブロードキャスト送信する。無線通信装置１０ｆは、このブロードキャスト送信に対して、応答してきた無線通信装置１０ｄに、無線通信装置１０ｅとの中継を依頼する。
【０５１５】
一方、無線通信装置１０ｆは、無線通信装置１０ｅとの中継を依頼する無線通信装置１０ｄを把握している場合には、通信路の確立の要求を、ブロードキャスト送信することなく、無線通信装置１０ｄに、近距離無線により中継を依頼する。  そして、端末装置３０ｅは、通信可能な無線通信装置１０ｆと、中継を依頼した無線通信装置１０ｄを介して、無線通信装置１０ｅと通信路を確立する。尚、無線通信装置１０ｆは、無線通信装置１０ｄと有線接続している場合には、有線を介して中継を依頼する。又、無線通信装置１０ｆは、中継を依頼する無線通信装置の探索を、他の無線通信装置に依頼することもできる。この場合、無線通信装置１０ｆは、タグＩＤを含む探索結果を受信する。そして、無線通信装置１０ｆは、探索結果に含まれるタグＩＤの無線通信装置に中継を依頼する。
【０５１６】
尚、端末装置３０ａ〜３０ｅが、無線情報として、提供情報の受信の準備の指示などを含む予告通知を受信していた場合には、端末装置３０ａ〜３０ｅは、通信ポリシーの設定、通信リソースの予約確保などを行って、受信の準備をする。端末装置３０ａ〜３０ｅは、受信の準備が完了した際に、準備が完了したことを通知する準備完了通知を配信サーバ４０ａ，４０ｂに送信する。配信サーバ４０ａ，４０ｂは、準備完了通知を送信してきた端末装置３０ａ〜３０ｅに対して、オブジェクト単位毎に設定した通信ポリシーに基づいて、提供情報をオブジェクト単位毎にマルチキャスト送信する。
【０５１７】
以上説明したようにして、送信側から受信側に情報を送信する際の通信ポリシーをオブジェクト単位毎に設定し、設定した通信ポリシーに基づいて、情報の送信をオブジェクト単位毎に制御して、情報を送信する様子を、図１８に示す。図１８は、配信サーバ４０ａが中継装置５０ａを介して、端末装置３０ａに提供情報をマルチキャスト送信する場合を示している。提供情報は、３つのオブジェクトＡ〜Ｃから構成される。オブジェクトＡ〜Ｃは、図１に示した経路２ａと経路３ａ，３ｂを通って送信される。
【０５１８】
通信ポリシーは、送信側の配信サーバ４０ａと受信側の中継装置５０ａとの区間と、送信側の中継装置５０ａと受信側の端末装置３０ａと、送信側の中継装置５０ａと受信側の端末装置３０ｂの区間それぞれについて、オブジェクトＡ〜Ｃ毎に設定される。
【０５１９】
オブジェクトＡは、配信サーバ４０ａと中継装置５０ａとの区間におけるオブジェクトＡについての通信ポリシー２０１ａに基づいて、配信サーバ４０ａにおいて、データ（Ａ１）から（Ａ２）の状態に変換される。そして、オブジェクトＡは、通信ポリシー２０１ａに基づいて、配信サーバ４０ａから中継装置５０ａに送信される。次に、オブジェクトＡは、中継装置５０ａと端末装置３０ａとの区間におけるオブジェクトＡについての通信ポリシー２０２ａと、中継装置５０ａと端末装置３０ｂとの区間におけるオブジェクトＡについての通信ポリシー２０３ａとに基づいて、中継装置５０ａにおいて（Ａ２）から（Ａ３）の状態と、（Ａ２）から（Ａ４）の状態とに変換される。そして、オブジェクトＡは、通信ポリシー２０２ａ，２０３ａそれぞれに基づいて、中継装置５０ａから複数の端末装置３０ａ，３０ｂにマルチキャスト送信される。
【０５２０】
オブジェクトＢは、配信サーバ４０ａと中継装置５０ａとの区間におけるオブジェクトＢについての通信ポリシー２０１ｂに基づいて、配信サーバ４０ａにおいて、（Ｂ１）から（Ｂ２）の状態に変換される。そして、オブジェクトＢは、通信ポリシー２０１ｂに基づいて、配信サーバ４０ａから中継装置５０ａに送信される。次に、オブジェクトＢは、中継装置５０ａと端末装置３０ａとの区間におけるオブジェクトＢについての通信ポリシー２０２ｂと、中継装置５０ａと端末装置３０ｂとの区間におけるオブジェクトＢについての通信ポリシー２０３ｂとに基づいて、中継装置５０ａにおいて（Ｂ２）から（Ｂ３）の状態と、（Ｂ２）から（Ｂ４）の状態とに変換される。そして、オブジェクトＢは、通信ポリシー２０２ｂ，２０３ｂそれぞれに基づいて、中継装置５０ａから複数の端末装置３０ａ，３０ｂにマルチキャスト送信される。
【０５２１】
オブジェクトＣは、配信サーバ４０ａと中継装置５０ａとの区間におけるオブジェクトＣについての通信ポリシー２０１ｃに基づいて、配信サーバ４０ａにおいて、（Ｃ１）から（Ｃ２）の状態に変換される。そして、オブジェクトＣは、通信ポリシー２０１ｃに基づいて、配信サーバ４０ａから中継装置５０ａに送信される。次に、オブジェクトＣは、中継装置５０ａと端末装置３０ａとの区間におけるオブジェクトＣについての通信ポリシー２０２ｃと、中継装置５０ａと端末装置３０ｂとの区間におけるオブジェクトＣについての通信ポリシー２０３ｃとに基づいて、中継装置５０ａにおいて（Ｃ２）から（Ｃ３）の状態と、（Ｃ２）から（Ｃ４）の状態とに変換される。そして、オブジェクトＣは、通信ポリシー２０２ｃ，２０３ｃそれぞれに基づいて、中継装置５０ａから複数の端末装置３０ａ，３０ｂにマルチキャスト送信される。
【０５２２】
その結果、配信サーバ４０ａから複数の端末装置３０ａ，３０ｂに、複数のオブジェクトＡ〜Ｃを同時に並行してマルチキャスト送信する場合であっても、オブジェクトＡ〜Ｃそれぞれに適し、端末装置３０ａ，３０ｂそれぞれに適した通信ポリシーで、送信することができる。そして、端末装置３０ａでは、複数のオブジェクトＡ〜Ｃを、オブジェクトＡ〜Ｃそれぞれに適し、端末装置３０ａに適した状態（Ａ３）、（Ｂ３）、（Ｃ３）で、出力部３８ｂに同時に出力できる。又、端末装置３０ｂでは、複数のオブジェクトＡ〜Ｃを、オブジェクトＡ〜Ｃそれぞれに適し、端末装置３０ｂに適した状態（Ａ４）、（Ｂ４）、（Ｃ４）で、出力部３８ｂに同時に出力できる。
【０５２３】
〔通信料金の算出〕
提供情報の送受信に関する通信料金には、提供情報の使用にかかる提供情報使用料金、無線情報の使用にかかる無線情報使用料金、通信ポリシーの設定にかかる通信ポリシー設定料金、通信リソース使用料金、変換にかかる変換料金、情報の送信にかかる送信料金がある。そのため、提供情報の送受信に関する通信料金は、提供情報使用料金、無線情報使用料金、通信ポリシー設定料金、通信リソース使用料金、変換料金、送信料金を合計して算出する。又、制御情報、監視対象情報の送受信に関する通信料金には、通信ポリシー設定料金、通信リソース使用料金、変換料金、送信料金がある。そのため、制御情報、監視対象情報の送受信に関する通信料金は、通信ポリシー設定料金、通信リソース使用料金、変換料金、送信料金を合計して算出する。
【０５２４】
無線通信装置１０ａ〜１０ｆ、管理サーバ２０、端末装置３０ａ〜３０ｅ、配信サーバ４０ａ，４０ｂ、中継装置５０ａ、中継制御装置５０ｂ、ポータルサーバ６０の間で発生する料金について、図１９を用いて、無線通信装置１０ｄ、管理サーバ２０、端末装置３０ａ、配信サーバ４０ａ、中継装置５０ａ、中継制御装置５０ｂ、ポータルサーバ６０を例にとって説明する。
【０５２５】
配信サーバ４０ａと、端末装置３０ａとの間では、提供情報使用料金（３０１ａ）、通信ポリシー設定料金（３０１ｂ）、通信リソース使用料金（３０１ｃ）、変換料金や送信料金（３０１ｄ）が発生する。配信サーバ４０ａと、中継装置５０ａや中継制御装置５０ｂとの間では、通信ポリシー設定料金（３０２ｂ）、通信リソース使用料金（３０２ｃ）、変換料金や送信料金（３０２ｄ）が発生する。又、配信サーバ４０ａと、無線通信装置１０ｄとの間では、仲介料金（３０８ａ）、通信ポリシー設定料金（３０８ｂ）、通信リソース使用料金（３０８ｃ）、変換料金や送信料金（３０８ｄ）が発生する。無線通信装置１０ｄが、無線情報を送信することにより、提供情報が端末装置３０ａに利用される。よって、無線通信装置１０ｄが、配信サーバ４０ａによる提供情報の提供と、端末装置３０ａによる提供情報の利用を仲介している。この仲介にかかる料金が仲介料金である。
【０５２６】
中継装置５０ａや中継制御装置５０ｂと、端末装置３０ａとの間では、通信ポリシー設定料金（３０３ｂ）、通信リソース使用料金（３０３ｃ）、変換料金や送信料金（３０３ｄ）が発生する。中継装置５０ａや中継制御装置５０ｂと、管理サーバ２０との間では、通信ポリシー設定料金（３０４ｂ）、通信リソース使用料金（３０４ｃ）、変換料金や送信料金（３０４ｄ）が発生する。又、中継装置５０ａや中継制御装置５０ｂと、無線通信装置１０ｄとの間では、通信ポリシー設定料金（３０７ｂ）、通信リソース使用料金（３０７ｃ）、変換料金や送信料金（３０７ｄ）が発生する。
【０５２７】
管理サーバ２０と無線通信装置１０ｄとの間では、管理料金（３０５ａ）、通信ポリシー設定料金（３０５ｂ）、通信リソース使用料金（３０５ｃ）、変換料金や送信料金（３０５ｄ）が発生する。管理サーバ２０は、無線通信装置１０ｄに無線情報を提供している。更に、図２（ｃ）に示す無線通信装置１０ｃに対しては、管理サーバ２０は、無線情報の提供、無線情報ユーザの認証、無線情報の送信の制限なども行っている。このような管理サーバ２０が、無線通信装置１０ｃ，１０ｄに対して行う処理にかかる料金が管理料金である。
【０５２８】
無線通信装置１０ｄと端末装置３０ａとの間では、無線情報使用料金（３０６ａ）、通信ポリシー設定料金（３０６ｂ）、通信リソース使用料金（３０６ｃ）、変換料金や送信料金（３０６ｄ）が発生する。
【０５２９】
ポータルサーバ６０と、無線通信装置１０ｄとの間では、アドレス提供料金やタグＩＤ提供料金（３０９）が発生する。ポータルサーバ６０は、無線通信装置１０ｄに代わり、問い合わせに応じて無線通信装置１０ｄのアドレスや、タグＩＤを提供する。このアドレスの提供にかかる料金がアドレス提供料金である。又、タグＩＤの提供にかかる料金がタグＩＤ提供料金である。
【０５３０】
又、ポータルサーバ６０が、提供情報に関する情報を提供することにより、提供情報が端末装置３０ａに利用される。よって、ポータルサーバ６０は、配信サーバ４０ａによる提供情報の提供と、端末装置３０ａによる提供情報の利用を仲介している。そのため、ポータルサーバ６０と配信サーバ４０ａとの間では、仲介料金（３１０）が発生する。
【０５３１】
よって、例えば、配信サーバ４０ａが、中継装置５０ａを介して端末装置３０ａに提供情報を送信する場合には、提供情報使用料金（３０１ａ）と、通信ポリシー設定料金（３０２ｂ，３０３ｂ）と、通信リソース使用料金（３０２ｃ，３０３ｃ）と、変換料金や送信料金（３０２ｄ，３０３ｄ）の合計が通信料金となる。
【０５３２】
これらの料金は、料金算出規則と算出情報に基づいて算出する。図２０に、通信品質とその保証方法を通信ポリシーとして設定する場合における通信ポリシー設定料金の料金算出規則の表を示す。設定した通信品質の項目と、その保証方法が交差するフィールドに記載された料金が、その通信品質をその保証方法で保証する場合の通信ポリシー設定料金となる。例えば、通信品質として通信速度を設定した場合に、保証方法としてギャランティモードを設定した場合には、通信ポリシー設定料金は「Ｔ」となり、ベストエフォートモードの上限値を規定するモードを設定した場合には、通信ポリシー設定料金は「Ｕ」となり、ベストエフォートモードの下限値を規定するモードを設定した場合には、通信ポリシー設定料金は「Ｖ」となり、ベストエフォートモードの上限値と下限値を規定するモードを設定した場合には、通信ポリシー設定料金は「Ｗ」となる。尚、複数の通信品質の項目を設定する場合には、各項目について求めた料金の合計が、通信ポリシー設定料金となる。このように、通信ポリシーの設定内容に応じて、通信ポリシー設定料金は変動する。他にも、通信ポリシー設定項目が要求されるリアルタイム性の場合には、要求されるリアルタイム性が高いほど通信ポリシー設定料金が高くなる料金算出規則を定めることができる。
【０５３３】
又、通信ポリシー設定料金は、通信ポリシーの達成度に応じて算出できる。例えば、通信ポリシーを完全に達成できた場合の通信ポリシー設定料金を、基本通信ポリシー設定料金として算出する。そして、通信ポリシー達成度を、通信ポリシーを達成できた割合で示している場合には、基本通信ポリシー設定料金に通信ポリシー達成度を乗算して、通信ポリシー設定料金を算出する。又、通信ポリシー達成度を、通信ポリシーを達成できなかった乖離割合で示している場合には、基本通信ポリシー設定料金に通信ポリシー達成度を乗算した金額を、基本通信ポリシー設定料金から減算して、通信ポリシー設定料金を算出する。料金算出規則として、このような通信ポリシーの達成度に応じて通信ポリシー設定料金を算出する規則を定めることができる。
【０５３４】
通信リソース使用料金には、通信リソースの予約確保により発生する予約料金と、通信リソースを実際に使用することにより発生する使用料金がある。予約料金は、予約料金の単価に、予約確保した通信リソース量を乗算して算出する。使用料金は、使用料金の単価に、実際に使用した通信リソース量を乗算して算出する。そして、通信リソース使用料金は、算出した予約料金と使用料金を合計することにより算出する。尚、予約料金の単価は、使用料金の単価よりも低額に設定できる。更に、通信リソースの使用料金の単価は、ネットワークのトラヒックの状況に応じて変動させることができる。例えば、輻輳状況のときには、トラヒック量が少ないときよりも、通信リソースの使用料金の単価を高く設定する。料金算出規則として、このような予約確保した通信リソース量や、実際に使用した通信リソース量に応じて通信リソース使用料金を算出する規則を定めることができる。
【０５３５】
料金算出規則には、各提供情報、無線情報について、１回情報を受信した場合の料金を定めた提供情報使用料金、無線情報使用料金を算出する規則がある。又、料金算出規則には、提供情報、制御情報、監視対象情報を構成するデータの種類やデータ量、送信する時間帯に応じて送信料金を算出する規則がある。又、料金算出規則には、変換方法や変換するデータ量に応じて変換料金を算出する規則がある。
【０５３６】
更に、料金算出規則には、定額制、従量制、定額制と従量制の混合などについての規則も含まれる。定額制についての規則には、通信料金と、その料金で設定可能な通信ポリシーの設定項目や設定内容、利用可能な提供情報や無線情報などが規定されている。従量制についての規則には、算出に用いる通信ポリシー設定料金や通信リソース使用料金の料金算出規則などが規定されている。両者の混合についての規則には、定額で利用できる内容と、従量制で算出される内容などが規定されている。
【０５３７】
算出情報には、特定結果、設定情報、監視情報、送信制御情報、端末情報などがある。例えば、特定結果は、提供情報使用料金、無線情報使用料金の算出に用いられる。設定情報、通信ポリシーの達成度は、通信ポリシー設定料金の算出に用いられる。使用通信リソース量やネットワークの状況などの監視情報は、通信リソース使用料金の算出に用いられる。送信制御情報は、変換料金や送信料金の算出に用いられる。契約内容などの端末情報は、定額制、従量制、両者の混合のいずれかであるかの判断や、用いる料金算出規則の判断に用いられる。
【０５３８】
〈通信方法〉
次に、図１に示した通信システム１を用いた通信方法について説明する。図２１に、無線通信装置１０ａと、端末装置３０ａ，３０ｂと、中継装置５０ａと、中継制御装置５０ｂと、配信サーバ４０ａと、ポータルサーバ６０の間で行われる通信方法の手順を示す。尚、図２１では、２つの端末装置３０ａ，３０ｂが行う処理、中継装置５０ａと中継制御装置５０ｂが行う処理は、まとめて示す。
【０５３９】
まず、無線通信装置１０ａが、無線情報を端末装置３０ａ，３０ｂに送信する（Ｓ１０１）。端末装置３０ａ，３０ｂは、無線情報を受信すると、中継装置５０ａに回線接続を要求する（Ｓ１０２）。中継装置５０ａは、要求に応じて、回線接続応答を端末装置３０ａ，３０ｂに送信する（Ｓ１０３）。これにより、端末装置３０ａ，３０ｂと中継装置５０ａとの間の回線がそれぞれ接続される。
【０５４０】
回線が接続されると、端末装置３０ａ，３０ｂは、特定情報を、中継装置５０ａを介してポータルサーバ６０に送信する。特定情報には、提供情報に関する情報の要求と、ユーザＩＤ、パスワードが含まれる（Ｓ１０４）。ポータルサーバ６０では、特定情報に含まれるユーザＩＤとパスワードと、ユーザ情報データベース６３に記憶された提供情報ユーザのユーザＩＤとパスワードと一致するかを判断して、認証を行う（Ｓ１０５）。ポータル信サーバ６０は、ユーザＩＤとパスワードが一致する場合には、提供情報ユーザであると判断する。そして、ポータルサーバ６０は、特定情報を、中継装置５０ａを介して端末装置３０ａ，３０ｂに送信する。特定情報には、提供情報に関する情報が含まれる。このようにして、ポータルサーバ６０は、提供情報に関する情報を端末装置３０ａ，３０ｂに提供する（Ｓ１０６）
端末装置３０ａ，３０ｂは、ポータルサーバ６０から提供された提供情報に関する情報と、その他の提供情報の特定に用いる情報に基づいて、提供情報を特定する（Ｓ１０７）。次に、端末装置３０ａ，３０ｂはそれぞれ、ステップ（Ｓ１０６）における特定結果と、その他の通信ポリシーの設定に用いる情報に基づいて、オブジェクト単位毎に希望する通信ポリシーを決定する。端末装置３０ａ，３０ｂはそれぞれ、通信ポリシーを設定する場合と同様に、通信ポリシーの設定条件に従って、通信ポリシーの設定規則を用いて、希望の通信ポリシーを決定する（Ｓ１０８）。
【０５４１】
そして、端末装置３０ａ，３０ｂはそれぞれ、提供情報の送信の要求と、通信ポリシー設定情報を中継装置５０ａに送信する。中継装置５０ａは、受信した通信ポリシー設定情報を中継制御装置５０ｂに送信する。通信ポリシー設定情報には、決定した希望の通信ポリシーが含まれる。これにより、中継制御装置５０ｂに、端末装置３０ａ，３０ｂそれぞれが希望する通信ポリシーが通知される（Ｓ１０９）。中継装置５０ａは、中継制御装置５０ｂから通信ポリシー設定情報を受信する。中継装置５０ａは、端末装置３０ａ，３０ｂから受信した提供情報の送信の要求と、通信ポリシー設定情報を配信サーバ４０ａに送信する。通信ポリシー設定情報には、端末装置３０ａ，３０ｂそれぞれが希望する通信ポリシーと、その検討の指示が含まれる。これにより、配信サーバ４０ａに、端末装置３０ａが希望する通信ポリシーが通知される。
【０５４２】
配信サーバ４０ａは、通知された端末装置３０ａ，３０ｂそれぞれが希望する通信ポリシーを検討する（Ｓ１１１）。配信サーバ４０ａは、検討結果を含む通信ポリシー設定情報を中継装置５０ａに送信する。中継装置５０ａは、その通信ポリシー設定情報を中継制御装置５０ｂに送信する。これにより、中継制御装置５０ｂに配信サーバ４０ａによる検討結果が通知される（Ｓ１１２）。中継制御装置５０ｂは、通知された検討結果と、その検討の指示を含む通信ポリシー設定情報を、中継装置５０ａに送信する。そして、中継装置５０ａが、その通信ポリシー設定情報を端末装置３０ａ，３０ｂに送信する。これにより、端末装置３０ａ，３０ｂに配信サーバ４０ａによる検討結果が通知される（Ｓ１１３）。
【０５４３】
端末装置３０ａ，３０ｂはそれぞれ、配信サーバ４０ａによる検討結果に基づいて、再度、通信ポリシーを検討する（Ｓ１１４）。端末装置３０ａ，３０ｂはそれぞれ、再検討により決定した希望の通信ポリシーを含む通信ポリシー設定情報を、中継装置５０ａに送信する。中継装置５０ａは、通信ポリシー設定情報を中継制御装置５０ｂに送信する。これにより、端末装置３０ａ，３０ｂによる再検討結果が中継制御装置５０ｂに通知される（Ｓ１１５）。
【０５４４】
中継制御装置５０ｂが、最終的に、端末装置３０ａ，３０ｂによる再検討結果と、配信サーバ４０ａによる検討結果に基づいて、中継装置５０ａと各端末装置３０ａ，３０ｂとの間の通信ポリシーと、中継装置５０ａと配信サーバ４０ａとの間の通信ポリシーを、オブジェクト単位毎に設定する（Ｓ１１６）。中継制御装置５０ｂは、設定した通信ポリシーを含む設定情報を、中継装置５０ａを介して配信サーバ４０ａに送信する（Ｓ１１７）。
【０５４５】
中継制御装置５０ｂは、設定した通信ポリシーに基づいて、中継装置５０ａから各端末装置３０ａ，３０ｂに提供情報を送信するための送信制御情報を、オブジェクト単位毎、端末装置３０ａ，３０ｂ毎に決定する（Ｓ１１８）。配信サーバ４０ａは、設定した通信ポリシーに基づいて、配信サーバ４０ａから中継装置５０ａに提供情報を送信するための送信制御情報を、オブジェクト単位毎に決定する（Ｓ１１９）。中継制御装置５０ｂは、決定した送信制御情報に基づいて、中継装置５０ａと各端末装置３０ａ，３０ｂとの間の通信リソースを予約確保する（Ｓ１２０）。配信サーバ４０ａは、決定した送信制御情報に基づいて、配信サーバ４０ａと中継装置５０ａとの間の通信リソースを予約確保する（Ｓ１２１）。
【０５４６】
中継装置５０ａと各端末装置３０ａ，３０ｂは、それぞれの間に通信路を確立する（Ｓ１２２）。配信サーバ４０ａと中継装置５０ａも、両者の間に通信路を確立する（Ｓ１２３）。そして、配信サーバ４０ａが、送信制御情報に基づいて、提供情報をオブジェクト単位毎に変換する（Ｓ１２４）。配信サーバ４０ａは、送信制御情報に基づいて、変換した提供情報をオブジェクト単位毎に中継装置５０ａに送信する（Ｓ１２５）。中継装置５０ａは、配信サーバ４０ａから受信した提供情報を、送信制御情報に基づいてオブジェクト単位毎、端末装置３０ａ，３０ｂ毎に変換する（Ｓ１２６）。中継装置５０ａは、送信制御情報に基づいて、変換した提供情報をオブジェクト単位毎、端末装置３０ａ、３０ｂ毎に、端末装置３０ａ，３０ｂにマルチキャスト送信する（Ｓ１２７）。
【０５４７】
端末装置３０ａ，３０ｂは、提供情報をオブジェクト単位毎に受信する。そして、端末装置３０ａ，３０ｂは、提供情報を正常に受信できたことを確認し、中継装置５０ａに受信確認応答を送信する（Ｓ１２８）。中継装置５０ａは、端末装置３０ａからの受信確認応答を配信サーバ４０ａに転送する（Ｓ１２９）。中継装置５０ａ、配信サーバ４０ａは、端末装置３０ａ，３０ｂからの受信確認応答を受信することにより、送信の完了を確認できる。
【０５４８】
〈効果〉
このような通信システム１、無線通信装置１０ａ〜１０ｆ、管理サーバ２０、端末装置３０ａ〜３０ｅ、配信サーバ４０ａ，４０ｂ、中継装置５０ａ、中継制御装置５０ｂによれば、通信ポリシー設定部１６，２６，３６，４６，５６が、通信部２４，４４ａ，４４ｂ，５４ａ、無線通信部１１ｃ，１１ｄから通信部１４ｄ，３４ａ，３４ｂ、無線通信部１１ｃ，１１ｄ，３１ａ，３１ｂに提供情報をマルチキャスト送信する際の通信ポリシーを、オブジェクト単位毎に決定し、設定する。又、通信ポリシー設定部１６，２６，３６，４６，５６は、通信部１４ｄ，３４ａ，３４ｂ，４４ａ，４４ｂ、無線通信部１１ｃ，１１ｄ，３１ａ，３１ｂが、通信部３４ａ，３４ｂ，４４ａ，４４ｂ、無線通信部３１ａ，３１ｂに、制御情報や監視対象情報を送信する際の通信ポリシーを、オブジェクト単位毎に決定し、設定する。
【０５４９】
そして、通信制御部１７，２７，３７ａ，３７ｂ，４７ａ，４７ｂ，５７ａ，５７ｂが、設定された通信ポリシーに基づいて、提供情報のマルチキャスト送信や、制御情報や監視対象情報の送信を、オブジェクト単位毎に制御する。そのため、通信システム１、無線通信装置１０ａ〜１０ｆ、管理サーバ２０、端末装置３０ａ〜３０ｅ、配信サーバ４０ａ，４０ｂ、中継装置５０ａ、中継制御装置５０ｂは、情報の送信側や、情報の受信側が望む情報の単位毎に、それぞれに適した取り決めに従って、提供情報をマルチキャスト送信したり、制御情報や監視対象情報を送信したりできる。
【０５５０】
又、通信ポリシー設定部１６，２６，３６，４６，５６は、様々な情報に基づいて、通信ポリシーを決定し、設定することができる。そのため、情報の送信側と、情報の受信側は、より適切な通信ポリシーに従って、提供情報や制御情報、監視対象情報を送受信できる。
【０５５１】
更に、通信システム１、管理サーバ２０、配信サーバ４０ａ，４０ｂ、中継制御装置５０ｂは、リソース割当部２８ｂ，４８ｂ，４８ｃ，５８ｂを備える。そのため、無線通信装置１０ｃ〜１０ｆ、端末装置３０ａ〜３０ｅ、管理サーバ２０、配信サーバ４０ａ，４０ｂ、中継装置５０ａは、通信ポリシーを実現するために必要な通信リソースを予め確保してから、提供情報、制御情報、監視対象情報を送受信することができる。
【０５５２】
又、通信システム１、無線通信装置１０ｄ、管理サーバ２０、配信サーバ４０ａ，４０ｂ、中継制御装置５０ｂは、変換部１８，２８ａ，４８ａ，５８ａを備える。そのため、通信システム１、無線通信装置１０ｄ、管理サーバ２０、配信サーバ４０ａ，４０ｂ、中継制御装置５０ｂは、通信ポリシーを実現するために必要な提供情報の変換を行うことができる。
【０５５３】
更に、通信システム１、無線通信装置１０ｄ、管理サーバ２０、端末装置３０ａ、配信サーバ４０ａ，４０ｂ、中継制御装置５０ｂは、監視部１９ａ，２９ａ，３９ａ，４９ａ，４９ｄ，５９ａを備える。そのため、通信システム１、無線通信装置１０ｄ、管理サーバ２０、端末装置３０ａ，配信サーバ４０ａ，４０ｂ、中継制御装置５０ｂは、ネットワークの状況や通信リソースの状況、配信サーバ４０ａ，４０ｂ、中継装置５０ａ、中継制御装置５０ｂ、管理サーバ２０、無線通信装置１０ｄ〜１０ｆ、端末装置３０ａ〜３０ｅの処理状況や負荷状況、通信ポリシーの達成度、通信品質やデータ品質、通信スケジュールの実際の状況などを把握できる。そして、通信システム１、無線通信装置１０ｄ〜１０ｆ、管理サーバ２０、端末装置３０ａ，３０ｃ〜３０ｅ、配信サーバ４０ａ，４０ｂ、中継制御装置５０ｂは、取得したこれらの情報に基づいて、提供情報の特定や通信ポリシーの設定、マルチキャスト送信対象装置の決定、提供情報や無線情報の送信の制限などを行うことができる。
【０５５４】
又、無線通信部１１ａ〜１１ｄが、近距離無線により無線情報を送信し、無線通信部３１ａ，３１ｂが、その無線情報を受信する。そして、提供情報特定部１５，２５，３５，４５が、受信した無線情報に基づいて、提供情報を特定する。そして、通信部２４，４４ａ，４４ｂ，５４ａ、無線通信部１１ｃ，１１ｄが、特定した提供情報をマルチキャスト送信する。そのため、端末装置３０ａ〜３０ｅのユーザは、ユーザに適した情報を容易に取得できる。更に、提供情報特定部１５，２５，３５，４５ａは、無線情報だけでなく、その他の様々な情報に基づいて、提供情報を特定することができる。そのため、端末装置３０ａ〜３０ｅのユーザは、よりユーザに適した提供情報を取得することができる。
【０５５５】
又、測定部１９ｄ，３２が、監視対象に関する監視対象情報を取得する。そして、通信部１４ｄ，３４ａ，３４ｂや無線通信部３１ａ，３１ｂが、取得した監視対象情報を、配信サーバ４０ａ，４０ｂに送信する。そのため、無線通信装置１０ｄ〜１０ｆや端末装置３０ａ〜３０ｅは、監視対象情報を取得し、配信サーバ４０ａ，４０ｂに送信して、監視装置として機能することができる。又、通信システム１、課金サーバ７０は、課金部７２を備えることにより、提供情報や制御情報、監視対象情報の送受信に関する通信料金を課金できる。
【０５５６】
［第２の実施の形態］
次に、通信システムを用いて遠隔制御、遠隔監視を行う場合について説明する。図２２に示すように、通信システム２０１は、複数の端末装置２３０ａ，２３０ｂと、ホームサーバ２２０と、無線通信装置２１０ａと、監視カメラ２１０ｂと、監視装置２１０ｃ，２１０ｄと、録画装置２１０ｅとを備える。
【０５５７】
端末装置２３０ａ，２３０ｂは、ホームサーバ２２０を介して、無線通信装置２１０ａ、監視カメラ２１０ｂ、監視装置２１０ｃ，２１０ｄ、録画装置２１０ｅを、遠隔から制御する制御装置として機能する。又、端末装置２３０ａ，２３０ｂは、ホームサーバ２２０を介して、監視カメラ２１０ｂ、監視装置２１０ｃ，２１０ｄから監視対象情報を取得することにより、監視対象を遠隔から監視する。
【０５５８】
図２２に示すように、端末装置２３０ａは、制御部２３１と、測定部３２と、ユーザ情報記憶部３３と、通信部２３４と、通信ポリシー設定部２３６と、通信制御部２３７と、入力部２３８ａと、出力部２３８ｂと、監視部２３９と、通信ポリシーデータベース３６ａと、時計部３９ｂとを備える。尚、端末装置２３０ｂは、端末装置２３０ａと同様の構成を備える。測定部３２、ユーザ情報記憶部３３、通信ポリシーデータベース３６ａ、時計部３９ｂは、図５と同様であるため、同一の符号を付して説明を省略する。
【０５５９】
制御部２３１は、無線通信装置２１０ａ、監視カメラ２１０ｂ、監視装置２１０ｃ，２１０ｄ、録画装置２１０ｅを制御する。制御部２３１は、制御対象である無線通信装置２１０ａ、監視カメラ２１０ｂ、監視装置２１０ｃ，２１０ｄ、録画装置２１０ｅに対する制御情報を生成する。そして、制御部２３１は、通信部２３４を介して、制御情報を制御対象に送信することにより、遠隔から制御する。例えば、制御部２３１は、無線通信装置２１０ａに対する無線情報の送信の指示を、制御情報として生成する。
【０５６０】
制御部２３１は、監視カメラ２１０ｂ、監視装置２１０ｃ，２１０ｄに対する監視対象情報の送信の指示、取得する監視対象情報の変更の指示などを、制御情報として生成する。例えば、制御部２３１は、監視カメラ２１０ｂが撮影している方向の変更の指示などを、制御情報として生成する。又、制御部２３１は、録画装置２１０ｅに対する録画や録画の停止の指示などを、制御情報として生成する。
【０５６１】
更に、入力部２３８ａが、ユーザ操作により、無線通信装置２１０ａ、監視カメラ２１０ｂ、監視装置２１０ｃ，２１０ｄ、録画装置２１０ｅに対する制御情報を、制御部２３１に入力する。制御部２３１は、生成した制御情報や、入力部２３８ａから取得した制御情報を、通信部２３４に入力する。その際、制御部２３１は、制御情報に、制御情報の宛先である無線通信装置２１０ａ、監視カメラ２１０ｂ、監視装置２１０ｃ，２１０ｄ、録画装置２１０ｅのアドレス、制御情報ＩＤを付与して入力する。又、制御部２３１は、制御情報に関する情報を、通信ポリシー設定部２３６、通信制御部２３７に入力する。
【０５６２】
又、制御部２３１は、通信部２３４から監視対象情報などを取得する。制御部２３１は、取得した監視対象情報に基づいて、制御対象に対する次の指示を、制御情報として生成する。又、制御部２３１は、取得した監視対象情報を出力部２３８ｂに出力する。監視部２３９は、制御部２３１の負荷状況や処理状況を、監視情報として取得する。入力部２３８ａ、出力部２３８ｂ、監視部２３９は、これらの点以外は、図５に示した入力部３８ａ、出力部３８ｂ、監視部３９ａと実質的に同様である。
【０５６３】
通信部２３４は、ホームサーバ２２０とネットワークを介して通信する。通信部２３４は、制御部２３１から取得した制御情報をホームサーバ２２０に送信する制御情報送信手段である。尚、通信部２３４は、複数の監視対象に対して、制御情報をマルチキャスト送信してもよい。通信部２３４は、通信制御部２３７の制御に従って、制御情報を送信する。又、通信部２３４は、ホームサーバ２２０から監視対象情報を受信する監視対象情報受信手段である。通信部２３４は、受信した監視対象情報を制御部２３１に入力する。
【０５６４】
又、通信部２３４は、ホームサーバ２２０から、通信ポリシー設定情報、設定情報を受信する。通信部２３４は、受信した通信ポリシー設定情報、設定情報を、通信ポリシー設定部２３６、通信制御部２３７に入力する。又、通信部２３４は、通信ポリシー設定部２３６から通信ポリシー設定情報、設定情報を取得する。通信部２３４は、取得した通信ポリシー設定情報、設定情報を、ホームサーバ２２０に送信する。
【０５６５】
通信ポリシー設定部２３６は、制御情報や監視対象情報を送信する際の通信ポリシーを決定し、設定する。又、通信ポリシー設定部２３６は、通信ポリシー設定情報を、ホームサーバ２２０に通知する。その際、通信ポリシー設定部２３６は、制御部２３１、入力部２３８ａ、通信部２３４、測定部３２、ユーザ情報記憶部３３、監視部２３９、時計部３９ｂ、通信ポリシーデータベース３６ａから、制御情報に関する情報、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０５６６】
そして、通信ポリシー設定部２３６は、取得したこれらの情報に基づいて、通信ポリシーを決定し、設定し、通信ポリシー設定情報を通知する。通信ポリシー設定部２３６は、通信ポリシー設定情報、設定情報を、通信部２３４に入力する。これらの点以外は、通信ポリシー設定部２３６は、図５に示した通信ポリシー設定部３６と実質的に同様である。
【０５６７】
通信制御部２３７は、制御部２３１、通信ポリシー設定部２３６、入力部２３８ａ、通信部２３４、測定部３２、ユーザ情報記憶部３３、監視部２３９、時計部３９ｂから、制御情報に関する情報、設定情報、通信ポリシー設定情報、測定情報、端末情報、監視情報、時間情報を取得する。通信制御部２３７は、取得したこれらの情報に基づいて、制御情報のオブジェクト単位毎に送信制御情報を決定する。通信制御部２３７は、時間情報と、決定した送信制御情報に基づいて、通信部２３４を制御する。これらの点以外は、通信制御部２３７は、図５に示した通信制御部３７ａと実質的に同様である。
【０５６８】
ホームサーバ２２０は、端末装置２３０ａ，２３０ｂと、無線通信装置２１０ａ、監視カメラ２１０ｂ、監視装置２１０ｃ，２１０ｄ、録画装置２１０ｅとの間の情報の送受信を中継する中継装置である。ホームサーバ２２０は、無線通信部２２１と、ホームサーバ情報記憶部２２２と、ユーザ情報データベース１３と、通信部２２４と、通信ポリシー設定部２２６と、通信ポリシーデータベース１６ａと、通信制御部２２７と、変換部１８と、リソース割当部２２８ｂと、監視部２２９ａと、時計部１９ｂとを備える。
【０５６９】
ユーザ情報データベース１３、通信ポリシーデータベース１６ａ、変換部１８、時計部１９ｂは、図３と実質的に同様であるため、同一の符号を付して説明を省略する。又、監視部２２９ａは、リソース割当部２２８ｂの負荷状況や処理状況を監視したり、リソース割当部２２８ｂから、通信リソースの状況を取得したりする。この点以外は、監視部２２９ａは、図３に示した監視部１９ａと実質的に同様である。リソース割当部２２８ｂは、ホームサーバ２２０の通信部２２４と端末装置２３０ａ，２３０ｂとの間の通信リソースや、監視カメラ２１０ｂ、監視装置２１０ｃと、通信部２２４との間の通信リソース、無線通信装置２１０ａ、監視装置２１０ｄ、録画装置２１０ｅと、無線通信部２２１との間の通信リソースの割当を行う。この点以外は、リソース割当部２２８ｂは、図４に示したリソース割当部２８ｂと実質的に同様である。
【０５７０】
ホームサーバ情報記憶部２２２は、ホームサーバ２２０に関するホームサーバ情報を記憶する。ホームサーバ情報には、ホームサーバ２２０の識別子、ホームサーバ２２０の位置情報、ホームサーバ２２０の処理能力や通信速度、容量などのホームサーバ２２０の性能に関する情報、ホームサーバ２２０の負荷状況や処理状況、ホームサーバ２２０が希望する通信ポリシー、通信料金の希望上限額、提供してもよいホームサーバ２２０に関する通信リソース、希望するオブジェクト単位、要求する品質、要求されるリアルタイム性などがある。又、ホームサーバ情報には、ホームサーバ２２０全体に関する情報と、ホームサーバ２２０を構成する各構成に関する情報がある。
【０５７１】
無線通信部２２１は、無線通信装置２１０ａ、監視装置２１０ｄ、録画装置２１０ｅと、近距離無線により情報を送受信する。又、無線通信部２２１は、通信部２２４から、制御情報を取得する。無線通信部２２１は、無線通信装置２１０ａ、監視装置２１０ｄ、録画装置２１０ｅに、取得した制御情報を送信する。無線通信部２２１は、無線通信装置２１０ａから無線情報や、無線情報に関する情報を受信する。無線通信部２２１は、監視装置２１０ｄから監視対象情報や、監視対象情報に関する情報を受信する。無線通信部２２１は、受信した無線情報や監視対象情報を、通信部２２４に入力する。又、無線通信部２２１は、受信した無線情報や監視対象情報に関する情報を、通信ポリシー設定部２２６、通信制御部２２７に入力する。又、無線通信部２２１は、通信制御部２２７から、送信制御情報を取得する。無線通信部２２１は、取得した送信制御情報を、無線通信装置２１０ａ、監視装置２１０ｄに送信する。
【０５７２】
通信部２２４は、端末装置２３０ａ，２３０ｂとネットワークを介して通信する。又、通信部２２４は、監視カメラ２１０ｂ、監視装置２１０ｃと情報を送受信する。通信部２２４は、端末装置２３０ａ，２３０ｂから、制御情報を受信する。通信部２２４は、受信した制御情報のうち、無線通信装置２１０ａ、監視装置２１０ｄ、録画装置２１０ｅに対する制御情報は、無線通信部２２１に入力する。通信部２２４は、受信した制御情報のうち、監視カメラ２１０ｂ、監視装置２１０ｃに対する制御情報は、監視カメラ２１０ｂ、監視装置２１０ｃに送信する。通信部２２４は、監視カメラ２１０ｂ、監視装置２１０ｃから、監視対象情報や、監視対象情報に関する情報を受信する。通信部２２４は、受信した監視対象情報を、端末装置２３０ａ，２３０ｂに送信する。又、通信部２２４は、受信した監視対象情報に関する情報を、通信ポリシー設定部２２６、通信制御部２２７に入力する。又、通信部２２４は、通信制御部２２７から、送信制御情報を取得する。通信部２２４は、取得した送信制御情報を、監視カメラ２１０ｂ、監視装置２１０ｃに送信する。
【０５７３】
尚、通信部２２４は、複数の端末装置２３０ａ，２３０ｂに対して、監視対象情報をマルチキャスト送信してもよい。例えば、監視対象情報を、家族が使用する複数の端末装置２３０ａ，２３０ｂにマルチキャスト送信したり、セキュリティ会社や医療機関が使用する複数の端末装置２３０ａ，２３０ｂにマルチキャスト送信したり、ユーザが携帯している端末装置とその他の端末装置にマルチキャスト送信したりできる。通信部２２４、無線通信部２２１は、通信制御部２２７の制御に従って、制御情報、監視対象情報を送信する。
【０５７４】
又、通信部２２４は、端末装置２３０ａ，２３０ｂから、通信ポリシー設定情報、設定情報を受信する。通信部２２４は、受信した通信ポリシー設定情報、設定情報を、通信ポリシー設定部２２６、通信制御部２２７に入力する。又、通信部２２４は、通信ポリシー設定部２２６から通信ポリシー設定情報、設定情報を取得する。通信部２２４は、取得した通信ポリシー設定情報、設定情報を、端末装置２３０ａ，２３０ｂに送信する。
【０５７５】
通信ポリシー設定部２２６は、制御情報や監視対象情報を送信する際の通信ポリシーを決定し、設定する。又、通信ポリシー設定部２２６は、通信ポリシー設定情報を、端末装置２３０ａ，２３０ｂに通知する。その際、通信ポリシー設定部２２６は、無線通信部２２１、通信部２２４、ユーザ情報データベース１３、監視部２２９ａ、時計部１９ｂ、通信ポリシーデータベース１６ａ、ホームサーバ情報記憶部２２２から、監視対象情報や無線情報に関する情報、通信ポリシー設定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報、ホームサーバ情報を取得する。
【０５７６】
そして、通信ポリシー設定部２２６は、取得したこれらの情報に基づいて、通信ポリシーを決定し、設定し、通信ポリシー設定情報を通知する。通信ポリシー設定部２２６は、通信ポリシー設定情報、設定情報を、通信部２２４に入力する。これらの点以外は、通信ポリシー設定部２２６は、図３に示した通信ポリシー設定部１６と実質的に同様である。
【０５７７】
通信制御部２２７は、無線通信部２２１、通信部２２４、ユーザ情報データベース１３、監視部２２９ａ、時計部１９ｂ、ホームサーバ情報記憶部２２２から、監視対象情報や無線情報に関する情報、設定情報、通信ポリシー設定情報、端末情報、監視情報、時間情報、ホームサーバ情報を取得する。通信制御部２２７は、取得したこれらの情報に基づいて、監視対象情報や無線情報のオブジェクト単位毎に送信制御情報を決定する。通信制御部２２７は、時間情報と決定した送信制御情報に基づいて、通信部２２４、無線通信部２２１を制御する。又、通信制御部２２７は、決定した送信制御情報を、無線通信部２２１、通信部２２４に入力する。これらの点以外は、通信制御部２２７は、図３に示した通信制御部１７と実質的に同様である。
【０５７８】
無線通信装置２１０ａは、無線情報を送信する。無線通信装置２１０ａは、無線通信部２１１ａと、制御部２１２ａと、無線情報記憶部２１３ａとを備える。無線情報記憶部２１３ａは、無線情報を記憶する。無線通信部２１１ａは、ホームサーバ２２０を介して、端末装置２３０ａ，２３０ｂから制御情報を受信する制御情報受信手段である。無線通信部２１１ａは、受信した制御情報を制御部２１２ａに入力する。制御部２１２ａは、取得した制御情報に基づいて、無線情報記憶部２１３ａから無線情報を取得する。制御部２１２ａは、取得した無線情報に関する情報を無線通信部２１１ａに入力する。無線通信部２１１ａは、無線情報に関する情報をホームサーバ２２０に送信する。
【０５７９】
そして、無線通信部２１１ａは、ホームサーバ２２０から送信される送信制御情報を受信し、制御部２１２ａに入力する。制御部２１２ａは、取得した送信制御情報に基づいて、無線情報を無線通信部２１１ａに入力し、無線通信部２１１ａを制御する。無線通信部２１１ａは、制御部２１２ａの制御に従って、無線情報を、ホームサーバ２２０を介して端末装置２３０ａ，２３０ｂに送信する。
【０５８０】
監視カメラ２１０ｂは、監視対象に関する監視対象情報を取得して、送信する監視装置として機能する。監視カメラ２１０ｂは、通信部２１１ｂと、制御部２１２ｂと、撮影部２１３ｂとを備える。通信部２１１ｂは、ホームサーバ２２０を介して、端末装置２３０ａ，２３０ｂから制御情報を受信する。通信部２１１ｂは、受信した制御情報を制御部２１２ｂに入力する。制御部２１２ｂは、取得した制御情報に基づいて、撮影部２１３ｂを制御する。撮影部２１３ｂは、制御部２１２ｂの制御に従って、監視対象の映像を撮影する。このように、撮影部２１３ｂは、監視対象の映像を監視対象情報として取得する監視手段として機能する。撮影部２１３ｂは、監視対象の映像を制御部２１２ｂに入力する。制御部２１２ｂは、取得した監視対象情報に関する情報を通信部２１１ｂに入力する。無線通信部２１１ｂは、監視対象情報に関する情報をホームサーバ２２０に送信する。
【０５８１】
そして、無線通信部２１１ｂは、ホームサーバ２２０から送信される送信制御情報を受信し、制御部２１２ｂに入力する。制御部２１２ｂは、取得した送信制御情報に基づいて、監視対象情報を無線通信部２１１ｂに入力し、無線通信部２１１ｂを制御する。無線通信部２１１ｂは、制御部２１２ｂの制御に従って、監視対象情報を、ホームサーバ２２０を介して端末装置２３０ａ，２３０ｂに送信する監視対象情報送信手段として機能する。
【０５８２】
監視装置２１０ｃは、通信部２１１ｃと、制御部２１２ｃと、破損センサー部２１３ｃとを備える。監視装置２１０ｄは、無線通信部２１１ｄと、制御部２１２ｄと、温度センサー部２１３ｄとを備える。通信部２１１ｃ、無線通信部２１１ｄは、ホームサーバ２２０を介して、端末装置２３０ａ，２３０ｂから制御情報を受信する。通信部２１１ｃ、無線通信部２１１ｄは、受信した制御情報を制御部２１２ｃ，２１２ｄに入力する。制御部２１２ｃは、取得した制御情報に基づいて、破損センサー部２１３ｃを制御する。制御部２１２ｄは、取得した制御情報に基づいて、温度センサー部２１３ｄを制御する。
【０５８３】
破損センサー部２１３ｃは、制御部２１２ｃの制御に従って、監視対象の破損状況を検出する。例えば、破損センサー部２１３ｃは、窓ガラスなどの破損を検出する。温度センサー部２１３ｄは、制御部２１２ｃの制御に従って、監視対象の温度を測定する。例えば、温度センサー部２１３ｄは、風呂や室内の温度を測定する。このように、破損センサー部２１３ｃや温度センサー部２１３ｄは、監視対象の破損状況や温度を、監視対象情報として取得する監視手段として機能する。破損センサー部２１３ｃ、温度センサー部２１３ｄは、監視対象の破損状況や温度を制御部２１２ｃ，２１２ｄに入力する。制御部２１２ｃ，２１２ｄは、取得した監視対象情報に関する情報を、通信部２１１ｃ、無線通信部２１１ｄに入力する。通信部２１１ｃ、無線通信部２１１ｄは、監視対象情報に関する情報をホームサーバ２２０に送信する。
【０５８４】
そして、通信部２１１ｃ、無線通信部２１１ｄは、ホームサーバ２２０から送信される送信制御情報を受信し、制御部２１２ｃ，２１２ｄに入力する。制御部２１２ｃ，２１２ｄは、取得した送信制御情報に基づいて、監視対象情報を通信部２１１ｃ、無線通信部２１１ｄに入力し、通信部２１１ｃ、無線通信部２１１ｄを制御する。通信部２１１ｃ、無線通信部２１１ｄは、制御部２１２ｃ，２１２ｄの制御に従って、監視対象情報を、ホームサーバ２２０を介して端末装置２３０ａ，２３０ｂに送信する監視対象情報送信手段として機能する。
【０５８５】
録画装置２１０ｅは、無線通信部２１１ｅと、制御部２１２ｅと、録画部２１３ｅとを備える。無線通信部２１１ｅは、ホームサーバ２２０を介して、端末装置２３０ａ，２３０ｂから制御情報を受信する。無線通信部２１１ｅは、受信した制御情報を制御部２１２ｅに入力する。制御部２１２ｅは、取得した制御情報に基づいて、録画部２１３ｅを制御する。録画部２１３ｅは、制御部２１２ｅの制御に従って、録画やその停止などの処理を行う。尚、制御部２１２ｅは、録画部２１３ｅの処理状況を取得してもよい。そして、制御部２１２ｅは、取得した処理状況を無線通信部２１１ｅに入力する。無線通信部２１１ｅは、制御部２１２ｅの制御に従って、処理状況を端末装置２３０ａ，２３０ｂに送信する。
【０５８６】
このような通信システム２０１、端末装置２３０ａ，２３０ｂ、ホームサーバ２２０、無線通信装置２１０ａ、監視カメラ２１０ｂ、監視装置２１０ｃ，２１０ｄ、録画装置２１０ｅによれば、制御情報や監視対象情報を送信する際の通信ポリシーがオブジェクト単位毎に決定し、設定され、その設定された通信ポリシーに基づいて、制御情報や監視対象情報がオブジェクト単位毎に送信される。そのため、通信システム２０１では、制御情報や監視対象情報を、適切に送信できる。即ち、制御情報や監視対象情報を、適切なタイミングで遅延せずに、的確に送信することが可能となる。その結果、通信システム２０１では、適切な制御や監視が可能となる。
【０５８７】
［変更例］
本発明は、上記第１、第２の実施の形態に限定されるものではなく、種々の変更が可能である。例えば、図２３に示すように、通信システムは、複数の無線通信装置１０と、複数の端末装置３０と、複数の配信サーバ４０と、中継装置２５０と、ネットワーク８０と、移動通信網９０とを備えるようにしてもよい。無線通信装置１０、端末装置３０、配信サーバ４０は、図１に示した無線通信装置１０ａ〜１０ｆ、端末装置３０ａ〜３０ｅ、配信サーバ４０ａ，４０ｂと同様である。
【０５８８】
図２３に示すように、端末装置３０と、中継装置２５０は、動通信網９０を介して通信できる。移動通信網９０は、基地局９１と交換装置９２を備える。中継装置２５０と、配信サーバ４０とは、ネットワーク８０を介して通信できる。ネットワーク８０は、情報中継サーバ８１と、ストリーミングコンテンツ中継サーバ８２と、複数のアクセス中継装置８３ａ〜８３ｃと、インターネット８５ａ，８５ｂと、有線通信網８６ａ，８６ｂと、移動通信網８４とを備える。
【０５８９】
情報中継サーバ８１は、配信サーバ４０と中継装置２５０との間で、提供情報を中継する。情報中継サーバ８１は、配信サーバ４０と直接接続してもよく、インターネット８５ａや有線通信網８６ａを介して接続してもよい。ストリーミングコンテンツ中継サーバ８２は、配信サーバ４０と中継装置２５０との間で、ストリーミング送信される提供情報を中継する。ストリーミングコンテンツ中継サーバ８２は、配信サーバ４０と直接接続してもよく、インターネット８５ａや有線通信網８６ａを介して接続してもよい。このように、通信システムは、配信サーバ４０と中継装置２５０との間を中継する情報中継サーバ８１やストリーミングコンテンツ中継サーバ８２を備えるようにしてもよい。この場合、配信サーバ４０と情報中継サーバ８１との間、情報中継サーバ８１と中継装置２５０との間、配信サーバ４０とストリーミングコンテンツ中継サーバ８２との間、ストリーミングコンテンツ中継サーバ８２と中継装置２５０との間それぞれで通信ポリシーが決定し、設定される。
【０５９０】
アクセス中継装置８３ａは、配信サーバ４０とインターネット８５ｂとを接続する。アクセス中継装置８３ｂは、配信サーバ４０と有線通信網８６ｂとを接続する。アクセス中継装置８５ｃは、配信サーバ４０と移動通信網８４とを接続する。アクセス中継装置８３ａと中継装置２５０は、インターネット８５ｂを介して接続する。アクセス中継装置８３ｂと中継装置２５０は、有線通信網８６ｂを介して接続する。アクセス中継装置８３ｃと中継装置２５０は、交換装置８４ａと、基地局８４ｂと、移動通信端末８４ｃとを備える移動通信網８４を介して接続する。このように、通信システムは、配信サーバ４０と、インターネット８５ｂや有線通信網８６ｂ、移動通信網８４とを接続するアクセス中継装置８３ａ〜８５ｃを備えるようにしてもよい。そして、配信サーバ４０は、アクセス中継装置８３ａ〜８５ｃを介して、インターネット８５ｂや有線通信網８６ｂ、移動通信網８４に接続するようにしてもよい。この場合、配信サーバ４０とアクセス中継装置８３ａ〜８３ｃとの間、アクセス中継装置８３ａ〜８５ｃと中継装置２５０との間それぞれで通信ポリシーが決定し、設定される。
【０５９１】
中継装置２５０は、中継制御部２５１と、中継ゲートウェイ部２５２とを備える。中継制御部２５１は、通信ポリシー設定部２５１ａと、リソース割当部２５１ｂと、変換部２５１ｃと、監視部２５１ｄと、課金部２５１ｅと、課金データベース２５１ｆとを備える。通信ポリシー設定部２５１ａ、リソース割当部２５１ｂ、変換部２５１ｃ、監視部２５１ｄは、図９に示した通信ポリシー設定部５６、リソース割当部５８ｂ、変換部５８ａ、監視部５９ａと同様である。課金部２５１ｅ、課金データベース２５１ｆは、図１１に示した課金部７２、課金データベース７３と同様である。このように、中継装置２５０が課金を行ってもよい。
【０５９２】
中継ゲートウェイ部２５２は、ＨＴＴＰ通信制御部２５２ａと、ストリーミングコンテンツ映像通信制御部２５２ｂと、ＶｏＩＰ（Ｖｏｉｃｅ  Ｏｖｅｒ  Ｉｎｔｅｒｎｅｔ  Ｐｒｏｔｏｃｏｌ）通信制御部２５２ｃと、トンネリング通信制御部２５２ｄと、通信制御部２５２ｅとを備える。ＨＴＴＰ通信制御部２５２ａは、ＨＴＴＰを用いて送信される提供情報の送信を制御して、送信する。ストリーミング映像通信制御部２５２ｂは、ストリーミング送信される提供情報の送信を制御して、送信する。ＶｏＩＰ通信制御部２５２ｃは、ＶｏＩＰを用いて送信される提供情報の送信を制御して、送信する。トンネリング通信制御部２５２ｄは、通信路としてトンネルを確立して送信される提供情報の送信を制御して、送信する。通信制御部２５２ｅは、その他の提供情報の送信を制御して、送信する。このように、提供情報の送信に用いる通信プロトコルや提供情報の送信方法、確立する通信路毎に、提供情報の送信を制御し、送信する通信制御部を分けて設けるようにしてもよい。
【０５９３】
又、通信システムでは、セッションを、全て提供情報や処理情報の送信に用いる必要はなく、セッションの一部を特定情報や通信ポリシー設定情報の送受信、ネットワークの状況の監視などに用いてもよい。又、無線通信装置１０ａ〜１０ｆは、自身や他の無線通信装置が行った無線情報の送信に関する送信情報に基づいて、無線情報を送信してもよい。これによれば、無線通信装置１０ａ〜１０ｆは、自身や他の無線通信装置が送信した無線情報を考慮して、より適切な無線情報を端末装置３０ａ〜３０ｅに送信できる。又、無線通信装置１０ｄ〜１０ｆは、他の無線通信装置が設定した通信ポリシーに基づいて、通信ポリシーを設定してもよい。これによれば、無線通信装置１０ｄ〜１０ｆは、ある端末装置３０ａ〜３０ｅへの情報の送信を、他の無線通信装置から容易に引き継ぐことができる。又、無線通信装置１０ｄ〜１０ｆは、ある環境に適するように設定された通信ポリシーを、その環境においてそのまま利用でき、新たな通信ポリシーの設定を省略することができる。
【０５９４】
【発明の効果】
以上説明したように、本発明によれば、情報の送信側や受信側が望む情報の単位毎に、それぞれに適した取り決めに従って、情報をマルチキャスト送信できる通信システム、情報送信装置及び通信方法を提供することができる。又、他の発明によれば、制御や監視に関する情報を、適切に送信できる通信システム、制御装置、監視装置及び通信方法を提供することができる。
【図面の簡単な説明】
【図１】本発明の第１の実施の形態に係る通信システムの構成を示すブロック図である。
【図２】本発明の第１の実施の形態に係る無線通信装置の構成を示すブロック図である。
【図３】本発明の第１の実施の形態に係る他の無線通信装置の構成を示すブロック図である、
【図４】本発明の第１の実施の形態に係る管理サーバの構成を示すブロック図である。
【図５】本発明の第１の実施の形態に係る端末装置の構成を示すブロック図である。
【図６】本発明の第１の実施の形態に係る他の端末装置の構成を示すブロック図である。
【図７】本発明の第１の実施の形態に係る配信サーバの構成を示すブロック図である。
【図８】本発明の第１の実施の形態に係る他の配信サーバの構成を示すブロック図である。
【図９】本発明の第１の実施の形態に係る中継装置及び中継制御装置の構成を示すブロック図である、
【図１０】本発明の第１の実施の形態に係るポータルサーバの構成を示すブロック図である。
【図１１】本発明の第１の実施の形態に係る課金サーバの構成を示すブロック図である。
【図１２】本発明の第１の実施の形態に係る提供情報のマルチキャスト送信を示すブロック図である。
【図１３】本発明の第１の実施の形態に係る提供情報の構成を示すブロック図である。
【図１４】本発明の第１の実施の形態に係る通信ポリシーの設定規則を示す図である。
【図１５】本発明の第１の実施の形態に係る他の通信ポリシーの設定規則を示す図である。
【図１６】本発明の第１の実施の形態に係る更に他の通信ポリシーの設定規則を示す図である。
【図１７】本発明の第１の実施の形態に係る通信ポリシーの設定から情報の送信までを示す図である。
【図１８】本発明の第１の実施の形態に係る通信ポリシーに基づいた情報のマルチキャスト送信を示すブロック図である。
【図１９】本発明の第１の実施の形態に係る料金を示す図である。
【図２０】本発明の第１の実施の形態に係る料金算出規則を示す図である。
【図２１】本発明の第１の実施の形態に係る通信方法の手順を示すフロー図である。
【図２２】本発明の第２の実施の形態に係る通信システムの構成を示す図である。
【図２３】本発明の変更例に係る通信システムの構成を示すブロック図である。
【符号の説明】
１，２０１  通信システム
１０，１０ａ〜１０ｆ，２１０ａ  無線通信装置
２０  管理サーバ
３０，３０ａ〜３０ｅ，２３０ａ，２３０ｂ  端末装置
４０，４０ａ，４０ｂ  配信サーバ
５０ａ，２５０  中継装置
５０ｂ  中継制御装置
６０  ポータルサーバ
７０  課金サーバ
１１ａ〜１１ｄ，３１ａ，３１ｂ，２１１ａ，２１１ｄ，２１１ｅ，２２１  無線通信部
１２，２１３ａ  無線情報記憶部
１２ｂ，１２ｄ，２２ａ  無線情報提供部
１３，２３，４３，５３，６３  ユーザ情報データベース
１４ｃ，１４ｄ，２４，３４ａ，３４ｂ，４４ａ，４４ｂ，５４ａ，５４ｂ，６４，７１，２１１ｂ，２１１ｃ，２２４，２３４  通信部
１５，２５，３５，４５ａ  提供情報特定部
１６，２６，３６，４６，５６，２２６，２３６  通信ポリシー設定部
１６ａ，２６ａ，３６ａ，４６ａ，５６ａ  通信ポリシーデータベース
１７，２７，３７ａ，３７ｂ，４７ａ，４７ｂ，５７ａ，５７ｂ，２２７，２３７  通信制御部
１８，２８ａ，４８ａ，５８ａ  変換部
１９ａ，２９ａ，３９ａ，４９ａ，４９ｄ，５９ａ，２２９ａ，２３９  監視部
１９ｂ，２９ｂ，３９ｂ，４９ｂ，５９ｂ  時計部
１９ｃ  無線装置情報記憶部
１９ｄ，３２  測定部
２２  無線情報データベース
２８ｂ，４８ｂ，４８ｃ，５８ｂ，２２８ｂ  リソース割当部
２９ｃ  管理サーバ情報記憶部
３３  ユーザ情報記憶部
３８，４５ｃ，５５  通知部
３８ａ，２３８ａ  入力部
３８ｂ，２３８ｂ  出力部
４１ａ，４１ｂ  提供情報提供部
４２  提供情報データベース
４５ｂ，６５  提供情報提示部
４６ｂ，５６ｂ  設定条件制御部
４６ｃ，２１２ａ〜２１２ｅ，２３１  制御部
４９ｃ，４９ｅ  配信サーバ情報記憶部
５９ｃ  中継装置情報記憶部
６１  認証部
６２  サービスリソースデータベース
６６  登録部
６７  タグＩＤ提供部
６８  タグＩＤ管理データベース
７２，２５１ｅ  課金部
７３，２５１ｆ  課金データベース
８０  ネットワーク
８１  情報中継サーバ８１
８２  ストリーミングコンテンツ中継サーバ
８３ａ，８３ｂ，８３ｃ  アクセス中継装置
８４，９０  移動通信網
８４ａ  ９２  交換装置
８４ｂ，９１  基地局
８４ｃ  移動通信端末
８５ａ，８５ｂ  インターネット
８６ａ，８６ｂ  有線通信網
２１０ｂ  監視カメラ
２１０ｃ，２１０ｄ  監視装置
２１０ｅ  録画装置
２１３ｂ  撮影部
２１３ｃ  破損センサー部
２１３ｄ  温度センサー部
２１３ｅ  録画部
２２０  ホームサーバ
２２２  ホームサーバ情報記憶部
２５１  中継制御部
２５２  中継ゲートウェイ部
２５２ａ  ＨＴＴＰ通信制御部
２５２ｂ  ストリーミング映像通信制御部
２５２ｃ  ＶｏＩＰ通信制御部
２５２ｄ  トンネリング通信制御部
【図１】
2004274185.tif 000003
【図２】
2004274185.tif 000004
【図３】
2004274185.tif 000005
【図４】
2004274185.tif 000006
【図５】
2004274185.tif 000007
【図６】
2004274185.tif 000008
【図７】
2004274185.tif 000009
【図８】
2004274185.tif 000010
【図９】
2004274185.tif 000011
【図１０】
2004274185.tif 000012
【図１１】
2004274185.tif 000013
【図１２】
2004274185.tif 000014
【図１３】
2004274185.tif 000015
【図１４】
2004274185.tif 000016
【図１５】
2004274185.tif 000017
【図１６】
2004274185.tif 000018
【図１７】
2004274185.tif 000019
【図１８】
2004274185.tif 000020
【図１９】
2004274185.tif 000021
【図２０】
2004274185.tif 000022
【図２１】
2004274185.tif 000023
【図２２】
2004274185.tif 000024
【図２３】
2004274185.tif 000025